(57)【要約】【課題】移動部材が、ある特定の一方向に移動する場合にだけ被遮蔽領域の外観を一定に維持することができる遊技機を提供すること。【解決手段】被遮蔽領域Ｐ３の外観を変化させる演出部材３６５４は、アーム部材３６２０が第１方向に移動する場合にはアーム部材３６２０の移動に対応して移動し、アーム部材３６２０が第１方向の反対方向である第２方向に移動する場合には停止するので、アーム部材３６２０の移動する方向によって、演出部材３６５４の動作態様を移動するか停止するかの２態様で異ならせることができる。【選択図】図４２
2020073139.tif 000002
【特許請求の範囲】
【請求項１】
第１位置と第２位置との間で移動可能に形成される移動部材と、その移動部材を移動させるための駆動力を発生する駆動手段と、を備え、前記移動部材が前記第１位置に配置される場合には、前記移動部材に遮蔽されることにより前面視において視認不能となる領域であると共に、前記移動部材が少なくとも前記第２位置に配置される場合には、前面視において視認可能となる領域である被遮蔽領域を有する遊技機において、
前記被遮蔽領域の少なくとも一部の外観が変化可能に形成され、
前記被遮蔽領域に配設されると共に、前記移動部材の移動に対応して移動可能である演出部材を備え、その演出部材が移動されることで前記被遮蔽領域の外観が変化され、
前記演出部材は、前記移動部材が第１方向に移動する場合には、前記移動部材の移動に対応して移動し、前記移動部材が第１方向の反対方向である第２方向に移動する場合には停止することを特徴とする遊技機。
【請求項２】
前記演出部材は、初期位置に配置された後に前記移動部材が前記第１位置と前記第２位置との間を所定回数往復すると、初期位置へ復帰可能に形成されると共に、前記移動部材が前記第１位置と前記第２位置との間を１往復すると、前記演出部材は、前記初期位置から移動し前記初期位置へ復帰するまでの経路を前記所定回数で分割した距離だけ移動することを特徴とする請求項１記載の遊技機。
【請求項３】
前記第１方向は、前記移動部材を重力方向に沿った方向に移動させる方向であり、前記第２方向は、前記移動部材を重力方向に対向する方向に沿った方向に移動させる方向であることを特徴とする請求項１又は２に記載の遊技機。
【発明の詳細な説明】
【技術分野】
【０００１】
本発明は、パチンコ機などの遊技機に関するものである。
【背景技術】
【０００２】
パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有するものが知られている（特許文献１）。
【先行技術文献】
【特許文献】
【０００３】
【特許文献１】特開２０１１−１８２９８４号公報
【発明の概要】
【発明が解決しようとする課題】
【０００４】
しかしながら、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０００５】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が第１方向に移動する場合もその第１方向の反対方向である第２方向に移動する場合も演出部材が移動部材の移動に対応して移動するように形成されており、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
【０００６】
本発明は、上記例示した問題点を解決するためになされたものであり、移動部材が第２方向に移動する場合にだけ被遮蔽領域の外観を一定に維持することができる遊技機を提供することを目的とする。
【課題を解決するための手段】
【０００７】
この目的を達成するために請求項１記載の遊技機は、第１位置と第２位置との間で移動可能に形成される移動部材と、その移動部材を移動させるための駆動力を発生する駆動手段と、を備え、前記移動部材が前記第１位置に配置される場合には、前記移動部材に遮蔽されることにより前面視において視認不能となる領域であると共に、前記移動部材が少なくとも前記第２位置に配置される場合には、前面視において視認可能となる領域である被遮蔽領域を有する遊技機において、前記被遮蔽領域の少なくとも一部の外観が変化可能に形成され、前記被遮蔽領域に配設されると共に、前記移動部材の移動に対応して移動可能である演出部材を備え、その演出部材が移動されることで前記被遮蔽領域の外観が変化され、前記演出部材は、前記移動部材が第１方向に移動する場合には、前記移動部材の移動に対応して移動し、前記移動部材が第１方向の反対方向である第２方向に移動する場合には停止する。
【０００８】
請求項２記載の遊技機は、請求項１記載の遊技機において、前記演出部材は、初期位置に配置された後に前記移動部材が前記第１位置と前記第２位置との間を所定回数往復すると、初期位置へ復帰可能に形成されると共に、前記移動部材が前記第１位置と前記第２位置との間を１往復すると、前記演出部材は、前記初期位置から移動し前記初期位置へ復帰するまでの経路を前記所定回数で分割した距離だけ移動する。
【０００９】
請求項３記載の遊技機は、請求項１又は２に記載の遊技機において、前記第１方向は、前記移動部材を重力方向に沿った方向に移動させる方向であり、前記第２方向は、前記移動部材を重力方向に対向する方向に沿った方向に移動させる方向である。
【発明の効果】
【００１０】
請求項１記載の遊技機によれば、演出部材は、移動部材が第１方向に移動する場合には移動部材の移動に対応して移動し、移動部材が第１方向の反対方向である第２方向に移動する場合には停止するので、移動部材の移動する方向によって、演出部材の動作態様を移動するか停止するかの２態様で異ならせることができる。
【００１１】
即ち、移動部材が第１方向に移動する場合も第２方向に移動する場合も演出部材が移動部材の移動に対応して移動すると、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
【００１２】
これに対し、請求項１記載の遊技機によれば、移動部材が第１方向に移動する場合には移動部材の移動に対応して演出部材が移動し、移動部材が第２方向に移動する場合には演出部材が停止するので、移動部材が第２方向に移動する場合にだけ被遮蔽領域の外観を一定に維持することができる。例えば、演出部材に文字など静止状態において把握しやすい表示がされる場合に演出部材を停止させる構成が有効となる。
【００１３】
なお、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【００１４】
請求項２記載の遊技機によれば、請求項１記載の遊技機の奏する効果に加え、演出部材は、初期位置に配置された後に移動部材が第１位置と第２位置との間を所定回数往復すると、初期位置へ復帰可能に形成されると共に、移動部材が第１位置と第２位置との間を１往復すると、演出部材は、初期位置から移動し初期位置へ復帰するまでの経路を分割した距離だけ移動するので、演出部材の位置や姿勢を移動部材の往復毎に異ならせることができ、結果として被遮蔽領域の外観を移動部材の往復毎に変化させることができる。
【００１５】
請求項３記載の遊技機によれば、請求項１又は２に記載の遊技機の奏する効果に加え、第１方向は、移動部材を重力方向に沿った方向に移動させる方向であり、第２方向は、移動部材を重力方向に対向する方向に沿った方向に移動させる方向であるので、移動部材の移動と演出部材の移動とに兼用される駆動手段の駆動力を抑制することができる。
【００１６】
即ち、２部材を単一の駆動手段で駆動させる場合、それぞれの部材にかけられる抵抗を上回る駆動力を発生させる必要があり、駆動手段を小型化することは難しい。
【００１７】
これに対し、請求項３記載の遊技機によれば、移動部材を重力方向に沿った第１方向に移動させる場合には、重力が移動部材の移動を補助することとなり、移動部材と演出部材とを同時に動作させるようにしても、駆動力は小さくて済むので、駆動手段を小型化することができる。
【００１８】
一方で、移動部材を重力方向に対向する方向に沿った第２方向に移動させる場合には、重力の分だけ駆動力を大きくする必要があるが、演出部材を停止させることで、演出部材を移動させる駆動力が不要となり、駆動手段に必要とされる駆動力を結果的に低減させることができる。
【図面の簡単な説明】
【００１９】
【図１】第１実施形態におけるパチンコ機の前面図である。
【図２】パチンコ機の遊技盤の前面図である。
【図３】パチンコ機の後面図である。
【図４】パチンコ機の電気的構成を示すブロック図である。
【図５】遊技盤及び動作ユニットの斜視図である。
【図６】遊技盤の後面図である。
【図７】分解した動作ユニットを前面視した動作ユニットの分解前面斜視図である。
【図８】分解した動作ユニットを前面視した動作ユニットの分解前面斜視図である。
【図９】遊技盤に配設された状態における可動部材、第１歯車及び第２歯車の部分拡大後面斜視図である。
【図１０】昇降動作ユニットの前面図である。
【図１１】昇降動作ユニットの前面図である。
【図１２】昇降動作ユニットの分解前面斜視図である。
【図１３】昇降動作ユニットの分解後面斜視図である。
【図１４】（ａ）及び（ｂ）は、昇降動作ユニットの後面図である。
【図１５】駆動部の部分後面図である。
【図１６】（ａ）は、第１被遮蔽装置の前面斜視図であり、（ｂ）は、第１被遮蔽装置の後面斜視図である。
【図１７】（ａ）は、第１遮蔽部材の前面斜視図であり、（ｂ）は、第１遮蔽部材の後面斜視図である。
【図１８】（ａ）は、第１演出部材の前面斜視図であり、（ｂ）は、第１演出部材の後面斜視図である。
【図１９】第１演出部材の前面図である。
【図２０】図２のＸＸ−ＸＸ線における遊技盤、第２歯車及び昇降動作ユニットの部分断面図である。
【図２１】（ａ）は、可動部材の前面図であり、（ｂ）は、第１被遮蔽装置の後面図であり、（ｃ）は、第１被遮蔽装置の前面図である。
【図２２】（ａ）は、可動部材の前面図であり、（ｂ）は、第１被遮蔽装置の後面図であり、（ｃ）は、第１被遮蔽装置の前面図である。
【図２３】（ａ）は、可動部材の前面図であり、（ｂ）は、第１被遮蔽装置の後面図であり、（ｃ）は、第１被遮蔽装置の前面図である。
【図２４】（ａ）は、可動部材の前面図であり、（ｂ）は、第１被遮蔽装置の後面図であり、（ｃ）は、第１被遮蔽装置の前面図である。
【図２５】（ａ）は、可動部材の前面図であり、（ｂ）は、第１被遮蔽装置の後面図である。
【図２６】第２実施形態における昇降動作ユニットの前面図である。
【図２７】昇降動作ユニットの前面図である。
【図２８】（ａ）は、第２被遮蔽装置の前面斜視図であり、（ｂ）は、第２被遮蔽装置の後面斜視図である。
【図２９】図２８（ａ）の矢印ＸＸＩＸ方向視における第２被遮蔽装置の側面図である。
【図３０】（ａ）及び（ｂ）は、中間板部材、第２演出部材及び付勢バネの前面図であり、（ｃ）は、図３０（ａ）の矢印ＸＸＸｃ方向視における中間板部材、第２演出部材及び付勢バネの側面図である。
【図３１】（ａ）は、昇降部材及び第２被遮蔽装置の前面斜視図であり、（ｂ）は、昇降部材及び第２被遮蔽装置の後面斜視図である。
【図３２】（ａ）は、昇降部材及び第２被遮蔽装置の前面図であり、（ｂ）は、昇降部材及び第２被遮蔽装置の後面図である。
【図３３】（ａ）は、昇降部材及び第２被遮蔽装置の前面図であり、（ｂ）は、昇降部材及び第２被遮蔽装置の後面図である。
【図３４】（ａ）は、昇降部材及び第２被遮蔽装置の前面図であり、（ｂ）は、昇降部材及び第２被遮蔽装置の後面図である。
【図３５】（ａ）及び（ｂ）は、昇降部材及び第２被遮蔽装置の前面模式図である。
【図３６】第３実施形態における遮蔽動作ユニット及び揺動動作ユニットの前面斜視図である。
【図３７】遮蔽動作ユニットの後面斜視図である。
【図３８】（ａ）及び（ｂ）は、遮蔽動作ユニットの前面図である。
【図３９】揺動動作ユニットの前面斜視図である。
【図４０】揺動動作ユニットの前面斜視図である。
【図４１】揺動動作ユニットの分解前面斜視図である。
【図４２】（ａ）及び（ｂ）は、切替歯車の部分断面模式図である。
【図４３】（ａ）から（ｄ）は、演出部材の表示部の前面図である。
【図４４】（ａ）は、揺動動作ユニットの前面図であり、（ｂ）は、被遮蔽装置の前面図である。
【図４５】（ａ）は、揺動動作ユニットの前面図であり、（ｂ）は、被遮蔽装置の前面図である。
【図４６】（ａ）は、揺動動作ユニットの前面図であり、（ｂ）は、被遮蔽装置の前面図である。
【図４７】（ａ）は、揺動動作ユニットの前面図であり、（ｂ）は、被遮蔽装置の前面図である。
【図４８】（ａ）は、揺動動作ユニットの前面図であり、（ｂ）は、被遮蔽装置の前面図である。
【図４９】（ａ）は、遮蔽動作ユニット及び揺動動作ユニットの前面図であり、（ｂ）は、揺動動作ユニットの前面図であり、（ｃ）は、図４９（ａ）の部分ＸＸＸＸＩＸｃにおける遮蔽動作ユニット及び揺動動作ユニットの部分拡大前面図である。
【図５０】（ａ）から（ｃ）は、取り付けベース及びアーム部材の部分前面模式図である。
【図５１】（ａ）は、遮蔽動作ユニット及び揺動動作ユニットの前面図であり、（ｂ）は、揺動動作ユニットの前面図である。
【図５２】第４実施形態における揺動動作ユニットの分解前面斜視図である。
【図５３】（ａ）は、取り付けベースの下側部分を前面視した取り付けベースの部分前面図であり、（ｂ）は、図５３（ａ）のＬＩＩＩｂ−ＬＩＩＩｂ線における取り付けベースの断面図である。
【図５４】（ａ）は、昇降部材の前面図であり、（ｂ）は、昇降部材の後面図であり、（ｃ）は、図５４（ｂ）のＬＩＶｃ−ＬＩＶｃ線における昇降部材の断面図である。
【図５５】（ａ）は、取り付けベースの部分前面図であり、（ｂ）は、図５５（ａ）のＬＶｂ−ＬＶｂ線における取り付けベースの断面図である。
【図５６】揺動動作ユニットの前面図である。
【図５７】（ａ）及び（ｂ）は、揺動動作ユニットの前面図である。
【図５８】（ａ）及び（ｂ）は、揺動動作ユニットの前面図である。
【図５９】第５実施形態における遮蔽動作ユニットの後面斜視図である。
【図６０】（ａ）から（ｃ）は、取り付けベース、アーム部材及び演出補助部材の部分前面模式図である。
【図６１】（ａ）は、第６実施形態における遊技盤に配設された状態における没出部材、ラック部材及び第２歯車の部分拡大斜視図であり、（ｂ）及び（ｃ）は、遊技盤、没出部材及びラック部材を遊技盤の側面と平行な平面で断面視する断面模式図である。
【発明を実施するための形態】
【００２０】
以下、本発明の実施形態について、添付図面を参照して説明する。まず、図１から図２５を参照し、第１実施形態として、本発明をパチンコ遊技機（以下、単に「パチンコ機」という）１０に適用した場合の一実施形態について説明する。図１は、第１実施形態におけるパチンコ機１０の前面図であり、図２はパチンコ機１０の遊技盤１３の前面図であり、図３はパチンコ機１０の後面図である。
【００２１】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために前面視（図１参照）左側の上下２カ所に金属製のヒンジ１８が取り付けられ、そのヒンジ１８が設けられた側を開閉の軸として内枠１２が前面手前側へ開閉可能に支持されている。
【００２２】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００２３】
内枠１２の前面側には、その前面上側を覆う前面枠１４と、その下側を覆う下皿ユニット１５とが設けられている。前面枠１４及び下皿ユニット１５を支持するために前面視（図１参照）左側の上下２カ所に金属製のヒンジ１９が取り付けられ、そのヒンジ１９が設けられた側を開閉の軸として前面枠１４及び下皿ユニット１５が前面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００２４】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の前面側に視認可能となっている。
【００２５】
前面枠１４には、球を貯留する上皿１７が前方へ張り出して上面を開放した略箱状に形成されており、この上皿１７に賞球や貸出球などが排出される。上皿１７の底面は前面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２６】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の前面視（図１参照）左上部には、ＬＥＤ等の発光手段が内蔵され賞球の払い出し中とエラー発生時とを表示可能な表示ランプ３４が設けられている。
【００２７】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２８】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２９】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００３０】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００３１】
下皿５０の前面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００３２】
図２に示すように、遊技盤１３は、前面視略正方形状に切削加工したベース板６０に、球案内用の多数の釘（図示せず）や風車（可動部材３１０を図示し、その他は図示せず）の他、レール６１，６２、一般入賞口６３、第１入賞口６４、第２入賞口６４０、第一可変入賞装置６５、第２可変入賞装置６５０、スルーゲート６７、可変表示装置ユニット８０等を組み付けて構成され、その周縁部が内枠１２（図１参照）の裏面側に取り付けられる。ベース板６０は光透過性の樹脂材料からなり、その前面側からベース板６０の後面側に配設された各種構造体を遊技者に視認させることが可能に形成される。一般入賞口６３、第１入賞口６４、第２入賞口６４０、第１可変入賞装置６５、第２可変入賞装置６５０、可変表示装置ユニット８０は、ルータ加工によってベース板６０に形成された貫通穴に配設され、遊技盤１３の前面側からタッピングネジ等により固定されている。
【００３３】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００３４】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００３５】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３６】
遊技領域の前面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３７】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３８】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３９】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００４０】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００４１】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００４２】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４３】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００４４】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４５】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４６】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４７】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４８】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４９】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００５０】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００５１】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００５２】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００５３】
一方、第１入賞口６４の前面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５４】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５５】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５６】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５７】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５８】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５９】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００６０】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００６１】
第１入賞口６４の下方右側には第１可変入賞装置６５が配設されており、その略中央部分に横長矩形状の第１特定入賞口（大開放口）６５ａが設けられている。また、第１入賞口６４の下方左側には第２可変入賞装置６５０が配設されており、その略中央部分に他の入賞口６３，６４，６４０と同程度の大きさの円形形状からなる第２特定入賞口６５０ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａ，６５０ａが、所定時間（例えば、３０秒経過するまで、或いは、球が１０個入賞するまで）開放される。
【００６２】
この特定入賞口６５ａ，６５０ａは、所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６３】
第１可変入賞装置６５は、具体的には、第１特定入賞口６５ａを覆う横長矩形状の開閉板と、その開閉板の下辺を軸として前方側に開閉駆動するための大開放口ソレノイド（図示せず）とを備えている。第１特定入賞口６５ａは、通常時は、球が入賞できないか又は入賞し難い閉状態になっている。大当たりの際には大開放口ソレノイドを駆動して開閉板を前面下側に傾倒し、球が第１特定入賞口６５ａに入賞しやすい開状態を一時的に形成し、その開状態と通常時の閉状態との状態を交互に繰り返すように作動する。
【００６４】
第２可変入賞装置６５０は、具体的には、第２特定入賞口６５０ａへ球を案内する案内路と、その案内路の第２特定入賞口６５０ａ側とは反対側となる開口部である開口６５１と、その開口６５１の開放および閉鎖を行うための駆動役物６５０ｂと、その駆動役物６５０ｂを開口６５１の下辺を軸に左右方向に開閉駆動するための小開放口ソレノイド（図示せず）とを備えている。第２特定入賞口６５０ａは、通常時は、球が入賞できないか又は入賞し難い閉状態になっている。大当たりの際には小開放口ソレノイドを駆動して駆動役物６５０ｂを右方に傾倒し、球が第２特定入賞口６５０ａに入賞しやすい開状態を一時的に形成し、その開状態と通常時の閉状態との状態を交互に繰り返すように作動する。
【００６５】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。また、特定入賞口６５ａ，６５０ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００６６】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６７】
遊技盤１３には、第１アウト口７１及び第２アウト口７２が設けられている。遊技領域を流下する球であって、いずれの入賞口６３，６４，６５ａ，６４０，６５０ａにも入賞しなかった球は、第１アウト口７１又は第２アウト口７２を通って図示しない球排出路へと案内される。第１アウト口７１は、第１入賞口６４の下方に配設される一方、第２アウト口７２は、第２特定入賞口６５０ａの左側に配設される。即ち、第２アウト口７２は、第２特定入賞口６５０ａを挟んで第１アウト口７１の反対側に配設される。
【００６８】
よって、遊技領域を流下する球であって、第２特定入賞口６５０ａよりも前面視右側（図２右側）において遊技領域の下端（内レール６１又は外縁部材７３）に達した球は、内レール６１又は外縁部材７３の傾斜に沿って流下され、第１アウト口７１を通って球排出路へ案内される一方、第２特定入賞口６５０ａよりも前面視左側において遊技領域の下端（内レール６１）に達した球は、内レール６１の傾斜（湾曲）に沿って流下され、第２アウト口７２を通って球排出路へ案内される。
【００６９】
遊技盤１３には、球の落下方向を適宜分散、調整等するために多数の釘が植設されているとともに、風車等の各種部材（役物）とが配設されている。本実施形態においては、風車の内の一つ（可動部材３１０と称す）が遊技盤１３の前面視左側上方に配設され、図２において図示されている。
【００７０】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７１】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７２】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７３】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７４】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７５】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７６】
次に、図４を参照して、本パチンコ機１０の電気的構成について説明する。図４は、パチンコ機１０の電気的構成を示すブロック図である。
【００７７】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７８】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７９】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８０】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００８１】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００８２】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８３】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８４】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８５】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８６】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８７】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８８】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４２２，３５１４，３６３１が含まれる。
【００８９】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【００９０】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００９１】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００９２】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９３】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００９４】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９５】
次いで、図５を参照して、遊技盤１３における第２歯車３２２の伝達軸部３２２ｄと動作ユニット２００における第１遮蔽部材４４１の挿通孔４４１ｂとの位置関係について説明する。
【００９６】
図５は、遊技盤１３及び動作ユニット２００の斜視図である。図５の紙面左側には、遊技盤１３の後面斜視図が図示され、図５の紙面右側には、動作ユニット２００の前面斜視図が図示される。遊技盤１３は、組立状態において、動作ユニット２００の前側に締結固定される。
【００９７】
図５に示すように、遊技盤１３の後面視右側上部には、第１歯車３２１及びその第１歯車３２１に従動して回転される第２歯車３２２が配設される。第１歯車３２１は、上述した時計回り及び反時計回りの双方向に回転可能な風車である可動部材３１０（図２及び図９参照）に同期回転可能に軸連結される。
【００９８】
第２歯車３２２の伝達軸部３２２ｄは、遊技盤１３と動作ユニット２００との組立状態において、昇降動作ユニット４００の挿通孔４４１ｂに挿通可能に形成される。
【００９９】
図６は、遊技盤１３の後面図である。遊技盤１３の後面図については概略として図５で説明したが、ここでは再度詳細に説明する。図６に示すように、遊技盤１３は、第１歯車３２１及び第２歯車３２２を備え、それらは遊技盤１３の後面視右側上部に配設される。ここで、第１歯車３２１は、前面視において戻り球防止部材６８（図２参照）の右側上方に配設される可動部材３１０と同期回転可能に軸連結される（図９参照）。
【０１００】
そのため、球が遊技盤１３の前面（図２参照）を流下し、可動部材３１０（図９参照）に衝突し、可動部材３１０が回転されると、その回転が第１歯車３２１及び第２歯車３２２に伝達され、その回転に伴い伝達軸部３２２ｄが回転されるので、その伝達軸部３２２ｄの一端に配設される第１演出部材４４２（図１２参照）が回転され、第１被遮蔽装置４４０（図５参照）の外観を変化させることとなるが、詳細は後述する。
【０１０１】
ここで、上述したように可動部材３１０が、遊技盤１３の前面視左側上部に配設されるので（図２参照）、球が流下の過程で釘などに衝突して流下経路が分岐する前に、球を可動部材３１０（図９参照）に衝突させることができる。よって、球が可動部材３１０に衝突する確率を高めることができ、可動部材３１０と同期回転する第１歯車３２１の回転力が、第２歯車３２２に伝わる頻度を高めることができるので、後述する第１被遮蔽装置４４０（図１６参照）の外観を変化させる頻度を高めることができる。
【０１０２】
次いで、図７及び図８を参照して、後面ケース２１０への各ユニット４００〜６００の収容構造について説明する。
【０１０３】
図７及び図８は、分解した動作ユニット２００を前面視した動作ユニット２００の分解前面斜視図である。なお、図８では、昇降動作ユニット４００及び揺動動作ユニット６００が後面ケース２１０に装着された状態が図示される。
【０１０４】
動作ユニット２００は、底壁部２１１と、その底壁部２１１の外縁から立設される外壁部２１２とから一面側（図７紙面手前側）が開放された箱状に形成される後面ケース２１０を備える。後面ケース２１０は、その底壁部２１１の中央に矩形状の開口２１１ａが開口形成されることで、前面視矩形の枠状に形成される。開口２１１ａは、第３図柄表示装置８１（図２参照）の外形に対応した（即ち、第３図柄表示装置８１を配設可能な）大きさに形成される。
【０１０５】
動作ユニット２００は、後面ケース２１０の内部空間に、昇降動作ユニット４００、揺動動作ユニット６００及び遮蔽動作ユニット５００がそれぞれ収容され、これを１ユニットとして構成される。
【０１０６】
具体的には、昇降動作ユニット４００は開口２１１ａの上方となる位置において、揺動動作ユニット６００は開口２１１ａの左右となる位置において、それぞれ後面ケース２１０の底壁部２１１に配設される（図８参照）。
【０１０７】
この図８に示す状態に対し、遮蔽動作ユニット５００は揺動動作ユニット６００の前面側に、それぞれ重ね合わされた積層状態で配設され、後面ケース２１０に収容される（図５参照）。
【０１０８】
これら各動作ユニット４００〜６００は、それぞれ独立して動作可能に形成されるので、同時に動作させることができる。よって、各動作ユニット４００〜６００をそれぞれ単体で動作させるだけでなく、これらの動作を組み合わせることができるので、その演出効果を高めることができる。
【０１０９】
次いで、図９を参照して、上述した第１歯車３２１及び第２歯車３２２の遊技盤１３への配設構造について説明する。
【０１１０】
図９は、遊技盤１３に配設された状態における可動部材３１０、第１歯車３２１及び第２歯車３２２の部分拡大後面斜視図である。なお、遊技盤１３は部分的に図示されると共に部分的に断面視される。図９において、紙面下方が遊技盤１３の前方と一致する。
【０１１１】
図９に示すように、遊技盤１３には挿通孔が二箇所に穿設され、一方の挿通孔に可動部材３１０の軸支本体３１１が挿通され、その軸支本体３１１の一端に第１歯車３２１が配設される。また、他方の挿通孔には、第２歯車３２２の軸部３２２ｃが軸支され、第２歯車３２２が第１歯車３２１に歯合された状態で遊技盤１３に配設される。
【０１１２】
可動部材３１０は、遊技盤１３の前面を流下する球に衝突され回転される部材であって、円柱状の軸支本体３１１と、その軸支本体３１１の一端に形成される係止部３１１ａと、軸支本体３１１の係止部３１１ａの反対側において径方向外方へ向けて放射状に等間隔で立設される三枚の羽部３１２ａ〜３１２ｃと、を主に備え、金属製の軸支本体３１１に樹脂材料から形成される羽部３１２ａ〜３１２ｃが固着される。ここで、係止部３１１ａは、断面Ｄ字形状に形成される。
【０１１３】
第１歯車３２１は、可動部材３１０と同期して回転され、樹脂材料から形成される部材であって、前面視円形状の第１本体３２１ａと、その第１本体３２１ａの外周面に刻設される歯３２１ｂと、その歯３２１ｂよりも第１歯車３２１の後面側（遊技盤１３の反対側）となる位置で第１本体３２１ａの外周面からフランジ状に張り出すフランジ部３２１ｃと、第１本体３２１ａの中心に穿設される軸孔部３２１ｄと、を主に備える。軸孔部３２１ｄは、係止部３１１ａに比較して若干大きな断面Ｄ字形状に形成されるので、係止部３１１ａが軸孔部３２１ｄに挿通されることで、可動部材３１０が第１歯車３２１に対して周方向に係止される。可動部材３１０の係止部３１１ｅに抜け止めとしての留め輪Ｅが固定されることで、第１歯車３２１が遊技盤１３の後方へ引き抜き不能に配設される。
【０１１４】
第２歯車３２２は、第１歯車３２１に従動回転され、樹脂材料から形成される部材であって、前面視円形状の第２本体３２２ａと、その第２本体３２２ａの外周面に刻設される歯３２２ｂと、第２本体３２２ａの中心から前方（遊技盤１３側）に立設される円柱状の軸部３２２ｃと、その軸部３２２ｃと同軸に形成されると共に第２本体３２２ａの後方（遊技盤１３の反対側）に立設される円柱形状の伝達軸部３２２ｄと、その伝達軸部３２２ｄの一端から軸方向に立設される断面矩形状の係止部３２２ｅと、を主に備える。第２歯車３２２の軸部３２２ｃは、遊技盤１３に穿設される挿通孔に回転可能に軸支される。
【０１１５】
伝達軸部３２２ｄは、遊技盤１３と動作ユニット２００とが締結固定された状態において、挿通孔４４１ｂに挿通される（図２０参照）。そのため、第２歯車３２２は、遊技盤１３の挿通孔および挿通孔４４１ｂに両持ちで軸支される。
【０１１６】
係止部３２２ｅは、遊技盤１３と動作ユニット２００とが締結固定された状態において、第１演出部材４４２と連結される部分であり、第１演出部材４４２は係止部３２２ｅに周方向に係止されることで第２歯車３２２と同期して回転される（図２０参照）。
【０１１７】
可動部材３１０から第２歯車３２２への回転の伝達について説明する。可動部材３１０及び第１歯車３２１の連結は、可動部材３１０の係止部３１１ａが第１歯車３２１の軸孔部３２１ｄに挿通されることで行われる。係止部３１１ａ及び軸孔部３２１ｄは周方向に係止されるので、可動部材３１０が回転されることで、第１歯車３２１は可動部材３１０に同期して回転される。第１歯車３２１が回転されると、その第１歯車３２１に歯合される第２歯車３２２が回転される。よって、可動部材３１０から第２歯車３２２へ回転が伝達される。
【０１１８】
フランジ部３２１ｃの作用について説明する。第２歯車３２２が遊技盤１３に穿設される挿通孔に保持されると共に、第１歯車３２１の歯３２１ｂと第２歯車３２２の歯３２２ｂとが歯合されると、第２歯車３２２がフランジ部３２１ｃ及び遊技盤１３に挟まれる位置関係となり、第１歯車３２１のフランジ部３２１ｃが第２歯車３２２の抜け止めとして作用する。即ち、第１歯車３２１のフランジ部３２１ｃと、第２歯車３２２の歯３２２ｂとは、軸方向で重なる部分を有すると共に、第１歯車３２１は上述したように前後方向に引き抜き不能に配設されているので、第２歯車３２２を第１歯車３２１と同様に前後方向に引き抜き不能とすることができる。よって、第２歯車３２２を遊技盤１３から引き抜き不能とするＥリング等の別部材を配設不要とでき、部品コストを削減することができる。
【０１１９】
また、第１歯車３２１にフランジ部３２１ｃが形成されるので、そのフランジ部３２１ｃによって、第２歯車３２２を利用して第１歯車３２１が回転により傾斜することを抑制することができる。即ち、第２歯車３２２は、遊技盤１３が動作ユニット２００に締結固定された状態においては、上述したように、遊技盤１３の挿通孔と第１遮蔽部材４４１の挿通孔４４１ｂとに両持ち支持されるので、回転時の軸心が安定する（図２０参照）。一方、第１歯車３２１は、遊技盤１３に挿通された軸支本体３１１に片持ち支持されるので、回転時の軸心が傾斜しやすい構造である。これに対し、本実施形態では、第１歯車３２１にフランジ部３２１ｃが形成されるので、第１歯車３２１が第２歯車３２２側に傾斜する場合にフランジ部３２１ｃが第２歯車３２２の歯３２２ｂの側面に当接し、第１歯車３２１の傾斜が規制される。よって、第１歯車３２１の傾斜を抑制する補助部材を配設することなしに、第１歯車３２１と第２歯車３２２との歯合状態を適正として、伝達効率の向上を図ると共に、第１歯車３２１に連結される可動部材３１０の回転を滑らかなものにできる。
【０１２０】
更に、第１歯車３２１は、第１本体３２１ａの外周面からフランジ部３２１ｃが張り出して形成されるので、かかるフランジ部３２１ｃにより第１歯車３２１の剛性を高めることができる。特に、本実施形態では、フランジ部３２１ｃが歯３２１ｂの軸方向端面に連設されるので、歯３２１ｂの剛性を高めることができる。その結果、歯３２１ｂの耐久性の向上を図ることができる。
【０１２１】
ここで、第１歯車３２１のフランジ部３２１ｃは、歯３２１ｂの谷よりも山頂側に張り出されていれば足りる。歯３２１ｂの谷よりも張り出されていれば、第２歯車３２２の歯３２２ｂの山頂側の端面に当接できるからである。また、フランジ部３２１ｃの形成に要する材料を抑制して、軽量化および材料コストの削減を図ることができる。但し、フランジ部３２１ｃは、歯３２１ｂの山頂側よりも更に径方向外方へ張り出されていることが好ましい。第１歯車３２１の傾斜をより確実に抑制できるからである。
【０１２２】
なお、第１歯車３２１の歯数に比較して第２歯車３２２の歯数が多く配設される（本実施形態においては歯数比２）。これにより、第２歯車３２２の係止部３２２ｅに周方向に係止される第１演出部材４４２（図１８参照）の回転可能な角度が制限される場合に、それに伴い第２歯車３２２の回転可能角度が制限されたとしても、第１歯車３２１の回転可能角度を第２歯車３２２の回転可能角度に比較して大きくでき、結果として、可動部材３１０の回転可能角度を大きくすることができる。よって、可動部材３１０の回転角度を十分確保することができる。
【０１２３】
可動部材３１０と第１歯車３２１との遊技盤１３に対する組み付け構造について説明する。まず、可動部材３１０の軸支本体３１１を遊技盤１３に穿設される挿通孔に前面側から挿通させることで遊技盤１３の後面側まで貫通させ、そして、軸支本体３１１の係止部３１１ａに第１歯車３２１の軸孔部３２１ｄを挿通させると共に、係止部３１１ａの係止溝に留め輪Ｅを嵌め込む。これにより、可動部材３１０と第１歯車３２１とが遊技盤１３の前後方向に引き抜き不能となると共に、可動部材３１０と第１歯車３２１とが同期回転可能に遊技盤１３に保持される。
【０１２４】
上記した構造によれば、遊技盤１３に可動部材３１０、第１歯車３２１及び第２歯車３２２を組み付ける際には、第２歯車３２２を遊技盤１３に組み付けてから、可動部材３１０及び第１歯車３２１を遊技盤１３に組み付けるようにすることで容易に組み付けできる。これは、遊技盤１３に第１歯車３２１が配設されると第１歯車３２１のフランジ部３２１ｃによって第２歯車３２２の前後方向への移動が規制されるので、第２歯車３２２の保持部材として第１歯車３２１が作用するためである。その上、本実施形態によれば、可動部材３１０、第１歯車３２１及び第２歯車３２２の複数の部材全てを遊技盤１３に配設するために、それらの部材の個数に対応する複数の保持部材を要さず留め輪Ｅを一箇所（係止部３１１ａの係止溝）に嵌め込むだけで足りる。即ち、第１歯車３２１がフランジ部３２１ｃを備えることで、遊技盤１３への可動部材３１０、第１歯車３２１及び第２歯車３２２の組み付け工数を抑えると共に、保持部材の配設個数を抑制することができる。
【０１２５】
次いで、図１０から図２５を参照して、第２歯車３２２の伝達軸部３２２ｄが挿通される第１被遮蔽装置４４０及びその第１被遮蔽装置４４０を有する昇降動作ユニット４００について説明する。
【０１２６】
図１０及び図１１は、昇降動作ユニット４００の前面図である。なお、図１０では、昇降部材４６０が上昇位置に配置された状態が図示され、図１１では、昇降部材４６０が下降位置に配置された状態が図示される。
【０１２７】
図１０及び図１１に示すように、昇降動作ユニット４００は、取り付けベース４１０の前面側を昇降部材４６０が上下方向（図１０上下方向）にスライド移動する構造に形成されており、昇降部材４６０の後面側に被遮蔽領域Ｐ１を有する。その被遮蔽領域Ｐ１は、図１０に示すように、昇降部材４６０が上昇位置に配置される場合には昇降部材４６０に隠され視認されないが、一方で、図１１に示すように、取り付けベース４１０に対して昇降部材４６０が下降位置に配置される場合には前面視において視認される領域である。なお、昇降部材４６０が昇降動作する機構の詳細については後述する。
【０１２８】
図１２は、昇降動作ユニット４００の分解前面斜視図であり、図１３は昇降動作ユニット４００の分解後面斜視図である。
【０１２９】
図１２及び図１３に示すように、昇降動作ユニット４００は、長尺板形状の取り付けベース４１０と、その取り付けベース４１０の後面側右方に締結固定される駆動部４２０と、その駆動部４２０の生ずる駆動力により上下方向（図１２上下方向）にスライド移動されるスライドベース４３０と、取り付けベース４１０の前面側に前面視左方に締結固定される第１被遮蔽装置４４０と、取り付けベース４１０の前側中央に嵩上げされて締結固定される嵩上げ締結前板４５０と、その嵩上げ締結前板４５０を収納する態様で上下方向にスライド移動される昇降部材４６０と、取り付けベース４１０の後方にスライドベース４３０を挟んで左右に配設される一対の嵩上げ部材４７０と、を主に備える。
【０１３０】
なお、一対の嵩上げ部材４７０は、前後方向に開放された形状に形成され、取り付けベース４１０の後面側に配設される駆動部４２０を嵩上げ部材４７０の内部空間に収容可能とされる。
【０１３１】
取り付けベース４１０は、主に樹脂材料から形成され、長尺板形状の本体部４１０ａと、その本体部４１０ａに上下方向に延設される開口である複数の案内溝４１１と、その案内溝４１１に併設されるピニオン案内溝４１２と、そのピニオン案内溝４１２の側面に複数の歯がラックギヤとして刻設されるラック部４１３と、本体部４１０ａの後面から嵩上げ部材４７０へ向けて突出されると共にその嵩上げ部材４７０の挿通孔に挿通された締結ねじが締結可能に形成される複数（本実施形態では４本）の締結部４１４と、本体部４１０ａの前面視左方に穿設される複数（本実施形態では２箇所）の締結孔４１５と、その締結孔４１５に締結固定される第１被遮蔽装置４４０を位置合わせする規制部４１６と、を主に備える。
【０１３２】
案内溝４１１は、スライドベース４３０のスライド移動を案内する溝である。複数（本実施形態では３本）の案内溝４１１が平行に併設され、それらの案内溝４１１にそれぞれスライドベース４３０の挿通部４３１が挿通されるので、スライドベース４３０のスライド移動中の姿勢を一定に保つことができる。
【０１３３】
ピニオン案内溝４１２は、スライドベース４３０の挿通軸４３２ａに軸支されたピニオンギア４３２ｂを案内する溝であり、組立状態において、ピニオンギア４３２ｂがラック部４１３及び昇降部材４６０の後面側に配設されるラック部４６４の両者に歯合され、これにより、ダブルラック・ピニオン構造が形成される。よって、取り付けベース４１０に対してスライドベース４３０がスライド移動（昇降）されると、ダブルラック・ピニオン機構を介して、昇降部材４６０がスライドベース４３０に対してスライド移動される。即ち、昇降部材４６０は、スライドベース４３０よりも増速された状態で、取り付けベース４１０に対してスライド移動（昇降）される。
【０１３４】
締結部４１４は、嵩上げ部材４７０に締結固定される部分である。嵩上げ部材４７０が後面ケース２１０（図７参照）に締結固定されることで、昇降動作ユニット４００の取り付けベース４１０が後面ケース２１０に固定される。
【０１３５】
規制部４１６は、取り付けベース４１０の正面視左側下方において前側に断面矩形状に突設される部分であり、第１被遮蔽装置４４０を本体部４１０ａに取り付ける際の作業不良防止部として機能する。即ち、後述するように、第１被遮蔽装置４４０の第１遮蔽部材４４１は台形板形状に形成されるので、正方形のように姿勢が一義的に決まらない形状と異なり、取り付けベース４１０への取り付け時の第１被遮蔽装置４４０の姿勢を作業者が確認しやすい。しかし、不注意で姿勢を誤って取り付ける（上下反対等）恐れがある。そこで、第１被遮蔽装置４４０を規制部４１６の上側壁部に沿わせて本体部４１０ａに組み付けることで、第１被遮蔽装置４４０の取り付け時の姿勢を一義的に定めることができ、組み付け間違いを防止することができる。よって、昇降動作ユニット４００の製造コストを低減することができる。
【０１３６】
スライドベース４３０は、取り付けベース４１０の後方に配設され、樹脂材料から形成される部材であって、四角形板形状の本体部４３０ａと、その本体部４３０ａの前面に複数突出されると共に複数の案内溝４１１ｂのそれぞれに挿通される複数の挿通部４３１と、本体部４３０ａの前面に突出される支持軸４３２ａと、その支持軸４３２ａに回転可能に軸支されるピニオンギア４３２ｂと、本体部４３０ａの後面から突出される挿通軸４３３と、を主に備える。
【０１３７】
挿通部４３１は、複数（本実施形態では３箇所）配設され、取り付けベース４１０の複数の案内溝４１１にそれぞれ挿通される部分であり、挿通部４３１が案内溝４１１に挿通された状態で、前側から抜け止めとしてのカラーＣを介して締結ねじで締結されることで、取り付けベース４１０に対してスライドベース４３０が前後方向に位置決めされる。よって、スライドベース４３０は、案内溝４１１の延設方向である上下方向（図１２上下方向）への移動のみが可能となる。また、上述したように、挿通部４３１が、平行に併設される案内溝４１１のそれぞれに挿通されることで、スライドベース部材の左右方向への移動が規制されるので、スライドベース４３０が上下方向に移動される際のスライドベース４３０の姿勢を一定に保持することができる。
【０１３８】
挿通軸４３３は、回動部材４２８の摺動孔４２８ａに挿通される。後述するように回動部材４２８が上下方向に回転移動されることで、スライドベース４３０が上下方向にスライド移動される。
【０１３９】
ピニオンギア４３２ｂは支持軸４３２ａに回転可能に軸支され、更にピニオンギア４３２ｂはピニオン案内溝４１２に挿通され、ピニオンギア４３２ｂと取り付けベース４１０のラック部４１３とが歯合される。そのため、スライドベース４３０が上下方向にスライド移動されると、ピニオンギア４３２ｂが回転され、その回転に伴い上述したようにピニオンギア４３２ｂに歯合される昇降部材４６０が上下方向にスライド移動される。
【０１４０】
昇降部材４６０は、後面側中央部に上下方向に幅広の凹溝が延設されると共にＬＥＤ等が配設される基盤を内部に有する長尺板形状の前側本体部４６１と、その前側本体部４６１の後面側に締結固定される長尺板形状の後側本体部４６２と、その後側本体部４６２の上側から下方に延設して開口される一対の逃げ溝４６３と、それら一対の逃げ溝４６３の内の一方（後面視右側）の逃げ溝４６３の延設方向に沿って併設されるラック部４６４と、を主に備える。
【０１４１】
前側本体部４６１と後側本体部４６２とは、締結固定されることで上側に開口が形成されるように構成され、その開口は、昇降部材４６０が上昇位置に配置された場合に、昇降部材４６０が嵩上げ締結前板４５０を前後から抱え込むように収納する空間としての機能を有する。昇降部材４６０に嵩上げ締結前板４５０が収納される収納状態において、前側本体部４６１は嵩上げ締結前板４５０の前側に配設され、後側本体部４６２は嵩上げ締結前板４５０の後側に配設される。その結果、昇降部材４６０の板厚方向の姿勢を維持することができる。
【０１４２】
即ち、昇降部材４６０は基盤等の配設される前側本体部４６１側に重心を有するので、昇降部材４６０には前面側に倒れようとする力が働く。そのため、例えば、昇降部材４６０が嵩上げ締結前板４５０の前面側のみに形成される場合、昇降部材４６０が前側に倒れることを防止するには、別個の保持部材（案内レール等）が必要となる。一方、本実施形態のように、嵩上げ締結前板４５０が取り付けベース４１０から嵩上げされて締結され、嵩上げ締結前板４５０及び取り付けベース４１０の間に形成される隙間に後側本体部４６２が形成される構成によれば、昇降部材４６０の前側本体部４６１が昇降動作ユニット４００の最前面に配設されることで演出効果を向上させる効果を維持しながら、一方で昇降部材４６０が前倒れしそうになっても、嵩上げ締結前板４５０の後面に後側本体部４６２が当接されることで昇降部材４６０の前倒れを防ぐことができる。
【０１４３】
一対の逃げ溝４６３は、昇降部材４６０が昇降動作する場合に、嵩上げ締結前板４５０の後面側から突設される複数（本実施形態では４箇所、図１３参照）の嵩上げ締結部と昇降部材４６０の後側本体部４６２とが干渉するのを防止するために形成される開口である。
【０１４４】
後側本体部４６２は、一対の逃げ溝４６３よりも中央寄りに、前面側へ向けて延設される一対の側壁４６２ａを備える。昇降動作ユニット４００の組立状態において、一対の側壁４６２ａが、嵩上げ締結前板４５０の後面側左右（図１３左右方向）の内側面と当接し、昇降部材４６０の上下移動時における左右方向への位置ずれを防止する。
【０１４５】
ラック部４６４は、昇降動作ユニット４００の組立状態においてスライドベース４３０のピニオンギア４３２ｂが歯合される部分である。即ち、組立状態において、スライドベース４３０のピニオンギア４３２ｂが取り付けベース４１０のラック部４１３及び昇降部材４６０のラック部４６４の両者に歯合される。この場合、スライドベース４３０の挿通軸４３２ａに軸支されたピニオンギヤ４３２ｂが、取り付けベース４１０のラック部４１３と、昇降部材４６０の後面側に配設されたラック部４６４との両者に歯合され、これにより、ダブルラック・ピニオン構造が形成される。
【０１４６】
よって、取り付けベース４１０に対してスライドベース４３０がスライド移動（昇降）されると、ダブルラック・ピニオン機構を介して、昇降部材４６０がスライドベース４３０に対してスライド移動される。即ち、昇降部材４６０は、スライドベース４３０よりも増速された状態で、取り付けベース４１０に対してスライド移動（昇降）される。ここで、図１４を参照して、昇降動作ユニット４００の昇降部材４６０が取り付けベース４１０に対して昇降動作される機構について説明する。
【０１４７】
図１４（ａ）及び図１４（ｂ）は、昇降動作ユニット４００の後面図である。図１４（ａ）では、昇降部材４６０が上昇位置に配置された状態が図示され、図１４（ｂ）では、昇降部材４６０が下降位置に配置された状態が図示される。なお、図１４（ａ）及び図１４（ｂ）においては、理解を容易にするために、一対の嵩上げ部材４７０の図示が省略される。
【０１４８】
図１４（ａ）に示すように、昇降部材４６０が上昇位置に配置された状態において、スライドベース４３０の下端と昇降部材４６０の下端とが略同一位置に配置されるのに対し、図１４（ｂ）に示すように、昇降部材４６０が下降位置に配置された状態において、スライドベース４３０の下端と昇降部材４６０の下端とは、異なった位置に配置される。よって、昇降部材４６０が昇降動作される距離に比較し、スライドベース４３０がスライド変位される距離を抑制することができる。そのため、スライドベース４３０をスライド変位させる駆動部４２０の回動部材４２８が回転動作される範囲を抑制できるので、駆動部４２０全体の構造を小型化でき、省スペースに駆動部４２０を配設することができる。
【０１４９】
なお、昇降部材４６０が下降位置に配置された状態において、スライドベース４３０の下端と昇降部材４６０の下端とが、異なった位置に配置されるのは、上述したダブルラック・ピニオン機構を介して、昇降部材４６０がスライドベース４３０に対してスライド移動（昇降）されるためである。即ち、昇降部材４６０は、スライドベース４３０よりも増速された状態で、取り付けベース４１０に対してスライド移動（昇降）されるので、下降位置におけるスライドベース４３０と昇降部材４６０との配置に差が生じる。
【０１５０】
図１５を参照し、駆動部４２０について説明する。駆動部４２０は、スライドベース４３０（図１４参照）を上下方向（図１４上下方向）にスライド移動（昇降）させるための駆動力が発生されるユニットであり、取り付けベース４１０の後面側であって、スライドベース４３０の側方に配設される。
【０１５１】
図１５は、駆動部４２０の部分後面図である。なお、図１５では、ケース体４２１（図１４参照）及び駆動モータ４２２（図１４参照）の図示を省略する。
【０１５２】
図１５に示すように、駆動部４２０は、ケース体４２１（図１４参照）と、そのケース体４２１の後面側に配設されると共に駆動軸をケース体４２１の前面側に突出させる駆動モータ４２２（図１４参照）と、その駆動モータ４２２の駆動軸に固着されるピニオンギヤ４２３と、そのピニオンギヤ４２３に歯合されると共にケース体４２１の前面から突設される回転軸４２４ａに回転可能に軸支されるクランク歯車４２４と、そのクランク歯車４２４に一端が回転軸４２５ａを介して回転可能に軸支される連接棒４２５と、その連接棒４２５の他端から突設される連結軸４２６と、ケース体４２１の後面から突設される支持軸４２７と、その支持軸４２７及び連結軸４２６が挿通される挿通孔を有する長尺板形状の回動部材４２８と、を主に備える。なお、駆動モータ４２２の駆動軸、回転軸４２４ａ，４２５ａ、連結軸４２６及び支持軸４２７は、それぞれ平行に配設される。
【０１５３】
連接棒４２５の一端をクランク歯車４２４に回転可能に軸支する回転軸４２５ａは、クランク歯車４２４の回転軸４２４ａに対して偏心する位置に配置され、連接棒４２５の他端から突設される連結軸４２６は、支持軸４２７に軸支される回動部材４２８が回転する方向に沿ってのみ移動可能とされる。そのため、クランク歯車４２４、回転軸４２５ａ及び連接棒４２５は、クランク歯車４２４の回転運動を、連接棒４２５を介して、連結軸４２６の往復運動に変換するクランク機構を構成する。
【０１５４】
即ち、駆動モータ４２２（図１４参照）の回転駆動によりピニオンギヤ４２３が回転され、その回転によりクランク歯車４２４が一方向（例えば、矢印Ａ１方向）に回転されると、連結軸４２６が回動部材４２８の回転方向に沿って一方向（矢印Ｂ１方向）へ移動される一方、駆動モータ４２２が逆方向に回転駆動され、クランク歯車４２４が他方向（矢印Ａ２方向）に回転されると、連結軸４２６の移動方向が逆転され、かかる連結軸４２６が回動部材４２８の回転方向に沿って他方向（矢印Ｂ２方向）へ移動される。これにより、回動部材４２８の一端が上下方向に移動され、スライドベース４３０（図１４（ａ），（ｂ）参照）を上下方向に移動させることができる。
【０１５５】
図１４に戻って説明する。回動部材４２８は、支持軸４２７（図１５参照）が挿通される軸支孔が配設される一端の反対側の他端に長径方向に延設される長穴形状に開口される摺動孔４２８ａを有し、その摺動孔４２８ａにスライドベース４３０の後面から突出される挿通軸４３３が挿通されることで、回動部材４２８が上下方向に回動されると、スライドベース４３０が上下方向にスライド移動される。
【０１５６】
図１０及び図１１に戻って説明する。上述したスライド機構によりスライドベース４３０がスライド移動され下降されるに伴い、昇降部材４６０が上昇位置から下降され下降位置に配置されると、前面視において被遮蔽領域Ｐ１に第１被遮蔽装置４４０の視認孔４４１ｃを視認可能となる。ここで図１６から図１８を参照して、第１被遮蔽装置４４０について説明する。
【０１５７】
図１６（ａ）は、第１被遮蔽装置４４０の前面斜視図であり、図１６（ｂ）は、第１被遮蔽装置４４０の後面斜視図である。
【０１５８】
図１６（ａ）及び図１６（ｂ）に示すように、第１被遮蔽装置４４０は、被遮蔽領域Ｐ１の外観を変化させる装置であり、昇降動作ユニット４００の取り付けベース４１０（図１１参照）の前面視左側に前方から締結固定される第１遮蔽部材４４１と、その第１遮蔽部材４４１の後面側に配設される第１演出部材４４２と、その第１演出部材４４２及び第１遮蔽部材４４１間に配設されると共に第１演出部材４４２を初期位置に付勢する付勢力を生じる付勢バネ４４３と、を主に備える。なお、第１演出部材４４２の初期位置とは、付勢バネ４４３の一端が係止される係止ピン４４１ｈと付勢バネ４４３の他端が係止される係止ピン４４２ｆとが引き寄せられ、それに伴い第１演出部材４４２が停止される位置を意味し、初期位置において、付勢バネ４４３は自然長よりも伸ばされた状態で配設される。
【０１５９】
第１遮蔽部材４４１は、前面視において視認孔４４１ｃを通して第１演出部材４４２を部分的に視認可能とする部材である。視認孔４４１ｃは、上述したように、昇降動作ユニット４００の昇降部材４６０が下降位置に配置されると前面視において視認可能となる（図１１参照）。ここで、図１７を参照して、第１遮蔽部材４４１について説明する。
【０１６０】
図１７（ａ）は、第１遮蔽部材４４１の前面斜視図であり、図１７（ｂ）は、第１遮蔽部材４４１の後面斜視図である。
【０１６１】
図１７（ａ）に示すように、第１遮蔽部材４４１は、台形板形状の本体部４４１ａと、その本体部４４１ａの前面視左側上部に開口される挿通孔４４１ｂと、本体部４４１ａの中央付近に開口される視認孔４４１ｃと、を主に備える。ここで、挿通孔４４１ｂ及び視認孔４４１ｃの軸間距離は軸間距離Ｌ１で形成される。
【０１６２】
図１７（ｂ）に示すように、第１遮蔽部材４４１は、本体部４４１ａの後面から取り付けベース４１０（図１１参照）へ向けて突出されると共に取り付けベース４１０の締結孔４１５に挿通された締結ねじが締結可能に形成される複数（本実施形態では２本）の嵩上げ締結部４４１ｄと、本体部４４１ａの後面から立設されるリング形状の嵌合壁部４４１ｅと、その嵌合壁部４４１ｅの外周外側において視認孔４４１ｃの反対側にあたる位置に、嵌合壁部４４１ｅから隙間を空けて本体部４４１ａの後面から後方に立設される壁面である湾曲壁部４４１ｆと、その湾曲壁部４４１ｆの立設端から嵌合壁部４４１ｅ側に突出される抜け止め部４４１ｇと、視認孔４４１ｃを介して嵌合壁部４４１ｅの反対側に本体部４４１ａの後面から立設される円柱状の係止ピン４４１ｈと、を主に備える。ここで、嵌合壁部４４１ｅ、視認孔４４１ｃ及び係止ピン４４１ｈは一直線上に配設される。
【０１６３】
第１遮蔽部材４４１は、樹脂材料から一体成形されると共に、本体部４４１ａの前面には、視認孔４４１ｃの右側下方に絵柄（本実施形態では「打て！」の文字）が表示される。本体部４４１ａに表示される絵柄と、後述する第１演出部材４４２の表示４４２Ｒ，４４２Ｎ，４４２Ｌ（図１８（ａ）参照）とが組み合わさり、遊技者が複数のメッセージを受け取り可能にすることができる。どのようなメッセージを受け取り可能かについては後述する。
【０１６４】
本体部４４１ａは、台形板形状に形成されるので、組み付け作業の作業性を向上させることができる。即ち、台形板形状であれば、正方形などの方向性のない形状と異なり、形状から姿勢が一義的に把握できるためである。
【０１６５】
嵌合壁部４４１ｅは、内周が挿通孔４４１ｂと同軸同径に形成されるので、遊技盤１３及び動作ユニット２００が締結固定され、第２歯車３２２（図２０参照）の伝達軸部３２２ｄが挿通孔４４１ｂに挿通される際に、伝達軸部３２２ｄを支持する内周面の面積を十分に確保することができる。その結果、伝達軸部３２２ｄの軸心を安定させ、第２歯車３２２の回転を安定させることができる。
【０１６６】
ここで、伝達軸部３２２ｄ（図２０参照）の内周面の面積を確保することは、本体部４４１ａの板厚を一律に増加させることでも達成可能であるが、その場合には、使用される材料が不必要に多くなり材料コストが嵩む。更に、第１遮蔽部材４４１は、取り付けベース４１０及び昇降部材４６０の間という限られたスペースに配設されることに加え（図１０参照）、第１遮蔽部材４４１の後面側には第１演出部材４４２が配設されるので（図１６参照）、その第１演出部材４４２の配設スペースを確保するためにも、本体部４４１ａの板厚を一律に増加させることは好ましくない。
【０１６７】
そこで、本実施形態では、伝達軸部３２２ｄ（図２０参照）を内嵌する機能を発揮する部分としての嵌合壁部４４１ｅに限定して板厚を増加させる構造が採用される。これにより、第１演出部材４４２（図１６参照）の配設スペースを十分確保することができ、第１演出部材４４２の設計自由度を向上させることができる。
【０１６８】
湾曲壁部４４１ｆは、嵌合壁部４４１ｅ側が凹んで湾曲しており、内周面が嵌合壁部４４１ｅと同軸に形成されると共に、内周面の外径が第１演出部材４４２（図１６参照）の筒状軸部４４２ｂの外径に比較し若干大きく形成されるので、第１演出部材４４２の回転時のガイドとして作用する。よって、第１演出部材４４２を安定して回転させることができる。
【０１６９】
抜け止め部４４１ｇは、湾曲壁部４４１ｆから嵌合壁部４４１ｅ側へ突出される部分であって、組立状態（図１６参照）において第１演出部材４４２（図１６参照）の筒状軸部４４２ｂと部分的に重なることで第１遮蔽部材４４１から第１演出部材４４２が脱落することを防止する部分であるが、その脱落防止機能については後述する。
【０１７０】
図１６に戻って説明する。嵩上げ部材４４１ｄは、取り付けベース４１０に締結固定されることで、本体部４４１ａと取り付けベース４１０との間に隙間を形成する（図２０参照）。この隙間内で、第１演出部材４４２が回転動作される。
【０１７１】
第１演出部材４４２は、第１遮蔽部材４４１の後面側に配設され、その第１演出部材４４２は、表示４４２Ｒ，４４２Ｎ，４４２Ｌ（図１８参照）が前面側に形成される。ここで、図１８及び図１９を参照して、第１演出部材４４２について説明する。
【０１７２】
図１８（ａ）は、第１演出部材４４２の前面斜視図であり、図１８（ｂ）は、第１演出部材４４２の後面斜視図であり、図１９は第１演出部材４４２の前面図である。なお、図１９において、筒状軸部４４２ｂ及び係止ピン４４２ｆを結ぶ仮想的な直線を中心線Ｏとして図示すると共に、組立状態（図１６参照）において、第１演出部材４４２が初期位置に配置された状態における第１被遮蔽装置４４０の視認孔４４１ｃを仮想円として図示する。
【０１７３】
図１８（ａ）に示すように、第１演出部材４４２は、扇型の板形状からなる本体部４４２ａと、その本体部４４２ａの扇形の一端に外周を連結される筒形状の筒状軸部４４２ｂと、を主に備え、樹脂材料から一体成形される。
【０１７４】
筒状軸部４４２ｂは、本体部４４２ａの板厚方向に貫通される開口を有する筒形状に形成され、筒状軸部４４２ｂの前面側（図１８（ａ）手前側）に形成される大径孔部４４２ｃと、その大径孔部４４２ｃから本体部４４２ａの板厚方向中心側に大径孔部４４２ｃと同軸に連接されると共に、内周が大径孔部４４２ｃよりも小径に形成される小径孔部４４２ｄと（図２０参照）、筒状軸部４４２ｂの後面側に矩形状に開口される連結孔部４４２ｅと、を主に備える。
【０１７５】
筒状軸部４４２ｂの外径は、第１遮蔽部材４４１（図１６参照）の湾曲壁部４４１ｆの内径よりも若干小さく形成される。そのため、組立状態（図１６参照）において筒状軸部４４２ｂを湾曲壁部４４１ｆの内側に収めることができる。
【０１７６】
筒状軸部４４２ｂの軸方向の厚みは、湾曲壁部４４１ｆの立設端（抜け止め部４４１ｇの前側端）と嵌合壁部４４１ｅの立設端との間隔より若干大きく形成され、湾曲壁部４４１ｆの立設端（抜け止め部４４１ｇの前側端）と本体部４４１ａの後面との間隔より小さくされる。
【０１７７】
大径孔部４４２ｃの内径は嵌合壁部４４１ｅ（図１７参照）の外径よりも若干大きく形成される。そのため、第１被遮蔽装置４４０の組立状態（図１６参照）において、嵌合壁部４４１ｅに大径孔部４４２ｃを外嵌させることで、第１遮蔽部材４４１に第１演出部材４４２を仮留めすることができると共に、第１演出部材４４２を第１遮蔽部材４４１に回転可能に軸支することができる。
【０１７８】
小径孔部４４２ｄには、遊技盤１３と動作ユニット２００と（図５参照）の組立状態において、伝達軸部３２２ｄ（図５参照）が挿通される。また、連結孔部４４２ｅは、遊技盤１３と動作ユニット２００との組立状態において、第２歯車３２２の係止部３２２ｅ（図９参照）に外嵌される。そのため、第１演出部材４４２が第２歯車３２２に周方向に係止されて回転されるので、上述したように、可動部材３１０の回転に伴い第１演出部材４４２が回転される（図２０参照）。
【０１７９】
また、図１８（ｂ）に示すように、第１演出部材４４２は、本体部４４２ａの中心線として仮想的に図示される直線Ｏ上であって（図１９参照）、筒状軸部４４２ｂの配設される一端の反対側の他端に、本体部４４２ａの後面から立設される円柱状の係止ピン４４２ｆを備える。係止ピン４４２ｆは付勢バネ４４３の一端が係止される部分である。
【０１８０】
図１９に示すように、第１演出部材４４２の前面には、第１遮蔽部材４４１の視認孔４４１ｃの内径にそれぞれ収まる大きさの表示４４２Ｒ（本実施形態では「右」）、表示４４２Ｎ（本実施形態では無地）及び表示４４２Ｌ（本実施形態では「激」）が、筒状軸部４４２ｂの中心点から軸間距離Ｌ２で描いた円周上に配置されると共に、表示４４２Ｎは中心線Ｏ上に、表示４４２Ｒ，４４２Ｌは中心線Ｏから左右にそれぞれθ０（後述するθ１／２と等しい）だけ位相ずれした位置に配置される。本実施形態では中心線Ｏの右側に表示４４２Ｒが、中心線Ｏの左側に表示４４２Ｌが、それぞれ表示の上方を筒状軸部４４２ｂに向けた姿勢で図示される。ここで、本実施形態においては、軸間距離Ｌ２の長さは、上述した軸間距離Ｌ１（図１７参照）と同一に設定される（Ｌ１＝Ｌ２）。
【０１８１】
そのため、第１被遮蔽装置４４０の組立状態（図１６参照）において、第１演出部材４４２が筒状軸部４４２ｂを中心に第１遮蔽部材４４１（図１６参照）に対して回転されることで、第１演出部材４４２の表示４４２Ｒ，４４２Ｎ，４４２Ｌのいずれかと第１遮蔽部材４４１の視認孔４４１ｃとの位置を一致させることができ、前面視において視認孔４４１ｃから表示４４２Ｒ，４４２Ｎ，４４２Ｌのいずれかを視認可能とできると共に、角度θ０毎に視認孔４４１ｃから視認される表示４４２Ｒ，４４２Ｎ，４４２Ｌを切り替えることができる。よって、第１被遮蔽装置４４０の外観を変化させることができると共に、その変化を明確に区別することができる。
【０１８２】
ここで、本実施形態とは異なり、第１演出部材４４２の前面が第１遮蔽部材４４１（図１６参照）に全く隠されないとすると、前面視で視認可能な第１演出部材４４２の模様や表示は、位相違いを区別しないとすれば１種類である。そのため、第１演出部材４４２の外観の変化を把握することが難しい。
【０１８３】
一方、本実施形態のように、第１遮蔽部材４４１（図１６参照）が第１演出部材４４２の前面側に配設され、第１遮蔽部材４４１の視認孔４４１ｃから第１演出部材４４２が視認される態様で形成されることで、第１演出部材４４２の視認可能な部分を第１演出部材４４２が回転されることによって変更可能とすることができる。また、そうすることで複数種類の模様や表示を第１演出部材４４２の前面で別々に視認可能とでき、第１演出部材４４２の演出効果を向上させることができる。本実施形態では、第１演出部材４４２の前面に複数種類の表示４４２Ｒ，４４２Ｎ，４４２Ｌを互いに離して形成しているので、第１演出部材４４２の回転毎に、別々の表示４４２Ｒ，４４２Ｎ，４４２Ｌを視認可能とすることができる。
【０１８４】
図１６に戻って説明する。図１６（ａ）及び図１６（ｂ）に示す初期位置では、係止ピン４４１ｈ及び係止ピン４４２ｆが付勢バネ４４３の付勢力で引き寄せられ、第１演出部材４４２が、係止ピン４４２ｆを係止ピン４４１ｈへ向けた姿勢で停止する。つまり、初期位置では、第１演出部材４４２の中心線Ｏ（図１９参照）と、上述した嵌合壁部４４１ｅ、視認孔４４１ｃ及び係止ピン４４１ｈの配設位置を結ぶ直線とが一致する。よって、前面側（紙面手前側）から視認孔４４１ｃを通して、第１演出部材４４２の前面側を視認する場合に、第１演出部材４４２の中心線Ｏ上の表示４４２Ｎ（図１８（ａ）及び図１９参照）が視認される。
【０１８５】
抜け止め部４４１ｇは、上述したように、湾曲壁部４４１ｆから嵌合壁部４４１ｅ側へ突出され、第１遮蔽部材４４１及び第１演出部材４４２の組立状態において第１演出部材４４２の筒状軸部４４２ｂに部分的に重なる。即ち、第１演出部材４４２に、第１遮蔽部材４４１から遠ざけられる方向の外力が加えられても、第１演出部材４４２が抜け止め部４４１ｇに当接され、それ以上の変位が抑制される。そのため、第１演出部材４４２が第１遮蔽部材４４１から離間することを防止し、第１演出部材４４２が第１遮蔽部材４４１の嵌合壁部４４１ｅから脱落することを防止できる。
【０１８６】
第１演出部材４４２を第１遮蔽部材４４１に組み付ける（大径孔部４４２ｂを嵌合壁部４４１ｅに外観させる）方法について説明する。まず、第１遮蔽部材４４１の後方から第１演出部材４４２を近づけ、筒状軸部４４２ｂの外周面を抜け止め部４４１ｇに下側（図１６（ｂ）左下側）から押し当てるように第１遮蔽部材４４１に対して第１演出部材４４２を上下方向（図１６（ｂ）上下方向）にスライド移動させると共に抜け止め部４４１ｇを弾性変形させ、次に、嵌合壁部４４１ｅ（図１７参照）に大径孔部４４２ｃ（図１８参照）を外嵌させるように第１遮蔽部材４４１に対して第１演出部材４４２を前後方向（板厚方向）にスライド移動させると、筒状軸部４４２ｂと抜け止め部４４１ｇとの当接が解除され、抜け止め部４４１ｇの形状が弾性的に復元される。
【０１８７】
第１被遮蔽装置４４０の組立状態によれば、第１演出部材４４２は、本体部４４１ａと抜け止め部４４１ｇとに前後方向から挟まれると共に、嵌合壁部４４１ｅ（図１７（ｂ）参照）に大径孔部４４２ｃが外嵌されることで、嵌合壁部４４１ｅに対する大径孔部４４２ｃの外嵌が解除される位置まで第１演出部材４４２を第１遮蔽部材４４１から前後方向に離さない限りは（この場合、抜け止め部４４１ｇに第１演出部材４４２が当接し、さらに抜け止め部４４１ｇを弾性変形させることを要する）、第１演出部材４４２が第１遮蔽部材４４１から軸方向（図１６前後方向）に脱落することが規制される。よって、第１遮蔽部材４４１に対して第１演出部材４４２を保持させることができる。また、第１遮蔽部材４４１に対する第１演出部材４４２の保持は、第１遮蔽部材４４１及び第１演出部材４４２の形状のみから達成され、別個の保持部品を不要とできる。
【０１８８】
また、上述した保持機構によれば、遊技盤１３と動作ユニット２００（図５参照）との組立を容易に行うことができる。即ち、第１被遮蔽装置４４０は、付勢バネ４４３による付勢力が生じており、そのままでは第１演出部材４４２の位置が不安定となる。また、第１被遮蔽装置４４０と取り付けベース４１０との組立状態（図１１参照）においては、第１演出部材４４２が第１遮蔽部材４４１及び取り付けベース４１０に挟まれることで、第１演出部材４４２に対して外部からアクセス不能な状態で第１被遮蔽装置４４０が形成される。そのため、第１演出部材４４２の位置を第１遮蔽部材４４１に対して安定させることが難しく、遊技盤１３及び動作ユニット２００の組立て（第２歯車３２２の伝達軸部３２２ｄを第１演出部材４４２の小径孔部４４２ｄに挿通させること）が困難となる。
【０１８９】
そこで、本実施形態においては、第１遮蔽部材４４１の嵌合壁部４４１ｅ（図１７（ｂ）参照）に第１演出部材４４２の大径孔部４４２ｃが外嵌可能に第１演出部材４４２が形成される。これにより、第１遮蔽部材４４１に対し第１演出部材４４２の位置を安定させることができる。よって、遊技盤１３及び動作ユニット２００（図５参照）の組立作業を容易に行うことができる。
【０１９０】
図１０及び図１１に戻って説明する。図１０及び図１１に示すように、上述した第１被遮蔽装置４４０の視認孔４４１ｃは上述した被遮蔽領域Ｐ１に配置される。
【０１９１】
ここで、パチンコ機１０等の遊技機において、第１位置（上昇位置に相当）と第２位置（下降位置に相当）との間で移動可能に形成される移動部材（昇降部材４６０に相当）と、その移動部材を移動させるための駆動力を発生する駆動手段（駆動モータ４２２に相当）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ１に相当）を有する遊技機がある（例えば特開２０１１−１８２９８４号公報を参照）。上述した従来の遊技機では、被遮蔽領域には模様や表示が配設されるのみで、遊技者に注目させる演出部分としての能力が低く、被遮蔽領域を演出部分として効果的に使用しているとは言い難かった。
【０１９２】
これに対し、本実施形態においては、被遮蔽領域Ｐ１に配置される第１被遮蔽装置４４０の視認孔４４１ｃの外観が変化され、結果として被遮蔽領域Ｐ１の外観が変化される。ここで、図２０から図２５を参照して、球の衝突により可動部材３１０が回転されることに起因する第１被遮蔽装置４４０の前面視における外観の変化について説明する。まず、図２０を参照して、可動部材３１０と第１演出部材４４２とが、第１歯車３２１及び第２歯車３２２を介して連動されることを説明する。なお、図２０の説明においては、図９を適宜参照する。
【０１９３】
図２０は、図２のＸＸ−ＸＸ線における遊技盤１３、第２歯車３２２及び昇降動作ユニット４００の部分断面図である。
【０１９４】
図２０に示すように、遊技盤１３の後面（図２０右側）に回転可能に配設される第２歯車３２２の伝達軸部３２２ｄが、第１遮蔽部材４４１の挿通孔４４１ｂ及び嵌合壁部４４１ｅに回転可能に挿通されると共に、第２歯車３２２の係止部３２２ｅが第１演出部材４４２の連結孔部４４２ｅに周方向に回転不能に係止されるので、第２歯車３２２が遊技盤１３と第１遮蔽部材４４１とに両持ちで支持されると共に、第２歯車３２２の回転が、第１演出部材４４２に伝達される。第２歯車３２２は第１歯車３２１（図９参照）に従動して回転され、その第１歯車３２１は可動部材３１０に周方向に係止されるので、結果として、可動部材３１０が球に衝突され、回転されることで、第１演出部材４４２が回転される。
【０１９５】
図９に戻って、可動部材３１０の回転方向と、第１演出部材４４２の回転方向との関係について説明する。上述したように、可動部材３１０と第１歯車３２１とは同期して回転されると共に第２歯車３２２と第１演出部材４４２とは同期して回転される（図２０参照）。
【０１９６】
即ち、第１歯車３２１の回転方向と第２歯車３２２の回転方向との関係が、そのまま可動部材３１０の回転方向と第１演出部材４４２の回転方向との関係に反映される。なお、本実施形態によれば、例えば第１歯車３２１が時計回りに回転されると、第２歯車３２２は反時計回りに回転される態様で形成されるので、前面視における可動部材３１０の回転方向と、前面視における第１演出部材４４２の回転方向とは逆方向となる（図９及び図２０参照）。
【０１９７】
なお、遊技盤１３の前面を流下する球が、可動部材３１０に衝突することで可動部材３１０が回転されると、可動部材３１０と位相を同じくして第１歯車３２１が回転され、その第１歯車３２１の回転力が第２歯車３２２に伝達されることで第２歯車３２２が減速比の分だけ減速されて（本実施形態では減速比は２）回転されると共に、第１演出部材４４２が第２歯車３２２と位相を同じくして回転される。よって、第１演出部材４４２は遊技盤１３の前面を流下する球がどのように可動部材３１０に衝突するかによって回転の仕方が変わるので、球の不規則性に依存して、不規則な方向、速度および頻度で第１演出部材４４２が回転される。
【０１９８】
ここで、球の不規則性とは、球が遊技盤１３に配設される釘に衝突しながら流下することで、不規則に方向や速度を変えながら流下するという特徴と、球が全て可動部材３１０に衝突するわけではないので、球と可動部材３１０とが衝突する頻度も不規則に変化するという特徴と、を意味する。
【０１９９】
次いで、図２１から図２５を参照して、球により可動部材３１０が回転されることに起因する第１被遮蔽装置４４０の前面視における外観の変化について説明する。なお、図２１から図２５の説明においては、図９を適宜参照する。
【０２００】
図２１（ａ）は、可動部材３１０の前面図であり、図２１（ｂ）は、第１被遮蔽装置４４０の後面図であり、図２１（ｃ）は、第１被遮蔽装置４４０の前面図である。図２１（ａ）では、可動部材３１０が初期位置に配置された状態が図示され、図２１（ｂ）及び図２１（ｃ）では、第１演出部材４４２が初期位置に配置された状態が図示される。
【０２０１】
なお、図２１（ａ）における、矢印Ａから矢印Ｃは、可動部材３１０に衝突する球の流下経路を例示として示すものであり、球の流下経路を限定する意図ではない。また、矢印Ａと矢印Ｃとは可動部材３１０の左右の端にそれぞれ配置されると共に、矢印Ｂは矢印Ａよりも可動部材３１０の中心側（軸支本体３１１側）に配置される。
【０２０２】
また、図２１（ａ）から図２１（ｃ）における初期位置は、上述した第１演出部材４４２の初期位置と同義であり、この場合、可動部材３１０は停止される。なお、図２１（ａ）から図２１（ｃ）においては、それぞれ遊技盤１３及び動作ユニット２００が締結固定された状態（図２０参照）が図示され、遊技盤１３、第１歯車３２１及び第２歯車３２２等の図示が省略される。後述する図２２から図２５についても同様とする。
【０２０３】
図２１（ａ）に示すように、可動部材３１０は、初期位置において、３枚の羽部３１２ａ〜３１２ｃの内の１枚の羽部３１２ｃが軸支本体３１１の鉛直下方向に配置される。
【０２０４】
図２１（ｂ）に示すように、第１演出部材４４２は、初期位置において、第１演出部材４４２の係止ピン４４２ｆ及び第１遮蔽部材４４１の係止ピン４４１ｈが付勢バネ４４３の付勢力により引き寄せられることで第１演出部材４４２の姿勢が定まり、第１演出部材４４２の中心線Ｏが第１遮蔽部材４４１の係止ピン４４１ｈを通過する姿勢で配置される。
【０２０５】
図２１（ｃ）に示すように、第１被遮蔽装置４４０は、初期位置において、視認孔４４１ｃを介して第１演出部材４４２の前面に表示される表示４４２Ｎを視認可能とされる。
【０２０６】
可動部材３１０は、図２１（ａ）に示す初期位置から、経路として例示される矢印Ａから矢印Ｃに沿って流下する球に衝突されることで回転され、その回転に伴い第１演出部材４４２が回転され、視認孔４４１ｃから視認される表示が切り替わるように形成される。
【０２０７】
図２２（ａ）は、可動部材３１０の前面図であり、図２２（ｂ）は、第１被遮蔽装置４４０の後面図であり、図２２（ｃ）は、第１被遮蔽装置４４０の前面図である。なお、図２２（ａ）では、図２１（ａ）の矢印Ａの経路で球が可動部材３１０に衝突したことで可動部材３１０が回転された状態が図示され、図２２（ｂ）及び図２２（ｃ）では、その可動部材３１０の回転に伴って第１演出部材４４２が回転された状態が図示される。
【０２０８】
図２２（ａ）に示すように、矢印Ａの経路（羽部材３１２ａの一端付近において、可動部材３１０を前面視反時計回りに回転させる方向）で球が可動部材３１０に衝突すると、球の運動エネルギーが可動部材３１０に伝達され、可動部材３１０が初期位置から前面視反時計回りにθ１回転される。その可動部材３１０の回転に伴い第１歯車３２１が回転され、その第１歯車３２１の回転に伴い第２歯車３２２が減速比（本実施形態では減速比は２）の分だけ減速されて可動部材３１０の回転方向の逆方向に回転される（図９参照）。即ち、本実施形態のように、減速比が２の場合は、第２歯車３２２に周方向に係止される第１演出部材４４２は初期位置から前面視時計回りにθ１／２回転される。なお、本実施形態においては、θ１／２は上述したθ０と等しく設定される（θ１／２＝θ０）。
【０２０９】
図２２（ｂ）に示すように、第１演出部材４４２が初期位置から前面視時計回り（後面視反時計回り）にθ１／２回転されると、第１演出部材４４２は湾曲壁部４４１ｆに当接され、それ以上の回転を規制される。また、付勢バネ４４３が第１演出部材４４２の回転に伴い引っ張られ、第１演出部材４４２を初期位置に引き戻す方向に付勢力が作用する。そのため、可動部材３１０に球が再度衝突しない場合は、第１演出部材４４２は、付勢バネ４４３の付勢力により初期位置（図２１（ｂ）参照）に復帰される。
【０２１０】
図２２（ｃ）に示すように、第１演出部材４４２が前面視時計回りにθ１／２回転されると、第１遮蔽部材４４１の視認孔４４１ｃから視認可能な第１演出部材４４２の部分が変化される。即ち、第１演出部材４４２が筒状軸部４４２ｂを中心に時計回りにθ１／２回転された場合には、視認孔４４１ｃから表示４４２Ｒを視認することができる（図１９参照）。そのため、第１被遮蔽装置４４０の前面視における外観には、表示４４２Ｒ（本実施形態では「右」）と、第１遮蔽部材４４１の前面であって、視認孔４４１ｃの右側下方に表示される「打て！」の文字とが同時に視認されるので、第１被遮蔽装置４４０を視認する遊技者は「右へ打て」というメッセージを受け取ることができる。
【０２１１】
即ち、可動部材３１０の右方に球が衝突することで、球のその後の流下経路が分岐し、入賞確率が向上する場合に、現状は可動部材３１０の左方に球が衝突する態様で球を流下させているが、右へ打った方が遊技者にとって有利であるということを、第１演出部材４４２の表示４４２Ｒを用いて遊技者に伝えることができる。例えば、昇降部材４６０が下降位置に配置される時に限って（視認孔４４１ｃが視認可能な時、図１１参照）可動部材３１０の右方に球が衝突することで入賞確率が向上する設定を採用することで、視認孔４４１ｃを視認する遊技者に対して、可動部材３１０の右方を狙うことを推奨することができる。これにより、視認孔４４１ｃが配置される被遮蔽領域Ｐ１に遊技者の注意を引きつけることができ、被遮蔽領域Ｐ１の注目力を向上させることができる。
【０２１２】
なお、本実施形態では可動部材３１０が風車であるので、遊技盤１３に配設される風車の内の一つを流用できる（図２参照）。よって、可動部材３１０として利用しても製品コストが増加することを防止することができると共に、可動部材３１０自体の回転と第１演出部材４４２の回転とを外観上関連させることができ、演出効果を増大させることができる。
【０２１３】
図２３（ａ）は、可動部材３１０の前面図であり、図２３（ｂ）は、第１被遮蔽装置４４０の後面図であり、図２３（ｃ）は、第１被遮蔽装置４４０の前面図である。なお、図２３（ａ）では、図２１（ａ）の矢印Ｃの経路で球が可動部材３１０に衝突したことで可動部材３１０が回転された状態が図示され、図２３（ｂ）及び図２３（ｃ）では、その可動部材３１０の回転に伴って第１演出部材４４２が回転された状態が図示される。
【０２１４】
図２３（ａ）に示すように、矢印Ｃの経路（羽部材３１２ｂの一端付近において、可動部材３１０を前面視時計回りに回転させる方向）で球が可動部材３１０に衝突すると、球の運動エネルギーが可動部材３１０に伝達され、可動部材３１０が初期位置から前面視時計回りにθ１回転される。その可動部材３１０の回転に伴い第１歯車３２１が回転され、その第１歯車３２１の回転に伴い第２歯車３２２がギア比の分だけ減速されて可動部材３１０の回転方向の逆方向に回転される（図９参照）。即ち、上述したように本実施形態においては減速比が２なので、第２歯車３２２に係止される第１演出部材４４２は初期位置から前面視反時計回り（後面視時計回り）にθ１／２回転される（θ１／２＝θ０）。
【０２１５】
図２３（ｂ）に示すように、第１演出部材４４２が初期位置から前面視反時計回り（後面視時計回り）にθ１／２回転されると、第１演出部材４４２は湾曲壁部４４１ｆに当接され、第１演出部材４４２はそれ以上の回転を規制される。また、付勢バネ４４３が第１演出部材４４２の回転に伴い引っ張られ、第１演出部材４４２を初期位置に引き戻す方向に付勢力が生じる。そのため、可動部材３１０に球が再度衝突しない場合は、第１演出部材４４２は、付勢バネ４４３の付勢力により初期位置（図２１（ｂ）参照）に復帰される。
【０２１６】
図２３（ｃ）に示すように、第１演出部材４４２が前面視反時計回りにθ１／２回転されると、第１遮蔽部材４４１の視認孔４４１ｃから視認可能な第１演出部材４４２の部分が変化する。即ち、第１演出部材４４２が筒状軸部４４２ｂを中心に反時計回りにθ１／２回転された場合には、視認孔４４１ｃから表示４４２Ｌを視認することができる（図１９参照、θ１／２＝θ０）。そのため、第１被遮蔽装置４４０の前面視における外観には、表示４４２Ｌ（本実施形態では「激」）と、第１遮蔽部材４４１の前面であって、視認孔４４１ｃの右側下方に表示される「打て！」の文字とが同時に視認されるので、第１被遮蔽装置４４０を視認する遊技者は「激しく打て」というメッセージを受け取ることができる。
【０２１７】
即ち、可動部材３１０の右方に衝突させることで、球のその後の流下経路が分岐し、入賞確率が向上する場合に、現状では可動部材３１０の右方に球を衝突させているので、そのままの強度で激しく打つことが遊技者にとって有利であるということを、第１演出部材４４２の表示４４２Ｌを用いて遊技者に伝えることができる。例えば、昇降部材４６０が下降位置に配置される時に限って（視認孔４４１ｃが視認可能な時、図１１参照）可動部材３１０の右方に球が衝突することで入賞確率が向上する設定を採用することで、視認孔４４１ｃを視認する遊技者に対して、可動部材３１０の右方を狙うことを推奨することができる。これにより、視認孔４４１ｃが配置される被遮蔽領域Ｐ１に遊技者の注意を引きつけることができ、被遮蔽領域Ｐ１の注目力を向上させることができる。
【０２１８】
ここまでは、第１演出部材４４２の回転角度がθ１／２である場合について説明したが（θ１／２＝θ０）、以下においては、第１演出部材４４２がθ１／２よりも小さな角度であるθ２／２だけ回転される場合について説明する。
【０２１９】
図２４（ａ）は、可動部材３１０の前面図であり、図２４（ｂ）は、第１被遮蔽装置４４０の後面図であり、図２４（ｃ）は、第１被遮蔽装置４４０の前面図である。なお、図２４（ａ）では、図２１（ａ）の矢印Ｂの経路で球が可動部材３１０に衝突することで可動部材３１０が回転された状態が図示され、図２４（ｂ）及び図２４（ｃ）では、その可動部材３１０の回転に伴って第１演出部材４４２が回転された状態が図示される。
【０２２０】
図２４（ａ）に示すように、球が矢印Ｂの経路で可動部材３１０に衝突すると、球の運動エネルギーが可動部材３１０に伝達されるが、矢印Ａの経路で球が同一速度で可動部材３１０に衝突する場合に比較して、軸支本体３１１から球の衝突位置までの距離が短いため、球の衝突により可動部材３１０に発生する回転トルクが小さい。そのため、可動部材３１０が初期位置から反時計回りにθ２（＜θ１）回転される。その可動部材３１０の回転に伴い第１歯車３２１が回転され、その回転に伴い第２歯車３２２が減速比の分だけ減速されて可動部材３１０の回転方向の逆方向に回転される（図９参照）。即ち、上述したように、減速比が２の場合は、第１演出部材４４２が初期位置から前面視時計回りにθ２／２（＜θ１／２＝θ０）回転される。
【０２２１】
図２４（ｂ）に示すように、第１演出部材４４２が初期位置から前面視時計回り（後面視反時計回り）にθ２／２回転されても、第１演出部材４４２と湾曲壁部４４１ｆとの間には隙間が生じており、第１演出部材４４２は同一方向に回転する余地を残している。また、付勢バネ４４３が第１演出部材４４２の回転に伴い引っ張られ、第１演出部材４４２を初期位置に引き戻す方向に付勢力が生じる。そのため、可動部材３１０に球が再度衝突しない場合は、第１演出部材４４２は、付勢バネ４４３の付勢力により初期位置（図２１（ｂ）参照）に復帰される。
【０２２２】
図２４（ｃ）に示すように、第１演出部材４４２が前面視時計回りにθ２／２（＜θ１／２）回転されると、第１遮蔽部材４４１の視認孔４４１ｃから視認可能な第１演出部材４４２の部分が変化される。即ち、第１演出部材４４２が筒状軸部４４２ｂを中心に時計回りにθ２／２（＜θ１／２）回転された場合には、第１遮蔽部材４４１の視認孔４４１ｃから表示４４２Ｒの右側が一部欠けた表示を視認することができる（図１９参照）。そのため、第１被遮蔽装置４４０の前面視における外観には、表示４４２Ｒの右側が一部欠けた表示が視認されるので、遊技者に対して、視認孔４４１ｃに対する興味を持たせ、第１被遮蔽装置４４０に遊技者の注意を引かせることができる。
【０２２３】
ここで、可動部材３１０の回転角度の大小に対応して、第１演出部材４４２の回転角度の大小が変化されるのは、本実施形態において、可動部材３１０及び第１演出部材４４２の回転が、互いに歯合される第１歯車３２１及び第２歯車３２２の回転に同期されるためである。言い換えれば、可動部材３１０の回転速度と、第１演出部材４４２の回転速度との速度比が一定であるためである。その結果、不規則性を有する球の衝突により可動部材３１０が不規則に回転し、それに伴い第１演出部材４４２の回転が不規則となることを確実にすることができる。
【０２２４】
即ち、可動部材３１０の回転速度と第１演出部材４４２の回転速度との速度比が不定で有る場合、例えば回転速度についていえば、可動部材３１０の回転速度の大小に対応して、第１演出部材４４２の回転速度の大小が変化することがある一方で、可動部材３１０の回転速度に第１演出部材４４２の回転速度が対応しないこともある。ここで、前者の場合には、球の有する不規則性が第１演出部材４４２に伝わるが、後者の場合には、球の速度が平均化されて、球の不規則性が第１演出部材４４２に表れにくくなる可能性がある。
【０２２５】
一方、本実施形態によれば、可動部材３１０の回転速度と、第１演出部材４４２の回転速度との速度比が、介在する第１歯車３２１及び第２歯車３２２（図９参照）により一定に定まるので、可動部材３１０の回転速度が小の時には第１演出部材４４２の回転速度が小となると共に、可動部材３１０の回転速度が大の時には第１演出部材４４２の回転速度が大となる関係のみが形成される。よって、不規則性を有する球の衝突により可動部材３１０が不規則に回転し、それに伴い第１演出部材４４２の回転が不規則となることを確実にすることができる。
【０２２６】
可動部材３１０は、遊技盤１３に対して時計回りと反時計回りの双方向に回転可能に配設されており、球の可動部材３１０への衝突の仕方によって可動部材３１０の回転方向が不規則に変わるため、球の不規則性を第１演出部材４４２の回転動作に反映させることができる。ここで、図２５を参照して、第１演出部材４４２の回転動作の不規則性について、追加して説明する。
【０２２７】
図２５（ａ）は、可動部材３１０の前面図であり、図２５（ｂ）は、第１被遮蔽装置４４０の後面図である。なお、図２５（ａ）には、前面視において初期位置から反時計回りにθ１回転された後、わずかに復帰された位置における可動部材３１０が図示され、図２５（ｂ）には、第１演出部材４４２が後面視において初期位置から反時計回りにθ１／２回転された後、わずかに復帰した状態における第１被遮蔽装置４４０が図示される。
【０２２８】
図２５（ａ）及び図２５（ｂ）には、可動部材３１０に球が衝突する場合に生じる力の方向の例示として、矢印Ｆａ１及び矢印Ｆａ２が図示される（矢印Ｆａ１と矢印Ｆａ２とは同じ大きさに設定される）。また、図２５（ｂ）には、可動部材３１０に球が衝突し、可動部材３１０に矢印Ｆａ１の力が作用されることで第１演出部材４４２が回転される角度がθａ１として図示され、可動部材３１０に球が衝突し、可動部材３１０に矢印Ｆａ２の力が作用されることで第１演出部材４４２が回転される角度がθａ２として図示される。
【０２２９】
ここで、可動部材３１０が回転されるに伴い、第１演出部材４４２が回転されると、付勢バネ４４３から付勢力が第１演出部材４４２を初期位置に戻す方向へ生じる。可動部材３１０に矢印Ｆａ１の力が生じる場合には、その矢印Ｆａ１の力は付勢バネ４４３の付勢力と対向するため相殺され、回転トルクが抑制されるので、第１演出部材４４２の回転角度であるθａ１は抑制される。
【０２３０】
一方、可動部材３１０に矢印Ｆａ２の力が生じる場合には、その矢印Ｆａ２の力は付勢バネ４４３の付勢力と同一の方向に向くため互いの力が合成され、大きな回転トルクが生じるので、θａ２はθａ１に比較して大きくなる（θａ２＞θａ１）。
【０２３１】
これによれば、回転した可動部材３１０を更に回転させる方向に力が働く場合には（例えば球が同じ方向から可動部材３１０の同じ位置に続けて衝突する場合には）、第１演出部材４４２は、より回転しづらくなり、回転した可動部材３１０を逆方向に回転させる場合には（例えば、球が可動部材３１０の左右の位置に交互に衝突する場合には）、付勢バネ４４３の付勢力が補助的に働くので、第１演出部材４４２が回転しやすくなる。また、第１演出部材４４２の回転角度が大きくなるほど付勢力が大きくなるので、第１演出部材４４２の回転方向における回転のしやすさの違いは、第１演出部材４４２が初期位置から遠ざけられるにつれて顕著になる。
【０２３２】
即ち、第１被遮蔽装置４４０は、第１演出部材４４２を初期位置へ向けて付勢する付勢バネ４４３を備え、その付勢バネ４４３は第１演出部材４４２が初期位置から遠ざけられるにつれて増大する付勢力を生じるので、可動部材４４２の回転力と、付勢バネ４４３の付勢力との差によって、第１演出部材４４２の回転の仕方を異ならせることができる。よって、第１演出部材４４２の第１遮蔽部材４４１に対する回転の仕方の不規則性を確保することができる。
【０２３３】
次いで、図２６から図３５を参照して、第２実施形態について説明する。第１実施形態では、図１１に示すように、昇降部材４６０が下降位置に配置されると、被遮蔽領域Ｐ１に第１被遮蔽装置４４０が視認される場合を説明したが、第２実施形態の昇降動作ユニット２４００（図２６参照）では、被遮蔽領域Ｐ１（図２７参照）に第２被遮蔽装置２４５０が視認される場合を説明する。なお、第２被遮蔽装置２４５０は、第１実施形態において嵩上げ締結前板４５０が配設される位置に配設され、第１実施形態と同一の部分については同一の符号を付して、その説明を省略する。
【０２３４】
図２６及び図２７は、第２実施形態における昇降動作ユニット２４００の前面図である。なお、図２６では、昇降部材４６０が上昇位置に配置された状態が図示され、図２７では、昇降部材４６０が下降位置に配置された状態が図示される。
【０２３５】
図２６及び図２７に示すように、昇降動作ユニット２４００は、取り付けベース４１０の前面側を昇降部材４６０が上下方向（図２６上下方向）にスライド移動する構造に形成されており、昇降部材４６０の後面側に被遮蔽領域Ｐ１を有する。その被遮蔽領域Ｐ１は、図２６に示すように、昇降部材４６０が上昇位置に配置される場合には、昇降部材４６０に隠され視認されないが、一方で、図２７に示すように、取り付けベース４１０に対して昇降部材４６０が下降位置に配置される場合には、前面視において視認される領域である。
【０２３６】
ここで、パチンコ機１０等の遊技機において、第１位置（上昇位置に相当）と第２位置（下降位置に相当）との間で移動可能に形成される移動部材（昇降部材４６０に相当）と、その移動部材を移動させるための駆動力を発生する駆動手段（駆動モータ４２２に相当、図１２参照）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ１に相当）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０２３７】
これに対し、本実施形態では、後述するように、被遮蔽領域Ｐ１（図２７参照）に配置される第２被遮蔽装置２４５０の外観が変化されるように形成される。即ち、昇降部材４６０が下降位置に配置され被遮蔽領域Ｐ１が視認可能となった場合に、被遮蔽領域Ｐ１の外観を変化させることで、被遮蔽領域Ｐ１の演出部分としての能力を向上させ、被遮蔽領域Ｐ１を演出部分として効果的に使用することができる。ここで、第２被遮蔽装置２４５０の詳細について、図２８から図３０を参照して説明する。
【０２３８】
図２８（ａ）は、第２被遮蔽装置２４５０の前面斜視図であり、図２８（ｂ）は、第２被遮蔽装置２４５０の後面斜視図であり、図２９は、図２８（ａ）の矢印ＸＸＩＸ方向視における第２被遮蔽装置２４５０の側面図である。
【０２３９】
図２８（ａ）及び図２８（ｂ）に示すように、第２被遮蔽装置２４５０は、取り付けベース４１０（図２６参照）の前側に締結固定されると共に昇降部材４６０が下方に移動されることで視認可能となるユニット（図２７参照）であって、四角形板形状の第２遮蔽部材２４５１と、その第２遮蔽部材２４５１の前面視左側後面に嵩上げして締結固定される長尺板形状の中間板部材２４５２と、第２遮蔽部材２４５１及び中間板部材２４５２の形成する隙間に配設される振り子状の第２演出部材２４５３と、その第２演出部材２４５３を移動させる付勢力を生じるねじりバネ状の付勢バネ２４５４（図３０（ｂ）参照）と、を主に備える。
【０２４０】
第２遮蔽部材２４５１は、樹脂材料から形成され、四角形板形状の本体部２４５１ａと、その本体部２４５１ａの前面視右側に後方へオフセットされて延設される右側板部２４５１ｂと、本体部２４５１ａの前面視左側に延設される左側板部２４５１ｃと、本体部２４５１ａの前面視左方に開口される視認孔２４５１ｄと、右側板部２４５１ｂ及び左側板部２４５１ｃの後面から取り付けベース４１０（図２６参照）へ向けて突出されると共に取り付けベース４１０の挿通孔に挿通された締結ねじが締結可能に形成される複数（本実施形態では４本）の嵩上げ締結部２４５１ｅと、左側板部２４５１ｃから突出される嵩上げ締結部２４５１ｅの基端側に拡径して形成される座部２４５１ｆ（図２９参照）と、左側板部２４５１ｃの後面から中間板部材２４５２へ向けて突出されると共に中間板部材２４５２の挿通孔２４５２ｃ（図３０（ａ）参照）を通して締結ねじが挿通されることで第２遮蔽部材２４５１及び中間板部材２４５２を締結可能に形成される複数（本実施形態では２本）の締結部２４５１ｇ（図２９参照）と、を主に備える。
【０２４１】
本体部２４５１ａは、昇降部材４６０（図２７参照）が下降位置に配置されると視認可能となる部分であり、前面に表示や模様が形成される。本実施形態では、図２８（ａ）に示すように、視認孔２４５１ｄの位置を目の位置と一致させる「片目のだるま」が表示される。
【０２４２】
視認孔２４５１ｄは、第２演出部材２４５３の表示部２４５３ｃの外径と略同等の大きさの内径で形成される貫通穴であり、昇降部材４６０（図２７参照）が下降する過程において、第２演出部材２４５３への規制が解除され、第２演出部材２４５３が移動された場合に、第２演出部材２４５３の表示部２４５３ｃと前面視において重なる箇所に開口される（図３４参照）。そのため、昇降部材４６０による第２演出部材２４５３への規制が解除され、第２演出部材２４５３が移動されると、視認孔２４５１ｄを通して第２演出部材２４５３の表示部２４５３ｃを視認することができる。即ち、昇降部材４６０の配置位置に応じて、第２被遮蔽装置２４５０の外観を変化させることができ、その結果、被遮蔽領域Ｐ１（図２７参照）の外観を変化させることができる。
【０２４３】
図２８（ｂ）及び図２９に示すように、中間板部材２４５２は、樹脂材料から形成され、長尺板形状の本体部２４５２ａと、その本体部２４５２ａに穿設される一対の挿通孔２４５２ｂと、それら一対の挿通孔２４５２ｂとは異なる箇所において本体部２４５２ａに穿設される一対の締結孔２４５２ｃ（図３０（ａ）参照）と、本体部２４５２ａの中心付近から後側に突出される支持軸２４５２ｄと、本体部２４５２ａの後側に突出される固定爪２４５２ｅ（図３０参照）と、を主に備える。支持軸２４５２ｄは、円柱形状が径方向（図３０（ａ）における上下方向）に半分ずつに分断された形状で形成される（図３０（ａ）参照）。
【０２４４】
挿通孔２４５２ｂの直径は、嵩上げ締結部２４５１ｅの直径より若干大きいと共に座部２４５１ｆよりも若干小さく形成され、締結孔２４５２ｃ（図３０（ａ）参照）は組立状態において第２遮蔽部材２４５１の締結部２４５１ｇに対応する位置に穿設される。そのため、組立状態において、中間板部材２４５２は、第２遮蔽部材２４５１の座部２４５１ｆに挿通孔２４５２ｂ周辺が載置されると共に、中間板部材２４５２の締結孔２４５２ｃを通して第２遮蔽部材２４５１の締結部２４５１ｇに締結ねじで締結固定される。
【０２４５】
第２被遮蔽装置２４５０の組立状態において、第２遮蔽部材２４５１及び中間板部材２４５２の間に座部２４５１ｆの高さの分形成される隙間（図２９参照）に第２演出部材２４５３が回転可能に配設される。第２演出部材２４５３は、昇降部材４６０（図２７参照）が上昇位置に配置されると、昇降部材４６０の側壁４６２ａに規制されるが（図３２参照）、昇降部材４６０が下降する過程において、側壁４６２ａに規制が解除されると、付勢バネ２４５４の付勢力により回転され、視認孔２４５１ｄから第２演出部材２４５３の表示部２４５３ｃが視認可能とされる（図３４参照）。よって、昇降部材４６０の移動の過程において、被遮蔽領域Ｐ１の外観を変化させることができる。ここで、図３０を参照して、第２演出部材２４５３及び第２演出部材２４５３が中間板部材２４５２に対してとる配置について説明する。
【０２４６】
図３０（ａ）及び図３０（ｂ）は、中間板部材２４５２、第２演出部材２４５３及び付勢バネ２４５４の前面図であり、図３０（ｃ）は、図３０（ａ）の矢印ＸＸＸｃ方向視における中間板部材２４５２、第２演出部材２４５３及び付勢バネ２４５４の側面図である。なお、図３０（ａ）は、昇降部材４６０が上昇位置に配置され、第２演出部材２４５３が回転を規制される状態が図示され、図３０（ｂ）は、昇降部材４６０による規制が解除され、付勢バネ２４５４の付勢力で回転された後の位置に第２演出部材２４５３が配置された状態が図示される。
【０２４７】
図３０（ａ）に示すように、第２演出部材２４５３は、樹脂材料から形成され、長尺板形状の本体部２４５３ａと、その本体部２４５３ａの一端に穿設される軸支孔２４５３ｂと、その軸支孔２４５３ｂの穿設される一端の反対側の他端に配設される円板形状の表示部２４５３ｃと、本体部２４５３ａの略中央に後方（紙面手前側）へ向けて突出される固定爪２４５３ｄと、を主に備える。
【０２４８】
本体部２４５３ａの厚み方向の寸法は中間板部材２４５２の支持軸２４５２ｄの突設高さより小さく形成され、第２演出部材２４５３の軸支孔２４５３ｂの内径は中間板部材２４５２の支持軸２４５２ｄの直径より若干大きく形成される。支持軸２４５２ｄに軸支孔２４５３ｂが挿通されることで、第２演出部材２４５３が中間板部材２４５２に回転可能に軸支される（図３０（ｃ）参照）。この場合、支持軸２４５２ｄが径方向に分断されて形成されているので、例えば第２演出部材２４５３の軸支孔２４５３ｂの内径が小さく成形されても（設計寸法との寸法誤差が生じても）、支持軸２４５２ｄが径方向内側に変形することで、軸支孔２４５３ｂの寸法誤差を吸収することができるので、中間板部材２４５２に対する第２演出部材２４５３の組み付け不良を低減することができる。
【０２４９】
付勢バネ２４５４は支持軸２４５２ｄの一端に保持されると共に、一方の腕部を中間板部材２４５２の固定爪２４５２ｅに固着され、一方の腕部の反対側の他方の腕部を第２演出部材２４５３の固定爪２４５３ｄに固着される。
【０２５０】
第２演出部材２４５３は、昇降部材４６０が上昇位置に配置されるとその昇降部材４６０の側壁４６２ａに押し戻されて、図３０（ａ）の位置に配置される（図３２参照）。一方、第２演出部材２４５３は、昇降部材４６０の側壁４６２ａによる規制が解除されると（図３４参照）、付勢バネ２４５４の付勢力（弾性回復力）により固定爪２４５３ｄが押されることで、図３０（ｂ）に示す配置まで回転される。図３０（ｂ）に示す配置において、上述したように第２演出部材２４５３の表示部２４５３ｃを第２遮蔽部材２４５１の視認孔２４５１ｄから視認可能となる（図３５参照）。なお、本実施形態においては、上述した昇降部材４６０の側壁４６０ａによる規制が解除されると、第２演出部材２４５３が回転終点（第２演出部材２４５３の表示部２４５３ｃを第２遮蔽部材２４５１の視認孔２４５１ｄから視認可能となる状態）に至るまで、第２演出部材２４５３と昇降部材４６０とが当接された状態で図３０（ｂ）に示す配置まで回転される（付勢バネ２４５４のバネ定数が十分大きい）。
【０２５１】
表示部２４５３ｃは、前面に表示や模様が形成される。本実施形態では、「だるまの目」となる黒色の円形状が形成される。中間板部材２４５２の支持軸２４５２ｄを軸として第２演出部材２４５３が回転され、表示部２４５３ｃが移動されることで、第２遮蔽部材２４５１（図２８（ａ）参照）の視認孔２４５１ｄを通して表示部２４５３ｃに形成される「だるまの目」が、視認可能とされる（図３１（ａ）参照）。この時、本実施形態では、第２遮蔽部材２４５１の前面に表示される「片目のだるま」と、視認孔２４５１ｄを通して視認される表示部２４５３ｃの前面に表示される「だるまの目」とが共に視認され、「両目のだるま」を視認することが可能となる。
【０２５２】
次いで、図３１から図３５を参照して、昇降部材４６０の昇降動作に起因して被遮蔽領域Ｐ１に配置される第２被遮蔽装置２４５０の外観に生じる変化について説明する。
【０２５３】
図３１（ａ）は、昇降部材４６０及び第２被遮蔽装置２４５０の前面斜視図であり、図３１（ｂ）は、昇降部材４６０及び第２被遮蔽装置２４５０の後面斜視図である。なお、図３１（ａ）及び図３１（ｂ）では、昇降部材４６０が下降位置に配置された状態が図示される。
【０２５４】
図３１（ａ）に示すように、昇降部材４６０が下降位置に配置されると、第２被遮蔽装置２４５０の本体部２４５１ａの前面に表示される「片目のだるま」と、視認孔２４５１ｄを通して視認される第２演出部材２４５３の表示部２４５３ｃの前面に表示される「だるまの目」とが同時に視認されるので、第２被遮蔽装置２４５０の前面に「両目のだるま」が視認される。
【０２５５】
図３１（ｂ）に示すように、昇降部材４６０の一対の側壁４６２ａが、昇降部材４６０の移動中に第２被遮蔽装置２４５０の後面側左右の内側面に相当する右側板部２４５１ｂの側面および中間板部材２４５２の側面にそれぞれ当接される。よって、昇降部材４６０の昇降動作において、昇降部材４６０が第２被遮蔽装置２４５０に対して図３１（ｂ）左右方向に移動することを規制することができる。
【０２５６】
図３２（ａ）は、昇降部材４６０及び第２被遮蔽装置２４５０の前面図であり、図３２（ｂ）は、昇降部材４６０及び第２被遮蔽装置２４５０の後面図である。なお、図３２（ａ）及び図３２（ｂ）には昇降部材４６０が上昇位置に配置された状態が図示され、図３２（ｂ）には、第２演出部材２４５３が破線で図示される。
【０２５７】
図３２（ａ）に示すように、昇降部材４６０が上昇位置に配置された状態においては、第２被遮蔽装置２４５０は昇降部材４６０に収納され視認不能とされる。図３２（ｂ）に示すように昇降部材４６０が上昇位置に配置された状態においては、第２演出部材２４５３は昇降部材４６０の側壁４６２ａに当接され、回転を規制される。
【０２５８】
図３３（ａ）は、昇降部材４６０及び第２被遮蔽装置２４５０の前面図であり、図３３（ｂ）は、昇降部材４６０及び第２被遮蔽装置２４５０の後面図である。なお、図３３（ａ）及び図３３（ｂ）には、昇降部材４６０が上昇位置および下降位置の途中の位置に配置された状態が図示され、図３３（ｂ）には、第２演出部材２４５３が破線で図示される。
【０２５９】
図３３（ａ）に示すように、昇降部材４６０が上昇位置および下降位置の途中の位置に配置された状態においては、前面視において第２被遮蔽装置２４５０の視認孔２４５１ｄが視認されるが、その視認孔２４５１ｄを通して第２演出部材２４５３の表示部２４５３ｃは視認されない。なぜなら、図３３（ｂ）に示すように、昇降部材４６０の側壁４６２ａと第２演出部材２４５３の表示部２４５３ｃとの当接は解除され、第２演出部材２４５３は回転を開始するが、依然として本体部２４５３ａが側壁４６２ａに当接され、第２演出部材２４５３は回転を規制される。その結果、視認孔２４５１ｄの位置に表示部２４５３ｃが配置されるまでは第２演出部材２４５３が回転しきらず、図３３（ａ）に示すように、前面視において第２被遮蔽装置２４５０の視認孔２４５１ｄから表示部２４５３ｃが視認されない。即ち、昇降部材４６０が上昇位置から、図３３（ａ）に図示される中間位置まで下降される過程において、第２被遮蔽装置２４５０の外観は変化しない。
【０２６０】
図３４（ａ）は、昇降部材４６０及び第２被遮蔽装置２４５０の前面図であり、図３４（ｂ）は、昇降部材４６０及び第２被遮蔽装置２４５０の後面図である。なお、図３４（ａ）及び図３４（ｂ）では、昇降部材４６０が下降位置に配置された状態が図示され、図３２（ｂ）には、第２演出部材２４５３の中間板部材２４５２に隠される部分が破線で図示される。
【０２６１】
図３４（ａ）に示すように、昇降部材４６０が下降位置に配置された状態では、第２被遮蔽装置２４５０の視認孔２４５１ｄを通して、第２演出部材２４５３の表示部２４５３ｃが視認される。図３４（ｂ）に示すように、昇降部材４６０が下降位置に配置された状態では、昇降部材４６０の側壁４６２ａが第２演出部材２４５３に当接されず、第２演出部材２４５３は付勢バネ２４５４（図３０参照）の付勢力により回転され、その回転後の位置において視認孔２４５１ｄ及び第２演出部材２４５３の表示部２４５３ｃが前後方向で重なる。即ち、図３４（ａ）に示すように、第２被遮蔽装置２４５０の視認孔２４５１ｄを通して、第２演出部材２４５３の表示部２４５３ｃが視認される。
【０２６２】
よって、昇降部材４６０が、図３３（ａ）に図示される中間位置から下降位置まで下降される過程において、第２被遮蔽装置２４５０の外観に変化が生じる。本実施形態においては、第２遮蔽部材２４５１の視認孔２４５１ｄから取り付けベース４１０（図２７参照）の前面（例えば白色地の平面表示）が視認される「片目のだるま」が表示される外観と（図３５（ａ）参照）、第２演出部材２４５３の回転に対する側壁４６２ａによる規制が解除され、第２演出部材２４５３が回転され、第２遮蔽部材２４５１の視認孔２４５１ｄから第２演出部材２４５３の表示部２４５３ｃに表示される黒色円形状が視認される「両目のだるま」が表示される外観と（図３５（ｂ）参照）、で変化させることができる。
【０２６３】
なお、「両目のだるま」は、昇降部材４６０が下降位置に配置されて初めて視認されるのではなく、昇降部材４６０の側壁４６２ａによる第２演出部材２４５３に対する規制が解除されることを契機に視認される。そのため、昇降部材４６０が上昇位置から下降位置へ移動する途中において、遊技状態を変化させる設定を採用する際に、その遊技状態の変化を遊技者が確認する目印として使用することができる。
【０２６４】
例えば、昇降部材４６０が上昇位置から下降位置に移動される途中の所定のタイミングで賞球個数が増加する設定を採用した場合、その賞球個数の増加のタイミングを確認するために昇降部材４６０を視認するとなると、その増加のタイミングでの昇降部材４６０の位置を記憶しておく必要がある。
【０２６５】
一方、本実施形態において、その増加のタイミングを第２演出部材２４５３の表示部２４５３ｃを第２被遮蔽装置２４５０の視認孔２４５１ｄを通して視認可能になるタイミングと同じに設定しておけば、遊技者は第２被遮蔽装置２４５０の前面に「両目のだるま」が視認されることを契機に賞球個数が増加される状態に遊技状態が変化したことを確認することができる。よって、第２被遮蔽装置２４５０に遊技者を注目させることができ、結果として、被遮蔽領域Ｐ１（第２被遮蔽装置２４５０を含む）の演出効果を向上させることができる。
【０２６６】
また、第２演出部材２４５３の回転は、付勢バネ２４５４（図３０参照）の弾性的な復元作用に依存するものであって、昇降部材４６０の昇降動作に対応するものではない。そのため、例えば昇降部材４６０と第２演出部材２４５３とが機械的に連結されることで、昇降部材４６０の昇降動作に対応（速度変化や移動方向が対応）して第２演出部材２４５３が移動される場合には形成し難い動作態様で第２演出部材２４５３を移動させることができる。
【０２６７】
次いで、図３５を参照して、昇降部材４６０の移動過程における第２演出部材２４５３の回転の態様について説明する。
【０２６８】
図３５（ａ）及び図３５（ｂ）は、昇降部材４６０及び第２被遮蔽装置２４５０の前面模式図である。図３５（ａ）では、昇降部材４６０が上昇位置から下降位置へ移動する途中の位置に配置された状態が模式的に図示され、図３５（ｂ）では、図３５（ａ）の状態から、昇降部材４６０が所定距離Ｌ３だけ下降された状態が模式的に図示される。なお、第２演出部材２４５３が破線で図示され、図３５（ａ）では、第２演出部材２４５３の表示部２４５３ｃが第２遮蔽部材２４５１の視認孔２４５１ｄから視認不能な状態が図示される一方で、図３５（ｂ）では、第２演出部材２４５３の表示部２４５３ｃが視認孔２４５１ｄから視認可能な状態が図示される。
【０２６９】
上述したように、昇降部材４６０が上昇位置から移動され、図３５（ａ）に図示される位置に到達するまでは、第２演出部材２４５３は昇降部材４６０の側壁４６２ａに規制されるので回転されず（速度無し、図３２（ｂ）参照）、図３５（ａ）に図示される位置から昇降部材４６０が所定距離Ｌ３だけ下降されることで第２演出部材２４５３への規制が解除され、第２演出部材２４５３は前面視で表示部２４５３ｃと第２遮蔽部材２４５１の視認孔２４５１ｄとが重なる位置まで付勢バネ２４５４（図３０参照）の付勢力により回転され（速度有り）、その後停止され（速度無し）、一方でその後も昇降部材４６０は下降位置に到達するまで移動を継続される。
【０２７０】
即ち、昇降部材４６０が上昇位置から下降位置まで移動する過程において、昇降部材４６０及び第２演出部材２４５３の同時点での速度比が変化される。よって、第２被遮蔽装置２４５０の演出効果を向上させることができる。
【０２７１】
ここで、移動部材（昇降部材４６０に相当）の移動する速度と、被遮蔽領域（被遮蔽領域Ｐ１に相当）の外観を変化させる演出部材（第２演出部材２４５３に相当）の移動する速度との速度比が一定である場合、移動部材と演出部材との移動開始から移動終了までのそれぞれの速度変化が比例関係で対応し、演出効果が単調となりやすい。
【０２７２】
これに対し、本実施形態によれば、第２演出部材２４５３の移動（回転）は付勢バネ２４５４の付勢力に依存するため、第２演出部材２４５３の移動（回転）速度の大小は、昇降部材４６０の移動速度の大小に依存しない。よって、昇降部材４６０と第２演出部材２４５３とを機械的に連結する場合には形成しづらい速度変化を第２演出部材２４５３に持たせることができ、結果として遊技者の予想外の動作を第２演出部材２４５３にさせることができる。
【０２７３】
次いで、図３６から図５１を参照して、第３実施形態について説明する。第３実施形態では、第１実施形態における揺動動作ユニット６００とは異なり、前面側に「両目のだるま」が表示される揺動動作ユニット３６００について説明すると共に、その揺動動作ユニット３６００の前面側に締結固定される遮蔽動作ユニット３５００について説明する。なお、上記各実施形態と同一の部分については同一の符号を付して、その説明を省略する。
【０２７４】
図３６は、第３実施形態における遮蔽動作ユニット３５００及び揺動動作ユニット３６００の前面斜視図である。図３６に示すように、組立状態において、遮蔽動作ユニット３５００は揺動動作ユニット３６００の前面側に締結固定される。ここで、図３６から図３８を参照して、遮蔽動作ユニット３５００について説明する。
【０２７５】
なお、遮蔽動作ユニット３５００は、一端を基点として回転される４本の部材（アーム部材３５２０）を備え、それらの各部材を動作（回転）させるための４つのユニットからなる。即ち、遮蔽動作ユニット３５００は、背面ケース２１０（図７参照）の正面視において、開口２１１ａの左側に上下方向に沿って列設される２つのユニットと、開口２１１ａの右側に上下方向に沿って列設される２つのユニットからなる。この場合、各部材（アーム部材３５２０）を動作（回転）させるための構造（技術思想）は４つのユニットにおいてそれぞれ同一であるので、以下においては、これら４つのユニットのうちの１のユニット（開口２１１ａの右側上方に配設されるユニット、図７参照）を遮蔽動作ユニット３５００と称して説明する。
【０２７６】
図３６に示すように、遮蔽動作ユニット３５００は、揺動動作ユニット３６００に締結固定される取り付けベース３５１０と、その取り付けベース３５１０に一端を基点として回転可能に形成されると共に取り付けベース３５１０の前面側に配設されるアーム部材３５２０と、を主に備える。取り付けベース３５１０には、後述するように、開口部３５１１が形成され、アーム部材３５２０が退避位置から張出位置へ回転されるにつれて前面視において開口部３５１１を通して揺動動作ユニット３６００を視認可能となるように形成される（図４９（ａ）参照）。
【０２７７】
図３７は、遮蔽動作ユニット３５００の後面斜視図である。図３７に示すように、遮蔽動作ユニット３５００の取り付けベース３５１０は、長尺の矩形状に形成され、その取り付けベース３５１０の下方に形成される矩形状の貫通穴である開口部３５１１と、その開口部３５１１の下端であって取り付けベース３５１０の後面側に配設される案内筒部３５１２と、その案内筒部３５１２の内部において上下に移動可能に配設される円板形状の演出補助部材３５１３と、取り付けベース３５１０の後面側に締結固定されると共にアーム部材３５２０を駆動させる駆動力を生じる駆動モータ３５１４と、を主に備える。
【０２７８】
開口部３５１１は、後述する被遮蔽領域Ｐ２（図３８（ｂ）参照）の外形と略同等か若しくは若干小さな大きさで形成される。
【０２７９】
案内筒部３５１２は、上下方向（図３７上下方向）に延設され、短径方向が図３７前後方向とされる断面形状が長方形である開口が上端から形成される。その開口は、短径方向の寸法が演出補助部材３５１３の厚み方向の寸法より若干大きく形成され、長径方向の寸法が演出補助部材３５１３の直径寸法より若干大きく形成される。
【０２８０】
案内筒部３５１２の上端は開口部３５１１の内側へ張り出して形成されると共に無色透明の樹脂材料から形成される。そのため、遮蔽動作ユニット３５００の後面側に配設される揺動動作ユニット３６００（図３６参照）を開口部３５１１から視認する際に、無色透明の案内筒部３５１２を通して揺動動作ユニット３６００を視認することができる（図４９（ａ）参照）。なお、案内筒部３５１２は無色透明なので、案内筒部３５１２により揺動動作ユニット３６００が遮蔽され視認不能とされることはない。
【０２８１】
演出補助部材３５１３は、磁性体材料から形成される白色の円板形状の部材であり、上述した案内筒部３５１２との寸法関係により、演出補助部材３５１３は案内筒部３５１２の内側を、厚み方向を前後方向と一致させた姿勢で移動可能に形成されると共に演出補助部材３５１３は前面視において円形状に視認される。また、演出補助部材３５１３の直径は、揺動動作ユニット３６００（図３９参照）の前面側に表示される「両目のだるま」の黒目の直径より大きく形成される。
【０２８２】
演出補助部材３５１３が、案内筒部３５１２の上端側（開口部３５１１の内側へ張り出して形成される側）に移動されると、遮蔽動作ユニット３５００の後面側に配設される揺動動作ユニット３６００（図４９参照）を開口部３５１１から視認する際に、揺動動作ユニット３６００の一部が演出補助部材３５１３により遮蔽され、揺動動作ユニット３６００の単体では形成不可能な外観を視認することができる。これにより、後述するように、演出補助部材３５１３が揺動動作ユニット３６００との関係で移動された場合に、演出補助部材３５１３によって「両目のだるま」の片目が隠される状態が形成される。なお、演出補助部材３５１３が移動される仕組みについては後述する。
【０２８３】
図３８（ａ）及び図３８（ｂ）は、遮蔽動作ユニット３５００の前面図である。図３８（ａ）では、アーム部材３５２０が退避位置に配置された場合が図示され、図３８（ｂ）では、アーム部材３５２０が張出位置に配置された場合が図示される。
【０２８４】
図３８（ａ）及び図３８（ｂ）に示すように、アーム部材３５２０は図示しない内部機構により駆動モータ３５１４（図３７参照）の駆動力を受けて、仮想的に図示する軸Ｑを回転軸として退避位置と張出位置との間を回転される。ここで、アーム部材３５２０の後面側に被遮蔽領域Ｐ２が形成される。
【０２８５】
被遮蔽領域Ｐ２は、アーム部材３５２０が退避位置に配置される場合にはそのアーム部材３５２０に隠されて前面視において視認不能であるが、アーム部材３５２０が少なくとも張出位置に配置される場合には前面視において視認可能となる領域である。前面視において、被遮蔽領域Ｐ２には取り付けベース３５１０の開口部３５１１の少なくとも一部が内包される。これにより、被遮蔽領域Ｐ２が視認可能な場合には（アーム部材３５２０が張出位置に配置される場合には）、後述するように、開口部３５１１を通して揺動動作ユニット３６００を視認可能となる（図４９参照）。
【０２８６】
図３６に戻って説明する。揺動動作ユニット３６００は、後面ケース２１０（図７及び図８参照）の前面視において、後面ケース２１０内の上方であって、開口２１１ａを挟んで左右に配設される２つのユニットからなる。この場合、アーム部材３６２０を動作（回動）させるための構造（技術思想）は２つのユニットにおいてそれぞれ同一であるので、以下においては、これら２つのユニットのうちの１のユニット（開口２１１ａの右側に配設されるユニット、図７及び図８参照）を揺動動作ユニット３６００と称して説明する。
【０２８７】
図３９及び図４０は、揺動動作ユニット３６００の前面斜視図である。図３９では、アーム部材３６２０が退避位置に退避された状態が図示され、図４０では、アーム部材３６２０が張出位置に張り出された状態が図示される。
【０２８８】
図３９及び図４０に示すように、揺動動作ユニット３６００は、基端が回転可能に軸支されるアーム部材３６２０と、そのアーム部材３６２０に回転駆動力を付与する駆動モータ３６３１とを備え、図３９に示す退避位置と、図４０に示す張出位置との間でアーム部材３６２０を揺動動作（回転）させる。退避位置では、アーム部材３６２０は、垂直下方へ向けて垂下された姿勢となり、遮蔽動作ユニット３５００（図３６参照）の後面側に退避される一方、張出位置では、アーム部材３６２０は、その一端を上方へ持ち上げて斜め下方へ向けて傾斜する姿勢となり、その一端を第３図柄表示装置８１（図２参照）の前面に張り出させる。
【０２８９】
アーム部材３６２０の後面側には被遮蔽領域Ｐ３が形成される。その被遮蔽領域Ｐ３は、アーム部材３６２０が退避位置に配置されると前面視において視認不能であるが、アーム部材３６２０が少なくとも張出位置に配置されると前面視において視認可能とされる領域である。被遮蔽領域Ｐ３には、被遮蔽装置３６５０の表示部３６５４ａ（図４３参照）を視認可能とする一対の視認孔３６１３が形成される。
【０２９０】
ここで、パチンコ機１０等の遊技機において、第１位置（退避位置に相当）と第２位置（張出位置に相当）との間で移動可能に形成される移動部材（アーム部材３６２０に相当）と、その移動部材を移動させるための駆動力を発生する駆動手段（駆動モータ３６３１に相当）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ３に相当）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０２９１】
これに対し、本実施形態では、後述するように、アーム部材３６２０の揺動動作（回動）に連動して被遮蔽領域Ｐ３の外観が変化されるように形成され、これにより、被遮蔽領域Ｐ３の演出部分としての能力を向上させ、被遮蔽領域Ｐ３を演出部分として効果的に使用することができる。ここで、図４１を参照して、アーム部材３６２０を有する揺動動作ユニット３６００の構造について説明する。
【０２９２】
図４１は、揺動動作ユニット３６００の分解前面斜視図である。揺動動作ユニット３６００は、後面ケース２１０（図７参照）に配設される取り付けベース３６１０と、その取り付けベース３６１０に基端が回転可能に軸支されるアーム部材３６２０と、そのアーム部材３６２０を回転駆動するための駆動力を発生する駆動装置３６３０と、その駆動装置３６３０が配設されると共に取り付けベース３６１０の前面に配設される表ケース体３６４０と、駆動装置３６３０の駆動力により回転される複数の歯車から構成される被遮蔽装置３６５０と、を主に備えて構成される。
【０２９３】
取り付けベース３６１０は、表ケース体３６４０との間にアーム部材３６２０の基端および駆動装置３６３０を収容すると共に、表ケース体３６４０の配設される側の反対側に被遮蔽装置３６５０を配設するための部材であり、前面視縦長の矩形状に形成される。取り付けベース３６１０は、その前面から突設されると共にアーム部材３６２０を回転可能に軸支するための軸部３６１１と、駆動装置３６３０の駆動軸３６３２が挿通される貫通孔３６１２と、被遮蔽装置３６５０の表示部３６５４ａを視認可能とする一対の視認孔３６１３と、を備える。
【０２９４】
一対の視認孔３６１３は、取り付けベース３６１０の前面に表示される「目の変わるだるま」の両目に該当する位置であると共に後述する演出部材３６５４の各表示３６５４ａ１〜３６５４ａ４のいずれかと前面視において重なる位置に開口される。これにより、演出部材３６５４が回転されることで、視認孔３６１３から視認される各表示３６５４ａ１〜３６５４ａ４が変化され、だるまの目が変わり、被遮蔽領域Ｐ３の外観が変化される（図４６から図４８参照）。
【０２９５】
アーム部材３６２０は、長尺形状に形成される本体部３６２１と、その本体部３６２１の基端側に溝状の開口として形成される溝部３６２２と、その溝部３６２２とは反対側となる本体部３６２１の一端側の前面に覆設されると共に装飾体として形成される装飾部３６２３と、その装飾部３６２３及び溝部３６２１の間となる位置において本体部３６２１に貫通形成される軸支孔３６２４と、を主に備えて構成される。
【０２９６】
溝部３６２２は、軸支孔３６２４を通る直線上に延設され、組立状態（図４５参照）において、駆動装置３６３０の突設ピン３６３５が挿通される開口である。組立状態において、突設ピン３６３５が軸支孔３６２４に最も近づけられる位置（図４５参照）から、軸支孔３６２４の反対側へ向けて溝部３６２２が延設される。アーム部材３６２０の回転時には、駆動装置３６３０の突設ピン３６３５が溝部３６２２の内周を摺動する。
【０２９７】
装飾部３６２３は、本実施形態においては、前面側に「両目のだるま」が表示され、その「両目のだるま」の片目の位置に磁石部３６２０Ｍｇが埋設される。この「両目のだるま」は、後述するように、アーム部材３６２０が退避位置に配置されると、揺動動作ユニット３６００の前面側に配設される遮蔽動作ユニット３５００の演出補助部材３５１３を通して視認されることで、「片目のだるま」として視認されるが、詳しくは後述する。
【０２９８】
アーム部材３６２０は、その軸支孔３６２４に取り付けベース３６１０の軸部３６１１が挿通されることで、アーム部材３６２０の基端が取り付けベース３６１０に対して回転可能に軸支される。この場合、アーム部材３６２０には、その本体部３６２１の前面であって、軸支孔３６２４の近傍となる領域に、表ケース体３６４０の当接面部３６４１が当接される。これにより、アーム部材３６２０は、その基端が取り付けベース３６１０及び表ケース体３６４０の対向間に回転可能な状態で保持される。
【０２９９】
駆動装置３６３０は、駆動力を生じさせる駆動モータ３６３１と、その駆動モータ３６３１の駆動軸３６３２と、その駆動軸３６３２に固着される第１歯車３６３３と、その第１歯車３６３３の回転に従動すると共に、表ケース体３６４０の後面側から突出される挿通軸３６４０ａに回転可能に軸支される第２歯車３６３４と、その第２歯車３６３４の外周端から後面側に突設される突設ピン３６３５と、を主に備え、その突設ピン３６３５をアーム部材３６２０の溝部３６２２に挿通させた状態で、駆動モータ３６３１が表ケース体３６４０の後面に締結固定される。この場合、第２歯車３６３４が、表ケース体３６４０の後面とアーム部材３６２０とに挟持される（図４１参照）。なお、本実施形態においては、第１歯車３６３３及び第２歯車３６３４の歯車比が１で形成される。
【０３００】
突設ピン３６３５は、上述した通り、アーム部材３６２０の溝部３６２２に挿通される部位であり、アーム部材３６２０の溝部３６２２の溝幅と同等または若干小さな外径の円柱状に形成される。駆動装置３６３０の駆動軸３６３２が回転駆動される際には、突設ピン３６３５がアーム部材３６２０の溝部３６２２内をその溝部３６２２の延設方向に沿って移動され、その結果、アーム部材３６２０が軸部３６１１を中心として回転される。
【０３０１】
駆動装置３６３０の駆動軸３６３２は、組立状態において、取り付けベース３６１０の貫通孔３６１２に挿通され、取り付けベース３６１０の後面側に配設される被遮蔽装置３６５０の切替歯車３６５２に固着される。
【０３０２】
被遮蔽装置３６５０は、各部材が樹脂材料から形成され、複数の歯車を収容可能な凹部を有するケース状に形成されると共に取り付けベース３６１０の後面側に締結固定される後面ケース体３６５１と、駆動装置３６３０の駆動軸３６３２が中心に挿通される切替歯車３６５２と、その切替歯車３６５２の回転に従動して回転される一対の従動歯車３６５３と、それらの従動歯車３６５３の回転に従動して回転されると共に前面側に表示部３６５４ａを有する演出部材３６５４と、を備え、従動歯車３６５３及び演出部材３６５４は、後面ケース体３６５１の前面から突出される複数の軸部３６５５に回転可能に軸支される。なお、従動歯車３６５３を介した切替歯車３６５２及び演出部材３６５４の歯車比が約３／２で形成される。即ち、切替歯車３６５２の回転が２／３倍に減速されて演出部材３６５４に伝達される。
【０３０３】
切替歯車３６５２は、駆動装置３６３０の駆動軸３６３２が前面視反時計回りに回転されると、それに従動して回転されるが、その一方で、駆動軸３６３２が前面視時計回りに回転されると、従動しない（停止する）という特徴を有する。ここで、図４２を参照して、切替歯車３６５２について説明する。
【０３０４】
図４２（ａ）及び図４２（ｂ）は、切替歯車３６５２の部分断面模式図である。図４２（ａ）では切替歯車３６５２の伝達状態が模式的に図示され、図４２（ｂ）では、切替歯車３６５２の解除状態が模式的に図示される。
【０３０５】
図４２（ａ）に示すように、切替歯車３６５２は、駆動装置３６３０（図４１参照）の駆動軸３６３２に固着される内輪部材３６５２ａと、その内輪部材３６５２ａを径方向に内包し同軸に形成されると共に、相対回転可能に形成される外輪部材３６５２ｂと、その外輪部材３６５２ｂの内周面に周方向に沿って長穴状に形成される複数の空間部３６５２ｃと、その空間部３６５２ｃの外枠として外輪部材３６５２ｂの内周面に形成される噛み込み面３６５２ｄと、空間部３６５２ｃに配設される噛み込み球体３６５２ｅと、その噛み込み球体３６５２ｅを一方向に付勢すると共に噛み込み面３６５２ｄの一端付近に配設される付勢バネ３６５２ｆと、を主に備える。
【０３０６】
外輪部材３６５２ｂは、外周に歯が一体成形により刻設される。その歯が、従動歯車３６５３に歯合され（図４１参照）、切替歯車３６５２が回転される場合には、その回転が従動歯車３６５３に伝達される。
【０３０７】
噛み込み面３６５２ｄは、付勢バネ３６５２ｆの配設される一端の反対側の他端付近が、内輪部材３６５２ａに漸近するように傾斜して形成される。即ち、その他端付近において、噛み込み面３６５２ｄと内輪部材３６５２ａの外周とが漸近する態様で形成される。
【０３０８】
噛み込み球体３６５２ｅは、球状に形成される部材であり、その噛み込み球体３６５２ｅの直径寸法は、噛み込み球体３６５２ｅが付勢バネ３６５２ｆの配設される一端の反対側の他端に押しつけられる場合（図４２（ａ）参照）に噛み込み面３６５２ｄと内輪部材３６５２ａとが形成する隙間に噛み込み可能な直径寸法に形成される。なお、噛み込み球体３６５２ｅが付勢バネ３６５２ｆの配設される一端の反対側の他端に押しつけられる状態から付勢バネ３６５２ｆ側に移動された場合（図４２（ｂ）参照）には、噛み込み面３６５２ｄ、内輪部材３６５２ａ及び噛み込み球体３６５２ｅで噛み込み状態が形成されず、内輪部材３６５２ａと外輪部材３６５２ｂとが相対回転可能に形成される。このように形成される切替歯車３６５２の作用を説明する。
【０３０９】
図４２（ａ）に示す矢印の方向（反時計回り）に内輪部材３６５２ａが回転されると、その内輪部材３６５２ａ及び噛み込み球体３６５２ｅの外周面間の摩擦力により噛み込み球体３６５２ｅが移動され、付勢バネ３６５２ｆの配設される一端の反対側の他端に噛み込み球体３６５２ｅが押しつけられる。この場合、噛み込み面３６５２ｄ、内輪部材３６５２ａ及び噛み込み球体３６５２ｅの間で噛み込み状態が形成され、内輪部材３６５２ａと外輪部材３６５２ｂとの接触面圧が増加し、内輪部材３６５２ａの回転力が外輪部材３６５２ｂに伝達される（伝達状態が形成される）。即ち、内輪部材３６５２ａを駆動させる駆動力で、外輪部材３６５２ｂを回転させることができる。
【０３１０】
図４２（ｂ）に示す矢印の方向（時計回り）に内輪部材３６５２ａが回転されると、その内輪部材３６５２ａ及び噛み込み球体３６５２ｅの外周面間の摩擦力により、付勢バネ３６５２ｆの付勢力に抗して噛み込み球体３６５２ｅが移動される。この場合、噛み込み面３６５２ｄ、内輪部材３６５２ａ及び噛み込み球体３６５２ｅの間で噛み込み状態が形成されず（解除状態が形成され）、内輪部材３６５２ａと外輪部材３６５２ｂとが相対回転可能に形成されるので、内輪部材３６５２ａを駆動させる駆動力では、外輪部材３６５２ｂは駆動されない。
【０３１１】
この切替歯車３６５２の特徴により、被遮蔽装置３６５０の動作に方向性を与えることが可能となる。即ち、後述するように、駆動装置３６３０の駆動方向によって、被遮蔽装置３６５０の回転と停止を切り替えることができ、被遮蔽領域Ｐ３の演出効果を向上させることができる。
【０３１２】
図４１に戻って説明する。被遮蔽装置３６５０の演出部材３６５４は、前面側に表示部３６５４ａが形成される。組立状態において、その表示部３６５４ａの各表示３６５４ａ１〜３６５４ａ４（図４３参照）のいずれかが、取り付けベース３６１０の一対の視認孔３６１３から視認可能に形成される。ここで、図４３を参照して、演出部材３６５４の表示部３６５４ａについて説明する。
【０３１３】
図４３（ａ）から図４３（ｄ）は、演出部材３６５４の表示部３６５４ａの前面図である。図４３（ａ）には表示部３６５４ａの一の停止状態が、図４３（ｂ）には、図４３（ａ）の状態から表示部３６５４ａが時計回りに９０°回転された状態が、図４３（ｃ）には、図４３（ｂ）の状態から表示部３６５４ａが時計回りに９０°回転された状態が、図４３（ｄ）には、図４３（ｃ）の状態から表示部３６５４ａが時計回りに９０°回転された状態が、それぞれ図示される。なお、図４３（ｄ）の状態からさらに表示部３６５４ａが時計回りに９０°回転されると、図４３（ａ）の状態に戻るように形成され、図４３（ａ）から図４３（ｄ）には、組立状態における取り付けベース３６１０の視認孔３６１３（図４０参照）の位置が破線で図示される。
【０３１４】
図４３（ａ）に示すように、表示部３６５４ａは、周方向に間隔をあけて各表示３６５４ａ１〜３６５４ａ４を有する。本実施形態においては、一対の表示３６５４ａ１は「黒丸」の絵柄が、一対の表示３６５４ａ２は「星」の絵柄が、一対の表示３６５４ａ３は「ハート」の絵柄が、そして一対の表示３６５４ａ４は「￥」の絵柄がそれぞれ表示され、それぞれが一対の視認孔３６１３（図４０参照）の大きさに収まる大きさで形成される。
【０３１５】
図４３（ａ）から図４３（ｄ）に示すように、組立状態（図４０参照）において、各表示３６５４ａ１〜３６５４ａ４は演出部材３６５４の回転角度（本実施形態においては９０°毎）によって、一対の視認孔３６１３からそれぞれ一対の表示（各表示３６５４ａ１〜３６５４ａ４のいずれか）が視認可能な配置に形成される。
【０３１６】
演出部材３６５４は、後述するように、アーム部材３６２０（図３９参照）が張出位置から退避位置に回転されると、その回転に伴い回転される。演出部材３６５４が回転されると、表示部３６５４ａが回転され、取り付けベース３６１０の視認孔３６１３から視認可能な各表示３６５４ａ１〜３６５４ａ４が切り替えられる。即ち、取り付けベース３６１０の前面（被遮蔽領域Ｐ３、図４０参照）に表示される「目の変わるだるま」の目が変化される。
【０３１７】
その一方で、アーム部材３６２０（図３９参照）が退避位置から張出位置に回転されると、回転は伝達されず演出部材３６５４は停止される。即ち、アーム部材３６２０の回転方向によって、演出部材３６５４の動作態様を変化させることができ、被遮蔽領域Ｐ３に意外性のある変化を生じさせることができる。ここで、アーム部材３６２０と演出部材３６５４との連動について、図４４から図４８を参照して説明する。
【０３１８】
図４４から図４６は、揺動動作ユニット３６００のアーム部材３６２０を退避位置から張出位置へ揺動動作（回転）させる過程を時系列で説明する図であり、図４４（ａ）、図４５（ａ）及び図４６（ａ）は、揺動動作ユニット３６００の前面図であり、図４４（ｂ）、図４５（ｂ）及び図４６（ｂ）は、被遮蔽装置３６５０の前面図である。図４４（ａ）、図４５（ａ）及び図４６（ａ）において、第２歯車３６３４の後面側に配設される突設ピン３６３５及びアーム部材３６２０の溝部３６２２が破線で図示されると共に、表ケース体３６４０及び駆動モータ３６３１の図示が省略される。後述する図４７及び図４８についても同様とする。
【０３１９】
なお、図４５（ａ）は、駆動モータ３６３１（図３９参照）が回転駆動され、第１歯車３６３３が時計回りに回転され、アーム部材３６２０が退避位置から張出位置へ向けて所定量だけ揺動動作された状態が図示される。また、図４４（ｂ）、図４５（ｂ）及び図４６（ｂ）は同一の状態が図示される。
【０３２０】
図４４（ａ）に示すように、アーム部材３６２０が退避位置に配置される状態では、アーム部材３６２０は下方へ向けて垂下された姿勢とされ、突設ピン３６３５は、溝部３６２２の外側端付近（軸支孔３６２４から遠い側の端部、図４４（ａ）右側）に位置される。
【０３２１】
図４４（ａ）に示す状態（アーム部材３６２０が退避位置に配置された状態）から駆動モータ３６３１の駆動軸３６３２（図４１参照）が時計回り（図４４（ａ）時計回り）に回転駆動され、それと同方向に第１歯車３６３３が回転され、その第１歯車３６３３に歯合される第２歯車３６３４が反時計回りに回転されると、突設ピン３６３５が溝部３６２２の内側端（軸支孔３６２４から近い側の端部、図４４（ａ）左側）へ向けて移動される。
【０３２２】
これにより、図４５（ａ）に示すように、アーム部材３６２０が軸支孔３６２４を中心として図４５（ａ）時計回りに回転される。駆動モータ３６３１の駆動軸３６３２（図４１参照）が更に回転駆動され、第２歯車３６３４が図４５（ａ）反時計回りに更に回転された結果、突設ピン３６３５が溝部３６２２の外側端付近に再度到達されると、図４６（ａ）に示すように、アーム部材３６２０が張出位置に配置される。
【０３２３】
図４４（ａ）に示すように、アーム部材３６２０が退避位置に配置された場合、突設ピン３６３５及び第２歯車３６３４を軸支する挿通軸３６４０ａ（図４１参照）を結ぶ直線に直交する方向と、案内溝３６２２の延設方向とが一致して配設される。
【０３２４】
これにより、退避位置に配置された状態からアーム部材３６２０を回転させる回転開始時点において、突設ピン３６３５の回転方向と案内溝３６２２の延設方向とが一致するので、移動開始時に突設ピン３６３５が案内溝３６２２から受ける抵抗を抑えることができる。よって、最も大きな力を必要とする動作開始時に必要な駆動力を低減することができる。
【０３２５】
図４６（ａ）に示すように、アーム部材３６２０が張出位置に配置された場合、アーム部材３６２０の回転軸としての軸支孔３６２４と突設ピン３６３５とを結ぶ方向Ｘが、第２歯車３６３４を回転可能に軸支する挿通軸３６４０ａ（図４１参照）と突設ピン３６３５とを結ぶ方向Ｙと直交される。
【０３２６】
この場合、突設ピン３６３５をアーム部材３６２０と第２歯車３６３４との関係において死点に位置させることができる。これにより、駆動モータ３６３１（図３９参照）からの駆動力を不要としても、アーム部材３６２０を張出位置に機械的に保持できるので、駆動手段の消費エネルギーを抑制することができる。
【０３２７】
なお、アーム部材３６２０が退避位置から張出位置へ回転する過程において、第１歯車３６３３は時計回りに回転される。即ち、駆動モータ３６３１の駆動軸３６３２（図３９参照）も時計回りに回転されるので、上述したように切替歯車３６５２には駆動モータ３６３１の駆動力が伝達されず、図４４（ｂ）、図４５（ｂ）及び図４６（ｂ）に示すように、演出部材３６５４が回転されないので、表示部３６５４ａは停止され、被遮蔽領域Ｐ３の外観は変化されない。ここで、図４７及び図４８を参照して、アーム部材３６２０が張出位置から退避位置へ回転する場合におけるアーム部材３６２０及び演出部材３６５４の連動について説明する。
【０３２８】
図４７及び図４８は、揺動動作ユニット３６００のアーム部材３６２０を張出位置（図４６参照）から退避位置へ動作させる過程を時系列で説明する図であり、図４７（ａ）及び図４８（ａ）は、揺動動作ユニット３６００の前面図であり、図４７（ｂ）及び図４８（ｂ）は、被遮蔽装置３６５０の前面図である。
【０３２９】
なお、図４７（ａ）は、アーム部材３６２０が張出位置に配置された状態から（図４６参照）、駆動モータ３６３１（図３９参照）が回転駆動され、第１歯車３６３３が反時計回り（図４７（ａ）反時計回り）に回転され、アーム部材３６２０が張出位置から退避位置へ向けて所定量だけ揺動動作された状態が図示される。
【０３３０】
第１歯車３６３３が反時計回り（図４７（ａ）反時計回り）に回転されることは駆動モータ３６３１の駆動軸３６３２（図３９参照）が反時計回りに回転されることと同義であり、上述したように、被遮蔽装置３６５０の切替歯車３６５２も反時計回りに回転される（伝達状態が形成される）。
【０３３１】
図４７（ｂ）及び図４８（ｂ）に示すように、切替歯車３６５２が回転されると、被遮蔽装置３６５０の歯車比の分だけ減速されて演出部材３６５４が回転される。本実施形態においては、アーム部材３６２０が張出位置から退避位置まで移動されるのに要する駆動装置３６３０の第１歯車３６３３の回転角度は、本実施形態では約１３５°であり（図４４（ａ）から図４６（ａ）参照）、上述したように、被遮蔽装置３６５０の従動歯車３６５３を介した切替歯車３６５２及び演出部材３６５４の歯車比が本実施形態では約３／２であるので、切替歯車３６５２の回転角度の２／３の回転角度で演出部材３６５４が回転される。
【０３３２】
即ち、アーム部材３６２０が張出位置から退避位置へ回転されると（回転角度約１３５°）、演出部材３６５４はアーム部材３６２０の回転角度の２／３の角度だけ回転される（回転角度約９０°）。そのため、演出部材３６５４はアーム部材３６２０が張出位置から退避位置へ１回回転されると一対の視認孔３６１３を通して視認される一対の各表示３６５４ａ１〜３６５４ａ４が切替られる。即ち、例えば、アーム部材３６２０が張出位置から退避位置へ１回回転されると、「黒丸」の絵柄が形成される表示３６５４ａ１（図４６参照）が、「星」の絵柄が形成される表示３６５４ａ２（図４８参照）に切替られる。
【０３３３】
また、演出部材３６５４はアーム部材３６２０が張出位置から退避位置へ４回回転される（４往復される）ことで、元の姿勢に復帰される。なお、一対の従動歯車３６５３が介在するため、駆動モータ３６３１の駆動軸３６３２（図３９参照）の回転方向（反時計回り）と、演出部材３６５４の回転方向（時計回り）とは逆方向となる。
【０３３４】
ここで、上述したように、演出部材３６５４は、アーム部材３６２０が第１方向（退避位置から張出位置へ向かう方向）に回転される場合には、アーム部材３６２０の回転に対応して回転され、アーム部材３６２０が第１方向の反対方向である第２方向（張出位置から退避位置へ向かう方向）に回転される場合には停止されることを特徴とする。よって、アーム部材３６２０の回転方向によって、演出部材３６５４の動作態様を回転するか停止するかの２態様で異ならせることができる。
【０３３５】
即ち、アーム部材３６２０が第１方向（退避位置から張出位置へ向かう方向）に回転される場合にも第２方向（張出位置から退避位置へ向かう方向）に回転される場合にも演出部材３６５４がアーム部材３６２０の回転に対応して回転されると、例えば、アーム部材３６２０が第１方向（退避位置から張出位置へ向かう方向）に回転される場合にだけ演出部材３６５４を回転させずに被遮蔽領域Ｐ３の外観を一定に維持することは難しい。
【０３３６】
これに対し、本実施形態によれば、アーム部材３６２０が第２方向（張出位置から退避位置へ向かう方向）に回転される場合にはアーム部材３６２０の回転に対応して演出部材３６５４が回転され、アーム部材３６２０が第１方向（退避位置から張出位置へ向かう方向）に回転される場合には演出部材３６５４が停止されるので、アーム部材３６２０が第１方向（退避位置から張出位置へ向かう方向）に回転される場合にだけ被遮蔽領域Ｐ３の外観を一定に維持することができる。例えば、演出部材３６５４の表示部３６５４ａに文字など静止状態において把握しやすい表示がされる場合に、アーム部材３６２０が一の回転方向に揺動動作（回転）を行う最中にだけ演出部材３６５４を停止させることで、表示部３６５４ａの静止状態をより長く維持することができ、被遮蔽領域Ｐ３の演出効果を向上させることができる。
【０３３７】
また、アーム部材３６２０が被遮蔽領域Ｐ３を隠す第２方向（張出位置から退避位置）に回転される場合には演出部材３６５４の表示部３６５４ａがルーレットのように回転されることで、次に視認される表示が何になるかの期待感を増加させることができる。その一方で、アーム部材３６２０が被遮蔽領域Ｐ３を視認可能にする方向（退避位置から張出位置）に回転される場合には演出部材３６５４が停止されるので、各表示３６５４ａ１〜３６５４ａ４（図４３参照）の停止状態における被遮蔽領域Ｐ３の外観をより長く（より早いタイミングで）遊技者に視認させることができる。
【０３３８】
例えば、本実施形態のパチンコ機１０において、各表示３６５４ａ１〜３６５４ａ４（図４３参照）の内の一の表示（例えば表示３６５４ａ１）が視認孔３６１３から視認される状況において賞球個数が増加する設定が採用されている場合、取り付けベース３６１０の視認孔３６１３から視認される表示が各表示３６５４ａ１〜３６５４ａ４の内のどれなのかをなるべく早いタイミングで確認することができれば、早期に入賞口（第１入賞口６４等、図２参照）に狙いを定めることができ、結果としてより多くの賞球を得ることができる。
【０３３９】
本実施形態によれば、アーム部材３６２０が退避位置に配置され、視認孔３６１３が視認不能な状態から、アーム部材３６２０が張出位置へ回転される場合、演出部材３６５４は停止されるので、アーム部材３６２０が張出位置へ回転され停止される前に（アーム部材３６２０と視認孔３６１３とが前後方向で重ならない位置までアーム部材３６２０が回転すれば）、視認孔３６１３から視認される表示が表示３６５４ａ１（図４３参照）であるか否かを確認することができる。即ち、アーム部材３６２０の回転動作内の早いタイミングで視認孔３６１３から視認される表示（各表示３６５４ａ１〜３６５４ａ４のいずれか）を確認することができる。
【０３４０】
ここで、図４８に示すように、取り付けベース３６１０は演出部材３６５０の移動軌跡上に前後方向で重ねられて配設され、一対の視認孔３６１３を通して、被遮蔽装置３６５０の各表示３６５４ａ１〜３６５４ａ４（図４３参照）のいずれかを視認可能とし、その他を隠す（遮蔽する）ことで視認不能とするので、一種の遮蔽部材としての役割を有する。
【０３４１】
取り付けベース３６１０と演出部材３６５４とが相対移動すると、演出部材３６５４の取り付けベース３６１０と重なる部分（視認孔３６１３と重ならない部分）は視認不能となり、演出部材３６５４の取り付けベース３６１０と重ならない部分（視認孔３６１３と重なる部分）は視認可能となる。よって、演出部材３６５４と取り付けベース３６１０とを相対移動させるにつれて、演出部材３６５４の表示部３６５４ａの内で前面視において視認可能な表示３６５４ａ１〜３６５４ａ４（図４３参照）を変化させることができるので、被遮蔽領域Ｐ３における外観の変化が、演出部材３６５４の視認可能な表示３６５４ａ１〜３６５４ａ４の変化として明確に把握可能となり、演出部材３６５４が姿勢や位置を変える変化態様に比較して、被遮蔽領域Ｐ３の外観の変化を容易に区別することができる。
【０３４２】
図４４から図４８に示すように、アーム部材３６２０が退避位置と張出位置との間を往復すると、演出部材３６５４が時計回りに９０°回転する。即ち、アーム部材３６２０が退避位置と張出位置との間を四往復すると、演出部材３６５４は一回転する。
【０３４３】
即ち、演出部材３６５４は、図４４（ｂ）に示す姿勢に配置された後に、アーム部材３６２０が退避位置と張出位置との間を所定回数（本実施形態においては４回）往復すると、再び図４４（ｂ）に示す姿勢へ復帰可能に形成されると共に、アーム部材３６２０が退避位置と張出位置との間を１往復すると、演出部材３６５４は、図４４（ｂ）に示す姿勢から回転され、再び元の姿勢へ復帰されるまでの経路（一回転）を所定回数（４回）で分割した角度だけ回転される態様で形成される。よって、演出部材３６５４の位置や姿勢をアーム部材３６２０の往復毎に異ならせることができ、結果として被遮蔽領域Ｐ３の外観をアーム部材３６２０の往復毎に変化させることができる。
【０３４４】
また、本実施形態では、演出部材３６５４を回転させる場合の駆動モータ３６３１の駆動軸３６３２（図４１参照）の回転方向は、アーム部材３６２０を重力方向に沿った方向（アーム部材が張出位置から退避位置へ向かう方向）に回転させる場合の駆動軸３６３２の回転方向と同方向であることを特徴とする。これにより、アーム部材３６２０の回転と演出部材３６５４の回転とに兼用される駆動モータ３６３１（図３９参照）の駆動力を抑制することができる。
【０３４５】
即ち、２部材を単一の駆動手段（駆動モータ３６３１に相当）で駆動させる場合、それぞれの部材にかけられる抵抗を上回る駆動力を発生させる必要があり、駆動手段を小型化することは難しい。
【０３４６】
これに対し、本実施形態によれば、アーム部材３６２０を重力方向に沿った第２方向（張出位置から退避位置へ向かう方向）に回転させる場合には、重力がアーム部材３６２０の回転を補助することとなり、アーム部材３６２０と演出部材３６５４とを同時に動作させるようにしても、駆動力は小さくて済むので、駆動モータ３６３１（図３９参照）を小型化することができる。
【０３４７】
一方で、アーム部材３６２０を重力方向に対向する方向に沿った第１方向（退避位置から張出位置へ向かう方向）に回転させる場合には、重力の分だけ駆動力を大きくする必要があるが、演出部材３６５４を停止させることで、演出部材３６５４を回転させる駆動力が不要となり、駆動モータ３６３１（図３９参照）に必要とされる駆動力を結果的に低減させることができる。
【０３４８】
図３６に戻って説明する。図３６に示すように、組立状態において、揺動動作ユニット３６００は遮蔽動作ユニット３５００の後方に配設され、遮蔽動作ユニット３５００のアーム部材３５２０が張出位置（図３８（ｂ）参照）に配置された場合に被遮蔽領域Ｐ２及び開口部３５１１が視認可能となる（図３８（ｂ）参照）。
【０３４９】
ここで、パチンコ機１０等の遊技機において、第１位置（退避位置に相当）と第２位置（張出位置に相当）との間で移動可能に形成される移動部材（アーム部材３５２０に相当）と、その移動部材を移動させるための駆動力を発生する駆動手段（駆動モータ３５１４に相当、図３７参照）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ２に相当、図３８（ｂ）参照）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０３５０】
これに対し、本実施形態によれば、遮蔽動作ユニット３５００のアーム部材３５２０が少なくとも張出位置に配置されると、前面視において被遮蔽領域Ｐ２（図３８（ｂ）参照）が視認可能となる。そして、後述するように、アーム部材３５２０の後面側に配設される揺動動作ユニット３６００のアーム部材３６２０の少なくとも一部が、前面視において被遮蔽領域Ｐ２を通過するようにアーム部材３６２０が揺動動作（回転）されるので、被遮蔽領域Ｐ２に配置される開口部３５１１を通して、回転中のアーム部材３６２０の少なくとも一部を視認することができる。よって、被遮蔽領域Ｐ２の外観を変化させることができる。結果として、被遮蔽領域Ｐ２の演出部分としての能力を向上させ、被遮蔽領域Ｐ２を演出部分として効果的に使用することができる。
【０３５１】
ここで、図４９から図５１を参照して、それぞれ個別の駆動モータ３６３１（図３９参照），３５１４（図３７参照）の駆動力で独立に動作される揺動動作ユニット３６００及び遮蔽動作ユニット３５００のそれぞれの配置に応じて視認される被遮蔽領域Ｐ２の外観について説明する。
【０３５２】
図４９（ａ）は、遮蔽動作ユニット３５００及び揺動動作ユニット３６００の前面図であり、図４９（ｂ）は、揺動動作ユニット３６００の前面図であり、図４９（ｃ）は、図４９（ａ）の部分ＸＸＸＸＩＸｃにおける遮蔽動作ユニット３５００及び揺動動作ユニット３６００の部分拡大前面図である。なお、図４９（ａ）及び図４９（ｃ）では、遮蔽動作ユニット３５００及び揺動動作ユニット３６００の組立状態（図３６参照）が図示され、図４９（ａ）から図４９（ｃ）では、遮蔽動作ユニット３５００のアーム部材３５２０は張出位置に配置され、揺動動作ユニット３６００のアーム部材３６２０は退避位置に配置される。
【０３５３】
遮蔽動作ユニット３５００のアーム部材３５２０が退避位置に配置される場合、前面視において開口部３５１１はアーム部材３５２０に遮蔽されるので、開口部３５１１を通して遮蔽動作ユニット３５００の後面側に配設される揺動動作ユニット３６００を視認することはできない（図３８（ａ）参照）。
【０３５４】
図４９（ａ）に示すように、遮蔽動作ユニット３５００のアーム部材３５２０が張出位置に配置されると、被遮蔽領域Ｐ２が視認可能となり、その被遮蔽領域Ｐ２に少なくとも一部が内包される開口部３５１１を通して遮蔽動作ユニット３５００の後方を視認可能になる。即ち、開口部３５１１を通して揺動動作ユニット３６００のアーム部材３６２０（装飾部３６２３）を視認可能になる。
【０３５５】
ここで、揺動動作ユニット３６００のアーム部材３６２０は、遮蔽動作ユニット３５００の開口部３５１１を通して装飾部３６２３に表示される「両目のだるま」を視認可能となる位置に配置される（図４９（ａ）参照）。しかし、上述した白色の円板形状の演出補助部材３５１３がアーム部材３６２０の装飾部３６２３に表示される「両目のだるま」の片目の位置と一致する位置に埋設される磁石部３６２０Ｍｇとの間で生じる磁力により移動される。すると、演出補助部材３５１３が装飾部３６２３の前側であって「両目のだるま」の片目の位置に一致する位置に配置され、「両目のだるま」の片目が前面視において遮蔽されることで、結果として開口部３５１１からは「片目のだるま」が視認される（図４９（ｃ）参照）。
【０３５６】
即ち、揺動動作ユニット３６００の装飾部３６２３は、アーム部材３６２０が張出位置に配置される場合には「両目のだるま」を視認させ（図５１（ａ）参照）、アーム部材３６２０が退避位置に配置される場合には、開口部３５１１を通して「片目のだるま」を視認させる。
【０３５７】
よって、例えば、アーム部材３６２０が張出位置に配置される（「両目のだるま」が視認される）と大当たりの当選確率が増加し、アーム部材３６２０が退避位置に配置される（「片目のだるま」が視認される）と大当たりの当選確率が減少する設定を採用する場合、遊技者は装飾部３６２３の「だるま」が「両目」なのか「片目」なのかを確認することで、直観的に現状の大当たりの当選確率の大小を把握することができる。
【０３５８】
これにより、開口部３５１１を通して視認される外観（被遮蔽領域Ｐ２の外観）の演出効果を向上させることができる。ここで、図５０を参照して、揺動動作ユニット３６００のアーム部材３６２０の回転動作と演出補助部材３５１３の移動との関連について説明する。
【０３５９】
図５０（ａ）から図５０（ｃ）は、組立状態における遮蔽動作ユニット３５００の取り付けベース３５１０と揺動動作ユニット３６００のアーム部材３６２０とを、アーム部材３６２０が張出位置から退避位置へ移動する際の時系列に沿って模式的に示した取り付けベース３５１０及びアーム部材３６２０の部分前面模式図である。
【０３６０】
なお、図５０（ａ）には、アーム部材３６２０の磁石部３６２０Ｍｇと遮蔽動作ユニット３５００の演出補助部材３５１３とが離れており、両者間に磁力が生じず、演出補助部材３５１３が重力の作用で案内筒部３５１２の下端に配置された状態が図示される。図５０（ｂ）には、図５０（ａ）の位置からアーム部材３６２０が退避位置へ向けて回転され、磁石部３６２０Ｍｇと演出補助部材３５１３との間に磁力が生じ、演出補助部材３５１３が移動を開始された状態が図示される。また図５０（ｃ）には、アーム部材３６２０が退避位置に配置され、磁石部３６２０Ｍｇと演出補助部材３５１３との間に磁力が生じ、演出補助部材３５１３が磁石部３６２０Ｍｇの前面側（だるまの片目の位置に相当）に配置された状態が図示される。
【０３６１】
図５０（ａ）から図５０（ｃ）に示すように、演出補助部材３５１３は揺動動作ユニット３６００の前面側に配設され、揺動動作ユニット３６００のアーム部材３６２０の回転に伴って上下移動されると共に、その移動の過程において、アーム部材３６２０と重なって視認される態様で形成される。
【０３６２】
ここで、アーム部材３６２０の外観は、そのアーム部材３６２０が張出位置に配置されれば視認可能であるので（図５１（ａ）参照）、被遮蔽領域Ｐ２（図４９（ａ）参照）を通してアーム部材３６２０を視認する場合の外観は予測できる場合があり、意外性に欠け、演出効果が十分であるとは言えない。
【０３６３】
一方、本実施形態によれば、アーム部材３６２０が退避位置に配置されると、アーム部材３６２０と演出補助部材３５１３とが重なって視認されるので、被遮蔽領域Ｐ２（図４９（ａ）参照）を通してアーム部材３６２０が視認される場合の外観を、アーム部材３６２０のみから予想できる外観とは異なったものとできる。
【０３６４】
また、本実施形態のように、アーム部材３６２０と演出補助部材３５１３とが磁力により相対移動される場合には、演出補助部材３５１３がアーム部材３６２０に重なる位置はアーム部材３６２０が回転されるにつれて徐々に変化する（図５０（ａ）から図５０（ｃ）参照）ので、被遮蔽領域Ｐ２（図４９（ａ）参照）を通してアーム部材３６２０が視認される場合の外観を、アーム部材３６２０が回転されるにつれて徐々に変化させることができ、被遮蔽領域Ｐ２の外観を、アーム部材３６２０のみから予想できる外観とは異なったものにする効果を向上させることができる。
【０３６５】
また、アーム部材３６２０と演出補助部材３５１３との間に生じる磁力により演出補助部材３５１３が移動されるので、アーム部材３６２０から演出補助部材３５１３に対して直接的に力を伝達させる機械的機構を不要とできる。
【０３６６】
さらに、磁力の特性により、演出補助部材３５１３とアーム部材３６２０との間隔が所定距離より小さくなると、演出補助部材３５１３とアーム部材３６２０との間に急激に大きな力を生じさせることができる。
【０３６７】
即ち、図５０（ａ）に図示される状態（演出補助部材３５１３が案内筒部３５１２の下端に配置される状態）から、アーム部材３６２０がわずかに回転されることで、アーム部材３６２０の磁石部３６２０Ｍｇと演出補助部材３５１３との間隔が上記所定距離より小さくなり、演出補助部材３５１３が大きく移動される（図５０（ｂ）参照）。
【０３６８】
この場合、演出補助部材３５１３にアーム部材３６２０の移動速度とは対応しない加速度をもたせることができるので、演出補助部材３５１３に予想外の動きをさせることができ、演出効果を向上させることができる。ここで、図５１を参照して、揺動動作ユニット３６００のアーム部材３６２０を張出位置に配置させた場合について説明する。
【０３６９】
図５１（ａ）は、遮蔽動作ユニット３５００及び揺動動作ユニット３６００の前面図であり、図５１（ｂ）は、揺動動作ユニット３６００の前面図である。なお、図５１（ａ）及び図５１（ｂ）では、遮蔽動作ユニット３５００及び揺動動作ユニット３６００の組立状態（図３６参照）が図示され、遮蔽動作ユニット３５００のアーム部材３５２０及び揺動動作ユニット３６００のアーム部材３６２０は張出位置に配置される。
【０３７０】
図５１（ａ）に示すように、遮蔽動作ユニット３５００のアーム部材３５２０が張出位置に配置されると、被遮蔽領域Ｐ２が視認可能となり、その被遮蔽領域Ｐ２に少なくとも一部が内包される開口部３５１１を通して遮蔽動作ユニット３５００の後方を視認可能になり、開口部３５１１を通して揺動動作ユニット３６００の取り付けベース３６１０の被遮蔽領域Ｐ３に表示される「目の変わるだるま」を視認可能となる。
【０３７１】
即ち、遮蔽動作ユニット３５００に形成される被遮蔽領域Ｐ２の外観が、その後面側に配設される揺動動作ユニット３６００のアーム部材３６２０が回転されることによって、変化される。本実施形態においては、前面視において、遮蔽動作ユニット３５００の被遮蔽領域Ｐ２及び揺動動作ユニット３６００の被遮蔽領域Ｐ３が重なる。そのため、被遮蔽領域Ｐ２の外観を、その被遮蔽領域Ｐ２（に少なくとも一部が内包される開口３５１１、図３８（ｂ）参照）を通してアーム部材３６２０を視認可能であると共に被遮蔽領域Ｐ３を視認不能な場合と、アーム部材３６２０が少なくとも張出位置に配置されることで被遮蔽領域Ｐ２（に内包される開口３５１１）を通して被遮蔽領域Ｐ３を視認可能な場合と、で変化させることができる。
【０３７２】
ここで、揺動動作ユニット３６００のアーム部材３６２０は遮蔽動作ユニット３５００のアーム部材３５２０の配置に関わらず前面視において少なくとも一部が視認可能であり、アーム部材３６２０は被遮蔽領域Ｐ２においてのみ視認される部材ではない。そのため、アーム部材３６２０はアーム部材３５２０に関わらず固有の演出意図を持って移動されるので、アーム部材３６２０に固有の駆動手段（駆動モータ３６３１に相当）が配設されることは当然である。そして、アーム部材３６２０に駆動手段を要することは、前面視において被遮蔽領域Ｐ２をアーム部材３６２０が通過するか否かに関わるものではない。
【０３７３】
本実施形態の特徴は、揺動動作中の揺動動作ユニット３６００のアーム部材３６２０が前面視において被遮蔽領域Ｐ２を通過するようにアーム部材３６２０を配設したことにある。即ち、アーム部材３６２０の移動により被遮蔽領域Ｐ２の変化を達成し、それと同時に、必要な駆動力は駆動手段（駆動モータ３６３１に相当）の駆動力を流用している。よって、被遮蔽領域Ｐ２の外観を変化させるための個別の駆動手段を不要とすることができる。
【０３７４】
次いで、図５２から図５８を参照して、第４実施形態について説明する。第３実施形態では、図４１に示すように、揺動動作ユニット３６００のアーム部材３６２０を揺動動作（回転）させるために駆動装置３６３０の駆動軸３６３２の回転方向を切り替える場合を説明したが、第４実施形態の揺動動作ユニット４６００（図５２参照）では、アーム部材４６２０を揺動動作（回転）させる場合は駆動軸３６３２が一の回転方向に回転され、一方で、その一の回転方向の反対方向である他の回転方向に駆動軸３６３２が回転されると、アーム部材４６２０は回転されず演出部材３６５４のみが回転される。
【０３７５】
後述する本実施形態の構成によれば、表示３６５４ａ１〜３６５４ａ４（図４３参照）がアーム部材３６２０（図４１参照）の揺動動作（回転）により順番に切り替わる第３実施形態と異なり、駆動モータ３６３１（図５２参照）の制御により表示３６５４ａ１〜３６５４ａ４をランダムに（順番に依存せずに）切り替えることができる。なお、上記各実施形態と同一の部分については同一の符号を付して、その説明を省略する。
【０３７６】
図５２は、第４実施形態における揺動動作ユニット４６００の分解前面斜視図である。揺動動作ユニット４６００は、後面ケース２１０（図７参照）に配設される取り付けベース４６１０と、その取り付けベース４６１０に基端が回転可能に軸支されるアーム部材４６２０と、そのアーム部材４６２０を回転駆動するための駆動力を発生する駆動装置４６３０と、その駆動装置４６３０が配設されると共に取り付けベース４６１０の前面に配設される表ケース体３６４０と、駆動装置４６３０の駆動力により回転される複数の歯車から構成される被遮蔽装置３６５０と、を主に備えて構成される。
【０３７７】
取り付けベース４６１０は、長尺矩形板状に形成されると共に前面側（図５２手前側）に「目の変わるだるま」及び「ミニだるま」が表示され、その「目の変わるだるま」の下方に上下方向に延設されるレール形状の案内レール４６１４と、その案内レール４６１４に案内され上下に移動される昇降部材４６１５と、その昇降部材４６１５を上向き（図５２上向き）に付勢する付勢力を生じさせる付勢バネ４６１６（図５５参照）と、を主に備える。昇降部材４６１５は、アーム部材４６２０が回転されるに伴って、上下に移動される部材であるが、その上下移動の詳細については後述する。ここで、図５３及び図５４を参照して、案内レール４６１４及び昇降部材４６１５について説明する。
【０３７８】
図５３（ａ）は、取り付けベース４６１０の下側部分を前面視した取り付けベース４６１０の部分前面図であり、図５３（ｂ）は、図５３（ａ）のＬＩＩＩｂ−ＬＩＩＩｂ線における取り付けベース４６１０の断面図である。なお、図５３（ａ）及び図５３（ｂ）において昇降部材４６１５（図５４参照）の図示が省略される。
【０３７９】
図５３（ａ）及び図５３（ｂ）に示すように、案内レール４６１４は、一対が取り付けベース４６１０の前面側から突設されると共に上下方向に延設され、断面視において突設端がそれぞれ外側に張り出す鉤状（Ｌ字形状）に形成されるレール部４６１４ａと、それら一対のレール部４６１４ａの間であって、レール部４６１４ａの上端付近（図５３（ａ）上方）の位置に取り付けベース４６１０の前面側に突設される円柱形状の係止ピン４６１４ｂと、を主に備える。
【０３８０】
一対のレール部４６１４ａは、組立状態において（図５５参照）、一対の突設部分（外側に張り出す直前まで）の外側間の距離が後述する昇降部材４６１５（図５４参照）の一対のレール受け部４６１５ｃの鉤状に張り出す端部間の距離よりも若干小さく形成される。また、一対のレール部４６１４ａの鉤状に張り出す（外側の）端部間の距離が後述する一対のレール受け部４６１５ｃの一対の突設部分（内側に張り出す直前まで）の内側間の距離より若干小さく形成される。
【０３８１】
図５４（ａ）は、昇降部材４６１５の前面図であり、図５４（ｂ）は、昇降部材４６１５の後面図であり、図５４（ｃ）は、図５４（ｂ）のＬＩＶｃ−ＬＩＶｃ線における昇降部材４６１５の断面図である。
【０３８２】
図５４に示すように、昇降部材４６１５は、樹脂材料から形成され、円板形状の本体部４６１５ａと、その本体部４６１５ａの中央下方（図５４（ｂ）下方）において後面側から突出される円柱形状の係止ピン４６１５ｂと、その係止ピン４６１５ｂの左右両側に配設され、本体部４６１５ａの後面側に上下方向（図５４（ｂ）上下方向）に延設される一対のレール受け部４６１５ｃと、本体部４６１５ａの前面側左方に配設される磁石部４６１５Ｍｇと、を主に備える。係止ピン４６１５ｂは、付勢バネ４６１６（図５５参照）の一端が係止される部分である。
【０３８３】
一対のレール受け部４６１５ｃは、案内レール４６１４のレール部４６１４ａ（図５３参照）の張り出す部分の厚みより大きな突設高さで突設され、それぞれの端部から内側に張り出す鉤状（Ｌ字形状）の断面に形成される。また、組立状態（図５５参照）において、レール受け部４６１５ｃの張り出す部分が、取り付けベース４６１０（図５３参照）の前面と案内レール４６１４のレール部４６１４ａの張り出す部分とで形成される隙間に、前後方向に若干の隙間を空けて配設可能に形成されると共に、レール受け部４６１５ｃの張り出す部分と案内レール４６１４のレール部４６１４ａの張り出す部分とが前後方向（図５５上下方向）で部分的に重なる態様で形成される。これにより、組立状態において取り付けベース４６１０の案内レール４６１４に昇降部材４６１５がスライド移動可能に嵌め合わせられる。
【０３８４】
磁石部４６１５Ｍｇが本体部４６１５ａに配設されることで、後述するアーム部材４６２０（図５２参照）の磁石部４６２０Ｍｇと本体部４６１５ａの磁石部４６１５Ｍｇとの間で磁力が生じた場合に、その磁力の作用で昇降部材４６１５が上下移動されるように形成されるが、詳細については後述する。ここで、図５５を参照して、案内レール４６１４及び昇降部材４６１５の組立状態について説明する。
【０３８５】
図５５（ａ）は、取り付けベース４６１０の部分前面図であり、図５５（ｂ）は、図５５（ａ）のＬＶｂ−ＬＶｂ線における取り付けベース４６１０の断面図である。なお、図５５（ａ）では、案内レール４６１４に昇降部材４６１５を嵌め合わせた組立状態が図示されると共に昇降部材４６１５の本体部４６１５ａに隠される部分が破線で図示される。
【０３８６】
図５５（ａ）に示すように、案内レール４６１４の係止ピン４６１４ｂと昇降部材４６１５の係止ピン４６１５ｂとの間に付勢バネ４６１６が配設される。組立状態において、その付勢バネ４６１６の付勢力が、昇降部材４６１５に負荷される重力（図５５（ａ）下方へ向けて重力が作用）と吊り合う位置まで付勢バネ４６１６が伸ばされ（自然長より若干伸ばされ）、昇降部材４６１５が停止される。
【０３８７】
図５５（ｂ）に示すように、案内レール４６１４のレール部４６１４ａと、昇降部材４６１５のレール受け部４６１５ｃとが、上述した構成により、昇降部材４６１５の厚み方向および左右方向（図５５（ｂ）左右方向）に若干の隙間を空けて嵌め合わされるので、昇降部材４６１５が案内レール４６１４に上下移動可能に配設される。また、付勢バネ４６１６は、案内レール４６１４の一対のレール部４６１４ａの間の隙間に配設される。
【０３８８】
上述したように、案内レール４６１４のレール部４６１４ａは、昇降部材４６１５のレール受け部４６１５ｃの内側を上下移動可能な形状（レール受け部４６１５ｃとレール部４６１４ａとの間に隙間が若干生じる形状）に形成される。
【０３８９】
また、上述したように、レール部４６１４ａの突設端の張り出す部分と、レール受け部４６１５ｃの突設端の張り出す部分とが前後方向（図５５上下方向）において部分的に重なる態様で形成され、組立状態において、昇降部材４６１５の案内レール４６１４に対する前後移動が規制される（抜け止めされる）。
【０３９０】
なお、案内レール４６１４に昇降部材４６１５を組み付ける際には、係止ピン４６１４ｂ，４６１５ｂに付勢バネ４６１６の両端をそれぞれ係止させた状態で、昇降部材４６１５を案内レール４６１４の下方に配置し（付勢バネ４６１６を伸ばした状態）、案内レール４６１４のレール部４６１４ａと昇降部材４６１５のレール受け部４６１５ｃとを嵌め合わせ、昇降部材４６１５の固定を解くと、昇降部材４６１５が案内レール４６１４に案内され付勢バネ４６１６の付勢力で図５５（ａ）に図示される位置まで上昇される。これにより、昇降部材４６１５が案内レール４６１４に組み付けられる。
【０３９１】
図５２に戻って駆動装置４６３０について説明する。第３実施形態では、駆動装置３６３０（図４１参照）の駆動軸３６３２に第１歯車３６３３が固着されたが、本実施形態では、第１歯車３６３３の代わりに、切替歯車４６３３が固着される。その切替歯車４６３３は、第３実施形態において上述した被遮蔽装置３６５０の切替歯車３６５２（図４２参照）と技術的には実質同一とされ、駆動軸３６３２の回転方向によって駆動力の伝達される伝達状態と駆動力の伝達が解除される解除状態とを切替可能に形成される。しかし、その切替において、駆動装置４６３０の切替歯車４６３３の回転方向と被遮蔽装置３６５０の切替歯車３６５２の回転方向とが逆に形成される。
【０３９２】
即ち、駆動装置４６３０の駆動軸３６３２が前面視において反時計回りに回転されると、被遮蔽装置３６５０の切替歯車３６５２には回転が伝達されるが、駆動装置４６３０の切替歯車４６３３には回転が伝達されない。その一方で、駆動装置４６３０の駆動軸３６３２が前面視において時計回りに回転されると、被遮蔽装置３６５０の切替歯車３６５２には回転が伝達されないが、駆動装置４６３０の切替歯車４６３３には回転が伝達される。
【０３９３】
即ち、駆動装置４６３０の駆動軸３６３２の回転方向によって、アーム部材４６２０に駆動力を伝達させるための切替歯車４６３３を回転させるか、演出部材３６５４に駆動力を伝達させるための切替歯車３６５２を回転させるかを切り替えることができる。これにより、アーム部材４６２０と演出部材３６５４とを独立で（非連動で）回転させることができる。よって、独立で動作（揺動動作、回転動作）させる部材の個数（本実施形態ではアーム部材４６２０及び演出部材３６５４の２個）に対して駆動手段の配設個数を抑制（本実施形態では１個）できる。
【０３９４】
さらに、部材の動作（揺動動作、回転動作）を独立で制御することで部材間での動作の関連（動作速度や動作タイミングの関連）が断たれ、アーム部材４６２０の動作に依存せず演出部材３６５４を独立で回転させることができる。これにより、演出部材３６５４の回転動作を遊技者にとって予想外のものにすることができるので、演出部材３６５４の回転によって外観が変化する被遮蔽領域Ｐ３（図５６参照）の演出効果を向上させることができる。
【０３９５】
なお、上記の駆動力伝達の切替は機械的機構により達成され（図４２参照）、電磁石等の電気的機構は不要である。そのため、電気的機構を採用する場合に比較し、制御コストを削減することができる。
【０３９６】
アーム部材４６２０は、駆動装置４６３０の駆動軸３６３２の回転方向を切り替えることなく、揺動動作（回転動作、往復動作）可能に形成される。ここで、アーム部材４６２０について説明する。
【０３９７】
アーム部材４６２０は、本体部３６２１の基端側に溝状の開口として形成される溝部４６２２と、本体部３６２１の後面側に配設される長尺板形状の磁石部４６２０Ｍｇと、を主に備えて構成される。
【０３９８】
溝部４６２２は、第３実施形態における溝部３６２２（図４１参照）と延設方向の長さのみを変化された開口である。即ち、溝部４６２２は、軸支孔３６２４を通る直線上に延設され、組立状態において、駆動装置４６３０の突設ピン３６３５が挿通される開口である。溝部４６２２の形状は、幅方向が突設ピン３６３５の直径より若干大きく形成され、駆動装置４６３０の第２歯車３６３４が一回転され、それに伴い第２歯車３６３４から突設される突設ピン３６３５が一回転される際に突設ピン３６３５が継続して摺動可能な長さに形成される。
【０３９９】
即ち、溝部４６２２は、組立状態（図５６から図５８参照）において、突設ピン３６３５が軸支孔３６２４に最も近づけられる位置（図５８（ｂ）参照）から、突設ピン３６３５が軸支孔３６２４から最も遠ざけられる位置（図５７（ａ）参照）まで少なくとも延設される。これにより、後述するように、組立状態において第２歯車３６３４が一回転されることでアーム部材４６２０が一往復される（図５６から図５８参照）。
【０４００】
ここで、例えば本実施形態のように、駆動手段（駆動モータ３６３１に相当）の駆動力が一の方向に生じる場合にのみ移動部材（アーム部材４６２０に相当）が回転される場合、駆動手段から移動部材に生じる駆動力は一方向に限定される。そのため、移動部材を往復動させる場合に、往路と復路とで駆動力の方向を反転させることができない。この場合、移動部材を初期位置に復元させることを考慮すると、移動部材は、周期的な回転移動を行うものに限定され易く、結果的に移動部材の設計自由度が低くなる。
【０４０１】
これに対し、本実施形態の構成によれば、後述するように、駆動モータ３６３１の駆動軸３６３２が前面視時計回りに１回転されることで、アーム部材４６２０が第１位置（退避位置に相当、図５８（ａ）参照）と第２位置（張出位置に相当、図５６参照）との間を１往復する態様で形成される。
【０４０２】
即ち、移動部材（アーム部材４６２０に相当）を採用する場合に、周期的な回転移動を行うものだけでなく、往復移動するものも採用可能である。よって、移動部材の設計自由度を向上させることができる。
【０４０３】
磁石部４６２０Ｍｇは、昇降部材４６１５を上下移動させる駆動力を生じさせる部分であり、アーム部材４６２０の装飾部３６２３の下方後面側に前面視において左斜め下方向へ向けて延設される細径板状に形成される。磁石部４６２０Ｍｇは、組立状態において（図５６参照）、昇降部材４６１５が上昇位置に配置されている場合に、軸支孔３６２４から昇降部材４６１５の磁石部４５１５Ｍｇまでの距離を半径として軸支孔３６２４を中心に描かれる円周上の位置であると共にアーム部材４６２０の右側端部（図５６右側）である位置から前面視左側下方へ延設される。そして、磁石部４６２０Ｍｇは、アーム部材４６２０が退避位置に配置された場合（図５８（ａ）参照）に、昇降部材４５１５の磁石部４５１５Ｍｇと上下方向（図５６上下方向）で少なくとも重ならない位置まで延設される。
【０４０４】
これにより、アーム部材４６２０が張出位置から退避位置へ回転されることで、アーム部材４６２０と昇降部材４６１５とが近接されると、昇降部材４６１５の磁石部４６１５Ｍｇ（図５４参照）とアーム部材４６２０の磁石部４６２０Ｍｇとの間で磁力が生じ、昇降部材４６１５が上下移動されるが、詳細については後述する。
【０４０５】
ここで、アーム部材４６２０の揺動動作（回転）について、図５６から図５８を参照して説明する。
【０４０６】
図５６から図５８（ａ）は、揺動動作ユニット４６００のアーム部材４６２０を張出位置（図５６参照）から退避位置（図５８（ａ）参照）へ動作させる過程を時系列で説明する揺動動作ユニット４６００の前面図である。図５６から図５８（ａ）では、第２歯車３６３４の後面側に配設される突設ピン３６３５及びアーム部材４６２０の溝部４６２２が破線で図示されると共に、表ケース体３６４０及び駆動モータ３６３１の図示が省略される。後述する図５８（ｂ）においても同様である。
【０４０７】
なお、図５７（ａ）は、駆動モータ３６３１（図５２参照）が回転駆動され、切替歯車４６３３が伝達状態となり図５７（ａ）時計回りに回転され、アーム部材４６２０が張出位置から退避位置へ向けて所定量だけ揺動動作された状態が図示され、図５７（ｂ）は、図５７（ａ）の状態から駆動モータ３６３１が更に回転駆動され、切替歯車４６３３が時計回りに回転され、アーム部材４６２０が退避位置へ向けて所定量だけ更に揺動動作された状態が図示される。
【０４０８】
図５８（ｂ）は、揺動動作ユニット４６００の前面図である。図５８（ｂ）では、図５８（ａ）の状態から駆動モータ３６３１が回転駆動され、切替歯車４６３３が伝達状態となり図５８（ａ）時計回りに回転され、アーム部材４６２０が退避位置から張出位置へ向けて所定量だけ揺動動作された状態が図示される。図５８（ｂ）の状態から切替歯車４６３３が更に時計回りに回転されることで、アーム部材４６２０が張出位置へ再び配置される（図５６参照）。
【０４０９】
図５６から図５８に示すように、揺動動作ユニット４６００のアーム部材４６２０は、駆動モータ３６３１の駆動軸３６３２（図５２参照）が一の回転方向（本実施形態においては、図５６時計回り）に回転され、切替歯車４６３３が回転されることで、第２歯車３６３４が回転され、その第２歯車３６３４から突設される突設ピン３６３５がアーム部材４６２０の溝部４６２２を摺動され、アーム部材４６２０が回転（往復動作）される。
【０４１０】
図５６に示すように、アーム部材４６２０が張出位置に配置された場合、アーム部材４６２０の回転軸としての軸支孔３６２４と突設ピン３６３５とを結ぶ方向Ｘが、第２歯車３６３４を回転可能に軸支する挿通軸３６４０ａ（図５２参照）と突設ピン３６３５とを結ぶ方向Ｙと直交される。
【０４１１】
この場合、突設ピン３６３５をアーム部材４６２０と第２歯車３６３４との関係において死点に位置させることができる。これにより、駆動モータ３６３１（図５２参照）からの駆動力を不要としても、アーム部材４６２０を張出位置（図５６参照）に機械的に保持できるので、駆動手段の消費エネルギーを抑制することができると共に、駆動装置４６３０の駆動軸３６３２（図５２参照）からアーム部材４６２０への駆動力の伝達を解除してもアーム部材４６２０を張出位置に維持できる。
【０４１２】
ここで、アーム部材４６２０が張出位置に配置された状態（機械的に保持された状態）で駆動装置４６３０の駆動軸３６３２（図５２参照）が反時計回り（図５６反時計回り）に回転されると、アーム部材４６２０は張出位置に配置された状態で維持され（切替歯車４６３３は解除状態を形成され）、被遮蔽装置３６５０（図５２参照）の切替歯車３６５２が伝達状態を形成し回転される。結果として、演出部材３６５４（図５２参照）が回転され、取り付けベース４６１０の視認孔３６１３から視認される表示部３６５４ａの表示３６５４ａ１〜３６５４ａ４（図４３参照）が切り替えられ、被遮蔽領域Ｐ３の外観を変化させることができる。
【０４１３】
視認孔３６１３から視認される表示部３６５４ａ（図４３参照）の切り替えの態様は、駆動モータ３６３１（図５２参照）の制御次第で任意に選択することができる。即ち、例えば、駆動モータ３６３１を高速（又は低速）で回転させることで、視認孔３６１３から視認される表示部３６５４ａの表示３６５４ａ１〜３６５４ａ４（図４３参照）を高速（又は低速）で切り替えることができるし、駆動モータ３６３１を回転（又は停止）させるタイミングも任意に選択できる。これにより、表示３６５４ａ１〜３６５４ａ４の切り替えの態様を様々に形成できるので、被遮蔽領域Ｐ３の演出効果を向上させることができる。
【０４１４】
ここで、本実施形態において、演出部材３６５４が視認孔３６１３からのみ視認可能であり、それ以外の部分は取り付けベース４６１０に隠されるため、取り付けベース４６１０は演出部材３６５４を部分的に遮蔽する一種の遮蔽部材としての特徴を有する。
【０４１５】
即ち、取り付けベース４６１０は演出部材３６５４（図４３参照）の移動軌跡上に少なくとも一部が重なって配設されると共に、演出部材３６５４の前面側に配設される。そのため、取り付けベース４６１０に対して演出部材３６５４が相対移動（回転）すると、視認孔３６１３に重ならない演出部材３６５４の部分は視認不能となり、演出部材３６５４の視認孔３６１３と重なる部分は視認可能となる。
【０４１６】
よって、被遮蔽領域Ｐ３における外観の変化が、演出部材３６５４（図４３参照）の視認できる部分の変化として明確に把握可能となり、演出部材３６５４が姿勢や位置を変える変化態様に比較して、被遮蔽領域Ｐ３の外観の変化を容易に区別することができる。
【０４１７】
例えば、本実施形態と同じく、演出部材（演出部材３６５４に相当）が回転軸を前後方向に有する回転体である場合のように、演出部材の移動が前面視において平面的であると、前面視で視認可能な演出部材の模様や表示は、位相違いを区別しないとすれば１種類である。一方、遮蔽部材（取り付けベース４６１０に相当）を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０４１８】
同様に、例えば、本実施形態とは異なり、演出部材（演出部材３６５４に相当）が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材（取り付けベース４６１０に相当）を演出部材の前面側に配設及び固定することで、演出部材の視認可能な部分を制限でき、模様や表示に統一感を持たせる単位が制限されるので（半周単位よりも小さな部分でよいので）、演出部材に複数種類の表示を形成する際の自由度を向上させることができる。なお、遮蔽部材としては、移動軌跡と断続的に重なる櫛状または梯子状のものや、開口を有する板状のもの等が、例示される。
【０４１９】
第３実施形態では、アーム部材３６２０（図４１参照）の揺動動作（回転）に連動して被遮蔽装置３６５０の演出部材３６５４（図４１参照）が回転されたが、本実施形態では、アーム部材４６２０の揺動動作（回転）とは無関係（非連動）な速度および角度で演出部材３６５４（図５２参照）が回転され、被遮蔽領域Ｐ３の外観に変化が生じる。
【０４２０】
これによれば、例えば、被遮蔽領域Ｐ３が視認不能な状態となるようにアーム部材４６２０を退避位置に配置させ（図５８（ａ）参照）、その退避位置でアーム部材４６２０を停止させたままで、予め演出部材３６５４を回転させ、被遮蔽領域Ｐ３の外観を変化させておき、再びアーム部材４６２０を回転させ、被遮蔽領域Ｐ３を視認可能とする。これにより、アーム部材４６２０に隠される直前（図５７（ａ）参照）の被遮蔽領域Ｐ３の外観と、アーム部材４６２０による遮蔽が解除された直後（図５８（ｂ）参照）の被遮蔽領域Ｐ３の外観とを異ならせることができる。
【０４２１】
ここで、被遮蔽領域Ｐ３が視認不能な状態となるようにアーム部材４６２０を停止させたままで、予め演出部材３６５４を回転させ、被遮蔽領域Ｐ３の外観を変化させておくことは別の構成でも達成できる。例えば、アーム部材４６２０が張出位置と退避位置との間を往復するごとに、アーム部材４６２０が被遮蔽領域Ｐ３を視認不能とするタイミングで図示しないラチェット機構等により演出部材３６５４を所定角度回転させることによっても達成することができる。しかし、この場合、演出部材３６５４の回転角度はアーム部材４６２０の往復回数に依存するので、演出部材３６５４の回転角度をアーム部材４６２０の揺動動作と独立して変化させることができない。
【０４２２】
よって、アーム部材４６２０の往復回数とは独立して演出部材３６５４の回転角度を変化させたい場合に、演出部材３６５４を駆動モータ３６３１（図５２参照）で回転させる上述した構成が有効となる。なお、切替手段としては、例えば、ワンウェイクラッチギア又はラチェット機構等が例示される。
【０４２３】
上述した演出部材３６５４を駆動モータ３６３１（図５２参照）で回転させる構成によれば、駆動モータ３６３１の駆動軸３６３２の回転方向によって、アーム部材４６２０と演出部材４６１５とが独立して（非連動で）回転されるので、アーム部材４６２０と演出部材４６１５とを同時に回転させることはできない。そのため、アーム部材４６２０の回転中に被遮蔽領域Ｐ３の外観を変化させることができず、演出効果が不十分となる可能性がある。一方、本実施形態によれば、上述した昇降部材４６１５をアーム部材４６２０の回転に伴い移動させることで、アーム部材４６２０の回転中に被遮蔽領域Ｐ３の外観を変化させることができる。ここで、昇降部材４６１５の上下移動について、図５６から図５８（ａ）を参照して説明する。
【０４２４】
昇降部材４６１５の磁石部４６１５Ｍｇがアーム部材４６２０の磁石部４６２０Ｍｇとの間で生じる磁力により吸着されることで昇降部材４６１５は移動される。ここで、上述したように、磁石部４６２０Ｍｇはアーム部材４６２０の後面に前面視左斜め下方向に延設される。そのため、アーム部材４６２０が張出位置から退避位置へ回転されるに従い、昇降部材４６１５の磁石部４６１５Ｍｇがアーム部材４６２０の磁石部４６２０Ｍｇの延設方向に沿って移動され、昇降部材４６１５が案内レール４６１４の延設方向である下方向に移動される。
【０４２５】
図５６に示すように、アーム部材４６２０が張出位置に配置されると、昇降部材４６１５は付勢バネ４６１６（図５５参照）により上昇位置に配置される。この状態においては、昇降部材４６１５の磁石部４６１５Ｍｇとアーム部材４６２０の磁石部４６２０Ｍｇとの間に昇降部材４６１５を移動させるだけの十分な磁力は生じていない。
【０４２６】
図５７（ａ）に示すように、アーム部材４６２０が張出位置から退避位置へ向けて所定量だけ揺動動作（回転）されると、昇降部材４６１５の磁石部４６１５Ｍｇとアーム部材４６２０の磁石部４６２０Ｍｇとの間に磁力が生じ、磁石部４６１５Ｍｇがアーム部材４６２０の磁石部４６２０Ｍｇに吸着する態様で昇降部材４６１５が下方へ移動される。
【０４２７】
図５７（ｂ）に示すように、アーム部材４６２０が図５７（ａ）の状態から退避位置へ向けて更に揺動動作（回転）されると、昇降部材４６１５が更に下方に移動される。これは、昇降部材４６１５は上下方向（図５７上下方向）に移動可能に形成されるが、昇降部材４６１５の磁石部４６１５Ｍｇとアーム部材４６２０の磁石部４６２０Ｍｇとが上下方向で重なる位置が、図５７（ａ）の状態から下方に移動されるためである。
【０４２８】
図５８（ａ）に示すように、アーム部材４６２０が図５７（ｂ）の状態から更に揺動動作（回転）され、アーム部材４６２０が退避位置へ配置されると、昇降部材４６１５の磁石部４６１５Ｍｇとアーム部材４６２０の磁石部４６２０Ｍｇとが上下方向（図５８上下方向）で重ならなくなり、昇降部材４６１５を下方へ移動させる磁力が減少し、付勢バネ４６１６（図５５（ａ）参照）の付勢力で昇降部材４６１５が上昇位置へ復帰される。このように、アーム部材４６２０の回転中に昇降部材４６１５が移動されることで被遮蔽領域Ｐ３の外観を変化させることができ、被遮蔽領域Ｐ３の演出効果を向上させることができる。なお、本実施例では、昇降部材４６１５が移動されることで、取り付けベース４６１０の前面側に表示される「ミニだるま」（図５７（ｂ）参照）を視認することができるようになる。
【０４２９】
また、昇降部材４６１５の移動速度は、アーム部材４６２０の揺動動作の速度に加え、磁石部４６２０Ｍｇの傾斜の度合いによっても変化させることができる。即ち、例えば磁石部４６２０Ｍｇの傾斜の度合いをきつく（アーム部材４６２０の短手方向に対する角度を大きく）すれば、昇降部材４６１５の移動速度は大きくなる。一方で、例えば磁石部４６２０Ｍｇの傾斜の度合いを緩く（アーム部材４６２０の短手方向に対する角度を小さく）すれば、昇降部材４６１５の移動速度は小さくなる。これにより、昇降部材４６１５の移動速度にバリエーションを持たせることができ、昇降部材４６１５を有する被遮蔽領域Ｐ３の演出効果を向上させることができる。
【０４３０】
次いで、図５９及び図６０を参照して、第５実施形態について説明する。第３実施形態では、遮蔽動作ユニット３５００の演出補助部材３５１３（図３７及び図５０参照）が磁力で移動される場合を説明したが、第５実施形態の遮蔽動作ユニット５５００では、演出補助部材５５３０が、揺動動作ユニット３６００のアーム部材３６２０に当接され移動される。なお、上記各実施形態と同一の部分については同一の符号を付して、その説明を省略する。
【０４３１】
図５９は、第５実施形態における遮蔽動作ユニット５５００の後面斜視図である。図５９に示すように、遮蔽動作ユニット５５００は、揺動動作ユニット３６００（図３６参照）の前面側に締結固定される取り付けベース５５１０と、その取り付けベース５５１０の前面側に回転可能に配設される上述したアーム部材３５２０と、取り付けベース５５１０の後面視左側下方に配設される演出補助部材５５３０と、を主に備える。
【０４３２】
取り付けベース５５１０は、長尺の矩形状に形成され、その取り付けベース５５１０の下方に形成される開口部３５１１と、その開口部３５１１の後面視左側下方（図５９左側下方）に間隔を空けて取り付けベース５５１０の後面側から後方へ向けて突出される円柱状の軸部５５１０ａと、開口部３５１１の後面視左方（図５９左方）であって、取り付けベース５５１０の後面側から突出される板状の壁部５５１０ｂと、を主に備える。
【０４３３】
軸部５５１０ａは後述する演出補助部材５５３０を回転可能に軸支する部分であり、壁部５５１０ｂは、回転する演出補助部材５５３０に当接可能に形成される。本実施形態においては、軸部５５１０ａと壁部５５１０ｂとが略同等の突設高さで形成される。
【０４３４】
演出補助部材５５３０は、樹脂材料から形成され、棒状体がＬ字状に屈曲されると共に屈曲部分に屈曲方向と直交する方向に開口される挿通孔を有する本体部５５３１と、その本体部５５３１の一端に配設される円板形状の遮蔽部５５３２と、その一端の反対側の他端に突設される当接部５５３３と、本体部５５３１を挟んで遮蔽部５５３２の反対側に本体部５５３１から延設される重り部５５３４と、を主に備える。
【０４３５】
本体部５５３１の挿通孔の直径は、取り付けベース５５１０の軸部５５１０ａの直径よりも若干大きく形成され、組立状態において、本体部５５３１の挿通孔に軸部５５１０ａが挿通される。
【０４３６】
遮蔽部５５３２は、円板の直径が揺動動作ユニット３６００（図３９参照）の「両目のだるま」の黒目の直径よりも大きく形成され、後述するように揺動動作ユニット３６００のアーム部材３６２０が退避位置に配置されることで演出補助部材５５３０が回転された際には、揺動動作ユニット３６００（図３９参照）の「両目のだるま」の片目の位置と一致する態様で形成される。
【０４３７】
当接部５５３３は、組立状態（図５９参照）において、本体部５５３１の後面側から後方に突設され、組立状態における揺動動作ユニット３６００（図３９参照）との関係において、揺動動作（回転）するアーム部材３６２０と当接可能な突設高さで形成される。本実施形態においては、当接部５５３３と揺動動作ユニット３６００のアーム部材３６２０の側面（図４４におけるアーム部材３６２０の右側面）とが当接する態様で形成される。そのため、アーム部材３６２０が退避位置へ揺動動作されると、当接部５５３３が押され、演出補助部材５５３０が挿通軸５５１０ａを中心に回転される。
【０４３８】
重り部５５３４は、他の部分より重量を増して形成される（例えば高密度）。そのため、演出補助部材５５３０に外力が生じない状態では、重力の作用により、重り部５５３４が鉛直下方（図５９下方）に配置されるので、遮蔽部５５３２が挿通軸５５１０ａの鉛直上方に配置される。これにより、遮蔽部５５３２を遮蔽動作ユニット５５００の開口部３５１１から視認不能な位置に隠すことができる。
【０４３９】
ここで、図６０を参照して、揺動動作ユニット３６００のアーム部材３６２０の回転動作と演出補助部材５５３０の移動との関連について説明する。
【０４４０】
図６０（ａ）から図６０（ｃ）は、組立状態における遮蔽動作ユニット５５００の取り付けベース５５１０、揺動動作ユニット３６００のアーム部材３６２０及び演出補助部材５５３０を、アーム部材３６２０が張出位置から退避位置へ移動する際の時系列に沿って模式的に示した取り付けベース５５１０、アーム部材３６２０及び演出補助部材５５３０の部分前面模式図である。
【０４４１】
なお、図６０（ａ）には、アーム部材３６２０の側面と演出補助部材５５３０の当接部５５３３とが当接し始める直前の状態が図示される。図６０（ｂ）には、図６０（ａ）の位置からアーム部材３６２０が退避位置へ向けて回転され、アーム部材３６２０の側面に当接される演出補助部材５５３０が更に所定量だけ回転された状態が図示される。また図６０（ｃ）には、アーム部材３６２０が退避位置に配置されるまで回転され、演出補助部材５５３０が回転され、遮蔽部５５３２がアーム部材３６２０の前面に表示される「両目のだるま」の片目の位置に配置された状態が図示される。
【０４４２】
図６０（ａ）から図６０（ｃ）に示すように、演出補助部材５５３０は揺動動作ユニット３６００の前面側に配設され、揺動動作ユニット３６００のアーム部材３６２０の回転に伴って上下移動されると共に、その移動の過程において、アーム部材３６２０と重なって視認される態様で形成される。
【０４４３】
ここで、アーム部材３６２０の外観は、そのアーム部材３６２０が張出位置に配置されれば視認可能であるので（図５１（ａ）参照）、被遮蔽領域Ｐ２（図３８参照）を通してアーム部材３６２０を視認する場合の外観は予測できる場合があり、意外性に欠け、演出効果が十分であるとは言えない。
【０４４４】
一方、本実施形態によれば、アーム部材３６２０が退避位置に配置されると、アーム部材３６２０と演出補助部材５５３０の遮蔽部５５３２とが重なって視認されるので、被遮蔽領域Ｐ２（図３８参照）を通してアーム部材３６２０が視認される場合の外観を、アーム部材３６２０のみから予想できる外観とは異なったものとできる。
【０４４５】
また、本実施形態によれば、演出補助部材５５３０が揺動動作ユニット３６００のアーム部材３６２０の側面に当接され、そのアーム部材３６２０に押されることで回転されるので、演出補助部材５５３０の設計自由度を高くすることができる。
【０４４６】
即ち、例えば、演出補助部材５５３０を磁力で移動させる場合、演出補助部材５５３０の質量や形状が大きいと、必要な磁力は大きくなる。ここで、磁力を大きくするには、磁石の特性を向上させる必要があるが、磁石の特性を向上させると、磁石は高価になり、部品コストが増大する。よって、演出補助部材５５３０を大型化するには部品コストがかかるので、演出部材を大型化し難く、演出補助部材５５３０とアーム部材３６２０の前面視において重なる部分を大きくすることでアーム部材３６２０の外観を大きく変化させることは難しい。
【０４４７】
一方、本実施形態によれば、演出補助部材５５３０は、アーム部材３６２０に直接的に当接されて生じる力により回転されるので、演出補助部材５５３０の回転にアーム部材３６２０の駆動力を利用でき、より大きな演出補助部材５５３０を採用することができる。よって、アーム部材３６２０の外観と、演出補助部材５５３０及びアーム部材３６２０が重なった場合の外観とを大きく変化させることができる。
【０４４８】
また、本実施形態では、アーム部材３６２０が重力方向に回転する（張出位置から退避位置へ回転する場合）という大きな駆動力を必要としない場合において、アーム部材３６２０の側面が演出補助部材５５３０に当接されるので、アーム部材３６２０を駆動させる駆動モータ３６３１（図３９参照）に必要とされる駆動力を抑制できる。即ち、駆動モータ３６３１の容量を小さく維持することができる。
【０４４９】
次いで、図６１を参照して、第６実施形態について説明する。第１実施形態では、遊技盤１３に配設される風車である可動部材３１０（図９参照）を利用して被遮蔽領域Ｐ１（図１１参照）の外観を変化させる場合を説明したが、第６実施形態では遊技盤１３の前面に没出可能な没出部材６３３０が配設される。なお、上記各実施形態と同一の部分については同一の符号を付して、その説明を省略する。
【０４５０】
図６１（ａ）は、第６実施形態における遊技盤１３に配設された状態における没出部材６３３０、ラック部材６３４０及び第２歯車３２２の部分拡大斜視図であり、図６１（ｂ）及び図６１（ｃ）は、遊技盤１３、没出部材６３３０及びラック部材６３４０を遊技盤１３の側面と平行な平面で断面視する断面模式図である。図６１（ｂ）には、没出部材６３３０が第１位置に配置された状態が模式的に示され、図６１（ｃ）には没出部材６３３０が第２位置に配置された状態が模式的に示される。なお、図６１（ａ）において、紙面下方が遊技盤１３の前面側とされ、遊技盤１３は部分的に図示されると共に部分的に断面視される。また、図６１（ｂ）及び図６１（ｃ）は、没出部材６３３０を通過する平面で断面視されると共に、図６１（ｂ）及び図６１（ｃ）において、紙面左方が遊技盤１３の前面側とされる。
【０４５１】
没出部材６３３０は、遊技盤１３に前後方向に開口される開口部に前後方向に回転可能に軸支され、遊技盤１３の前面に張り出す第１位置（図６１（ｂ）参照）と、遊技盤１３の前面から後方に没する第２位置（図６１（ｃ）参照）とに配置可能な部材であり、普段は第１位置に配置されるが、球が没出部材６３３０の前面を通過すると、球に押され、第２位置に移動されるように形成される。なお、没出部材６３３０が第１位置に配置された状態において、演出部材４４２（図１６（ｂ）参照）が上述した初期位置に配置され停止されるので、演出部材４４２に周方向に回転不能に係止される第２歯車３２２が停止され、その第２歯車３２２に歯合されるラック部材６３４０が停止され、そのラック部材６３４０に歯合される没出部材６３３０が第１位置に維持される。
【０４５２】
図６１（ａ）に示すように、没出部材６３３０は、遊技盤１３に前後方向に開口される開口部に遊技盤１３の前側に没出可能に配設される部材であって、扇形の板形状からなる本体部６３３１と、その本体部６３３１の湾曲面に刻設される歯６３３２と、本体部６３３１の一端から厚み方向に同軸で突設され組立状態において遊技盤１３の図示しない軸支部に軸支される一対の回転軸部６３３３と、を主に備え、樹脂材料から一体成形される。没出部材６３３０は、図示しない軸支部に支えられることで、遊技盤１３の前後方向に回転可能に軸支される。
【０４５３】
ラック部材６３４０は、没出部材６３３０に従動される部材であって、断面矩形の長尺棒形状の本体部６３４１と、その本体部６３４１の没出部材６３３０に面する側面に没出部材６３３０の歯６３３２に対して歯合可能に刻設される歯６３４２ａと、本体部６３４１の第２歯車３２２に面する側面に第２歯車３２２の歯３２２ｂに歯合可能に刻設される歯６３４２ｂと、を主に備え、図示しない案内部に案内されることで遊技盤１３に対してスライド移動可能に形成される。
【０４５４】
上述した構成により、第２歯車３２２がラック部材６３４０に歯合され、ラック部材６３４０が没出部材６３３０に歯合されるので、没出部材６３３０の回転に起因して、第２歯車３２２が回転される。
【０４５５】
図６１（ｂ）及び図６１（ｃ）に示すように、球が没出部材６３３０の前方を流下され、球が没出部材６３３０に衝突され、没出部材６３３０が遊技盤１３の前後方向に回転されると、没出部材６３３０に歯合されるラック部材６３４０が上方（図６１（ｂ）上方）にスライド移動される。それと同時にラック部材６３４０に歯合される第２歯車３２２が回転されるので、没出部材６３３０の回転力を、第２歯車３２２に伝達することができる。そして、第２歯車３２２には第１演出部材４４２が回転不能に係止されるので（図２０参照）、結果的に、没出部材６３３０が回転されることで、第１演出部材４４２が回転され（図２２（ｂ）及び図２２（ｃ）参照）、被遮蔽領域Ｐ１の外観が変化される（図１１参照）。
【０４５６】
ここで、遊技盤１３に対して没出可能な没出部材６３３０は、風車と異なり遊技者に視認可能な箇所にも視認不能な箇所にも配設可能である。特に、第１演出部材４４２（図１８（ａ）参照）の回転を遊技者にとって予想外のものとしたい場合には、没出部材６３３０を視認不能な箇所に配設することが好ましい。この場合、球が没出部材６３３０に衝突することを遊技者が視認できないので、第１演出部材４４２が突然動き出し、被遮蔽領域Ｐ１（図１１参照）の外観が突然変化するという演出をすることができる。
【０４５７】
また、没出部材６３３０は遊技盤１３の前後方向に回転する構造であるため、没出部材６３３０の前側を球が流下することができる。そのため、遊技盤１３の前面において球の流下経路と没出部材６３３０の配置位置を切り分ける必要がない。よって、没出部材６３３０の配設箇所の自由度を向上させることができる。
【０４５８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４５９】
上記各実施形態のうちの一の実施形態における一部または全部の構成を、他の実施形態における一部または全部の構成と組み合わせて、或いは、置き換えて、パチンコ機１０を構成しても良い。
【０４６０】
上記第１実施形態では、表示４４２Ｒ，４４２Ｎ，４４２Ｌが第１遮蔽部材の視認孔４４１ｃの内径に収まる大きさであると説明したが、必ずしもこれに限られるものではなく、表示４４２Ｒ，４４２Ｎ，４４２Ｌが第１遮蔽部材の視認孔４４１ｃの内径にはみ出して大きく形成されていても良い。この場合は、表示４４２Ｒ，４４２Ｎ，４４２Ｌが部分的に視認されることで、遊技者の興味を引くので、被遮蔽領域Ｐ１の演出部分としての効果を向上させることができる。
【０４６１】
上記第１実施形態では、第１演出部材４４２が扇形形状からなり付勢バネ４４３の付勢力により初期位置に付勢される場合を説明したが、必ずしもこれに限られるものではなく、第１演出部材４４２を筒状軸部４４２ｂを中心とした円形状に形成すると共に付勢バネ４４３を無くしても良い。この場合、球の衝突により可動部材３１０が一の回転方向に継続して回転され続けると、それに起因して第１演出部材４４２も回転され続ける。この時、表示４４２Ｒ，４４２Ｎ，４４２Ｌに形成される絵柄を、それぞれ順番に連続で視認することでその絵柄が動いているように見える形態とすると、第１演出部材４４２が高速で回転されることで、視認孔４４１ｃから視認される表示４４２Ｒ，４４２Ｎ，４４２Ｌがアニメーションのように動きのある形態で視認される。これにより、被遮蔽領域Ｐ１の演出効果を向上させることができる。
【０４６２】
上記第２実施形態では、昇降部材４６０の側壁４６０ａによる規制が解除されると、第２演出部材２４５３が回転終点（第２演出部材２４５３の表示部２４５３ｃを第２遮蔽部材２４５１の視認孔２４５１ｄから視認可能となる状態）に至るまで、第２演出部材２４５３と昇降部材４６０とが当接された状態で図３０（ｂ）に示す配置まで回転される（付勢バネ２４５４のバネ定数が十分大きい）場合を説明したが、必ずしもこれに限られるものではなく、第２演出部材２４５３の回転の過程で昇降部材４６０との当接が解除されても良い（付勢バネ２４５４のバネ定数が小さい）。この場合は、昇降部材４６０による規制が解除された後に、第２演出部材２４５３が第２遮蔽部材２４５１の視認孔２４５１ｄから視認されるまでに時間の遅れが生じ、あたかも昇降部材４６０の動作に連動せずに第２演出部材２４５３が回転されたと認識させることができる。よって、被遮蔽領域Ｐ１の外観の変化を、より意外性の高いものにすることができる。
【０４６３】
上記第３実施形態では、遮蔽動作ユニット３５００に開口部３５１１が形成され、その開口部３５１１を通して揺動動作ユニット３６００を視認可能な場合を説明したが、必ずしもこれに限られるものではなく、取り付けベース３５１０が透明な樹脂材料から形成され、取り付けベース３５１０を通して揺動動作ユニット３６００が視認されるようにしても良い。この場合、取り付けベース３５１０を有色に形成すると、その色を通して揺動動作ユニット３６００が視認されることになる。そのため、取り付けベース３５１０を通して視認される場合の揺動動作ユニット３６００の色と、取り付けベース３５１０を通さずに直接視認される場合の揺動動作ユニット３６００の色とを異ならせることができ、遊技者にとって意外性のある演出を行うことができる。
【０４６４】
上記第３実施形態では、揺動動作ユニット３６００の視認孔３６１３を通して視認可能な演出部材３６５４の各表示３６５４ａ１〜３６５４ａ４を、それぞれ別々の絵柄にしたが、必ずしもこれに限られるものではなく、各表示３６５４ａ１〜３６５４ａ４のいずれかの内の複数が、同じ絵柄であってもいい。例えば、表示３６５４ａ１，３６５４ａ２，３６５４ａ３にはそれぞれ「黒丸」の絵柄が形成され、表示３６５４ａ４のみに「￥」の絵柄が形成されても良い。この場合、視認孔３６１３から「黒丸」の絵柄が視認される確率は、視認孔３６１３から「￥」の絵柄が視認される確率の３倍となり、「￥」の絵柄の希少価値を増加させることができる。また、第３実施形態のように各表示３６５４ａ１〜３６５４ａ４の絵柄が順番に変化する態様においても、現状において各表示３６５４ａ１〜３６５４ａ４のいずれが視認可能な状態なのかを分かり難くし、いつ「￥」の絵柄が視認可能になるのか判断しづらくすることができる。これにより、被遮蔽領域Ｐ３に含まれる視認孔３６１３への注目力を向上させることができる。
【０４６５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４６６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４６７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４６８】
以下に、本発明の遊技機に加えて上述した実施形態に含まれる各種発明の概念を示す。
【０４６９】
第１位置と第２位置との間で移動可能に形成される移動部材と、その移動部材を移動させるための駆動力を発生する駆動手段と、を備え、前記移動部材が前記第１位置に配置される場合には、前記移動部材に遮蔽されることにより前面視において視認不能となる領域であると共に、前記移動部材が少なくとも前記第２位置に配置される場合には、前面視において視認可能となる領域である被遮蔽領域を有する遊技機において、前記被遮蔽領域の少なくとも一部の外観が変化可能に形成されることを特徴とする遊技機Ａ０。
【０４７０】
遊技機Ａ０によれば、被遮蔽領域の少なくとも一部の外観が変化可能に形成されるので、被遮蔽領域を演出部分として効果的に使用することができる。
【０４７１】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０４７２】
これに対し、遊技機Ａ０によれば、被遮蔽領域の少なくとも一部の外観が変化可能に形成されるので、例えば移動部材が第２位置に配置され被遮蔽領域が視認可能となった場合に、被遮蔽領域の外観を変化させることで、被遮蔽領域の演出部分としての能力を向上させ、被遮蔽領域を演出部分として効果的に使用することができる。
【０４７３】
遊技機Ａ０において、前記被遮蔽領域に配設されると共に、前記移動部材の移動に対応して移動可能である演出部材を備え、その演出部材が移動されることで前記被遮蔽領域の外観が変化されることを特徴とする遊技機Ａ１。
【０４７４】
遊技機Ａ１によれば、遊技機Ａ０の奏する効果に加え、被遮蔽領域に配設されると共に、移動部材の移動に対応して移動可能である演出部材を備え、その演出部材が移動されることで被遮蔽領域の外観が変化されるように形成されるので、演出部材を駆動させる別個の駆動手段を不要とすることができる。よって、駆動手段の配設個数を抑制し、その分部品コストを抑制できる。また、駆動手段の配設個数を抑制することで、限られたスペースにおいて演出部材や移動部材の配設自由度を向上させることができる。
【０４７５】
ここで、移動部材の移動に対応して演出部材が移動するとは、演出部材が、移動部材から直接的に、またはギアやリンク機構等を介して間接的に力を受けて移動する場合や、演出部材が一方向に付勢されていて、移動部材が所定の位置に配置されると演出部材は移動部材に移動を規制されるが、移動部材が所定の位置から移動されると演出部材に対する規制が解除され、演出部材が一方向へ移動を開始する場合を意味する。
【０４７６】
また、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０４７７】
遊技機Ａ１において、前記移動部材が前記第１位置と前記第２位置との間を移動する速度と、前記演出部材が移動する速度との同時点での速度比が、前記移動部材が前記第１位置と前記第２位置との間を移動する過程で変化可能に形成されることを特徴とする遊技機Ａ２。
【０４７８】
遊技機Ａ２によれば、遊技機Ａ１の奏する効果に加え、移動部材が第１位置と第２位置との間を移動する速度と、演出部材が移動する速度との同時点での速度比が、移動部材が第１位置と第２位置との間を移動する過程で変化可能に形成されるので、演出部材の演出効果を向上させることができる。
【０４７９】
即ち、移動部材の移動する速度と、演出部材の移動する速度との速度比が一定である場合、移動部材と演出部材との移動開始から移動終了までのそれぞれの速度変化が比例関係で対応し、演出効果が単調となりやすい。
【０４８０】
これに対し、遊技機Ａ２によれば、移動部材と演出部材とが、それぞれの移動速度の速度比を変化させながら移動するように形成されるので、移動部材の速度変化と演出部材の速度変化とが比例関係で対応することが防止できる。そのため、移動部材と演出部材との移動が単調となることを抑制し、演出効果を向上させることができる。
【０４８１】
例えば、移動部材が等速で回動する一方で、演出部材は移動部材と同一方向に回動するが、初速が移動部材の速度より小さく、最高速が移動部材の速度より大きい場合、移動部材の移動中に、移動部材の位相を演出部材の位相が追い抜かすという演出をすることができるので、あたかも移動部材と演出部材とが独立して移動するかのような演出をすることができる。
【０４８２】
遊技機Ａ２において、前記移動部材が、前記第１位置と前記第２位置との間を移動する過程において、前記演出部材が移動する移動状態と、前記演出部材が移動を停止する停止状態とを形成可能であることを特徴とする遊技機Ａ３。
【０４８３】
遊技機Ａ３によれば、遊技機Ａ２の奏する効果に加え、移動部材が、第１位置と第２位置との間を移動する過程において、演出部材が移動する移動状態と、演出部材が移動を停止する停止状態とを形成可能であるので、移動部材が移動を継続する間において、演出部材は動いている状態（速度を有する）と停止している状態（速度を有さない）という異なった２態様をとることができる。そのため、移動部材と演出部材との速度比の変化をより顕著にし、演出部材の演出効果を向上させることができる。
【０４８４】
遊技機Ａ３において、前記演出部材に対して一方向の付勢力を作用させる付勢手段を備え、前記演出部材は前記付勢手段の付勢力により移動され、前記移動部材が所定位置に到達するまでは、前記演出部材は前記移動部材により移動を規制されることで前記停止状態を継続し、前記移動部材が所定位置を通過すると、前記移動部材による規制が解除されることで前記演出部材は前記移動状態へ移行可能に形成され、移動部材が一方向に移動されることを特徴とする遊技機Ａ４。
【０４８５】
遊技機Ａ４によれば、遊技機Ａ３の奏する効果に加え、演出部材に対して一方向の付勢力を作用させる付勢手段を備え、演出部材は付勢手段の付勢力により移動され、移動部材が所定位置に到達するまでは、演出部材は移動部材により移動を規制されることで停止状態を継続し、移動部材が所定位置を通過すると、移動部材による規制が解除されることで演出部材は移動状態へ移行可能に形成され、移動部材が一方向に移動されるので、移動部材の移動態様をもとに演出部材の移動態様を予想する遊技者にとって、演出部材の移動態様を予想外のものとすることができる。
【０４８６】
即ち、例えば移動部材と演出部材とが機械的に連結される場合、演出部材の移動速度の大小は、移動部材の移動速度の大小に依存するので、移動部材が一定速度で移動する場合に、演出部材の速度を大きく変化させることは難しい。
【０４８７】
これに対し、遊技機Ａ４によれば、演出部材の移動は付勢手段の付勢力に依存するため、演出部材の移動速度の大小は、移動部材の移動速度の大小に依存しない。よって、移動部材と演出部材とを機械的に連結する場合には形成しづらい速度変化を演出部材に持たせることができ、結果として遊技者の予想外の動作を演出部材にさせることができる。
【０４８８】
ここで、演出部材へ向けて付勢力を付与する付勢手段としては、例えば、コイルバネやねじりバネ等のバネ、ゴムやウレタン等の弾性材料または磁石などが例示される。
【０４８９】
遊技機Ａ１又はＡ２において、前記演出部材は、前記移動部材が第１方向に移動する場合には、前記移動部材の移動に対応して移動し、前記移動部材が第１方向の反対方向である第２方向に移動する場合には停止することを特徴とする遊技機Ａ５。
【０４９０】
遊技機Ａ５によれば、遊技機Ａ１又はＡ２の奏する効果に加え、演出部材は、移動部材が第１方向に移動する場合には移動部材の移動に対応して移動し、移動部材が第１方向の反対方向である第２方向に移動する場合には停止するので、移動部材の移動する方向によって、演出部材の動作態様を移動するか停止するかの２態様で異ならせることができる。
【０４９１】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかしながら、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０４９２】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が第１方向に移動する場合もその第１方向の反対方向である第２方向に移動する場合も演出部材が移動部材の移動に対応して移動するように形成されており、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
【０４９３】
これに対し、遊技機Ａ５によれば、移動部材が第１方向に移動する場合には移動部材の移動に対応して演出部材が移動し、移動部材が第２方向に移動する場合には演出部材が停止するので、移動部材が第２方向に移動する場合にだけ被遮蔽領域の外観を一定に維持することができる。例えば、演出部材に文字など静止状態において把握しやすい表示がされる場合に演出部材を停止させる構成が有効となる。
【０４９４】
なお、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０４９５】
遊技機Ａ５において、前記演出部材は、初期位置に配置された後に前記移動部材が前記第１位置と前記第２位置との間を所定回数往復すると、初期位置へ復帰可能に形成されると共に、前記移動部材が前記第１位置と前記第２位置との間を１往復すると、前記演出部材は、前記初期位置から移動し前記初期位置へ復帰するまでの経路を前記所定回数で分割した距離だけ移動することを特徴とする遊技機Ａ６。
【０４９６】
遊技機Ａ６によれば、遊技機Ａ５の奏する効果に加え、演出部材は、初期位置に配置された後に移動部材が第１位置と第２位置との間を所定回数往復すると、初期位置へ復帰可能に形成されると共に、移動部材が第１位置と第２位置との間を１往復すると、演出部材は、初期位置から移動し初期位置へ復帰するまでの経路を分割した距離だけ移動するので、演出部材の位置や姿勢を移動部材の往復毎に異ならせることができ、結果として被遮蔽領域の外観を移動部材の往復毎に変化させることができる。
【０４９７】
遊技機Ａ５又はＡ６において、前記第１方向は、前記移動部材を重力方向に沿った方向に移動させる方向であり、前記第２方向は、前記移動部材を重力方向に対向する方向に沿った方向に移動させる方向であることを特徴とする遊技機Ａ７。
【０４９８】
遊技機Ａ７によれば、遊技機Ａ５又はＡ６の奏する効果に加え、第１方向は、移動部材を重力方向に沿った方向に移動させる方向であり、第２方向は、移動部材を重力方向に対向する方向に沿った方向に移動させる方向であるので、移動部材の移動と演出部材の移動とに兼用される駆動手段の駆動力を抑制することができる。
【０４９９】
即ち、２部材を単一の駆動手段で駆動させる場合、それぞれの部材にかけられる抵抗を上回る駆動力を発生させる必要があり、駆動手段を小型化することは難しい。
【０５００】
これに対し、遊技機Ａ７によれば、移動部材を重力方向に沿った第１方向に移動させる場合には、重力が移動部材の移動を補助することとなり、移動部材と演出部材とを同時に動作させるようにしても、駆動力は小さくて済むので、駆動手段を小型化することができる。
【０５０１】
一方で、移動部材を重力方向に対向する方向に沿った第２方向に移動させる場合には、重力の分だけ駆動力を大きくする必要があるが、演出部材を停止させることで、演出部材を移動させる駆動力が不要となり、駆動手段に必要とされる駆動力を結果的に低減させることができる。
【０５０２】
遊技機Ａ５からＡ７のいずれかにおいて、前記駆動手段は第１軸を中心に回転される回転体と、その回転体から突出されると共に前記第１軸に偏心して位置するピン部材とを備え、前記移動部材は前記ピン部材を案内する案内部を備えると共に、第２軸を中心に前記第１位置および前記第２位置の間で回転され、前記第１位置または前記第２位置の少なくとも一方において、前記ピン部材と前記第１軸とを結ぶ直線に直交する方向と、前記案内部の延設方向とが一致して配設されることを特徴とする遊技機Ａ８。
【０５０３】
遊技機Ａ８によれば、遊技機Ａ５からＡ７のいずれかの奏する効果に加え、移動部材が第１位置または第２位置に配設された状態から回転体を回転させ始める際に、ピン部材の移動方向と案内部の延設方向とが一致するので、移動開始時にピン部材が案内部から受ける抵抗を抑えることができる。よって、最も大きな力を必要とする動作開始時に必要な駆動力を低減することができる。
【０５０４】
遊技機Ａ８において、前記移動部材が前記第１位置または前記第２位置の少なくとも一方に配設される場合に、前記第１軸と前記ピン部材とを結ぶ方向が、前記第２軸と前記ピン部材とを結ぶ方向と直交されることを特徴とする遊技機Ａ９。
【０５０５】
遊技機Ａ９によれば、遊技機Ａ８の奏する効果に加え、移動部材が第１位置または第２位置の少なくとも一方に配設される場合に、第１軸とピン部材とを結ぶ方向が、第２軸とピン部材とを結ぶ方向と直交されるので、ピン部材を回転体と移動部材との関係において死点に位置させることができる。これにより、駆動手段からの駆動力を不要としても、移動部材を第１位置または第２位置の少なくとも一方に機械的に保持できるので、駆動手段の消費エネルギーを抑制する効果を顕著にできる。
【０５０６】
遊技機Ａ１からＡ９のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ａ１０。
【０５０７】
遊技機Ａ１０によれば、遊技機Ａ１からＡ９のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５０８】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５０９】
同様に、例えば、演出部材が回転軸を前後方向に直交する平面に有する回転体であって、回転体の外周に模様や表示が形成される場合には、演出部材は前面視において常に半周分が視認されることから、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５１０】
なお、遮蔽部材としては、移動軌跡と断続的に重なる櫛状または梯子状のものや、開口を有する板状のもの等が、例示される。
【０５１１】
遊技機Ａ０において、遊技球が流下する遊技盤と、その遊技盤に配設されると共に遊技球が衝突することで移動可能である可動部材と、前記被遮蔽領域に配設されると共に、前記可動部材の移動に対応して移動可能である演出部材と、を備え、その演出部材が移動されることで前記被遮蔽領域の外観が変化されることを特徴とする遊技機Ｂ１。
【０５１２】
遊技機Ｂ１によれば、遊技機Ａ０の奏する効果に加え、遊技球が流下する遊技盤と、その遊技盤に配設されると共に遊技球が衝突することで移動可能である可動部材と、被遮蔽領域に配設されると共に、可動部材の移動に対応して移動可能である演出部材と、を備え、その演出部材が移動されることで被遮蔽領域の外観が変化されるので、被遮蔽領域の外観の変化を不規則なものとできる。
【０５１３】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５１４】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材の移動に対応して演出部材が移動するため、移動部材の移動に対して演出部材の移動が規則的であり、結果として、被遮蔽領域の外観の変化は規則的であった。
【０５１５】
これに対し、遊技機Ｂ１によれば、遊技球が衝突することで可動部材が移動し、その可動部材の移動に対応して演出部材が移動するので、その演出部材の移動の仕方は遊技球の流下の仕方に依存する。よって、遊技球の不規則性により、演出部材を不規則に移動させることができるので、結果的に被遮蔽領域の外観を不規則に変化させることができる。
【０５１６】
ここで、遊技球の不規則性とは、遊技球が遊技盤に配設される釘に衝突しながら流下することで、不規則に方向や速度を変えながら流下するという特徴と、遊技球が全て可動部材に衝突するわけではないので、遊技球と可動部材とが衝突する頻度も不規則に変化するという特徴と、を意味する。
【０５１７】
なお、例えば、可動部材としては、遊技盤に対して回転可能に配設される風車や、遊技盤に対して没出可能に配設される没出部材等が例示される。風車の場合、遊技盤に通常配設される部品であるので、可動部材として利用しても製品コストが増加することを防止することができると共に、風車自体の回転と演出部材の移動とを外観上関連させることができ、演出効果を増大させることができる。
【０５１８】
可動部材が遊技盤に対して没出可能な没出部材である場合、その没出部材は遊技者に視認可能な箇所にも、視認不能な箇所にも配設可能である。特に、演出部材の移動を遊技者にとって予想外のものとしたい場合には、没出部材を視認不能な箇所に配設することが好ましい。この場合、遊技球が没出部材に衝突することを遊技者が視認できないので、演出部材が突然動き出すという演出をすることができる。
【０５１９】
ここで、移動部材、演出部材または可動部材の移動の態様は、特に限定されるものではなく、例えば、移動部材、演出部材または可動部材が回転可能に軸支され移動部材、演出部材または可動部材が回転または揺動される態様でもよく、例えば、移動部材、演出部材または可動部材が平行移動される態様でもよい。
【０５２０】
遊技機Ｂ１において、前記可動部材の移動速度と、前記演出部材の移動速度との速度比が一定であることを特徴とする遊技機Ｂ２。
【０５２１】
遊技機Ｂ２によれば、遊技機Ｂ１の奏する効果に加え、可動部材の移動速度と、演出部材の移動速度との速度比が一定であるので、不規則性を有する遊技球の衝突により可動部材が不規則に移動し、それに伴い演出部材の移動が不規則となることを確実にすることができる。
【０５２２】
即ち、可動部材の移動速度と演出部材の移動速度との速度比が不定で有る場合、例えば移動速度についていえば、可動部材の移動速度の大小に対応して、演出部材の移動速度の大小が変化することがある一方で、可動部材の移動速度に演出部材の移動速度が対応しないこともある。ここで、前者の場合には、遊技球の有する不規則性が演出部材に伝わるが、後者の場合には、遊技球の速度が平均化されて、遊技球の不規則性が演出部材に表れにくくなる可能性がある。
【０５２３】
一方、遊技機Ｂ２によれば、可動部材の移動速度と、演出部材の移動速度との速度比が一定であるので、可動部材の移動速度が小の時には演出部材の移動速度が小となると共に、可動部材の移動速度が大の時には演出部材の移動速度が大となる関係のみが形成される。よって、不規則性を有する遊技球の衝突により可動部材が不規則に移動し、それに伴い演出部材の移動が不規則となることを確実にすることができる。
【０５２４】
遊技機Ｂ１又はＢ２において、前記可動部材は、前記遊技盤に対して、一の回転方向と、前記一の回転方向と反対方向である他の回転方向とに回転可能に配設される回転体であり、前記可動部材の回転方向に応じた方向に前記演出部材が移動することを特徴とする遊技機Ｂ３。
【０５２５】
遊技機Ｂ３によれば、遊技機Ｂ１又はＢ２の奏する効果に加え、可動部材は左右方向に回転可能な回転体であり、可動部材の回転方向に応じた方向に演出部材が移動するので、可動部材に衝突する遊技球の不規則性を、演出部材を不規則な向きに移動させるという演出効果に使用することができる。
【０５２６】
遊技機Ｂ３において、前記演出部材を初期位置へ向けて付勢すると共に、前記演出部材が前記初期位置から遠ざけられるにつれて増大する付勢力を生じる付勢手段を備えることを特徴とする遊技機Ｂ４。
【０５２７】
遊技機Ｂ４によれば、遊技機Ｂ３の奏する効果に加え、演出部材を初期位置へ向けて付勢すると共に、演出部材が初期位置から遠ざけられるにつれて増大する付勢力を生じる付勢手段を備えるので、可動部材の回転力と、付勢手段の付勢力との差によって、演出部材の移動の仕方を異ならせることができる。
【０５２８】
詳述すると、演出部材が初期位置から遠ざけられるにつれて、付勢手段が演出部材を初期位置へ向けて付勢する付勢力が増大するので、遊技球が可動部材に同じ条件（速度、方向）で衝突し、可動部材が同じ態様（速度、方向）で回転する場合にも、演出部材の移動の仕方を異ならせることができる。
【０５２９】
例えば、演出部材が初期位置に配置された場合には、付勢手段が演出部材を初期位置へ向けて付勢する付勢力は小さいので、可動部材の回転力が付勢手段の付勢力を上回りやすく、演出部材は移動しやすい。一方で、例えば、演出部材が初期位置から遠ざけられて配置された場合には、付勢手段が演出部材を初期位置へ向けて付勢する付勢力は大きくなるので、可動部材が演出部材を初期位置から遠ざける方向に回転する場合の回転力は付勢力によって打ち消され、演出部材は移動しにくくなる。よって、遊技球が可動部材に同じ条件（速度、方向）で衝突し、可動部材が同じ態様（速度、方向）で回転する場合にも、演出部材の配置によって、演出部材の移動の仕方を異ならせることができ、演出部材の移動の仕方の不規則性を確保することができる。
【０５３０】
また、演出部材が初期位置から遠ざけられて配置された場合に、可動部材が演出部材を初期位置から更に遠ざける方向に回転すると、付勢手段の付勢力と演出部材の回転力とが相殺され、演出部材の移動量は小さいが、可動部材が演出部材を初期位置へ近づける方向に回転すると、演出部材の移動方向と付勢手段の付勢力の向く方向とが一致するので、可動部材の回転力と付勢手段の付勢力とが合わさり、演出部材の移動量は大きくなる。ここで付勢力は演出部材が初期位置から遠ざけられるほど大きくなるので、可動部材の回転方向の違いにより生じる演出部材の移動量の違いは、演出部材が初期位置から遠ざけられるほど顕著になる。よって、演出部材の移動の仕方の不規則性を確保することができる。
【０５３１】
遊技機Ｂ１からＢ４のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ｂ５。
【０５３２】
遊技機Ｂ５によれば、遊技機Ｂ１からＢ４のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５３３】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５３４】
同様に、例えば、演出部材が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５３５】
なお、遮蔽部材としては、移動軌跡と断続的に重なる櫛状または梯子状のものや、開口を有する板状のもの等が、例示される。
【０５３６】
遊技機Ａ０において、前記被遮蔽領域に配設されると共に、前記移動部材の移動に非連動で移動可能である演出部材を備え、前記演出部材が移動されることで前記被遮蔽領域の外観が変化されることを特徴とする遊技機Ｃ１。
【０５３７】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５３８】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が移動することに対応して演出部材を移動させることはできるが、移動部材が停止した状態で演出部材を移動させることは難しかった。
【０５３９】
これに対し、遊技機Ｃ１によれば、遊技機Ａ０の奏する効果に加え、移動部材と演出部材とを非連動で移動させることができる。よって、例えば、被遮蔽領域が視認不能な状態となるように移動部材を移動させ、その位置で移動部材を停止させたままで、予め演出部材を移動させ、被遮蔽領域の外観を変化させておき、再び移動部材を移動させることで、移動部材が被遮蔽領域を視認不能にする前とは異なった外観を被遮蔽領域において視認可能とすることや、被遮蔽領域が視認可能な状態となるように移動部材を停止させたままで、演出部材のみを独立して移動させることができる。
【０５４０】
ここで、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０５４１】
遊技機Ｃ１において、前記駆動手段の駆動力を、前記移動部材に伝達するか、前記演出部材に伝達するかを切り替え可能な切替手段を備え、前記演出部材は、前記駆動手段の駆動力により移動されることを特徴とする遊技機Ｃ２。
【０５４２】
遊技機Ｃ２によれば、遊技機Ｃ１の奏する効果に加え、駆動手段の駆動力の伝達を切替手段により切り替えることで、演出部材を移動させる駆動力と移動部材を移動させる駆動力とを同一の駆動手段により発生させることができるので、駆動手段の配設個数を抑制し、部品コストを削減することができる。
【０５４３】
なお、切替手段としては、例えば、ワンウェイクラッチギア又はラチェット機構等が例示される。
【０５４４】
遊技機Ｃ２において、前記被遮蔽領域に配設されるとともに、前記移動部材と接近することで移動する演出補助部材を備え、前記移動部材の移動中に、前記演出補助部材が移動することで前記被遮蔽領域の外観が変化されることを特徴とする遊技機Ｃ３。
【０５４５】
ここで、駆動手段の駆動力を移動部材に伝達するか、演出部材に伝達するかを切り替える遊技機Ｃ２の構成では、移動部材を移動させながら演出部材を移動させることはできないので、移動部材が移動する間に被遮蔽領域の外観を変化させることは難しい。
【０５４６】
これに対し、遊技機Ｃ３では、遊技機Ｃ２の奏する効果に加え、移動部材と接近することで移動する演出補助部材を備えるので、移動部材を移動させながら演出補助部材に接近させることで、演出補助部材を移動させ、結果として被遮蔽領域の外観を変化させることができる。
【０５４７】
なお、移動部材が演出補助部材に接近することで移動する場合としては、移動部材と演出補助部材との間に磁力が働く場合や、移動部材が演出補助部材に当接することで押進力が働く場合等が例示される。
【０５４８】
遊技機Ｃ２又はＣ３において、前記切替手段は、前記駆動手段の駆動力が一の方向に生じるか、前記一の方向と反対方向である他の方向に生じるかによって、前記駆動手段の駆動力を、前記移動部材に伝達するか、前記演出部材に伝達するかを切り替える特性を有する機械的機構であることを特徴とする遊技機Ｃ４。
【０５４９】
遊技機Ｃ４によれば、遊技機Ｃ２又はＣ３の奏する効果に加え、切替手段は、駆動手段の駆動力が一の方向に生じるか、一の方向と反対方向である他の方向に生じるかによって切り替わる特性を有する機械的機構であるので、切替手段に電気的制御を要する電磁石などの電気的機構を採用する場合に比較し、制御コストを削減することができる。
【０５５０】
遊技機Ｃ４において、前記駆動手段は第１軸を中心に回転される回転体と、その回転体から突出されると共に前記第１軸に偏心して位置するピン部材とを備え、前記移動部材は前記ピン部材を案内する案内部を備えると共に、第２軸を中心に回転され、前記回転体が１回転することで前記移動部材が前記第１位置と前記第２位置との間を１往復することを特徴とする遊技機Ｃ５。
【０５５１】
ここで、駆動手段の駆動力が一の方向に生じるか、一の方向と反対方向である他の方向に生じるかによって切り替わる遊技機Ｃ４の構成では、駆動手段から移動部材に生じる駆動力は一方向に限定される。そのため、移動部材を往復動させる場合に、往路と復路で駆動力の方向を反転させることができない。そのため、移動部材を初期位置に復元させることを考慮すると、移動部材は、周期的な回転移動を行うものに限定され易く、結果的に移動部材の設計自由度が低くなる。
【０５５２】
これに対し、遊技機Ｃ５によれば、遊技機Ｃ４の奏する効果に加え、移動部材は、駆動手段の駆動力が一の方向にのみ生じることで回転体が一の方向に１回転すると、移動部材が第１位置と第２位置との間を１往復することで初期位置に復元するので、移動部材が周期的な回転移動を行うものだけでなく、往復移動するものも採用可能である。よって、移動部材の設計自由度を向上させることができる。
【０５５３】
遊技機Ｃ１からＣ５のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ｃ６。
【０５５４】
遊技機Ｃ６によれば、遊技機Ｃ１からＣ５のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５５５】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５５６】
同様に、例えば、演出部材が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５５７】
なお、遮蔽部材としては、移動軌跡と断続的に重なる櫛状または梯子状のものや、開口を有する板状のもの等が、例示される。
【０５５８】
第１位置と第２位置との間で移動可能に形成される第１移動部材と、その第１移動部材を移動させるための駆動力を発生する第１駆動手段と、前記第１移動部材の後面側に移動可能に配設されると共に、前記第１移動部材の配置位置に関わらず、少なくとも一部が前面視において視認可能な第２移動部材と、その第２移動部材を移動させるための駆動力を発生する第２駆動手段と、を備え、前記第１移動部材が前記第１位置に配置される場合には前記第１移動部材に遮蔽されることにより前面視において視認不能となる領域であり、前記第１移動部材が少なくとも前記第２位置に配置される場合には前面視において視認可能となる領域であると共に、前記第１移動部材が少なくとも前記第２位置に配置される場合には移動する過程における前記第２移動部材の少なくとも一部を前面視において視認可能となる領域である第１被遮蔽領域を有し、その第１被遮蔽領域の少なくとも一部の外観が前記第２移動部材の移動により変化されることを特徴とする遊技機Ｄ１。
【０５５９】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５６０】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、演出部材は被遮蔽領域の外観を変化させる目的のみで配設され、それゆえに移動部材が第１位置に配置される間においては演出部材は視認されることはできないので、演出部材が注目される形態が移動部材の配置により制限されることとなる。
【０５６１】
これに対し、遊技機Ｄ１によれば、第１移動部材の後面側に移動可能に配設される第２移動部材は、第１移動部材の配置位置に関わらず、少なくとも一部が前面視において視認可能なので、第１移動部材が第１位置に配置される場合には第２移動部材は独立して移動される部材として視認されることができ、第１移動部材が少なくとも第２位置に配置される場合には第２移動部材は独立して移動され、かつ第１被遮蔽領域の外観を変化させる部材として視認されることができる。よって、第２移動部材は第１移動部材の配置によらず着目力を有することができる。
【０５６２】
第１移動部材が少なくとも第２位置に配置されると、前面視において第１被遮蔽領域が視認可能となり、第１移動部材の後面側に配設される第２移動部材の少なくとも一部が、前面視において第１被遮蔽領域を通過するように第２移動部材が移動するので、第１被遮蔽領域に、移動中の第２移動部材の少なくとも一部を視認することができる。よって、第１被遮蔽領域の外観を変化させることができる。結果として、第１被遮蔽領域の演出部分としての能力を向上させ、第１被遮蔽領域を演出部分として効果的に使用することができる。
【０５６３】
ここで、第２移動部材は第１移動部材の配置に関わらず前面視において少なくとも一部が視認可能であり、第２移動部材は第１被遮蔽領域においてのみ視認される部材ではない。そのため、第２移動部材は第１移動部材に関わらず固有の演出意図を持って移動されるので、第２移動部材に固有の第２駆動手段が配設されることは当然である。そして、第２移動部材に第２駆動手段を要することは、前面視において第１被遮蔽領域を第２移動部材が通過するか否かに関わるものではない。
【０５６４】
ここで、本発明の特徴は、移動中の第２移動部材が前面視において第１被遮蔽領域を通過するように第２移動部材を配設したことにある。即ち、第２移動部材の移動により第１被遮蔽領域の変化を達成し、それと同時に、必要な駆動力は第２駆動手段の駆動力を流用している。よって、第１被遮蔽領域の外観を変化させるための追加の駆動手段を不要とすることができる。
【０５６５】
なお、第１移動部材または第２移動部材の移動の態様は、特に限定されるものではなく、例えば、第１移動部材または第２移動部材が回転可能に軸支され第１移動部材または第２移動部材が回転または揺動される態様でもよく、例えば、第１移動部材または第２移動部材が平行移動される態様でもよい。
【０５６６】
遊技機Ｄ１において、前記第２移動部材は、前記第１被遮蔽領域の少なくとも一部および前記第２移動部材の少なくとも一部が前面視において重なる第３位置と、第３位置とは異なる第４位置との間を移動可能に配設され、前記第２移動部材が前記第３位置に配置される場合には、前記第２移動部材により遮蔽されることで前面視において視認不能となる領域であり、前記第２移動部材が少なくとも前記第４位置に配置されると共に、前記第１移動部材が少なくとも前記第２位置に配置される場合には前面視において視認可能となる領域である第２被遮蔽領域を備え、前記第１被遮蔽領域と前記第２被遮蔽領域とが、前面視で少なくとも一部において重なることを特徴とする遊技機Ｄ２。
【０５６７】
遊技機Ｄ２によれば、遊技機Ｄ１の奏する効果に加え、第１被遮蔽領域と第２被遮蔽領域とが少なくとも一部が重なって視認可能なので、第１被遮蔽領域の外観を、第２移動部材が第３位置に配置されることで第１被遮蔽領域を介して第２移動部材を視認可能であると共に第２被遮蔽領域は視認不能な場合と、第２移動部材が少なくとも第４位置に配置されることで第１被遮蔽領域を介して第２被遮蔽領域を視認可能な場合とで変化させることができる。
【０５６８】
遊技機Ｄ２において、前記第１被遮蔽領域の前記第２移動部材よりも前面側に配設され、前記第２移動部材に対応して移動すると共に、前記第２移動部材が前記第３位置に配置されると、前面視において、前記第２移動部材と少なくとも一部が重なるように形成される演出補助部材を備えることを特徴とする遊技機Ｄ３。
【０５６９】
ここで、第２移動部材の外観は、第２移動部材が第４位置に配置されれば視認可能であるので、第１被遮蔽領域を通して第２移動部材を視認する場合の外観は予測できる場合があり、意外性に欠け、演出効果が十分であるとは言えない。
【０５７０】
一方、遊技機Ｄ３によれば、遊技機Ｄ２の奏する効果に加え、第２移動部材が第３位置に配置されると、第２移動部材と演出補助部材とが重なって視認されるので、第１被遮蔽領域を通して第２移動部材を視認する場合の外観を、第２移動部材のみから予想できる外観とは異なったものとできる。
【０５７１】
また、第２移動部材と演出補助部材とが対応して相対移動する場合には、第２移動部材のどの部分に演出補助部材が重なるのかが、第２移動部材が移動するにつれて変化するので、第１被遮蔽領域を通して第２移動部材を視認する場合の外観を、第２移動部材が移動するにつれて変化させることができ、第１被遮蔽領域の外観を、第２移動部材のみから予想できる外観とは異なったものにする効果を向上させることができる。
【０５７２】
ここで、第２移動部材と演出補助部材とが対応して移動するとは、第２移動部材と演出補助部材とが、それぞれ少なくとも一部が磁性体で構成されることで、第２移動部材と演出補助部材との間に磁力が生じ、第２移動部材と演出補助部材との移動が関連付けられる場合や、第２移動部材に演出補助部材が当接することで、第２移動部材が移動するに伴い演出補助部材を押したり引いたりする場合を、意味する。
【０５７３】
遊技機Ｄ３において、前記第２移動部材と前記演出補助部材とは、少なくとも一部が磁性体で構成され、前記第２移動部材と前記演出補助部材とが近接する際に、磁力が生じることで前記演出部材が移動することを特徴とする遊技機Ｄ４。
【０５７４】
遊技機Ｄ４によれば、遊技機Ｄ３の奏する効果に加えて、第２移動部材と演出補助部材との間に生じる磁力により演出補助部材が移動されるので、第２移動部材から演出補助部材に対して直接的に力を伝達させる機械的機構を不要とできる。さらに、磁力の特性により、演出補助部材と移動部材との間隔が所定距離より小さくなると、演出補助部材と移動部材との間に急激に大きな力を生じさせることができる。この場合、演出補助部材に第２移動部材の移動速度とは対応しない加速度をもたせることができるので、演出補助部材に予想外の動きをさせることができ、演出効果を向上させることができる。
【０５７５】
遊技機Ｄ３において、前記第２移動部材と前記演出補助部材とは、第２移動部材の移動経過中に互いに当接可能に配設され、前記第２移動部材と前記演出補助部材とが当接することで前記演出補助部材が移動されることを特徴とする遊技機Ｄ５。
【０５７６】
遊技機Ｄ５によれば、遊技機Ｄ３の奏する効果に加え、演出補助部材が第２移動部材に当接し、第２移動部材に押されることで移動するので、演出補助部材の設計自由度を高くすることができる。
【０５７７】
即ち、例えば、演出補助部材を磁力で移動させる場合、演出補助部材の質量や形状が大きいと、必要な磁力は大きくなる。ここで、磁力を大きくするには、磁石の特性を向上させる必要があるが、磁石の特性を向上させると、磁石は高価になり、部品コストが増大する。よって、演出補助部材を大型化するには部品コストがかかるので、演出部材を大型化し難く、演出補助部材と第２移動部材の重なる部分を大きくすることで第２移動部材の外観を大きく変化させることは難しい。
【０５７８】
一方、遊技機Ｄ５によれば、演出補助部材は、第２移動部材に直接的または間接的に当接されて生じる押進力により移動するので、演出補助部材の移動に第２駆動手段の駆動力を利用でき、より大きな演出補助部材を採用することができる。よって、第２移動部材の外観と、演出補助部材と第２移動部材とが重なった場合の外観とを大きく変化させることができる。
【０５７９】
特に、例えば、第２移動部材が重力方向に移動する場合には、第２移動部材を移動させるのに第２駆動手段の駆動力はほとんど必要ないので、第２移動部材が重力方向に移動する場合に、第２駆動手段の駆動力を演出補助部材に利用することとしても、駆動手段の容量を維持することができる。
【０５８０】
遊技機Ａ１からＡ１０，Ｂ１からＢ５，Ｃ１からＣ６，Ｄ１からＤ５のいずれかにおいて、前記遊技機はスロットマシンであることを特徴とする遊技機Ｅ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０５８１】
遊技機Ａ１からＡ１０，Ｂ１からＢ５，Ｃ１からＣ６，Ｄ１からＤ５のいずれかにおいて、前記遊技機はパチンコ遊技機であることを特徴とする遊技機Ｅ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０５８２】
遊技機Ａ１からＡ１０，Ｂ１からＢ５，Ｃ１からＣ６，Ｄ１からＤ５のいずれかにおいて、前記遊技機はパチンコ遊技機とスロットマシンとを融合させたものであることを特徴とする遊技機Ｅ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０５８３】
１０              パチンコ機（遊技機）
１３              遊技盤
３１０            可動部材
４２２            駆動モータ（駆動手段）
４４１            第１遮蔽部材（遮蔽部材）
４４２            第１演出部材（演出部材）
４４３            付勢バネ（付勢手段）
４６０            昇降部材（移動部材）
２４５１          第２遮蔽部材（遮蔽部材）
２４５３          第２演出部材（演出部材）
２４５４          付勢バネ（付勢手段）
３５１３          演出補助部材
３５１４          駆動モータ（第１駆動手段）
３５２０          アーム部材（第１移動部材）
３６１０          取り付けベース（遮蔽部材）
３６１１          軸部（第２軸）
３６２０          アーム部材（移動部材、第２移動部材）
３６２０Ｍｇ      磁石部（磁性体）
３６２２          溝部（案内部）
３６３１          駆動モータ（駆動手段、第２駆動手段）
３６３４          第２歯車（回転体）
３６３５          突設ピン（ピン部材）
３６４０ａ        挿通軸（第１軸）
３６５２          切替歯車（切替手段）
３６５４          演出部材
４６１０          取り付けベース（遮蔽部材）
４６１５          昇降部材（演出補助部材）
４６２０          アーム部材（移動部材）
４６２２          溝部（案内部）
４６３３          切替歯車（切替手段）
５５３０          演出補助部材
６３３０          没出部材（可動部材）
Ｐ１              被遮蔽領域
Ｐ２              被遮蔽領域（第１被遮蔽領域）
Ｐ３              被遮蔽領域（被遮蔽領域、第２被遮蔽領域）
【図１】
2020073139.tif 000003
【図２】
2020073139.tif 000004
【図３】
2020073139.tif 000005
【図４】
2020073139.tif 000006
【図５】
2020073139.tif 000007
【図６】
2020073139.tif 000008
【図７】
2020073139.tif 000009
【図８】
2020073139.tif 000010
【図９】
2020073139.tif 000011
【図１０】
2020073139.tif 000012
【図１１】
2020073139.tif 000013
【図１２】
2020073139.tif 000014
【図１３】
2020073139.tif 000015
【図１４】
2020073139.tif 000016
【図１５】
2020073139.tif 000017
【図１６】
2020073139.tif 000018
【図１７】
2020073139.tif 000019
【図１８】
2020073139.tif 000020
【図１９】
2020073139.tif 000021
【図２０】
2020073139.tif 000022
【図２１】
2020073139.tif 000023
【図２２】
2020073139.tif 000024
【図２３】
2020073139.tif 000025
【図２４】
2020073139.tif 000026
【図２５】
2020073139.tif 000027
【図２６】
2020073139.tif 000028
【図２７】
2020073139.tif 000029
【図２８】
2020073139.tif 000030
【図２９】
2020073139.tif 000031
【図３０】
2020073139.tif 000032
【図３１】
2020073139.tif 000033
【図３２】
2020073139.tif 000034
【図３３】
2020073139.tif 000035
【図３４】
2020073139.tif 000036
【図３５】
2020073139.tif 000037
【図３６】
2020073139.tif 000038
【図３７】
2020073139.tif 000039
【図３８】
2020073139.tif 000040
【図３９】
2020073139.tif 000041
【図４０】
2020073139.tif 000042
【図４１】
2020073139.tif 000043
【図４２】
2020073139.tif 000044
【図４３】
2020073139.tif 000045
【図４４】
2020073139.tif 000046
【図４５】
2020073139.tif 000047
【図４６】
2020073139.tif 000048
【図４７】
2020073139.tif 000049
【図４８】
2020073139.tif 000050
【図４９】
2020073139.tif 000051
【図５０】
2020073139.tif 000052
【図５１】
2020073139.tif 000053
【図５２】
2020073139.tif 000054
【図５３】
2020073139.tif 000055
【図５４】
2020073139.tif 000056
【図５５】
2020073139.tif 000057
【図５６】
2020073139.tif 000058
【図５７】
2020073139.tif 000059
【図５８】
2020073139.tif 000060
【図５９】
2020073139.tif 000061
【図６０】
2020073139.tif 000062
【図６１】
2020073139.tif 000063
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
第１位置と第２位置との間で移動可能に構成される移動部材と、その移動部材を移動させる駆動力を発生する駆動手段と、前記移動部材が前記第１位置に配置される場合には前記移動部材に遮蔽されることにより前面視において視認不能となる領域であって、前記移動部材が少なくとも前記第２位置に配置される場合には前面視において視認可能となる領域である被遮蔽領域とを備える遊技機において、
前記被遮蔽領域に配設され、前記移動部材の移動に対応して移動可能である演出部材を備え、
その演出部材が移動することで前記被遮蔽領域の少なくとも一部の外観が変化可能とされ、
前記遊技機は、前記移動部材が前記第１位置と前記第２位置との間を移動する過程において、前記移動部材が前記第１位置と前記第２位置との間を移動する速度と、前記演出部材が移動する速度との同時点での速度比を変化可能に構成され、
前記移動部材が前記第１位置と前記第２位置との間を移動する過程において、前記演出部材が移動する移動状態と、前記演出部材が移動を停止する停止状態とを切り替え可能に構成され、
前記演出部材は、前記移動部材が所定位置に到達するまでは前記移動部材により移動を規制されることで前記停止状態を継続し、
前記移動部材が所定位置を通過すると、前記移動部材による規制が解除されることで前記移動状態へ移行可能に構成され、
前記演出部材は、前記移動状態において、前記移動部材の移動軌跡に前面視において進入可能に構成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有するものが知られている（特許文献１）。
【先行技術文献】
【特許文献】
【０００３】
【特許文献１】特開２０１１−１８２９８４号公報
【発明の概要】
【発明が解決しようとする課題】
【０００４】
しかしながら、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０００５】
【０００６】
本発明は、上記例示した問題点を解決するためになされたものであり、被遮蔽領域を演出部分として効果的に使用することができる遊技機を提供することを目的とする。
【課題を解決するための手段】
【０００７】
この目的を達成するために請求項１記載の遊技機は、第１位置と第２位置との間で移動可能に構成される移動部材と、その移動部材を移動させる駆動力を発生する駆動手段と、前記移動部材が前記第１位置に配置される場合には前記移動部材に遮蔽されることにより前面視において視認不能となる領域であって、前記移動部材が少なくとも前記第２位置に配置される場合には前面視において視認可能となる領域である被遮蔽領域とを備える遊技機であって、前記被遮蔽領域に配設され、前記移動部材の移動に対応して移動可能である演出部材を備え、その演出部材が移動することで前記被遮蔽領域の少なくとも一部の外観が変化可能とされ、前記遊技機は、前記移動部材が前記第１位置と前記第２位置との間を移動する過程において、前記移動部材が前記第１位置と前記第２位置との間を移動する速度と、前記演出部材が移動する速度との同時点での速度比を変化可能に構成され、前記移動部材が前記第１位置と前記第２位置との間を移動する過程において、前記演出部材が移動する移動状態と、前記演出部材が移動を停止する停止状態とを切り替え可能に構成され、前記演出部材は、前記移動部材が所定位置に到達するまでは前記移動部材により移動を規制されることで前記停止状態を継続し、前記移動部材が所定位置を通過すると、前記移動部材による規制が解除されることで前記移動状態へ移行可能に構成され、前記演出部材は、前記移動状態において、前記移動部材の移動軌跡に前面視において進入可能に構成される。
【０００８】
【０００９】
【発明の効果】
【００１０】
請求項１記載の遊技機によれば、被遮蔽領域の少なくとも一部の外観が変化可能とされるので、例えば移動部材が第２位置に配置され被遮蔽領域が視認可能となった場合に、被遮蔽領域の外観を変化させることで、被遮蔽領域の演出部分としての能力を向上させ、被遮蔽領域を演出部分として効果的に使用することができる。
【００１１】
【００１２】
【００１３】
【００１４】
【００１５】
【００１６】
【００１７】
【００１８】
【図面の簡単な説明】
【００１９】
【図１】第１実施形態におけるパチンコ機の前面図である。
【図２】パチンコ機の遊技盤の前面図である。
【図３】パチンコ機の後面図である。
【図４】パチンコ機の電気的構成を示すブロック図である。
【図５】遊技盤及び動作ユニットの斜視図である。
【図６】遊技盤の後面図である。
【図７】分解した動作ユニットを前面視した動作ユニットの分解前面斜視図である。
【図８】分解した動作ユニットを前面視した動作ユニットの分解前面斜視図である。
【図９】遊技盤に配設された状態における可動部材、第１歯車及び第２歯車の部分拡大後面斜視図である。
【図１０】昇降動作ユニットの前面図である。
【図１１】昇降動作ユニットの前面図である。
【図１２】昇降動作ユニットの分解前面斜視図である。
【図１３】昇降動作ユニットの分解後面斜視図である。
【図１４】（ａ）及び（ｂ）は、昇降動作ユニットの後面図である。
【図１５】駆動部の部分後面図である。
【図１６】（ａ）は、第１被遮蔽装置の前面斜視図であり、（ｂ）は、第１被遮蔽装置の後面斜視図である。
【図１７】（ａ）は、第１遮蔽部材の前面斜視図であり、（ｂ）は、第１遮蔽部材の後面斜視図である。
【図１８】（ａ）は、第１演出部材の前面斜視図であり、（ｂ）は、第１演出部材の後面斜視図である。
【図１９】第１演出部材の前面図である。
【図２０】図２のＸＸ−ＸＸ線における遊技盤、第２歯車及び昇降動作ユニットの部分断面図である。
【図２１】（ａ）は、可動部材の前面図であり、（ｂ）は、第１被遮蔽装置の後面図であり、（ｃ）は、第１被遮蔽装置の前面図である。
【図２２】（ａ）は、可動部材の前面図であり、（ｂ）は、第１被遮蔽装置の後面図であり、（ｃ）は、第１被遮蔽装置の前面図である。
【図２３】（ａ）は、可動部材の前面図であり、（ｂ）は、第１被遮蔽装置の後面図であり、（ｃ）は、第１被遮蔽装置の前面図である。
【図２４】（ａ）は、可動部材の前面図であり、（ｂ）は、第１被遮蔽装置の後面図であり、（ｃ）は、第１被遮蔽装置の前面図である。
【図２５】（ａ）は、可動部材の前面図であり、（ｂ）は、第１被遮蔽装置の後面図である。
【図２６】第２実施形態における昇降動作ユニットの前面図である。
【図２７】昇降動作ユニットの前面図である。
【図２８】（ａ）は、第２被遮蔽装置の前面斜視図であり、（ｂ）は、第２被遮蔽装置の後面斜視図である。
【図２９】図２８（ａ）の矢印ＸＸＩＸ方向視における第２被遮蔽装置の側面図である。
【図３０】（ａ）及び（ｂ）は、中間板部材、第２演出部材及び付勢バネの前面図であり、（ｃ）は、図３０（ａ）の矢印ＸＸＸｃ方向視における中間板部材、第２演出部材及び付勢バネの側面図である。
【図３１】（ａ）は、昇降部材及び第２被遮蔽装置の前面斜視図であり、（ｂ）は、昇降部材及び第２被遮蔽装置の後面斜視図である。
【図３２】（ａ）は、昇降部材及び第２被遮蔽装置の前面図であり、（ｂ）は、昇降部材及び第２被遮蔽装置の後面図である。
【図３３】（ａ）は、昇降部材及び第２被遮蔽装置の前面図であり、（ｂ）は、昇降部材及び第２被遮蔽装置の後面図である。
【図３４】（ａ）は、昇降部材及び第２被遮蔽装置の前面図であり、（ｂ）は、昇降部材及び第２被遮蔽装置の後面図である。
【図３５】（ａ）及び（ｂ）は、昇降部材及び第２被遮蔽装置の前面模式図である。
【図３６】第３実施形態における遮蔽動作ユニット及び揺動動作ユニットの前面斜視図である。
【図３７】遮蔽動作ユニットの後面斜視図である。
【図３８】（ａ）及び（ｂ）は、遮蔽動作ユニットの前面図である。
【図３９】揺動動作ユニットの前面斜視図である。
【図４０】揺動動作ユニットの前面斜視図である。
【図４１】揺動動作ユニットの分解前面斜視図である。
【図４２】（ａ）及び（ｂ）は、切替歯車の部分断面模式図である。
【図４３】（ａ）から（ｄ）は、演出部材の表示部の前面図である。
【図４４】（ａ）は、揺動動作ユニットの前面図であり、（ｂ）は、被遮蔽装置の前面図である。
【図４５】（ａ）は、揺動動作ユニットの前面図であり、（ｂ）は、被遮蔽装置の前面図である。
【図４６】（ａ）は、揺動動作ユニットの前面図であり、（ｂ）は、被遮蔽装置の前面図である。
【図４７】（ａ）は、揺動動作ユニットの前面図であり、（ｂ）は、被遮蔽装置の前面図である。
【図４８】（ａ）は、揺動動作ユニットの前面図であり、（ｂ）は、被遮蔽装置の前面図である。
【図４９】（ａ）は、遮蔽動作ユニット及び揺動動作ユニットの前面図であり、（ｂ）は、揺動動作ユニットの前面図であり、（ｃ）は、図４９（ａ）の部分ＸＸＸＸＩＸｃにおける遮蔽動作ユニット及び揺動動作ユニットの部分拡大前面図である。
【図５０】（ａ）から（ｃ）は、取り付けベース及びアーム部材の部分前面模式図である。
【図５１】（ａ）は、遮蔽動作ユニット及び揺動動作ユニットの前面図であり、（ｂ）は、揺動動作ユニットの前面図である。
【図５２】第４実施形態における揺動動作ユニットの分解前面斜視図である。
【図５３】（ａ）は、取り付けベースの下側部分を前面視した取り付けベースの部分前面図であり、（ｂ）は、図５３（ａ）のＬＩＩＩｂ−ＬＩＩＩｂ線における取り付けベースの断面図である。
【図５４】（ａ）は、昇降部材の前面図であり、（ｂ）は、昇降部材の後面図であり、（ｃ）は、図５４（ｂ）のＬＩＶｃ−ＬＩＶｃ線における昇降部材の断面図である。
【図５５】（ａ）は、取り付けベースの部分前面図であり、（ｂ）は、図５５（ａ）のＬＶｂ−ＬＶｂ線における取り付けベースの断面図である。
【図５６】揺動動作ユニットの前面図である。
【図５７】（ａ）及び（ｂ）は、揺動動作ユニットの前面図である。
【図５８】（ａ）及び（ｂ）は、揺動動作ユニットの前面図である。
【図５９】第５実施形態における遮蔽動作ユニットの後面斜視図である。
【図６０】（ａ）から（ｃ）は、取り付けベース、アーム部材及び演出補助部材の部分前面模式図である。
【図６１】（ａ）は、第６実施形態における遊技盤に配設された状態における没出部材、ラック部材及び第２歯車の部分拡大斜視図であり、（ｂ）及び（ｃ）は、遊技盤、没出部材及びラック部材を遊技盤の側面と平行な平面で断面視する断面模式図である。
【発明を実施するための形態】
【００２０】
以下、本発明の実施形態について、添付図面を参照して説明する。まず、図１から図２５を参照し、第１実施形態として、本発明をパチンコ遊技機（以下、単に「パチンコ機」という）１０に適用した場合の一実施形態について説明する。図１は、第１実施形態におけるパチンコ機１０の前面図であり、図２はパチンコ機１０の遊技盤１３の前面図であり、図３はパチンコ機１０の後面図である。
【００２１】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために前面視（図１参照）左側の上下２カ所に金属製のヒンジ１８が取り付けられ、そのヒンジ１８が設けられた側を開閉の軸として内枠１２が前面手前側へ開閉可能に支持されている。
【００２２】
内枠１２には、多数の釘や入賞口６３，６４等を有する遊技盤１３（図２参照）が裏面側から着脱可能に装着される。この遊技盤１３の前面を球（遊技球）が流下することにより弾球遊技が行われる。なお、内枠１２には、球を遊技盤１３の前面領域に発射する球発射ユニット１１２ａ（図４参照）やその球発射ユニット１１２ａから発射された球を遊技盤１３の前面領域まで誘導する発射レール（図示せず）等が取り付けられている。
【００２３】
内枠１２の前面側には、その前面上側を覆う前面枠１４と、その下側を覆う下皿ユニット１５とが設けられている。前面枠１４及び下皿ユニット１５を支持するために前面視（図１参照）左側の上下２カ所に金属製のヒンジ１９が取り付けられ、そのヒンジ１９が設けられた側を開閉の軸として前面枠１４及び下皿ユニット１５が前面手前側へ開閉可能に支持されている。なお、内枠１２の施錠と前面枠１４の施錠とは、シリンダ錠２０の鍵穴２１に専用の鍵を差し込んで所定の操作を行うことでそれぞれ解除される。
【００２４】
前面枠１４は、装飾用の樹脂部品や電気部品等を組み付けたものであり、その略中央部には略楕円形状に開口形成された窓部１４ｃが設けられている。前面枠１４の裏面側には２枚の板ガラスを有するガラスユニット１６が配設され、そのガラスユニット１６を介して遊技盤１３の前面がパチンコ機１０の前面側に視認可能となっている。
【００２５】
前面枠１４には、球を貯留する上皿１７が前方へ張り出して上面を開放した略箱状に形成されており、この上皿１７に賞球や貸出球などが排出される。上皿１７の底面は前面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００２６】
前面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、前面枠１４の前面視（図１参照）左上部には、ＬＥＤ等の発光手段が内蔵され賞球の払い出し中とエラー発生時とを表示可能な表示ランプ３４が設けられている。
【００２７】
また、右側の電飾部３２下側には、前面枠１４の裏面側を視認できるように裏面側より透明樹脂を取り付けて小窓３５が形成され、遊技盤１３前面の貼着スペースＫ１（図２参照）に貼付される証紙等がパチンコ機１０の前面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２８】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２９】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の前面へ打ち込むために遊技者によって操作される操作ハンドル５１が配設される。
【００３０】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の前面へ球が打ち込まれる。また、操作ハンドル５１が遊技者により操作されていない状態においては、タッチセンサ５１ａおよび発射停止スイッチ５１ｂがオフとなっている。
【００３１】
下皿５０の前面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００３２】
図２に示すように、遊技盤１３は、前面視略正方形状に切削加工したベース板６０に、球案内用の多数の釘（図示せず）や風車（可動部材３１０を図示し、その他は図示せず）の他、レール６１，６２、一般入賞口６３、第１入賞口６４、第２入賞口６４０、第一可変入賞装置６５、第２可変入賞装置６５０、スルーゲート６７、可変表示装置ユニット８０等を組み付けて構成され、その周縁部が内枠１２（図１参照）の裏面側に取り付けられる。ベース板６０は光透過性の樹脂材料からなり、その前面側からベース板６０の後面側に配設された各種構造体を遊技者に視認させることが可能に形成される。一般入賞口６３、第１入賞口６４、第２入賞口６４０、第１可変入賞装置６５、第２可変入賞装置６５０、可変表示装置ユニット８０は、ルータ加工によってベース板６０に形成された貫通穴に配設され、遊技盤１３の前面側からタッピングネジ等により固定されている。
【００３３】
遊技盤１３の前面中央部分は、前面枠１４の窓部１４ｃ（図１参照）を通じて内枠１２の前面側から視認することができる。以下に、主に図２を参照して、遊技盤１３の構成について説明する。
【００３４】
遊技盤１３の前面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の前面外周が囲まれ、遊技盤１３とガラスユニット１６（図１参照）とにより前後が囲まれることにより、遊技盤１３の前面には、球の挙動により遊技が行われる遊技領域が形成される。遊技領域は、遊技盤１３の前面であって２本のレール６１，６２とレール間を繋ぐ樹脂製の外縁部材７３とにより区画して形成される領域（入賞口等が配設され、発射された球が流下する領域）である。
【００３５】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００３６】
遊技領域の前面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００３７】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３８】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３９】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００４０】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００４１】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００４２】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００４３】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００４４】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００４５】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００４６】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００４７】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４８】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４９】
スルーゲート６７は、可変表示装置ユニット８０の下側の領域における右方において遊技盤に組み付けられ、遊技盤に発射された球のうち、遊技盤の右方を流下する球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００５０】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００５１】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は１つに限定されるものではなく、複数（例えば、２つ）であっても良い。また、スルーゲート６７の組み付け位置は可変表示装置ユニット８０の右方に限定されるものではなく、例えば、可変表示装置ユニット８０の左方でも良い。また、第１図柄表示装置３７Ａ，３７Ｂにより保留球数が示されるので、第２図柄保留ランプにより点灯表示を行わないものとしてもよい。
【００５２】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００５３】
一方、第１入賞口６４の前面視右方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００５４】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００５５】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００５６】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００５７】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５８】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５９】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００６０】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００６１】
第１入賞口６４の下方右側には第１可変入賞装置６５が配設されており、その略中央部分に横長矩形状の第１特定入賞口（大開放口）６５ａが設けられている。また、第１入賞口６４の下方左側には第２可変入賞装置６５０が配設されており、その略中央部分に他の入賞口６３，６４，６４０と同程度の大きさの円形形状からなる第２特定入賞口６５０ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａ，６５０ａが、所定時間（例えば、３０秒経過するまで、或いは、球が１０個入賞するまで）開放される。
【００６２】
この特定入賞口６５ａ，６５０ａは、所定時間が経過すると閉鎖され、その閉鎖後、再度、その特定入賞口６５ａ，６５０ａが所定時間開放される。この特定入賞口６５ａ，６５０ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００６３】
第１可変入賞装置６５は、具体的には、第１特定入賞口６５ａを覆う横長矩形状の開閉板と、その開閉板の下辺を軸として前方側に開閉駆動するための大開放口ソレノイド（図示せず）とを備えている。第１特定入賞口６５ａは、通常時は、球が入賞できないか又は入賞し難い閉状態になっている。大当たりの際には大開放口ソレノイドを駆動して開閉板を前面下側に傾倒し、球が第１特定入賞口６５ａに入賞しやすい開状態を一時的に形成し、その開状態と通常時の閉状態との状態を交互に繰り返すように作動する。
【００６４】
第２可変入賞装置６５０は、具体的には、第２特定入賞口６５０ａへ球を案内する案内路と、その案内路の第２特定入賞口６５０ａ側とは反対側となる開口部である開口６５１と、その開口６５１の開放および閉鎖を行うための駆動役物６５０ｂと、その駆動役物６５０ｂを開口６５１の下辺を軸に左右方向に開閉駆動するための小開放口ソレノイド（図示せず）とを備えている。第２特定入賞口６５０ａは、通常時は、球が入賞できないか又は入賞し難い閉状態になっている。大当たりの際には小開放口ソレノイドを駆動して駆動役物６５０ｂを右方に傾倒し、球が第２特定入賞口６５０ａに入賞しやすい開状態を一時的に形成し、その開状態と通常時の閉状態との状態を交互に繰り返すように作動する。
【００６５】
なお、上記した形態に特別遊技状態は限定されるものではない。特定入賞口６５ａ，６５０ａとは別に開閉される大開放口を遊技領域に設け、第１図柄表示装置３７Ａ，３７Ｂにおいて大当たりに対応したＬＥＤが点灯した場合に、特定入賞口６５ａ，６５０ａが所定時間開放され、その特定入賞口６５ａ，６５０ａの開放中に、球が特定入賞口６５ａ，６５０ａ内へ入賞することを契機として特定入賞口６５ａ，６５０ａとは別に設けられた大開放口が所定時間、所定回数開放される遊技状態を特別遊技状態として形成するようにしても良い。また、特定入賞口６５ａ，６５０ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００６６】
遊技盤１３の下側における右隅部には、証紙や識別ラベル等を貼着するための貼着スペースＫ１が設けられ、貼着スペースＫ１に貼られた証紙等は、前面枠１４の小窓３５（図１参照）を通じて視認することができる。
【００６７】
遊技盤１３には、第１アウト口７１及び第２アウト口７２が設けられている。遊技領域を流下する球であって、いずれの入賞口６３，６４，６５ａ，６４０，６５０ａにも入賞しなかった球は、第１アウト口７１又は第２アウト口７２を通って図示しない球排出路へと案内される。第１アウト口７１は、第１入賞口６４の下方に配設される一方、第２アウト口７２は、第２特定入賞口６５０ａの左側に配設される。即ち、第２アウト口７２は、第２特定入賞口６５０ａを挟んで第１アウト口７１の反対側に配設される。
【００６８】
よって、遊技領域を流下する球であって、第２特定入賞口６５０ａよりも前面視右側（図２右側）において遊技領域の下端（内レール６１又は外縁部材７３）に達した球は、内レール６１又は外縁部材７３の傾斜に沿って流下され、第１アウト口７１を通って球排出路へ案内される一方、第２特定入賞口６５０ａよりも前面視左側において遊技領域の下端（内レール６１）に達した球は、内レール６１の傾斜（湾曲）に沿って流下され、第２アウト口７２を通って球排出路へ案内される。
【００６９】
遊技盤１３には、球の落下方向を適宜分散、調整等するために多数の釘が植設されているとともに、風車等の各種部材（役物）とが配設されている。本実施形態においては、風車の内の一つ（可動部材３１０と称す）が遊技盤１３の前面視左側上方に配設され、図２において図示されている。
【００７０】
図３に示すように、パチンコ機１０の後面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００７１】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００７２】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００７３】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００７４】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００７５】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００７６】
次に、図４を参照して、本パチンコ機１０の電気的構成について説明する。図４は、パチンコ機１０の電気的構成を示すブロック図である。
【００７７】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００７８】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００７９】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００８０】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００８１】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として前方側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００８２】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００８３】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００８４】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００８５】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００８６】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００８７】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００８８】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、駆動モータ４２２，３５１４，３６３１が含まれる。
【００８９】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【００９０】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００９１】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００９２】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００９３】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００９４】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００９５】
次いで、図５を参照して、遊技盤１３における第２歯車３２２の伝達軸部３２２ｄと動作ユニット２００における第１遮蔽部材４４１の挿通孔４４１ｂとの位置関係について説明する。
【００９６】
図５は、遊技盤１３及び動作ユニット２００の斜視図である。図５の紙面左側には、遊技盤１３の後面斜視図が図示され、図５の紙面右側には、動作ユニット２００の前面斜視図が図示される。遊技盤１３は、組立状態において、動作ユニット２００の前側に締結固定される。
【００９７】
図５に示すように、遊技盤１３の後面視右側上部には、第１歯車３２１及びその第１歯車３２１に従動して回転される第２歯車３２２が配設される。第１歯車３２１は、上述した時計回り及び反時計回りの双方向に回転可能な風車である可動部材３１０（図２及び図９参照）に同期回転可能に軸連結される。
【００９８】
第２歯車３２２の伝達軸部３２２ｄは、遊技盤１３と動作ユニット２００との組立状態において、昇降動作ユニット４００の挿通孔４４１ｂに挿通可能に形成される。
【００９９】
図６は、遊技盤１３の後面図である。遊技盤１３の後面図については概略として図５で説明したが、ここでは再度詳細に説明する。図６に示すように、遊技盤１３は、第１歯車３２１及び第２歯車３２２を備え、それらは遊技盤１３の後面視右側上部に配設される。ここで、第１歯車３２１は、前面視において戻り球防止部材６８（図２参照）の右側上方に配設される可動部材３１０と同期回転可能に軸連結される（図９参照）。
【０１００】
そのため、球が遊技盤１３の前面（図２参照）を流下し、可動部材３１０（図９参照）に衝突し、可動部材３１０が回転されると、その回転が第１歯車３２１及び第２歯車３２２に伝達され、その回転に伴い伝達軸部３２２ｄが回転されるので、その伝達軸部３２２ｄの一端に配設される第１演出部材４４２（図１２参照）が回転され、第１被遮蔽装置４４０（図５参照）の外観を変化させることとなるが、詳細は後述する。
【０１０１】
ここで、上述したように可動部材３１０が、遊技盤１３の前面視左側上部に配設されるので（図２参照）、球が流下の過程で釘などに衝突して流下経路が分岐する前に、球を可動部材３１０（図９参照）に衝突させることができる。よって、球が可動部材３１０に衝突する確率を高めることができ、可動部材３１０と同期回転する第１歯車３２１の回転力が、第２歯車３２２に伝わる頻度を高めることができるので、後述する第１被遮蔽装置４４０（図１６参照）の外観を変化させる頻度を高めることができる。
【０１０２】
次いで、図７及び図８を参照して、後面ケース２１０への各ユニット４００〜６００の収容構造について説明する。
【０１０３】
図７及び図８は、分解した動作ユニット２００を前面視した動作ユニット２００の分解前面斜視図である。なお、図８では、昇降動作ユニット４００及び揺動動作ユニット６００が後面ケース２１０に装着された状態が図示される。
【０１０４】
動作ユニット２００は、底壁部２１１と、その底壁部２１１の外縁から立設される外壁部２１２とから一面側（図７紙面手前側）が開放された箱状に形成される後面ケース２１０を備える。後面ケース２１０は、その底壁部２１１の中央に矩形状の開口２１１ａが開口形成されることで、前面視矩形の枠状に形成される。開口２１１ａは、第３図柄表示装置８１（図２参照）の外形に対応した（即ち、第３図柄表示装置８１を配設可能な）大きさに形成される。
【０１０５】
動作ユニット２００は、後面ケース２１０の内部空間に、昇降動作ユニット４００、揺動動作ユニット６００及び遮蔽動作ユニット５００がそれぞれ収容され、これを１ユニットとして構成される。
【０１０６】
具体的には、昇降動作ユニット４００は開口２１１ａの上方となる位置において、揺動動作ユニット６００は開口２１１ａの左右となる位置において、それぞれ後面ケース２１０の底壁部２１１に配設される（図８参照）。
【０１０７】
この図８に示す状態に対し、遮蔽動作ユニット５００は揺動動作ユニット６００の前面側に、それぞれ重ね合わされた積層状態で配設され、後面ケース２１０に収容される（図５参照）。
【０１０８】
これら各動作ユニット４００〜６００は、それぞれ独立して動作可能に形成されるので、同時に動作させることができる。よって、各動作ユニット４００〜６００をそれぞれ単体で動作させるだけでなく、これらの動作を組み合わせることができるので、その演出効果を高めることができる。
【０１０９】
次いで、図９を参照して、上述した第１歯車３２１及び第２歯車３２２の遊技盤１３への配設構造について説明する。
【０１１０】
図９は、遊技盤１３に配設された状態における可動部材３１０、第１歯車３２１及び第２歯車３２２の部分拡大後面斜視図である。なお、遊技盤１３は部分的に図示されると共に部分的に断面視される。図９において、紙面下方が遊技盤１３の前方と一致する。
【０１１１】
図９に示すように、遊技盤１３には挿通孔が二箇所に穿設され、一方の挿通孔に可動部材３１０の軸支本体３１１が挿通され、その軸支本体３１１の一端に第１歯車３２１が配設される。また、他方の挿通孔には、第２歯車３２２の軸部３２２ｃが軸支され、第２歯車３２２が第１歯車３２１に歯合された状態で遊技盤１３に配設される。
【０１１２】
可動部材３１０は、遊技盤１３の前面を流下する球に衝突され回転される部材であって、円柱状の軸支本体３１１と、その軸支本体３１１の一端に形成される係止部３１１ａと、軸支本体３１１の係止部３１１ａの反対側において径方向外方へ向けて放射状に等間隔で立設される三枚の羽部３１２ａ〜３１２ｃと、を主に備え、金属製の軸支本体３１１に樹脂材料から形成される羽部３１２ａ〜３１２ｃが固着される。ここで、係止部３１１ａは、断面Ｄ字形状に形成される。
【０１１３】
第１歯車３２１は、可動部材３１０と同期して回転され、樹脂材料から形成される部材であって、前面視円形状の第１本体３２１ａと、その第１本体３２１ａの外周面に刻設される歯３２１ｂと、その歯３２１ｂよりも第１歯車３２１の後面側（遊技盤１３の反対側）となる位置で第１本体３２１ａの外周面からフランジ状に張り出すフランジ部３２１ｃと、第１本体３２１ａの中心に穿設される軸孔部３２１ｄと、を主に備える。軸孔部３２１ｄは、係止部３１１ａに比較して若干大きな断面Ｄ字形状に形成されるので、係止部３１１ａが軸孔部３２１ｄに挿通されることで、可動部材３１０が第１歯車３２１に対して周方向に係止される。可動部材３１０の係止部３１１ｅに抜け止めとしての留め輪Ｅが固定されることで、第１歯車３２１が遊技盤１３の後方へ引き抜き不能に配設される。
【０１１４】
第２歯車３２２は、第１歯車３２１に従動回転され、樹脂材料から形成される部材であって、前面視円形状の第２本体３２２ａと、その第２本体３２２ａの外周面に刻設される歯３２２ｂと、第２本体３２２ａの中心から前方（遊技盤１３側）に立設される円柱状の軸部３２２ｃと、その軸部３２２ｃと同軸に形成されると共に第２本体３２２ａの後方（遊技盤１３の反対側）に立設される円柱形状の伝達軸部３２２ｄと、その伝達軸部３２２ｄの一端から軸方向に立設される断面矩形状の係止部３２２ｅと、を主に備える。第２歯車３２２の軸部３２２ｃは、遊技盤１３に穿設される挿通孔に回転可能に軸支される。
【０１１５】
伝達軸部３２２ｄは、遊技盤１３と動作ユニット２００とが締結固定された状態において、挿通孔４４１ｂに挿通される（図２０参照）。そのため、第２歯車３２２は、遊技盤１３の挿通孔および挿通孔４４１ｂに両持ちで軸支される。
【０１１６】
係止部３２２ｅは、遊技盤１３と動作ユニット２００とが締結固定された状態において、第１演出部材４４２と連結される部分であり、第１演出部材４４２は係止部３２２ｅに周方向に係止されることで第２歯車３２２と同期して回転される（図２０参照）。
【０１１７】
可動部材３１０から第２歯車３２２への回転の伝達について説明する。可動部材３１０及び第１歯車３２１の連結は、可動部材３１０の係止部３１１ａが第１歯車３２１の軸孔部３２１ｄに挿通されることで行われる。係止部３１１ａ及び軸孔部３２１ｄは周方向に係止されるので、可動部材３１０が回転されることで、第１歯車３２１は可動部材３１０に同期して回転される。第１歯車３２１が回転されると、その第１歯車３２１に歯合される第２歯車３２２が回転される。よって、可動部材３１０から第２歯車３２２へ回転が伝達される。
【０１１８】
フランジ部３２１ｃの作用について説明する。第２歯車３２２が遊技盤１３に穿設される挿通孔に保持されると共に、第１歯車３２１の歯３２１ｂと第２歯車３２２の歯３２２ｂとが歯合されると、第２歯車３２２がフランジ部３２１ｃ及び遊技盤１３に挟まれる位置関係となり、第１歯車３２１のフランジ部３２１ｃが第２歯車３２２の抜け止めとして作用する。即ち、第１歯車３２１のフランジ部３２１ｃと、第２歯車３２２の歯３２２ｂとは、軸方向で重なる部分を有すると共に、第１歯車３２１は上述したように前後方向に引き抜き不能に配設されているので、第２歯車３２２を第１歯車３２１と同様に前後方向に引き抜き不能とすることができる。よって、第２歯車３２２を遊技盤１３から引き抜き不能とするＥリング等の別部材を配設不要とでき、部品コストを削減することができる。
【０１１９】
また、第１歯車３２１にフランジ部３２１ｃが形成されるので、そのフランジ部３２１ｃによって、第２歯車３２２を利用して第１歯車３２１が回転により傾斜することを抑制することができる。即ち、第２歯車３２２は、遊技盤１３が動作ユニット２００に締結固定された状態においては、上述したように、遊技盤１３の挿通孔と第１遮蔽部材４４１の挿通孔４４１ｂとに両持ち支持されるので、回転時の軸心が安定する（図２０参照）。一方、第１歯車３２１は、遊技盤１３に挿通された軸支本体３１１に片持ち支持されるので、回転時の軸心が傾斜しやすい構造である。これに対し、本実施形態では、第１歯車３２１にフランジ部３２１ｃが形成されるので、第１歯車３２１が第２歯車３２２側に傾斜する場合にフランジ部３２１ｃが第２歯車３２２の歯３２２ｂの側面に当接し、第１歯車３２１の傾斜が規制される。よって、第１歯車３２１の傾斜を抑制する補助部材を配設することなしに、第１歯車３２１と第２歯車３２２との歯合状態を適正として、伝達効率の向上を図ると共に、第１歯車３２１に連結される可動部材３１０の回転を滑らかなものにできる。
【０１２０】
更に、第１歯車３２１は、第１本体３２１ａの外周面からフランジ部３２１ｃが張り出して形成されるので、かかるフランジ部３２１ｃにより第１歯車３２１の剛性を高めることができる。特に、本実施形態では、フランジ部３２１ｃが歯３２１ｂの軸方向端面に連設されるので、歯３２１ｂの剛性を高めることができる。その結果、歯３２１ｂの耐久性の向上を図ることができる。
【０１２１】
ここで、第１歯車３２１のフランジ部３２１ｃは、歯３２１ｂの谷よりも山頂側に張り出されていれば足りる。歯３２１ｂの谷よりも張り出されていれば、第２歯車３２２の歯３２２ｂの山頂側の端面に当接できるからである。また、フランジ部３２１ｃの形成に要する材料を抑制して、軽量化および材料コストの削減を図ることができる。但し、フランジ部３２１ｃは、歯３２１ｂの山頂側よりも更に径方向外方へ張り出されていることが好ましい。第１歯車３２１の傾斜をより確実に抑制できるからである。
【０１２２】
なお、第１歯車３２１の歯数に比較して第２歯車３２２の歯数が多く配設される（本実施形態においては歯数比２）。これにより、第２歯車３２２の係止部３２２ｅに周方向に係止される第１演出部材４４２（図１８参照）の回転可能な角度が制限される場合に、それに伴い第２歯車３２２の回転可能角度が制限されたとしても、第１歯車３２１の回転可能角度を第２歯車３２２の回転可能角度に比較して大きくでき、結果として、可動部材３１０の回転可能角度を大きくすることができる。よって、可動部材３１０の回転角度を十分確保することができる。
【０１２３】
可動部材３１０と第１歯車３２１との遊技盤１３に対する組み付け構造について説明する。まず、可動部材３１０の軸支本体３１１を遊技盤１３に穿設される挿通孔に前面側から挿通させることで遊技盤１３の後面側まで貫通させ、そして、軸支本体３１１の係止部３１１ａに第１歯車３２１の軸孔部３２１ｄを挿通させると共に、係止部３１１ａの係止溝に留め輪Ｅを嵌め込む。これにより、可動部材３１０と第１歯車３２１とが遊技盤１３の前後方向に引き抜き不能となると共に、可動部材３１０と第１歯車３２１とが同期回転可能に遊技盤１３に保持される。
【０１２４】
上記した構造によれば、遊技盤１３に可動部材３１０、第１歯車３２１及び第２歯車３２２を組み付ける際には、第２歯車３２２を遊技盤１３に組み付けてから、可動部材３１０及び第１歯車３２１を遊技盤１３に組み付けるようにすることで容易に組み付けできる。これは、遊技盤１３に第１歯車３２１が配設されると第１歯車３２１のフランジ部３２１ｃによって第２歯車３２２の前後方向への移動が規制されるので、第２歯車３２２の保持部材として第１歯車３２１が作用するためである。その上、本実施形態によれば、可動部材３１０、第１歯車３２１及び第２歯車３２２の複数の部材全てを遊技盤１３に配設するために、それらの部材の個数に対応する複数の保持部材を要さず留め輪Ｅを一箇所（係止部３１１ａの係止溝）に嵌め込むだけで足りる。即ち、第１歯車３２１がフランジ部３２１ｃを備えることで、遊技盤１３への可動部材３１０、第１歯車３２１及び第２歯車３２２の組み付け工数を抑えると共に、保持部材の配設個数を抑制することができる。
【０１２５】
次いで、図１０から図２５を参照して、第２歯車３２２の伝達軸部３２２ｄが挿通される第１被遮蔽装置４４０及びその第１被遮蔽装置４４０を有する昇降動作ユニット４００について説明する。
【０１２６】
図１０及び図１１は、昇降動作ユニット４００の前面図である。なお、図１０では、昇降部材４６０が上昇位置に配置された状態が図示され、図１１では、昇降部材４６０が下降位置に配置された状態が図示される。
【０１２７】
図１０及び図１１に示すように、昇降動作ユニット４００は、取り付けベース４１０の前面側を昇降部材４６０が上下方向（図１０上下方向）にスライド移動する構造に形成されており、昇降部材４６０の後面側に被遮蔽領域Ｐ１を有する。その被遮蔽領域Ｐ１は、図１０に示すように、昇降部材４６０が上昇位置に配置される場合には昇降部材４６０に隠され視認されないが、一方で、図１１に示すように、取り付けベース４１０に対して昇降部材４６０が下降位置に配置される場合には前面視において視認される領域である。なお、昇降部材４６０が昇降動作する機構の詳細については後述する。
【０１２８】
図１２は、昇降動作ユニット４００の分解前面斜視図であり、図１３は昇降動作ユニット４００の分解後面斜視図である。
【０１２９】
図１２及び図１３に示すように、昇降動作ユニット４００は、長尺板形状の取り付けベース４１０と、その取り付けベース４１０の後面側右方に締結固定される駆動部４２０と、その駆動部４２０の生ずる駆動力により上下方向（図１２上下方向）にスライド移動されるスライドベース４３０と、取り付けベース４１０の前面側に前面視左方に締結固定される第１被遮蔽装置４４０と、取り付けベース４１０の前側中央に嵩上げされて締結固定される嵩上げ締結前板４５０と、その嵩上げ締結前板４５０を収納する態様で上下方向にスライド移動される昇降部材４６０と、取り付けベース４１０の後方にスライドベース４３０を挟んで左右に配設される一対の嵩上げ部材４７０と、を主に備える。
【０１３０】
なお、一対の嵩上げ部材４７０は、前後方向に開放された形状に形成され、取り付けベース４１０の後面側に配設される駆動部４２０を嵩上げ部材４７０の内部空間に収容可能とされる。
【０１３１】
取り付けベース４１０は、主に樹脂材料から形成され、長尺板形状の本体部４１０ａと、その本体部４１０ａに上下方向に延設される開口である複数の案内溝４１１と、その案内溝４１１に併設されるピニオン案内溝４１２と、そのピニオン案内溝４１２の側面に複数の歯がラックギヤとして刻設されるラック部４１３と、本体部４１０ａの後面から嵩上げ部材４７０へ向けて突出されると共にその嵩上げ部材４７０の挿通孔に挿通された締結ねじが締結可能に形成される複数（本実施形態では４本）の締結部４１４と、本体部４１０ａの前面視左方に穿設される複数（本実施形態では２箇所）の締結孔４１５と、その締結孔４１５に締結固定される第１被遮蔽装置４４０を位置合わせする規制部４１６と、を主に備える。
【０１３２】
案内溝４１１は、スライドベース４３０のスライド移動を案内する溝である。複数（本実施形態では３本）の案内溝４１１が平行に併設され、それらの案内溝４１１にそれぞれスライドベース４３０の挿通部４３１が挿通されるので、スライドベース４３０のスライド移動中の姿勢を一定に保つことができる。
【０１３３】
ピニオン案内溝４１２は、スライドベース４３０の挿通軸４３２ａに軸支されたピニオンギア４３２ｂを案内する溝であり、組立状態において、ピニオンギア４３２ｂがラック部４１３及び昇降部材４６０の後面側に配設されるラック部４６４の両者に歯合され、これにより、ダブルラック・ピニオン構造が形成される。よって、取り付けベース４１０に対してスライドベース４３０がスライド移動（昇降）されると、ダブルラック・ピニオン機構を介して、昇降部材４６０がスライドベース４３０に対してスライド移動される。即ち、昇降部材４６０は、スライドベース４３０よりも増速された状態で、取り付けベース４１０に対してスライド移動（昇降）される。
【０１３４】
締結部４１４は、嵩上げ部材４７０に締結固定される部分である。嵩上げ部材４７０が後面ケース２１０（図７参照）に締結固定されることで、昇降動作ユニット４００の取り付けベース４１０が後面ケース２１０に固定される。
【０１３５】
規制部４１６は、取り付けベース４１０の正面視左側下方において前側に断面矩形状に突設される部分であり、第１被遮蔽装置４４０を本体部４１０ａに取り付ける際の作業不良防止部として機能する。即ち、後述するように、第１被遮蔽装置４４０の第１遮蔽部材４４１は台形板形状に形成されるので、正方形のように姿勢が一義的に決まらない形状と異なり、取り付けベース４１０への取り付け時の第１被遮蔽装置４４０の姿勢を作業者が確認しやすい。しかし、不注意で姿勢を誤って取り付ける（上下反対等）恐れがある。そこで、第１被遮蔽装置４４０を規制部４１６の上側壁部に沿わせて本体部４１０ａに組み付けることで、第１被遮蔽装置４４０の取り付け時の姿勢を一義的に定めることができ、組み付け間違いを防止することができる。よって、昇降動作ユニット４００の製造コストを低減することができる。
【０１３６】
スライドベース４３０は、取り付けベース４１０の後方に配設され、樹脂材料から形成される部材であって、四角形板形状の本体部４３０ａと、その本体部４３０ａの前面に複数突出されると共に複数の案内溝４１１ｂのそれぞれに挿通される複数の挿通部４３１と、本体部４３０ａの前面に突出される支持軸４３２ａと、その支持軸４３２ａに回転可能に軸支されるピニオンギア４３２ｂと、本体部４３０ａの後面から突出される挿通軸４３３と、を主に備える。
【０１３７】
挿通部４３１は、複数（本実施形態では３箇所）配設され、取り付けベース４１０の複数の案内溝４１１にそれぞれ挿通される部分であり、挿通部４３１が案内溝４１１に挿通された状態で、前側から抜け止めとしてのカラーＣを介して締結ねじで締結されることで、取り付けベース４１０に対してスライドベース４３０が前後方向に位置決めされる。よって、スライドベース４３０は、案内溝４１１の延設方向である上下方向（図１２上下方向）への移動のみが可能となる。また、上述したように、挿通部４３１が、平行に併設される案内溝４１１のそれぞれに挿通されることで、スライドベース部材の左右方向への移動が規制されるので、スライドベース４３０が上下方向に移動される際のスライドベース４３０の姿勢を一定に保持することができる。
【０１３８】
挿通軸４３３は、回動部材４２８の摺動孔４２８ａに挿通される。後述するように回動部材４２８が上下方向に回転移動されることで、スライドベース４３０が上下方向にスライド移動される。
【０１３９】
ピニオンギア４３２ｂは支持軸４３２ａに回転可能に軸支され、更にピニオンギア４３２ｂはピニオン案内溝４１２に挿通され、ピニオンギア４３２ｂと取り付けベース４１０のラック部４１３とが歯合される。そのため、スライドベース４３０が上下方向にスライド移動されると、ピニオンギア４３２ｂが回転され、その回転に伴い上述したようにピニオンギア４３２ｂに歯合される昇降部材４６０が上下方向にスライド移動される。
【０１４０】
昇降部材４６０は、後面側中央部に上下方向に幅広の凹溝が延設されると共にＬＥＤ等が配設される基盤を内部に有する長尺板形状の前側本体部４６１と、その前側本体部４６１の後面側に締結固定される長尺板形状の後側本体部４６２と、その後側本体部４６２の上側から下方に延設して開口される一対の逃げ溝４６３と、それら一対の逃げ溝４６３の内の一方（後面視右側）の逃げ溝４６３の延設方向に沿って併設されるラック部４６４と、を主に備える。
【０１４１】
前側本体部４６１と後側本体部４６２とは、締結固定されることで上側に開口が形成されるように構成され、その開口は、昇降部材４６０が上昇位置に配置された場合に、昇降部材４６０が嵩上げ締結前板４５０を前後から抱え込むように収納する空間としての機能を有する。昇降部材４６０に嵩上げ締結前板４５０が収納される収納状態において、前側本体部４６１は嵩上げ締結前板４５０の前側に配設され、後側本体部４６２は嵩上げ締結前板４５０の後側に配設される。その結果、昇降部材４６０の板厚方向の姿勢を維持することができる。
【０１４２】
即ち、昇降部材４６０は基盤等の配設される前側本体部４６１側に重心を有するので、昇降部材４６０には前面側に倒れようとする力が働く。そのため、例えば、昇降部材４６０が嵩上げ締結前板４５０の前面側のみに形成される場合、昇降部材４６０が前側に倒れることを防止するには、別個の保持部材（案内レール等）が必要となる。一方、本実施形態のように、嵩上げ締結前板４５０が取り付けベース４１０から嵩上げされて締結され、嵩上げ締結前板４５０及び取り付けベース４１０の間に形成される隙間に後側本体部４６２が形成される構成によれば、昇降部材４６０の前側本体部４６１が昇降動作ユニット４００の最前面に配設されることで演出効果を向上させる効果を維持しながら、一方で昇降部材４６０が前倒れしそうになっても、嵩上げ締結前板４５０の後面に後側本体部４６２が当接されることで昇降部材４６０の前倒れを防ぐことができる。
【０１４３】
一対の逃げ溝４６３は、昇降部材４６０が昇降動作する場合に、嵩上げ締結前板４５０の後面側から突設される複数（本実施形態では４箇所、図１３参照）の嵩上げ締結部と昇降部材４６０の後側本体部４６２とが干渉するのを防止するために形成される開口である。
【０１４４】
後側本体部４６２は、一対の逃げ溝４６３よりも中央寄りに、前面側へ向けて延設される一対の側壁４６２ａを備える。昇降動作ユニット４００の組立状態において、一対の側壁４６２ａが、嵩上げ締結前板４５０の後面側左右（図１３左右方向）の内側面と当接し、昇降部材４６０の上下移動時における左右方向への位置ずれを防止する。
【０１４５】
ラック部４６４は、昇降動作ユニット４００の組立状態においてスライドベース４３０のピニオンギア４３２ｂが歯合される部分である。即ち、組立状態において、スライドベース４３０のピニオンギア４３２ｂが取り付けベース４１０のラック部４１３及び昇降部材４６０のラック部４６４の両者に歯合される。この場合、スライドベース４３０の挿通軸４３２ａに軸支されたピニオンギヤ４３２ｂが、取り付けベース４１０のラック部４１３と、昇降部材４６０の後面側に配設されたラック部４６４との両者に歯合され、これにより、ダブルラック・ピニオン構造が形成される。
【０１４６】
よって、取り付けベース４１０に対してスライドベース４３０がスライド移動（昇降）されると、ダブルラック・ピニオン機構を介して、昇降部材４６０がスライドベース４３０に対してスライド移動される。即ち、昇降部材４６０は、スライドベース４３０よりも増速された状態で、取り付けベース４１０に対してスライド移動（昇降）される。ここで、図１４を参照して、昇降動作ユニット４００の昇降部材４６０が取り付けベース４１０に対して昇降動作される機構について説明する。
【０１４７】
図１４（ａ）及び図１４（ｂ）は、昇降動作ユニット４００の後面図である。図１４（ａ）では、昇降部材４６０が上昇位置に配置された状態が図示され、図１４（ｂ）では、昇降部材４６０が下降位置に配置された状態が図示される。なお、図１４（ａ）及び図１４（ｂ）においては、理解を容易にするために、一対の嵩上げ部材４７０の図示が省略される。
【０１４８】
図１４（ａ）に示すように、昇降部材４６０が上昇位置に配置された状態において、スライドベース４３０の下端と昇降部材４６０の下端とが略同一位置に配置されるのに対し、図１４（ｂ）に示すように、昇降部材４６０が下降位置に配置された状態において、スライドベース４３０の下端と昇降部材４６０の下端とは、異なった位置に配置される。よって、昇降部材４６０が昇降動作される距離に比較し、スライドベース４３０がスライド変位される距離を抑制することができる。そのため、スライドベース４３０をスライド変位させる駆動部４２０の回動部材４２８が回転動作される範囲を抑制できるので、駆動部４２０全体の構造を小型化でき、省スペースに駆動部４２０を配設することができる。
【０１４９】
なお、昇降部材４６０が下降位置に配置された状態において、スライドベース４３０の下端と昇降部材４６０の下端とが、異なった位置に配置されるのは、上述したダブルラック・ピニオン機構を介して、昇降部材４６０がスライドベース４３０に対してスライド移動（昇降）されるためである。即ち、昇降部材４６０は、スライドベース４３０よりも増速された状態で、取り付けベース４１０に対してスライド移動（昇降）されるので、下降位置におけるスライドベース４３０と昇降部材４６０との配置に差が生じる。
【０１５０】
図１５を参照し、駆動部４２０について説明する。駆動部４２０は、スライドベース４３０（図１４参照）を上下方向（図１４上下方向）にスライド移動（昇降）させるための駆動力が発生されるユニットであり、取り付けベース４１０の後面側であって、スライドベース４３０の側方に配設される。
【０１５１】
図１５は、駆動部４２０の部分後面図である。なお、図１５では、ケース体４２１（図１４参照）及び駆動モータ４２２（図１４参照）の図示を省略する。
【０１５２】
図１５に示すように、駆動部４２０は、ケース体４２１（図１４参照）と、そのケース体４２１の後面側に配設されると共に駆動軸をケース体４２１の前面側に突出させる駆動モータ４２２（図１４参照）と、その駆動モータ４２２の駆動軸に固着されるピニオンギヤ４２３と、そのピニオンギヤ４２３に歯合されると共にケース体４２１の前面から突設される回転軸４２４ａに回転可能に軸支されるクランク歯車４２４と、そのクランク歯車４２４に一端が回転軸４２５ａを介して回転可能に軸支される連接棒４２５と、その連接棒４２５の他端から突設される連結軸４２６と、ケース体４２１の後面から突設される支持軸４２７と、その支持軸４２７及び連結軸４２６が挿通される挿通孔を有する長尺板形状の回動部材４２８と、を主に備える。なお、駆動モータ４２２の駆動軸、回転軸４２４ａ，４２５ａ、連結軸４２６及び支持軸４２７は、それぞれ平行に配設される。
【０１５３】
連接棒４２５の一端をクランク歯車４２４に回転可能に軸支する回転軸４２５ａは、クランク歯車４２４の回転軸４２４ａに対して偏心する位置に配置され、連接棒４２５の他端から突設される連結軸４２６は、支持軸４２７に軸支される回動部材４２８が回転する方向に沿ってのみ移動可能とされる。そのため、クランク歯車４２４、回転軸４２５ａ及び連接棒４２５は、クランク歯車４２４の回転運動を、連接棒４２５を介して、連結軸４２６の往復運動に変換するクランク機構を構成する。
【０１５４】
即ち、駆動モータ４２２（図１４参照）の回転駆動によりピニオンギヤ４２３が回転され、その回転によりクランク歯車４２４が一方向（例えば、矢印Ａ１方向）に回転されると、連結軸４２６が回動部材４２８の回転方向に沿って一方向（矢印Ｂ１方向）へ移動される一方、駆動モータ４２２が逆方向に回転駆動され、クランク歯車４２４が他方向（矢印Ａ２方向）に回転されると、連結軸４２６の移動方向が逆転され、かかる連結軸４２６が回動部材４２８の回転方向に沿って他方向（矢印Ｂ２方向）へ移動される。これにより、回動部材４２８の一端が上下方向に移動され、スライドベース４３０（図１４（ａ），（ｂ）参照）を上下方向に移動させることができる。
【０１５５】
図１４に戻って説明する。回動部材４２８は、支持軸４２７（図１５参照）が挿通される軸支孔が配設される一端の反対側の他端に長径方向に延設される長穴形状に開口される摺動孔４２８ａを有し、その摺動孔４２８ａにスライドベース４３０の後面から突出される挿通軸４３３が挿通されることで、回動部材４２８が上下方向に回動されると、スライドベース４３０が上下方向にスライド移動される。
【０１５６】
図１０及び図１１に戻って説明する。上述したスライド機構によりスライドベース４３０がスライド移動され下降されるに伴い、昇降部材４６０が上昇位置から下降され下降位置に配置されると、前面視において被遮蔽領域Ｐ１に第１被遮蔽装置４４０の視認孔４４１ｃを視認可能となる。ここで図１６から図１８を参照して、第１被遮蔽装置４４０について説明する。
【０１５７】
図１６（ａ）は、第１被遮蔽装置４４０の前面斜視図であり、図１６（ｂ）は、第１被遮蔽装置４４０の後面斜視図である。
【０１５８】
図１６（ａ）及び図１６（ｂ）に示すように、第１被遮蔽装置４４０は、被遮蔽領域Ｐ１の外観を変化させる装置であり、昇降動作ユニット４００の取り付けベース４１０（図１１参照）の前面視左側に前方から締結固定される第１遮蔽部材４４１と、その第１遮蔽部材４４１の後面側に配設される第１演出部材４４２と、その第１演出部材４４２及び第１遮蔽部材４４１間に配設されると共に第１演出部材４４２を初期位置に付勢する付勢力を生じる付勢バネ４４３と、を主に備える。なお、第１演出部材４４２の初期位置とは、付勢バネ４４３の一端が係止される係止ピン４４１ｈと付勢バネ４４３の他端が係止される係止ピン４４２ｆとが引き寄せられ、それに伴い第１演出部材４４２が停止される位置を意味し、初期位置において、付勢バネ４４３は自然長よりも伸ばされた状態で配設される。
【０１５９】
第１遮蔽部材４４１は、前面視において視認孔４４１ｃを通して第１演出部材４４２を部分的に視認可能とする部材である。視認孔４４１ｃは、上述したように、昇降動作ユニット４００の昇降部材４６０が下降位置に配置されると前面視において視認可能となる（図１１参照）。ここで、図１７を参照して、第１遮蔽部材４４１について説明する。
【０１６０】
図１７（ａ）は、第１遮蔽部材４４１の前面斜視図であり、図１７（ｂ）は、第１遮蔽部材４４１の後面斜視図である。
【０１６１】
図１７（ａ）に示すように、第１遮蔽部材４４１は、台形板形状の本体部４４１ａと、その本体部４４１ａの前面視左側上部に開口される挿通孔４４１ｂと、本体部４４１ａの中央付近に開口される視認孔４４１ｃと、を主に備える。ここで、挿通孔４４１ｂ及び視認孔４４１ｃの軸間距離は軸間距離Ｌ１で形成される。
【０１６２】
図１７（ｂ）に示すように、第１遮蔽部材４４１は、本体部４４１ａの後面から取り付けベース４１０（図１１参照）へ向けて突出されると共に取り付けベース４１０の締結孔４１５に挿通された締結ねじが締結可能に形成される複数（本実施形態では２本）の嵩上げ締結部４４１ｄと、本体部４４１ａの後面から立設されるリング形状の嵌合壁部４４１ｅと、その嵌合壁部４４１ｅの外周外側において視認孔４４１ｃの反対側にあたる位置に、嵌合壁部４４１ｅから隙間を空けて本体部４４１ａの後面から後方に立設される壁面である湾曲壁部４４１ｆと、その湾曲壁部４４１ｆの立設端から嵌合壁部４４１ｅ側に突出される抜け止め部４４１ｇと、視認孔４４１ｃを介して嵌合壁部４４１ｅの反対側に本体部４４１ａの後面から立設される円柱状の係止ピン４４１ｈと、を主に備える。ここで、嵌合壁部４４１ｅ、視認孔４４１ｃ及び係止ピン４４１ｈは一直線上に配設される。
【０１６３】
第１遮蔽部材４４１は、樹脂材料から一体成形されると共に、本体部４４１ａの前面には、視認孔４４１ｃの右側下方に絵柄（本実施形態では「打て！」の文字）が表示される。本体部４４１ａに表示される絵柄と、後述する第１演出部材４４２の表示４４２Ｒ，４４２Ｎ，４４２Ｌ（図１８（ａ）参照）とが組み合わさり、遊技者が複数のメッセージを受け取り可能にすることができる。どのようなメッセージを受け取り可能かについては後述する。
【０１６４】
本体部４４１ａは、台形板形状に形成されるので、組み付け作業の作業性を向上させることができる。即ち、台形板形状であれば、正方形などの方向性のない形状と異なり、形状から姿勢が一義的に把握できるためである。
【０１６５】
嵌合壁部４４１ｅは、内周が挿通孔４４１ｂと同軸同径に形成されるので、遊技盤１３及び動作ユニット２００が締結固定され、第２歯車３２２（図２０参照）の伝達軸部３２２ｄが挿通孔４４１ｂに挿通される際に、伝達軸部３２２ｄを支持する内周面の面積を十分に確保することができる。その結果、伝達軸部３２２ｄの軸心を安定させ、第２歯車３２２の回転を安定させることができる。
【０１６６】
ここで、伝達軸部３２２ｄ（図２０参照）の内周面の面積を確保することは、本体部４４１ａの板厚を一律に増加させることでも達成可能であるが、その場合には、使用される材料が不必要に多くなり材料コストが嵩む。更に、第１遮蔽部材４４１は、取り付けベース４１０及び昇降部材４６０の間という限られたスペースに配設されることに加え（図１０参照）、第１遮蔽部材４４１の後面側には第１演出部材４４２が配設されるので（図１６参照）、その第１演出部材４４２の配設スペースを確保するためにも、本体部４４１ａの板厚を一律に増加させることは好ましくない。
【０１６７】
そこで、本実施形態では、伝達軸部３２２ｄ（図２０参照）を内嵌する機能を発揮する部分としての嵌合壁部４４１ｅに限定して板厚を増加させる構造が採用される。これにより、第１演出部材４４２（図１６参照）の配設スペースを十分確保することができ、第１演出部材４４２の設計自由度を向上させることができる。
【０１６８】
湾曲壁部４４１ｆは、嵌合壁部４４１ｅ側が凹んで湾曲しており、内周面が嵌合壁部４４１ｅと同軸に形成されると共に、内周面の外径が第１演出部材４４２（図１６参照）の筒状軸部４４２ｂの外径に比較し若干大きく形成されるので、第１演出部材４４２の回転時のガイドとして作用する。よって、第１演出部材４４２を安定して回転させることができる。
【０１６９】
抜け止め部４４１ｇは、湾曲壁部４４１ｆから嵌合壁部４４１ｅ側へ突出される部分であって、組立状態（図１６参照）において第１演出部材４４２（図１６参照）の筒状軸部４４２ｂと部分的に重なることで第１遮蔽部材４４１から第１演出部材４４２が脱落することを防止する部分であるが、その脱落防止機能については後述する。
【０１７０】
図１６に戻って説明する。嵩上げ部材４４１ｄは、取り付けベース４１０に締結固定されることで、本体部４４１ａと取り付けベース４１０との間に隙間を形成する（図２０参照）。この隙間内で、第１演出部材４４２が回転動作される。
【０１７１】
第１演出部材４４２は、第１遮蔽部材４４１の後面側に配設され、その第１演出部材４４２は、表示４４２Ｒ，４４２Ｎ，４４２Ｌ（図１８参照）が前面側に形成される。ここで、図１８及び図１９を参照して、第１演出部材４４２について説明する。
【０１７２】
図１８（ａ）は、第１演出部材４４２の前面斜視図であり、図１８（ｂ）は、第１演出部材４４２の後面斜視図であり、図１９は第１演出部材４４２の前面図である。なお、図１９において、筒状軸部４４２ｂ及び係止ピン４４２ｆを結ぶ仮想的な直線を中心線Ｏとして図示すると共に、組立状態（図１６参照）において、第１演出部材４４２が初期位置に配置された状態における第１被遮蔽装置４４０の視認孔４４１ｃを仮想円として図示する。
【０１７３】
図１８（ａ）に示すように、第１演出部材４４２は、扇型の板形状からなる本体部４４２ａと、その本体部４４２ａの扇形の一端に外周を連結される筒形状の筒状軸部４４２ｂと、を主に備え、樹脂材料から一体成形される。
【０１７４】
筒状軸部４４２ｂは、本体部４４２ａの板厚方向に貫通される開口を有する筒形状に形成され、筒状軸部４４２ｂの前面側（図１８（ａ）手前側）に形成される大径孔部４４２ｃと、その大径孔部４４２ｃから本体部４４２ａの板厚方向中心側に大径孔部４４２ｃと同軸に連接されると共に、内周が大径孔部４４２ｃよりも小径に形成される小径孔部４４２ｄと（図２０参照）、筒状軸部４４２ｂの後面側に矩形状に開口される連結孔部４４２ｅと、を主に備える。
【０１７５】
筒状軸部４４２ｂの外径は、第１遮蔽部材４４１（図１６参照）の湾曲壁部４４１ｆの内径よりも若干小さく形成される。そのため、組立状態（図１６参照）において筒状軸部４４２ｂを湾曲壁部４４１ｆの内側に収めることができる。
【０１７６】
筒状軸部４４２ｂの軸方向の厚みは、湾曲壁部４４１ｆの立設端（抜け止め部４４１ｇの前側端）と嵌合壁部４４１ｅの立設端との間隔より若干大きく形成され、湾曲壁部４４１ｆの立設端（抜け止め部４４１ｇの前側端）と本体部４４１ａの後面との間隔より小さくされる。
【０１７７】
大径孔部４４２ｃの内径は嵌合壁部４４１ｅ（図１７参照）の外径よりも若干大きく形成される。そのため、第１被遮蔽装置４４０の組立状態（図１６参照）において、嵌合壁部４４１ｅに大径孔部４４２ｃを外嵌させることで、第１遮蔽部材４４１に第１演出部材４４２を仮留めすることができると共に、第１演出部材４４２を第１遮蔽部材４４１に回転可能に軸支することができる。
【０１７８】
小径孔部４４２ｄには、遊技盤１３と動作ユニット２００と（図５参照）の組立状態において、伝達軸部３２２ｄ（図５参照）が挿通される。また、連結孔部４４２ｅは、遊技盤１３と動作ユニット２００との組立状態において、第２歯車３２２の係止部３２２ｅ（図９参照）に外嵌される。そのため、第１演出部材４４２が第２歯車３２２に周方向に係止されて回転されるので、上述したように、可動部材３１０の回転に伴い第１演出部材４４２が回転される（図２０参照）。
【０１７９】
また、図１８（ｂ）に示すように、第１演出部材４４２は、本体部４４２ａの中心線として仮想的に図示される直線Ｏ上であって（図１９参照）、筒状軸部４４２ｂの配設される一端の反対側の他端に、本体部４４２ａの後面から立設される円柱状の係止ピン４４２ｆを備える。係止ピン４４２ｆは付勢バネ４４３の一端が係止される部分である。
【０１８０】
図１９に示すように、第１演出部材４４２の前面には、第１遮蔽部材４４１の視認孔４４１ｃの内径にそれぞれ収まる大きさの表示４４２Ｒ（本実施形態では「右」）、表示４４２Ｎ（本実施形態では無地）及び表示４４２Ｌ（本実施形態では「激」）が、筒状軸部４４２ｂの中心点から軸間距離Ｌ２で描いた円周上に配置されると共に、表示４４２Ｎは中心線Ｏ上に、表示４４２Ｒ，４４２Ｌは中心線Ｏから左右にそれぞれθ０（後述するθ１／２と等しい）だけ位相ずれした位置に配置される。本実施形態では中心線Ｏの右側に表示４４２Ｒが、中心線Ｏの左側に表示４４２Ｌが、それぞれ表示の上方を筒状軸部４４２ｂに向けた姿勢で図示される。ここで、本実施形態においては、軸間距離Ｌ２の長さは、上述した軸間距離Ｌ１（図１７参照）と同一に設定される（Ｌ１＝Ｌ２）。
【０１８１】
そのため、第１被遮蔽装置４４０の組立状態（図１６参照）において、第１演出部材４４２が筒状軸部４４２ｂを中心に第１遮蔽部材４４１（図１６参照）に対して回転されることで、第１演出部材４４２の表示４４２Ｒ，４４２Ｎ，４４２Ｌのいずれかと第１遮蔽部材４４１の視認孔４４１ｃとの位置を一致させることができ、前面視において視認孔４４１ｃから表示４４２Ｒ，４４２Ｎ，４４２Ｌのいずれかを視認可能とできると共に、角度θ０毎に視認孔４４１ｃから視認される表示４４２Ｒ，４４２Ｎ，４４２Ｌを切り替えることができる。よって、第１被遮蔽装置４４０の外観を変化させることができると共に、その変化を明確に区別することができる。
【０１８２】
ここで、本実施形態とは異なり、第１演出部材４４２の前面が第１遮蔽部材４４１（図１６参照）に全く隠されないとすると、前面視で視認可能な第１演出部材４４２の模様や表示は、位相違いを区別しないとすれば１種類である。そのため、第１演出部材４４２の外観の変化を把握することが難しい。
【０１８３】
一方、本実施形態のように、第１遮蔽部材４４１（図１６参照）が第１演出部材４４２の前面側に配設され、第１遮蔽部材４４１の視認孔４４１ｃから第１演出部材４４２が視認される態様で形成されることで、第１演出部材４４２の視認可能な部分を第１演出部材４４２が回転されることによって変更可能とすることができる。また、そうすることで複数種類の模様や表示を第１演出部材４４２の前面で別々に視認可能とでき、第１演出部材４４２の演出効果を向上させることができる。本実施形態では、第１演出部材４４２の前面に複数種類の表示４４２Ｒ，４４２Ｎ，４４２Ｌを互いに離して形成しているので、第１演出部材４４２の回転毎に、別々の表示４４２Ｒ，４４２Ｎ，４４２Ｌを視認可能とすることができる。
【０１８４】
図１６に戻って説明する。図１６（ａ）及び図１６（ｂ）に示す初期位置では、係止ピン４４１ｈ及び係止ピン４４２ｆが付勢バネ４４３の付勢力で引き寄せられ、第１演出部材４４２が、係止ピン４４２ｆを係止ピン４４１ｈへ向けた姿勢で停止する。つまり、初期位置では、第１演出部材４４２の中心線Ｏ（図１９参照）と、上述した嵌合壁部４４１ｅ、視認孔４４１ｃ及び係止ピン４４１ｈの配設位置を結ぶ直線とが一致する。よって、前面側（紙面手前側）から視認孔４４１ｃを通して、第１演出部材４４２の前面側を視認する場合に、第１演出部材４４２の中心線Ｏ上の表示４４２Ｎ（図１８（ａ）及び図１９参照）が視認される。
【０１８５】
抜け止め部４４１ｇは、上述したように、湾曲壁部４４１ｆから嵌合壁部４４１ｅ側へ突出され、第１遮蔽部材４４１及び第１演出部材４４２の組立状態において第１演出部材４４２の筒状軸部４４２ｂに部分的に重なる。即ち、第１演出部材４４２に、第１遮蔽部材４４１から遠ざけられる方向の外力が加えられても、第１演出部材４４２が抜け止め部４４１ｇに当接され、それ以上の変位が抑制される。そのため、第１演出部材４４２が第１遮蔽部材４４１から離間することを防止し、第１演出部材４４２が第１遮蔽部材４４１の嵌合壁部４４１ｅから脱落することを防止できる。
【０１８６】
第１演出部材４４２を第１遮蔽部材４４１に組み付ける（大径孔部４４２ｂを嵌合壁部４４１ｅに外観させる）方法について説明する。まず、第１遮蔽部材４４１の後方から第１演出部材４４２を近づけ、筒状軸部４４２ｂの外周面を抜け止め部４４１ｇに下側（図１６（ｂ）左下側）から押し当てるように第１遮蔽部材４４１に対して第１演出部材４４２を上下方向（図１６（ｂ）上下方向）にスライド移動させると共に抜け止め部４４１ｇを弾性変形させ、次に、嵌合壁部４４１ｅ（図１７参照）に大径孔部４４２ｃ（図１８参照）を外嵌させるように第１遮蔽部材４４１に対して第１演出部材４４２を前後方向（板厚方向）にスライド移動させると、筒状軸部４４２ｂと抜け止め部４４１ｇとの当接が解除され、抜け止め部４４１ｇの形状が弾性的に復元される。
【０１８７】
第１被遮蔽装置４４０の組立状態によれば、第１演出部材４４２は、本体部４４１ａと抜け止め部４４１ｇとに前後方向から挟まれると共に、嵌合壁部４４１ｅ（図１７（ｂ）参照）に大径孔部４４２ｃが外嵌されることで、嵌合壁部４４１ｅに対する大径孔部４４２ｃの外嵌が解除される位置まで第１演出部材４４２を第１遮蔽部材４４１から前後方向に離さない限りは（この場合、抜け止め部４４１ｇに第１演出部材４４２が当接し、さらに抜け止め部４４１ｇを弾性変形させることを要する）、第１演出部材４４２が第１遮蔽部材４４１から軸方向（図１６前後方向）に脱落することが規制される。よって、第１遮蔽部材４４１に対して第１演出部材４４２を保持させることができる。また、第１遮蔽部材４４１に対する第１演出部材４４２の保持は、第１遮蔽部材４４１及び第１演出部材４４２の形状のみから達成され、別個の保持部品を不要とできる。
【０１８８】
また、上述した保持機構によれば、遊技盤１３と動作ユニット２００（図５参照）との組立を容易に行うことができる。即ち、第１被遮蔽装置４４０は、付勢バネ４４３による付勢力が生じており、そのままでは第１演出部材４４２の位置が不安定となる。また、第１被遮蔽装置４４０と取り付けベース４１０との組立状態（図１１参照）においては、第１演出部材４４２が第１遮蔽部材４４１及び取り付けベース４１０に挟まれることで、第１演出部材４４２に対して外部からアクセス不能な状態で第１被遮蔽装置４４０が形成される。そのため、第１演出部材４４２の位置を第１遮蔽部材４４１に対して安定させることが難しく、遊技盤１３及び動作ユニット２００の組立て（第２歯車３２２の伝達軸部３２２ｄを第１演出部材４４２の小径孔部４４２ｄに挿通させること）が困難となる。
【０１８９】
そこで、本実施形態においては、第１遮蔽部材４４１の嵌合壁部４４１ｅ（図１７（ｂ）参照）に第１演出部材４４２の大径孔部４４２ｃが外嵌可能に第１演出部材４４２が形成される。これにより、第１遮蔽部材４４１に対し第１演出部材４４２の位置を安定させることができる。よって、遊技盤１３及び動作ユニット２００（図５参照）の組立作業を容易に行うことができる。
【０１９０】
図１０及び図１１に戻って説明する。図１０及び図１１に示すように、上述した第１被遮蔽装置４４０の視認孔４４１ｃは上述した被遮蔽領域Ｐ１に配置される。
【０１９１】
ここで、パチンコ機１０等の遊技機において、第１位置（上昇位置に相当）と第２位置（下降位置に相当）との間で移動可能に形成される移動部材（昇降部材４６０に相当）と、その移動部材を移動させるための駆動力を発生する駆動手段（駆動モータ４２２に相当）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ１に相当）を有する遊技機がある（例えば特開２０１１−１８２９８４号公報を参照）。上述した従来の遊技機では、被遮蔽領域には模様や表示が配設されるのみで、遊技者に注目させる演出部分としての能力が低く、被遮蔽領域を演出部分として効果的に使用しているとは言い難かった。
【０１９２】
これに対し、本実施形態においては、被遮蔽領域Ｐ１に配置される第１被遮蔽装置４４０の視認孔４４１ｃの外観が変化され、結果として被遮蔽領域Ｐ１の外観が変化される。ここで、図２０から図２５を参照して、球の衝突により可動部材３１０が回転されることに起因する第１被遮蔽装置４４０の前面視における外観の変化について説明する。まず、図２０を参照して、可動部材３１０と第１演出部材４４２とが、第１歯車３２１及び第２歯車３２２を介して連動されることを説明する。なお、図２０の説明においては、図９を適宜参照する。
【０１９３】
図２０は、図２のＸＸ−ＸＸ線における遊技盤１３、第２歯車３２２及び昇降動作ユニット４００の部分断面図である。
【０１９４】
図２０に示すように、遊技盤１３の後面（図２０右側）に回転可能に配設される第２歯車３２２の伝達軸部３２２ｄが、第１遮蔽部材４４１の挿通孔４４１ｂ及び嵌合壁部４４１ｅに回転可能に挿通されると共に、第２歯車３２２の係止部３２２ｅが第１演出部材４４２の連結孔部４４２ｅに周方向に回転不能に係止されるので、第２歯車３２２が遊技盤１３と第１遮蔽部材４４１とに両持ちで支持されると共に、第２歯車３２２の回転が、第１演出部材４４２に伝達される。第２歯車３２２は第１歯車３２１（図９参照）に従動して回転され、その第１歯車３２１は可動部材３１０に周方向に係止されるので、結果として、可動部材３１０が球に衝突され、回転されることで、第１演出部材４４２が回転される。
【０１９５】
図９に戻って、可動部材３１０の回転方向と、第１演出部材４４２の回転方向との関係について説明する。上述したように、可動部材３１０と第１歯車３２１とは同期して回転されると共に第２歯車３２２と第１演出部材４４２とは同期して回転される（図２０参照）。
【０１９６】
即ち、第１歯車３２１の回転方向と第２歯車３２２の回転方向との関係が、そのまま可動部材３１０の回転方向と第１演出部材４４２の回転方向との関係に反映される。なお、本実施形態によれば、例えば第１歯車３２１が時計回りに回転されると、第２歯車３２２は反時計回りに回転される態様で形成されるので、前面視における可動部材３１０の回転方向と、前面視における第１演出部材４４２の回転方向とは逆方向となる（図９及び図２０参照）。
【０１９７】
なお、遊技盤１３の前面を流下する球が、可動部材３１０に衝突することで可動部材３１０が回転されると、可動部材３１０と位相を同じくして第１歯車３２１が回転され、その第１歯車３２１の回転力が第２歯車３２２に伝達されることで第２歯車３２２が減速比の分だけ減速されて（本実施形態では減速比は２）回転されると共に、第１演出部材４４２が第２歯車３２２と位相を同じくして回転される。よって、第１演出部材４４２は遊技盤１３の前面を流下する球がどのように可動部材３１０に衝突するかによって回転の仕方が変わるので、球の不規則性に依存して、不規則な方向、速度および頻度で第１演出部材４４２が回転される。
【０１９８】
ここで、球の不規則性とは、球が遊技盤１３に配設される釘に衝突しながら流下することで、不規則に方向や速度を変えながら流下するという特徴と、球が全て可動部材３１０に衝突するわけではないので、球と可動部材３１０とが衝突する頻度も不規則に変化するという特徴と、を意味する。
【０１９９】
次いで、図２１から図２５を参照して、球により可動部材３１０が回転されることに起因する第１被遮蔽装置４４０の前面視における外観の変化について説明する。なお、図２１から図２５の説明においては、図９を適宜参照する。
【０２００】
図２１（ａ）は、可動部材３１０の前面図であり、図２１（ｂ）は、第１被遮蔽装置４４０の後面図であり、図２１（ｃ）は、第１被遮蔽装置４４０の前面図である。図２１（ａ）では、可動部材３１０が初期位置に配置された状態が図示され、図２１（ｂ）及び図２１（ｃ）では、第１演出部材４４２が初期位置に配置された状態が図示される。
【０２０１】
なお、図２１（ａ）における、矢印Ａから矢印Ｃは、可動部材３１０に衝突する球の流下経路を例示として示すものであり、球の流下経路を限定する意図ではない。また、矢印Ａと矢印Ｃとは可動部材３１０の左右の端にそれぞれ配置されると共に、矢印Ｂは矢印Ａよりも可動部材３１０の中心側（軸支本体３１１側）に配置される。
【０２０２】
また、図２１（ａ）から図２１（ｃ）における初期位置は、上述した第１演出部材４４２の初期位置と同義であり、この場合、可動部材３１０は停止される。なお、図２１（ａ）から図２１（ｃ）においては、それぞれ遊技盤１３及び動作ユニット２００が締結固定された状態（図２０参照）が図示され、遊技盤１３、第１歯車３２１及び第２歯車３２２等の図示が省略される。後述する図２２から図２５についても同様とする。
【０２０３】
図２１（ａ）に示すように、可動部材３１０は、初期位置において、３枚の羽部３１２ａ〜３１２ｃの内の１枚の羽部３１２ｃが軸支本体３１１の鉛直下方向に配置される。
【０２０４】
図２１（ｂ）に示すように、第１演出部材４４２は、初期位置において、第１演出部材４４２の係止ピン４４２ｆ及び第１遮蔽部材４４１の係止ピン４４１ｈが付勢バネ４４３の付勢力により引き寄せられることで第１演出部材４４２の姿勢が定まり、第１演出部材４４２の中心線Ｏが第１遮蔽部材４４１の係止ピン４４１ｈを通過する姿勢で配置される。
【０２０５】
図２１（ｃ）に示すように、第１被遮蔽装置４４０は、初期位置において、視認孔４４１ｃを介して第１演出部材４４２の前面に表示される表示４４２Ｎを視認可能とされる。
【０２０６】
可動部材３１０は、図２１（ａ）に示す初期位置から、経路として例示される矢印Ａから矢印Ｃに沿って流下する球に衝突されることで回転され、その回転に伴い第１演出部材４４２が回転され、視認孔４４１ｃから視認される表示が切り替わるように形成される。
【０２０７】
図２２（ａ）は、可動部材３１０の前面図であり、図２２（ｂ）は、第１被遮蔽装置４４０の後面図であり、図２２（ｃ）は、第１被遮蔽装置４４０の前面図である。なお、図２２（ａ）では、図２１（ａ）の矢印Ａの経路で球が可動部材３１０に衝突したことで可動部材３１０が回転された状態が図示され、図２２（ｂ）及び図２２（ｃ）では、その可動部材３１０の回転に伴って第１演出部材４４２が回転された状態が図示される。
【０２０８】
図２２（ａ）に示すように、矢印Ａの経路（羽部材３１２ａの一端付近において、可動部材３１０を前面視反時計回りに回転させる方向）で球が可動部材３１０に衝突すると、球の運動エネルギーが可動部材３１０に伝達され、可動部材３１０が初期位置から前面視反時計回りにθ１回転される。その可動部材３１０の回転に伴い第１歯車３２１が回転され、その第１歯車３２１の回転に伴い第２歯車３２２が減速比（本実施形態では減速比は２）の分だけ減速されて可動部材３１０の回転方向の逆方向に回転される（図９参照）。即ち、本実施形態のように、減速比が２の場合は、第２歯車３２２に周方向に係止される第１演出部材４４２は初期位置から前面視時計回りにθ１／２回転される。なお、本実施形態においては、θ１／２は上述したθ０と等しく設定される（θ１／２＝θ０）。
【０２０９】
図２２（ｂ）に示すように、第１演出部材４４２が初期位置から前面視時計回り（後面視反時計回り）にθ１／２回転されると、第１演出部材４４２は湾曲壁部４４１ｆに当接され、それ以上の回転を規制される。また、付勢バネ４４３が第１演出部材４４２の回転に伴い引っ張られ、第１演出部材４４２を初期位置に引き戻す方向に付勢力が作用する。そのため、可動部材３１０に球が再度衝突しない場合は、第１演出部材４４２は、付勢バネ４４３の付勢力により初期位置（図２１（ｂ）参照）に復帰される。
【０２１０】
図２２（ｃ）に示すように、第１演出部材４４２が前面視時計回りにθ１／２回転されると、第１遮蔽部材４４１の視認孔４４１ｃから視認可能な第１演出部材４４２の部分が変化される。即ち、第１演出部材４４２が筒状軸部４４２ｂを中心に時計回りにθ１／２回転された場合には、視認孔４４１ｃから表示４４２Ｒを視認することができる（図１９参照）。そのため、第１被遮蔽装置４４０の前面視における外観には、表示４４２Ｒ（本実施形態では「右」）と、第１遮蔽部材４４１の前面であって、視認孔４４１ｃの右側下方に表示される「打て！」の文字とが同時に視認されるので、第１被遮蔽装置４４０を視認する遊技者は「右へ打て」というメッセージを受け取ることができる。
【０２１１】
即ち、可動部材３１０の右方に球が衝突することで、球のその後の流下経路が分岐し、入賞確率が向上する場合に、現状は可動部材３１０の左方に球が衝突する態様で球を流下させているが、右へ打った方が遊技者にとって有利であるということを、第１演出部材４４２の表示４４２Ｒを用いて遊技者に伝えることができる。例えば、昇降部材４６０が下降位置に配置される時に限って（視認孔４４１ｃが視認可能な時、図１１参照）可動部材３１０の右方に球が衝突することで入賞確率が向上する設定を採用することで、視認孔４４１ｃを視認する遊技者に対して、可動部材３１０の右方を狙うことを推奨することができる。これにより、視認孔４４１ｃが配置される被遮蔽領域Ｐ１に遊技者の注意を引きつけることができ、被遮蔽領域Ｐ１の注目力を向上させることができる。
【０２１２】
なお、本実施形態では可動部材３１０が風車であるので、遊技盤１３に配設される風車の内の一つを流用できる（図２参照）。よって、可動部材３１０として利用しても製品コストが増加することを防止することができると共に、可動部材３１０自体の回転と第１演出部材４４２の回転とを外観上関連させることができ、演出効果を増大させることができる。
【０２１３】
図２３（ａ）は、可動部材３１０の前面図であり、図２３（ｂ）は、第１被遮蔽装置４４０の後面図であり、図２３（ｃ）は、第１被遮蔽装置４４０の前面図である。なお、図２３（ａ）では、図２１（ａ）の矢印Ｃの経路で球が可動部材３１０に衝突したことで可動部材３１０が回転された状態が図示され、図２３（ｂ）及び図２３（ｃ）では、その可動部材３１０の回転に伴って第１演出部材４４２が回転された状態が図示される。
【０２１４】
図２３（ａ）に示すように、矢印Ｃの経路（羽部材３１２ｂの一端付近において、可動部材３１０を前面視時計回りに回転させる方向）で球が可動部材３１０に衝突すると、球の運動エネルギーが可動部材３１０に伝達され、可動部材３１０が初期位置から前面視時計回りにθ１回転される。その可動部材３１０の回転に伴い第１歯車３２１が回転され、その第１歯車３２１の回転に伴い第２歯車３２２がギア比の分だけ減速されて可動部材３１０の回転方向の逆方向に回転される（図９参照）。即ち、上述したように本実施形態においては減速比が２なので、第２歯車３２２に係止される第１演出部材４４２は初期位置から前面視反時計回り（後面視時計回り）にθ１／２回転される（θ１／２＝θ０）。
【０２１５】
図２３（ｂ）に示すように、第１演出部材４４２が初期位置から前面視反時計回り（後面視時計回り）にθ１／２回転されると、第１演出部材４４２は湾曲壁部４４１ｆに当接され、第１演出部材４４２はそれ以上の回転を規制される。また、付勢バネ４４３が第１演出部材４４２の回転に伴い引っ張られ、第１演出部材４４２を初期位置に引き戻す方向に付勢力が生じる。そのため、可動部材３１０に球が再度衝突しない場合は、第１演出部材４４２は、付勢バネ４４３の付勢力により初期位置（図２１（ｂ）参照）に復帰される。
【０２１６】
図２３（ｃ）に示すように、第１演出部材４４２が前面視反時計回りにθ１／２回転されると、第１遮蔽部材４４１の視認孔４４１ｃから視認可能な第１演出部材４４２の部分が変化する。即ち、第１演出部材４４２が筒状軸部４４２ｂを中心に反時計回りにθ１／２回転された場合には、視認孔４４１ｃから表示４４２Ｌを視認することができる（図１９参照、θ１／２＝θ０）。そのため、第１被遮蔽装置４４０の前面視における外観には、表示４４２Ｌ（本実施形態では「激」）と、第１遮蔽部材４４１の前面であって、視認孔４４１ｃの右側下方に表示される「打て！」の文字とが同時に視認されるので、第１被遮蔽装置４４０を視認する遊技者は「激しく打て」というメッセージを受け取ることができる。
【０２１７】
即ち、可動部材３１０の右方に衝突させることで、球のその後の流下経路が分岐し、入賞確率が向上する場合に、現状では可動部材３１０の右方に球を衝突させているので、そのままの強度で激しく打つことが遊技者にとって有利であるということを、第１演出部材４４２の表示４４２Ｌを用いて遊技者に伝えることができる。例えば、昇降部材４６０が下降位置に配置される時に限って（視認孔４４１ｃが視認可能な時、図１１参照）可動部材３１０の右方に球が衝突することで入賞確率が向上する設定を採用することで、視認孔４４１ｃを視認する遊技者に対して、可動部材３１０の右方を狙うことを推奨することができる。これにより、視認孔４４１ｃが配置される被遮蔽領域Ｐ１に遊技者の注意を引きつけることができ、被遮蔽領域Ｐ１の注目力を向上させることができる。
【０２１８】
ここまでは、第１演出部材４４２の回転角度がθ１／２である場合について説明したが（θ１／２＝θ０）、以下においては、第１演出部材４４２がθ１／２よりも小さな角度であるθ２／２だけ回転される場合について説明する。
【０２１９】
図２４（ａ）は、可動部材３１０の前面図であり、図２４（ｂ）は、第１被遮蔽装置４４０の後面図であり、図２４（ｃ）は、第１被遮蔽装置４４０の前面図である。なお、図２４（ａ）では、図２１（ａ）の矢印Ｂの経路で球が可動部材３１０に衝突することで可動部材３１０が回転された状態が図示され、図２４（ｂ）及び図２４（ｃ）では、その可動部材３１０の回転に伴って第１演出部材４４２が回転された状態が図示される。
【０２２０】
図２４（ａ）に示すように、球が矢印Ｂの経路で可動部材３１０に衝突すると、球の運動エネルギーが可動部材３１０に伝達されるが、矢印Ａの経路で球が同一速度で可動部材３１０に衝突する場合に比較して、軸支本体３１１から球の衝突位置までの距離が短いため、球の衝突により可動部材３１０に発生する回転トルクが小さい。そのため、可動部材３１０が初期位置から反時計回りにθ２（＜θ１）回転される。その可動部材３１０の回転に伴い第１歯車３２１が回転され、その回転に伴い第２歯車３２２が減速比の分だけ減速されて可動部材３１０の回転方向の逆方向に回転される（図９参照）。即ち、上述したように、減速比が２の場合は、第１演出部材４４２が初期位置から前面視時計回りにθ２／２（＜θ１／２＝θ０）回転される。
【０２２１】
図２４（ｂ）に示すように、第１演出部材４４２が初期位置から前面視時計回り（後面視反時計回り）にθ２／２回転されても、第１演出部材４４２と湾曲壁部４４１ｆとの間には隙間が生じており、第１演出部材４４２は同一方向に回転する余地を残している。また、付勢バネ４４３が第１演出部材４４２の回転に伴い引っ張られ、第１演出部材４４２を初期位置に引き戻す方向に付勢力が生じる。そのため、可動部材３１０に球が再度衝突しない場合は、第１演出部材４４２は、付勢バネ４４３の付勢力により初期位置（図２１（ｂ）参照）に復帰される。
【０２２２】
図２４（ｃ）に示すように、第１演出部材４４２が前面視時計回りにθ２／２（＜θ１／２）回転されると、第１遮蔽部材４４１の視認孔４４１ｃから視認可能な第１演出部材４４２の部分が変化される。即ち、第１演出部材４４２が筒状軸部４４２ｂを中心に時計回りにθ２／２（＜θ１／２）回転された場合には、第１遮蔽部材４４１の視認孔４４１ｃから表示４４２Ｒの右側が一部欠けた表示を視認することができる（図１９参照）。そのため、第１被遮蔽装置４４０の前面視における外観には、表示４４２Ｒの右側が一部欠けた表示が視認されるので、遊技者に対して、視認孔４４１ｃに対する興味を持たせ、第１被遮蔽装置４４０に遊技者の注意を引かせることができる。
【０２２３】
ここで、可動部材３１０の回転角度の大小に対応して、第１演出部材４４２の回転角度の大小が変化されるのは、本実施形態において、可動部材３１０及び第１演出部材４４２の回転が、互いに歯合される第１歯車３２１及び第２歯車３２２の回転に同期されるためである。言い換えれば、可動部材３１０の回転速度と、第１演出部材４４２の回転速度との速度比が一定であるためである。その結果、不規則性を有する球の衝突により可動部材３１０が不規則に回転し、それに伴い第１演出部材４４２の回転が不規則となることを確実にすることができる。
【０２２４】
即ち、可動部材３１０の回転速度と第１演出部材４４２の回転速度との速度比が不定で有る場合、例えば回転速度についていえば、可動部材３１０の回転速度の大小に対応して、第１演出部材４４２の回転速度の大小が変化することがある一方で、可動部材３１０の回転速度に第１演出部材４４２の回転速度が対応しないこともある。ここで、前者の場合には、球の有する不規則性が第１演出部材４４２に伝わるが、後者の場合には、球の速度が平均化されて、球の不規則性が第１演出部材４４２に表れにくくなる可能性がある。
【０２２５】
一方、本実施形態によれば、可動部材３１０の回転速度と、第１演出部材４４２の回転速度との速度比が、介在する第１歯車３２１及び第２歯車３２２（図９参照）により一定に定まるので、可動部材３１０の回転速度が小の時には第１演出部材４４２の回転速度が小となると共に、可動部材３１０の回転速度が大の時には第１演出部材４４２の回転速度が大となる関係のみが形成される。よって、不規則性を有する球の衝突により可動部材３１０が不規則に回転し、それに伴い第１演出部材４４２の回転が不規則となることを確実にすることができる。
【０２２６】
可動部材３１０は、遊技盤１３に対して時計回りと反時計回りの双方向に回転可能に配設されており、球の可動部材３１０への衝突の仕方によって可動部材３１０の回転方向が不規則に変わるため、球の不規則性を第１演出部材４４２の回転動作に反映させることができる。ここで、図２５を参照して、第１演出部材４４２の回転動作の不規則性について、追加して説明する。
【０２２７】
図２５（ａ）は、可動部材３１０の前面図であり、図２５（ｂ）は、第１被遮蔽装置４４０の後面図である。なお、図２５（ａ）には、前面視において初期位置から反時計回りにθ１回転された後、わずかに復帰された位置における可動部材３１０が図示され、図２５（ｂ）には、第１演出部材４４２が後面視において初期位置から反時計回りにθ１／２回転された後、わずかに復帰した状態における第１被遮蔽装置４４０が図示される。
【０２２８】
図２５（ａ）及び図２５（ｂ）には、可動部材３１０に球が衝突する場合に生じる力の方向の例示として、矢印Ｆａ１及び矢印Ｆａ２が図示される（矢印Ｆａ１と矢印Ｆａ２とは同じ大きさに設定される）。また、図２５（ｂ）には、可動部材３１０に球が衝突し、可動部材３１０に矢印Ｆａ１の力が作用されることで第１演出部材４４２が回転される角度がθａ１として図示され、可動部材３１０に球が衝突し、可動部材３１０に矢印Ｆａ２の力が作用されることで第１演出部材４４２が回転される角度がθａ２として図示される。
【０２２９】
ここで、可動部材３１０が回転されるに伴い、第１演出部材４４２が回転されると、付勢バネ４４３から付勢力が第１演出部材４４２を初期位置に戻す方向へ生じる。可動部材３１０に矢印Ｆａ１の力が生じる場合には、その矢印Ｆａ１の力は付勢バネ４４３の付勢力と対向するため相殺され、回転トルクが抑制されるので、第１演出部材４４２の回転角度であるθａ１は抑制される。
【０２３０】
一方、可動部材３１０に矢印Ｆａ２の力が生じる場合には、その矢印Ｆａ２の力は付勢バネ４４３の付勢力と同一の方向に向くため互いの力が合成され、大きな回転トルクが生じるので、θａ２はθａ１に比較して大きくなる（θａ２＞θａ１）。
【０２３１】
これによれば、回転した可動部材３１０を更に回転させる方向に力が働く場合には（例えば球が同じ方向から可動部材３１０の同じ位置に続けて衝突する場合には）、第１演出部材４４２は、より回転しづらくなり、回転した可動部材３１０を逆方向に回転させる場合には（例えば、球が可動部材３１０の左右の位置に交互に衝突する場合には）、付勢バネ４４３の付勢力が補助的に働くので、第１演出部材４４２が回転しやすくなる。また、第１演出部材４４２の回転角度が大きくなるほど付勢力が大きくなるので、第１演出部材４４２の回転方向における回転のしやすさの違いは、第１演出部材４４２が初期位置から遠ざけられるにつれて顕著になる。
【０２３２】
即ち、第１被遮蔽装置４４０は、第１演出部材４４２を初期位置へ向けて付勢する付勢バネ４４３を備え、その付勢バネ４４３は第１演出部材４４２が初期位置から遠ざけられるにつれて増大する付勢力を生じるので、可動部材４４２の回転力と、付勢バネ４４３の付勢力との差によって、第１演出部材４４２の回転の仕方を異ならせることができる。よって、第１演出部材４４２の第１遮蔽部材４４１に対する回転の仕方の不規則性を確保することができる。
【０２３３】
次いで、図２６から図３５を参照して、第２実施形態について説明する。第１実施形態では、図１１に示すように、昇降部材４６０が下降位置に配置されると、被遮蔽領域Ｐ１に第１被遮蔽装置４４０が視認される場合を説明したが、第２実施形態の昇降動作ユニット２４００（図２６参照）では、被遮蔽領域Ｐ１（図２７参照）に第２被遮蔽装置２４５０が視認される場合を説明する。なお、第２被遮蔽装置２４５０は、第１実施形態において嵩上げ締結前板４５０が配設される位置に配設され、第１実施形態と同一の部分については同一の符号を付して、その説明を省略する。
【０２３４】
図２６及び図２７は、第２実施形態における昇降動作ユニット２４００の前面図である。なお、図２６では、昇降部材４６０が上昇位置に配置された状態が図示され、図２７では、昇降部材４６０が下降位置に配置された状態が図示される。
【０２３５】
図２６及び図２７に示すように、昇降動作ユニット２４００は、取り付けベース４１０の前面側を昇降部材４６０が上下方向（図２６上下方向）にスライド移動する構造に形成されており、昇降部材４６０の後面側に被遮蔽領域Ｐ１を有する。その被遮蔽領域Ｐ１は、図２６に示すように、昇降部材４６０が上昇位置に配置される場合には、昇降部材４６０に隠され視認されないが、一方で、図２７に示すように、取り付けベース４１０に対して昇降部材４６０が下降位置に配置される場合には、前面視において視認される領域である。
【０２３６】
ここで、パチンコ機１０等の遊技機において、第１位置（上昇位置に相当）と第２位置（下降位置に相当）との間で移動可能に形成される移動部材（昇降部材４６０に相当）と、その移動部材を移動させるための駆動力を発生する駆動手段（駆動モータ４２２に相当、図１２参照）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ１に相当）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０２３７】
これに対し、本実施形態では、後述するように、被遮蔽領域Ｐ１（図２７参照）に配置される第２被遮蔽装置２４５０の外観が変化されるように形成される。即ち、昇降部材４６０が下降位置に配置され被遮蔽領域Ｐ１が視認可能となった場合に、被遮蔽領域Ｐ１の外観を変化させることで、被遮蔽領域Ｐ１の演出部分としての能力を向上させ、被遮蔽領域Ｐ１を演出部分として効果的に使用することができる。ここで、第２被遮蔽装置２４５０の詳細について、図２８から図３０を参照して説明する。
【０２３８】
図２８（ａ）は、第２被遮蔽装置２４５０の前面斜視図であり、図２８（ｂ）は、第２被遮蔽装置２４５０の後面斜視図であり、図２９は、図２８（ａ）の矢印ＸＸＩＸ方向視における第２被遮蔽装置２４５０の側面図である。
【０２３９】
図２８（ａ）及び図２８（ｂ）に示すように、第２被遮蔽装置２４５０は、取り付けベース４１０（図２６参照）の前側に締結固定されると共に昇降部材４６０が下方に移動されることで視認可能となるユニット（図２７参照）であって、四角形板形状の第２遮蔽部材２４５１と、その第２遮蔽部材２４５１の前面視左側後面に嵩上げして締結固定される長尺板形状の中間板部材２４５２と、第２遮蔽部材２４５１及び中間板部材２４５２の形成する隙間に配設される振り子状の第２演出部材２４５３と、その第２演出部材２４５３を移動させる付勢力を生じるねじりバネ状の付勢バネ２４５４（図３０（ｂ）参照）と、を主に備える。
【０２４０】
第２遮蔽部材２４５１は、樹脂材料から形成され、四角形板形状の本体部２４５１ａと、その本体部２４５１ａの前面視右側に後方へオフセットされて延設される右側板部２４５１ｂと、本体部２４５１ａの前面視左側に延設される左側板部２４５１ｃと、本体部２４５１ａの前面視左方に開口される視認孔２４５１ｄと、右側板部２４５１ｂ及び左側板部２４５１ｃの後面から取り付けベース４１０（図２６参照）へ向けて突出されると共に取り付けベース４１０の挿通孔に挿通された締結ねじが締結可能に形成される複数（本実施形態では４本）の嵩上げ締結部２４５１ｅと、左側板部２４５１ｃから突出される嵩上げ締結部２４５１ｅの基端側に拡径して形成される座部２４５１ｆ（図２９参照）と、左側板部２４５１ｃの後面から中間板部材２４５２へ向けて突出されると共に中間板部材２４５２の挿通孔２４５２ｃ（図３０（ａ）参照）を通して締結ねじが挿通されることで第２遮蔽部材２４５１及び中間板部材２４５２を締結可能に形成される複数（本実施形態では２本）の締結部２４５１ｇ（図２９参照）と、を主に備える。
【０２４１】
本体部２４５１ａは、昇降部材４６０（図２７参照）が下降位置に配置されると視認可能となる部分であり、前面に表示や模様が形成される。本実施形態では、図２８（ａ）に示すように、視認孔２４５１ｄの位置を目の位置と一致させる「片目のだるま」が表示される。
【０２４２】
視認孔２４５１ｄは、第２演出部材２４５３の表示部２４５３ｃの外径と略同等の大きさの内径で形成される貫通穴であり、昇降部材４６０（図２７参照）が下降する過程において、第２演出部材２４５３への規制が解除され、第２演出部材２４５３が移動された場合に、第２演出部材２４５３の表示部２４５３ｃと前面視において重なる箇所に開口される（図３４参照）。そのため、昇降部材４６０による第２演出部材２４５３への規制が解除され、第２演出部材２４５３が移動されると、視認孔２４５１ｄを通して第２演出部材２４５３の表示部２４５３ｃを視認することができる。即ち、昇降部材４６０の配置位置に応じて、第２被遮蔽装置２４５０の外観を変化させることができ、その結果、被遮蔽領域Ｐ１（図２７参照）の外観を変化させることができる。
【０２４３】
図２８（ｂ）及び図２９に示すように、中間板部材２４５２は、樹脂材料から形成され、長尺板形状の本体部２４５２ａと、その本体部２４５２ａに穿設される一対の挿通孔２４５２ｂと、それら一対の挿通孔２４５２ｂとは異なる箇所において本体部２４５２ａに穿設される一対の締結孔２４５２ｃ（図３０（ａ）参照）と、本体部２４５２ａの中心付近から後側に突出される支持軸２４５２ｄと、本体部２４５２ａの後側に突出される固定爪２４５２ｅ（図３０参照）と、を主に備える。支持軸２４５２ｄは、円柱形状が径方向（図３０（ａ）における上下方向）に半分ずつに分断された形状で形成される（図３０（ａ）参照）。
【０２４４】
挿通孔２４５２ｂの直径は、嵩上げ締結部２４５１ｅの直径より若干大きいと共に座部２４５１ｆよりも若干小さく形成され、締結孔２４５２ｃ（図３０（ａ）参照）は組立状態において第２遮蔽部材２４５１の締結部２４５１ｇに対応する位置に穿設される。そのため、組立状態において、中間板部材２４５２は、第２遮蔽部材２４５１の座部２４５１ｆに挿通孔２４５２ｂ周辺が載置されると共に、中間板部材２４５２の締結孔２４５２ｃを通して第２遮蔽部材２４５１の締結部２４５１ｇに締結ねじで締結固定される。
【０２４５】
第２被遮蔽装置２４５０の組立状態において、第２遮蔽部材２４５１及び中間板部材２４５２の間に座部２４５１ｆの高さの分形成される隙間（図２９参照）に第２演出部材２４５３が回転可能に配設される。第２演出部材２４５３は、昇降部材４６０（図２７参照）が上昇位置に配置されると、昇降部材４６０の側壁４６２ａに規制されるが（図３２参照）、昇降部材４６０が下降する過程において、側壁４６２ａに規制が解除されると、付勢バネ２４５４の付勢力により回転され、視認孔２４５１ｄから第２演出部材２４５３の表示部２４５３ｃが視認可能とされる（図３４参照）。よって、昇降部材４６０の移動の過程において、被遮蔽領域Ｐ１の外観を変化させることができる。ここで、図３０を参照して、第２演出部材２４５３及び第２演出部材２４５３が中間板部材２４５２に対してとる配置について説明する。
【０２４６】
図３０（ａ）及び図３０（ｂ）は、中間板部材２４５２、第２演出部材２４５３及び付勢バネ２４５４の前面図であり、図３０（ｃ）は、図３０（ａ）の矢印ＸＸＸｃ方向視における中間板部材２４５２、第２演出部材２４５３及び付勢バネ２４５４の側面図である。なお、図３０（ａ）は、昇降部材４６０が上昇位置に配置され、第２演出部材２４５３が回転を規制される状態が図示され、図３０（ｂ）は、昇降部材４６０による規制が解除され、付勢バネ２４５４の付勢力で回転された後の位置に第２演出部材２４５３が配置された状態が図示される。
【０２４７】
図３０（ａ）に示すように、第２演出部材２４５３は、樹脂材料から形成され、長尺板形状の本体部２４５３ａと、その本体部２４５３ａの一端に穿設される軸支孔２４５３ｂと、その軸支孔２４５３ｂの穿設される一端の反対側の他端に配設される円板形状の表示部２４５３ｃと、本体部２４５３ａの略中央に後方（紙面手前側）へ向けて突出される固定爪２４５３ｄと、を主に備える。
【０２４８】
本体部２４５３ａの厚み方向の寸法は中間板部材２４５２の支持軸２４５２ｄの突設高さより小さく形成され、第２演出部材２４５３の軸支孔２４５３ｂの内径は中間板部材２４５２の支持軸２４５２ｄの直径より若干大きく形成される。支持軸２４５２ｄに軸支孔２４５３ｂが挿通されることで、第２演出部材２４５３が中間板部材２４５２に回転可能に軸支される（図３０（ｃ）参照）。この場合、支持軸２４５２ｄが径方向に分断されて形成されているので、例えば第２演出部材２４５３の軸支孔２４５３ｂの内径が小さく成形されても（設計寸法との寸法誤差が生じても）、支持軸２４５２ｄが径方向内側に変形することで、軸支孔２４５３ｂの寸法誤差を吸収することができるので、中間板部材２４５２に対する第２演出部材２４５３の組み付け不良を低減することができる。
【０２４９】
付勢バネ２４５４は支持軸２４５２ｄの一端に保持されると共に、一方の腕部を中間板部材２４５２の固定爪２４５２ｅに固着され、一方の腕部の反対側の他方の腕部を第２演出部材２４５３の固定爪２４５３ｄに固着される。
【０２５０】
第２演出部材２４５３は、昇降部材４６０が上昇位置に配置されるとその昇降部材４６０の側壁４６２ａに押し戻されて、図３０（ａ）の位置に配置される（図３２参照）。一方、第２演出部材２４５３は、昇降部材４６０の側壁４６２ａによる規制が解除されると（図３４参照）、付勢バネ２４５４の付勢力（弾性回復力）により固定爪２４５３ｄが押されることで、図３０（ｂ）に示す配置まで回転される。図３０（ｂ）に示す配置において、上述したように第２演出部材２４５３の表示部２４５３ｃを第２遮蔽部材２４５１の視認孔２４５１ｄから視認可能となる（図３５参照）。なお、本実施形態においては、上述した昇降部材４６０の側壁４６０ａによる規制が解除されると、第２演出部材２４５３が回転終点（第２演出部材２４５３の表示部２４５３ｃを第２遮蔽部材２４５１の視認孔２４５１ｄから視認可能となる状態）に至るまで、第２演出部材２４５３と昇降部材４６０とが当接された状態で図３０（ｂ）に示す配置まで回転される（付勢バネ２４５４のバネ定数が十分大きい）。
【０２５１】
表示部２４５３ｃは、前面に表示や模様が形成される。本実施形態では、「だるまの目」となる黒色の円形状が形成される。中間板部材２４５２の支持軸２４５２ｄを軸として第２演出部材２４５３が回転され、表示部２４５３ｃが移動されることで、第２遮蔽部材２４５１（図２８（ａ）参照）の視認孔２４５１ｄを通して表示部２４５３ｃに形成される「だるまの目」が、視認可能とされる（図３１（ａ）参照）。この時、本実施形態では、第２遮蔽部材２４５１の前面に表示される「片目のだるま」と、視認孔２４５１ｄを通して視認される表示部２４５３ｃの前面に表示される「だるまの目」とが共に視認され、「両目のだるま」を視認することが可能となる。
【０２５２】
次いで、図３１から図３５を参照して、昇降部材４６０の昇降動作に起因して被遮蔽領域Ｐ１に配置される第２被遮蔽装置２４５０の外観に生じる変化について説明する。
【０２５３】
図３１（ａ）は、昇降部材４６０及び第２被遮蔽装置２４５０の前面斜視図であり、図３１（ｂ）は、昇降部材４６０及び第２被遮蔽装置２４５０の後面斜視図である。なお、図３１（ａ）及び図３１（ｂ）では、昇降部材４６０が下降位置に配置された状態が図示される。
【０２５４】
図３１（ａ）に示すように、昇降部材４６０が下降位置に配置されると、第２被遮蔽装置２４５０の本体部２４５１ａの前面に表示される「片目のだるま」と、視認孔２４５１ｄを通して視認される第２演出部材２４５３の表示部２４５３ｃの前面に表示される「だるまの目」とが同時に視認されるので、第２被遮蔽装置２４５０の前面に「両目のだるま」が視認される。
【０２５５】
図３１（ｂ）に示すように、昇降部材４６０の一対の側壁４６２ａが、昇降部材４６０の移動中に第２被遮蔽装置２４５０の後面側左右の内側面に相当する右側板部２４５１ｂの側面および中間板部材２４５２の側面にそれぞれ当接される。よって、昇降部材４６０の昇降動作において、昇降部材４６０が第２被遮蔽装置２４５０に対して図３１（ｂ）左右方向に移動することを規制することができる。
【０２５６】
図３２（ａ）は、昇降部材４６０及び第２被遮蔽装置２４５０の前面図であり、図３２（ｂ）は、昇降部材４６０及び第２被遮蔽装置２４５０の後面図である。なお、図３２（ａ）及び図３２（ｂ）には昇降部材４６０が上昇位置に配置された状態が図示され、図３２（ｂ）には、第２演出部材２４５３が破線で図示される。
【０２５７】
図３２（ａ）に示すように、昇降部材４６０が上昇位置に配置された状態においては、第２被遮蔽装置２４５０は昇降部材４６０に収納され視認不能とされる。図３２（ｂ）に示すように昇降部材４６０が上昇位置に配置された状態においては、第２演出部材２４５３は昇降部材４６０の側壁４６２ａに当接され、回転を規制される。
【０２５８】
図３３（ａ）は、昇降部材４６０及び第２被遮蔽装置２４５０の前面図であり、図３３（ｂ）は、昇降部材４６０及び第２被遮蔽装置２４５０の後面図である。なお、図３３（ａ）及び図３３（ｂ）には、昇降部材４６０が上昇位置および下降位置の途中の位置に配置された状態が図示され、図３３（ｂ）には、第２演出部材２４５３が破線で図示される。
【０２５９】
図３３（ａ）に示すように、昇降部材４６０が上昇位置および下降位置の途中の位置に配置された状態においては、前面視において第２被遮蔽装置２４５０の視認孔２４５１ｄが視認されるが、その視認孔２４５１ｄを通して第２演出部材２４５３の表示部２４５３ｃは視認されない。なぜなら、図３３（ｂ）に示すように、昇降部材４６０の側壁４６２ａと第２演出部材２４５３の表示部２４５３ｃとの当接は解除され、第２演出部材２４５３は回転を開始するが、依然として本体部２４５３ａが側壁４６２ａに当接され、第２演出部材２４５３は回転を規制される。その結果、視認孔２４５１ｄの位置に表示部２４５３ｃが配置されるまでは第２演出部材２４５３が回転しきらず、図３３（ａ）に示すように、前面視において第２被遮蔽装置２４５０の視認孔２４５１ｄから表示部２４５３ｃが視認されない。即ち、昇降部材４６０が上昇位置から、図３３（ａ）に図示される中間位置まで下降される過程において、第２被遮蔽装置２４５０の外観は変化しない。
【０２６０】
図３４（ａ）は、昇降部材４６０及び第２被遮蔽装置２４５０の前面図であり、図３４（ｂ）は、昇降部材４６０及び第２被遮蔽装置２４５０の後面図である。なお、図３４（ａ）及び図３４（ｂ）では、昇降部材４６０が下降位置に配置された状態が図示され、図３２（ｂ）には、第２演出部材２４５３の中間板部材２４５２に隠される部分が破線で図示される。
【０２６１】
図３４（ａ）に示すように、昇降部材４６０が下降位置に配置された状態では、第２被遮蔽装置２４５０の視認孔２４５１ｄを通して、第２演出部材２４５３の表示部２４５３ｃが視認される。図３４（ｂ）に示すように、昇降部材４６０が下降位置に配置された状態では、昇降部材４６０の側壁４６２ａが第２演出部材２４５３に当接されず、第２演出部材２４５３は付勢バネ２４５４（図３０参照）の付勢力により回転され、その回転後の位置において視認孔２４５１ｄ及び第２演出部材２４５３の表示部２４５３ｃが前後方向で重なる。即ち、図３４（ａ）に示すように、第２被遮蔽装置２４５０の視認孔２４５１ｄを通して、第２演出部材２４５３の表示部２４５３ｃが視認される。
【０２６２】
よって、昇降部材４６０が、図３３（ａ）に図示される中間位置から下降位置まで下降される過程において、第２被遮蔽装置２４５０の外観に変化が生じる。本実施形態においては、第２遮蔽部材２４５１の視認孔２４５１ｄから取り付けベース４１０（図２７参照）の前面（例えば白色地の平面表示）が視認される「片目のだるま」が表示される外観と（図３５（ａ）参照）、第２演出部材２４５３の回転に対する側壁４６２ａによる規制が解除され、第２演出部材２４５３が回転され、第２遮蔽部材２４５１の視認孔２４５１ｄから第２演出部材２４５３の表示部２４５３ｃに表示される黒色円形状が視認される「両目のだるま」が表示される外観と（図３５（ｂ）参照）、で変化させることができる。
【０２６３】
なお、「両目のだるま」は、昇降部材４６０が下降位置に配置されて初めて視認されるのではなく、昇降部材４６０の側壁４６２ａによる第２演出部材２４５３に対する規制が解除されることを契機に視認される。そのため、昇降部材４６０が上昇位置から下降位置へ移動する途中において、遊技状態を変化させる設定を採用する際に、その遊技状態の変化を遊技者が確認する目印として使用することができる。
【０２６４】
例えば、昇降部材４６０が上昇位置から下降位置に移動される途中の所定のタイミングで賞球個数が増加する設定を採用した場合、その賞球個数の増加のタイミングを確認するために昇降部材４６０を視認するとなると、その増加のタイミングでの昇降部材４６０の位置を記憶しておく必要がある。
【０２６５】
一方、本実施形態において、その増加のタイミングを第２演出部材２４５３の表示部２４５３ｃを第２被遮蔽装置２４５０の視認孔２４５１ｄを通して視認可能になるタイミングと同じに設定しておけば、遊技者は第２被遮蔽装置２４５０の前面に「両目のだるま」が視認されることを契機に賞球個数が増加される状態に遊技状態が変化したことを確認することができる。よって、第２被遮蔽装置２４５０に遊技者を注目させることができ、結果として、被遮蔽領域Ｐ１（第２被遮蔽装置２４５０を含む）の演出効果を向上させることができる。
【０２６６】
また、第２演出部材２４５３の回転は、付勢バネ２４５４（図３０参照）の弾性的な復元作用に依存するものであって、昇降部材４６０の昇降動作に対応するものではない。そのため、例えば昇降部材４６０と第２演出部材２４５３とが機械的に連結されることで、昇降部材４６０の昇降動作に対応（速度変化や移動方向が対応）して第２演出部材２４５３が移動される場合には形成し難い動作態様で第２演出部材２４５３を移動させることができる。
【０２６７】
次いで、図３５を参照して、昇降部材４６０の移動過程における第２演出部材２４５３の回転の態様について説明する。
【０２６８】
図３５（ａ）及び図３５（ｂ）は、昇降部材４６０及び第２被遮蔽装置２４５０の前面模式図である。図３５（ａ）では、昇降部材４６０が上昇位置から下降位置へ移動する途中の位置に配置された状態が模式的に図示され、図３５（ｂ）では、図３５（ａ）の状態から、昇降部材４６０が所定距離Ｌ３だけ下降された状態が模式的に図示される。なお、第２演出部材２４５３が破線で図示され、図３５（ａ）では、第２演出部材２４５３の表示部２４５３ｃが第２遮蔽部材２４５１の視認孔２４５１ｄから視認不能な状態が図示される一方で、図３５（ｂ）では、第２演出部材２４５３の表示部２４５３ｃが視認孔２４５１ｄから視認可能な状態が図示される。
【０２６９】
上述したように、昇降部材４６０が上昇位置から移動され、図３５（ａ）に図示される位置に到達するまでは、第２演出部材２４５３は昇降部材４６０の側壁４６２ａに規制されるので回転されず（速度無し、図３２（ｂ）参照）、図３５（ａ）に図示される位置から昇降部材４６０が所定距離Ｌ３だけ下降されることで第２演出部材２４５３への規制が解除され、第２演出部材２４５３は前面視で表示部２４５３ｃと第２遮蔽部材２４５１の視認孔２４５１ｄとが重なる位置まで付勢バネ２４５４（図３０参照）の付勢力により回転され（速度有り）、その後停止され（速度無し）、一方でその後も昇降部材４６０は下降位置に到達するまで移動を継続される。
【０２７０】
即ち、昇降部材４６０が上昇位置から下降位置まで移動する過程において、昇降部材４６０及び第２演出部材２４５３の同時点での速度比が変化される。よって、第２被遮蔽装置２４５０の演出効果を向上させることができる。
【０２７１】
ここで、移動部材（昇降部材４６０に相当）の移動する速度と、被遮蔽領域（被遮蔽領域Ｐ１に相当）の外観を変化させる演出部材（第２演出部材２４５３に相当）の移動する速度との速度比が一定である場合、移動部材と演出部材との移動開始から移動終了までのそれぞれの速度変化が比例関係で対応し、演出効果が単調となりやすい。
【０２７２】
これに対し、本実施形態によれば、第２演出部材２４５３の移動（回転）は付勢バネ２４５４の付勢力に依存するため、第２演出部材２４５３の移動（回転）速度の大小は、昇降部材４６０の移動速度の大小に依存しない。よって、昇降部材４６０と第２演出部材２４５３とを機械的に連結する場合には形成しづらい速度変化を第２演出部材２４５３に持たせることができ、結果として遊技者の予想外の動作を第２演出部材２４５３にさせることができる。
【０２７３】
次いで、図３６から図５１を参照して、第３実施形態について説明する。第３実施形態では、第１実施形態における揺動動作ユニット６００とは異なり、前面側に「両目のだるま」が表示される揺動動作ユニット３６００について説明すると共に、その揺動動作ユニット３６００の前面側に締結固定される遮蔽動作ユニット３５００について説明する。なお、上記各実施形態と同一の部分については同一の符号を付して、その説明を省略する。
【０２７４】
図３６は、第３実施形態における遮蔽動作ユニット３５００及び揺動動作ユニット３６００の前面斜視図である。図３６に示すように、組立状態において、遮蔽動作ユニット３５００は揺動動作ユニット３６００の前面側に締結固定される。ここで、図３６から図３８を参照して、遮蔽動作ユニット３５００について説明する。
【０２７５】
なお、遮蔽動作ユニット３５００は、一端を基点として回転される４本の部材（アーム部材３５２０）を備え、それらの各部材を動作（回転）させるための４つのユニットからなる。即ち、遮蔽動作ユニット３５００は、背面ケース２１０（図７参照）の正面視において、開口２１１ａの左側に上下方向に沿って列設される２つのユニットと、開口２１１ａの右側に上下方向に沿って列設される２つのユニットからなる。この場合、各部材（アーム部材３５２０）を動作（回転）させるための構造（技術思想）は４つのユニットにおいてそれぞれ同一であるので、以下においては、これら４つのユニットのうちの１のユニット（開口２１１ａの右側上方に配設されるユニット、図７参照）を遮蔽動作ユニット３５００と称して説明する。
【０２７６】
図３６に示すように、遮蔽動作ユニット３５００は、揺動動作ユニット３６００に締結固定される取り付けベース３５１０と、その取り付けベース３５１０に一端を基点として回転可能に形成されると共に取り付けベース３５１０の前面側に配設されるアーム部材３５２０と、を主に備える。取り付けベース３５１０には、後述するように、開口部３５１１が形成され、アーム部材３５２０が退避位置から張出位置へ回転されるにつれて前面視において開口部３５１１を通して揺動動作ユニット３６００を視認可能となるように形成される（図４９（ａ）参照）。
【０２７７】
図３７は、遮蔽動作ユニット３５００の後面斜視図である。図３７に示すように、遮蔽動作ユニット３５００の取り付けベース３５１０は、長尺の矩形状に形成され、その取り付けベース３５１０の下方に形成される矩形状の貫通穴である開口部３５１１と、その開口部３５１１の下端であって取り付けベース３５１０の後面側に配設される案内筒部３５１２と、その案内筒部３５１２の内部において上下に移動可能に配設される円板形状の演出補助部材３５１３と、取り付けベース３５１０の後面側に締結固定されると共にアーム部材３５２０を駆動させる駆動力を生じる駆動モータ３５１４と、を主に備える。
【０２７８】
開口部３５１１は、後述する被遮蔽領域Ｐ２（図３８（ｂ）参照）の外形と略同等か若しくは若干小さな大きさで形成される。
【０２７９】
案内筒部３５１２は、上下方向（図３７上下方向）に延設され、短径方向が図３７前後方向とされる断面形状が長方形である開口が上端から形成される。その開口は、短径方向の寸法が演出補助部材３５１３の厚み方向の寸法より若干大きく形成され、長径方向の寸法が演出補助部材３５１３の直径寸法より若干大きく形成される。
【０２８０】
案内筒部３５１２の上端は開口部３５１１の内側へ張り出して形成されると共に無色透明の樹脂材料から形成される。そのため、遮蔽動作ユニット３５００の後面側に配設される揺動動作ユニット３６００（図３６参照）を開口部３５１１から視認する際に、無色透明の案内筒部３５１２を通して揺動動作ユニット３６００を視認することができる（図４９（ａ）参照）。なお、案内筒部３５１２は無色透明なので、案内筒部３５１２により揺動動作ユニット３６００が遮蔽され視認不能とされることはない。
【０２８１】
演出補助部材３５１３は、磁性体材料から形成される白色の円板形状の部材であり、上述した案内筒部３５１２との寸法関係により、演出補助部材３５１３は案内筒部３５１２の内側を、厚み方向を前後方向と一致させた姿勢で移動可能に形成されると共に演出補助部材３５１３は前面視において円形状に視認される。また、演出補助部材３５１３の直径は、揺動動作ユニット３６００（図３９参照）の前面側に表示される「両目のだるま」の黒目の直径より大きく形成される。
【０２８２】
演出補助部材３５１３が、案内筒部３５１２の上端側（開口部３５１１の内側へ張り出して形成される側）に移動されると、遮蔽動作ユニット３５００の後面側に配設される揺動動作ユニット３６００（図４９参照）を開口部３５１１から視認する際に、揺動動作ユニット３６００の一部が演出補助部材３５１３により遮蔽され、揺動動作ユニット３６００の単体では形成不可能な外観を視認することができる。これにより、後述するように、演出補助部材３５１３が揺動動作ユニット３６００との関係で移動された場合に、演出補助部材３５１３によって「両目のだるま」の片目が隠される状態が形成される。なお、演出補助部材３５１３が移動される仕組みについては後述する。
【０２８３】
図３８（ａ）及び図３８（ｂ）は、遮蔽動作ユニット３５００の前面図である。図３８（ａ）では、アーム部材３５２０が退避位置に配置された場合が図示され、図３８（ｂ）では、アーム部材３５２０が張出位置に配置された場合が図示される。
【０２８４】
図３８（ａ）及び図３８（ｂ）に示すように、アーム部材３５２０は図示しない内部機構により駆動モータ３５１４（図３７参照）の駆動力を受けて、仮想的に図示する軸Ｑを回転軸として退避位置と張出位置との間を回転される。ここで、アーム部材３５２０の後面側に被遮蔽領域Ｐ２が形成される。
【０２８５】
被遮蔽領域Ｐ２は、アーム部材３５２０が退避位置に配置される場合にはそのアーム部材３５２０に隠されて前面視において視認不能であるが、アーム部材３５２０が少なくとも張出位置に配置される場合には前面視において視認可能となる領域である。前面視において、被遮蔽領域Ｐ２には取り付けベース３５１０の開口部３５１１の少なくとも一部が内包される。これにより、被遮蔽領域Ｐ２が視認可能な場合には（アーム部材３５２０が張出位置に配置される場合には）、後述するように、開口部３５１１を通して揺動動作ユニット３６００を視認可能となる（図４９参照）。
【０２８６】
図３６に戻って説明する。揺動動作ユニット３６００は、後面ケース２１０（図７及び図８参照）の前面視において、後面ケース２１０内の上方であって、開口２１１ａを挟んで左右に配設される２つのユニットからなる。この場合、アーム部材３６２０を動作（回動）させるための構造（技術思想）は２つのユニットにおいてそれぞれ同一であるので、以下においては、これら２つのユニットのうちの１のユニット（開口２１１ａの右側に配設されるユニット、図７及び図８参照）を揺動動作ユニット３６００と称して説明する。
【０２８７】
図３９及び図４０は、揺動動作ユニット３６００の前面斜視図である。図３９では、アーム部材３６２０が退避位置に退避された状態が図示され、図４０では、アーム部材３６２０が張出位置に張り出された状態が図示される。
【０２８８】
図３９及び図４０に示すように、揺動動作ユニット３６００は、基端が回転可能に軸支されるアーム部材３６２０と、そのアーム部材３６２０に回転駆動力を付与する駆動モータ３６３１とを備え、図３９に示す退避位置と、図４０に示す張出位置との間でアーム部材３６２０を揺動動作（回転）させる。退避位置では、アーム部材３６２０は、垂直下方へ向けて垂下された姿勢となり、遮蔽動作ユニット３５００（図３６参照）の後面側に退避される一方、張出位置では、アーム部材３６２０は、その一端を上方へ持ち上げて斜め下方へ向けて傾斜する姿勢となり、その一端を第３図柄表示装置８１（図２参照）の前面に張り出させる。
【０２８９】
アーム部材３６２０の後面側には被遮蔽領域Ｐ３が形成される。その被遮蔽領域Ｐ３は、アーム部材３６２０が退避位置に配置されると前面視において視認不能であるが、アーム部材３６２０が少なくとも張出位置に配置されると前面視において視認可能とされる領域である。被遮蔽領域Ｐ３には、被遮蔽装置３６５０の表示部３６５４ａ（図４３参照）を視認可能とする一対の視認孔３６１３が形成される。
【０２９０】
ここで、パチンコ機１０等の遊技機において、第１位置（退避位置に相当）と第２位置（張出位置に相当）との間で移動可能に形成される移動部材（アーム部材３６２０に相当）と、その移動部材を移動させるための駆動力を発生する駆動手段（駆動モータ３６３１に相当）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ３に相当）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０２９１】
これに対し、本実施形態では、後述するように、アーム部材３６２０の揺動動作（回動）に連動して被遮蔽領域Ｐ３の外観が変化されるように形成され、これにより、被遮蔽領域Ｐ３の演出部分としての能力を向上させ、被遮蔽領域Ｐ３を演出部分として効果的に使用することができる。ここで、図４１を参照して、アーム部材３６２０を有する揺動動作ユニット３６００の構造について説明する。
【０２９２】
図４１は、揺動動作ユニット３６００の分解前面斜視図である。揺動動作ユニット３６００は、後面ケース２１０（図７参照）に配設される取り付けベース３６１０と、その取り付けベース３６１０に基端が回転可能に軸支されるアーム部材３６２０と、そのアーム部材３６２０を回転駆動するための駆動力を発生する駆動装置３６３０と、その駆動装置３６３０が配設されると共に取り付けベース３６１０の前面に配設される表ケース体３６４０と、駆動装置３６３０の駆動力により回転される複数の歯車から構成される被遮蔽装置３６５０と、を主に備えて構成される。
【０２９３】
取り付けベース３６１０は、表ケース体３６４０との間にアーム部材３６２０の基端および駆動装置３６３０を収容すると共に、表ケース体３６４０の配設される側の反対側に被遮蔽装置３６５０を配設するための部材であり、前面視縦長の矩形状に形成される。取り付けベース３６１０は、その前面から突設されると共にアーム部材３６２０を回転可能に軸支するための軸部３６１１と、駆動装置３６３０の駆動軸３６３２が挿通される貫通孔３６１２と、被遮蔽装置３６５０の表示部３６５４ａを視認可能とする一対の視認孔３６１３と、を備える。
【０２９４】
一対の視認孔３６１３は、取り付けベース３６１０の前面に表示される「目の変わるだるま」の両目に該当する位置であると共に後述する演出部材３６５４の各表示３６５４ａ１〜３６５４ａ４のいずれかと前面視において重なる位置に開口される。これにより、演出部材３６５４が回転されることで、視認孔３６１３から視認される各表示３６５４ａ１〜３６５４ａ４が変化され、だるまの目が変わり、被遮蔽領域Ｐ３の外観が変化される（図４６から図４８参照）。
【０２９５】
アーム部材３６２０は、長尺形状に形成される本体部３６２１と、その本体部３６２１の基端側に溝状の開口として形成される溝部３６２２と、その溝部３６２２とは反対側となる本体部３６２１の一端側の前面に覆設されると共に装飾体として形成される装飾部３６２３と、その装飾部３６２３及び溝部３６２１の間となる位置において本体部３６２１に貫通形成される軸支孔３６２４と、を主に備えて構成される。
【０２９６】
溝部３６２２は、軸支孔３６２４を通る直線上に延設され、組立状態（図４５参照）において、駆動装置３６３０の突設ピン３６３５が挿通される開口である。組立状態において、突設ピン３６３５が軸支孔３６２４に最も近づけられる位置（図４５参照）から、軸支孔３６２４の反対側へ向けて溝部３６２２が延設される。アーム部材３６２０の回転時には、駆動装置３６３０の突設ピン３６３５が溝部３６２２の内周を摺動する。
【０２９７】
装飾部３６２３は、本実施形態においては、前面側に「両目のだるま」が表示され、その「両目のだるま」の片目の位置に磁石部３６２０Ｍｇが埋設される。この「両目のだるま」は、後述するように、アーム部材３６２０が退避位置に配置されると、揺動動作ユニット３６００の前面側に配設される遮蔽動作ユニット３５００の演出補助部材３５１３を通して視認されることで、「片目のだるま」として視認されるが、詳しくは後述する。
【０２９８】
アーム部材３６２０は、その軸支孔３６２４に取り付けベース３６１０の軸部３６１１が挿通されることで、アーム部材３６２０の基端が取り付けベース３６１０に対して回転可能に軸支される。この場合、アーム部材３６２０には、その本体部３６２１の前面であって、軸支孔３６２４の近傍となる領域に、表ケース体３６４０の当接面部３６４１が当接される。これにより、アーム部材３６２０は、その基端が取り付けベース３６１０及び表ケース体３６４０の対向間に回転可能な状態で保持される。
【０２９９】
駆動装置３６３０は、駆動力を生じさせる駆動モータ３６３１と、その駆動モータ３６３１の駆動軸３６３２と、その駆動軸３６３２に固着される第１歯車３６３３と、その第１歯車３６３３の回転に従動すると共に、表ケース体３６４０の後面側から突出される挿通軸３６４０ａに回転可能に軸支される第２歯車３６３４と、その第２歯車３６３４の外周端から後面側に突設される突設ピン３６３５と、を主に備え、その突設ピン３６３５をアーム部材３６２０の溝部３６２２に挿通させた状態で、駆動モータ３６３１が表ケース体３６４０の後面に締結固定される。この場合、第２歯車３６３４が、表ケース体３６４０の後面とアーム部材３６２０とに挟持される（図４１参照）。なお、本実施形態においては、第１歯車３６３３及び第２歯車３６３４の歯車比が１で形成される。
【０３００】
突設ピン３６３５は、上述した通り、アーム部材３６２０の溝部３６２２に挿通される部位であり、アーム部材３６２０の溝部３６２２の溝幅と同等または若干小さな外径の円柱状に形成される。駆動装置３６３０の駆動軸３６３２が回転駆動される際には、突設ピン３６３５がアーム部材３６２０の溝部３６２２内をその溝部３６２２の延設方向に沿って移動され、その結果、アーム部材３６２０が軸部３６１１を中心として回転される。
【０３０１】
駆動装置３６３０の駆動軸３６３２は、組立状態において、取り付けベース３６１０の貫通孔３６１２に挿通され、取り付けベース３６１０の後面側に配設される被遮蔽装置３６５０の切替歯車３６５２に固着される。
【０３０２】
被遮蔽装置３６５０は、各部材が樹脂材料から形成され、複数の歯車を収容可能な凹部を有するケース状に形成されると共に取り付けベース３６１０の後面側に締結固定される後面ケース体３６５１と、駆動装置３６３０の駆動軸３６３２が中心に挿通される切替歯車３６５２と、その切替歯車３６５２の回転に従動して回転される一対の従動歯車３６５３と、それらの従動歯車３６５３の回転に従動して回転されると共に前面側に表示部３６５４ａを有する演出部材３６５４と、を備え、従動歯車３６５３及び演出部材３６５４は、後面ケース体３６５１の前面から突出される複数の軸部３６５５に回転可能に軸支される。なお、従動歯車３６５３を介した切替歯車３６５２及び演出部材３６５４の歯車比が約３／２で形成される。即ち、切替歯車３６５２の回転が２／３倍に減速されて演出部材３６５４に伝達される。
【０３０３】
切替歯車３６５２は、駆動装置３６３０の駆動軸３６３２が前面視反時計回りに回転されると、それに従動して回転されるが、その一方で、駆動軸３６３２が前面視時計回りに回転されると、従動しない（停止する）という特徴を有する。ここで、図４２を参照して、切替歯車３６５２について説明する。
【０３０４】
図４２（ａ）及び図４２（ｂ）は、切替歯車３６５２の部分断面模式図である。図４２（ａ）では切替歯車３６５２の伝達状態が模式的に図示され、図４２（ｂ）では、切替歯車３６５２の解除状態が模式的に図示される。
【０３０５】
図４２（ａ）に示すように、切替歯車３６５２は、駆動装置３６３０（図４１参照）の駆動軸３６３２に固着される内輪部材３６５２ａと、その内輪部材３６５２ａを径方向に内包し同軸に形成されると共に、相対回転可能に形成される外輪部材３６５２ｂと、その外輪部材３６５２ｂの内周面に周方向に沿って長穴状に形成される複数の空間部３６５２ｃと、その空間部３６５２ｃの外枠として外輪部材３６５２ｂの内周面に形成される噛み込み面３６５２ｄと、空間部３６５２ｃに配設される噛み込み球体３６５２ｅと、その噛み込み球体３６５２ｅを一方向に付勢すると共に噛み込み面３６５２ｄの一端付近に配設される付勢バネ３６５２ｆと、を主に備える。
【０３０６】
外輪部材３６５２ｂは、外周に歯が一体成形により刻設される。その歯が、従動歯車３６５３に歯合され（図４１参照）、切替歯車３６５２が回転される場合には、その回転が従動歯車３６５３に伝達される。
【０３０７】
噛み込み面３６５２ｄは、付勢バネ３６５２ｆの配設される一端の反対側の他端付近が、内輪部材３６５２ａに漸近するように傾斜して形成される。即ち、その他端付近において、噛み込み面３６５２ｄと内輪部材３６５２ａの外周とが漸近する態様で形成される。
【０３０８】
噛み込み球体３６５２ｅは、球状に形成される部材であり、その噛み込み球体３６５２ｅの直径寸法は、噛み込み球体３６５２ｅが付勢バネ３６５２ｆの配設される一端の反対側の他端に押しつけられる場合（図４２（ａ）参照）に噛み込み面３６５２ｄと内輪部材３６５２ａとが形成する隙間に噛み込み可能な直径寸法に形成される。なお、噛み込み球体３６５２ｅが付勢バネ３６５２ｆの配設される一端の反対側の他端に押しつけられる状態から付勢バネ３６５２ｆ側に移動された場合（図４２（ｂ）参照）には、噛み込み面３６５２ｄ、内輪部材３６５２ａ及び噛み込み球体３６５２ｅで噛み込み状態が形成されず、内輪部材３６５２ａと外輪部材３６５２ｂとが相対回転可能に形成される。このように形成される切替歯車３６５２の作用を説明する。
【０３０９】
図４２（ａ）に示す矢印の方向（反時計回り）に内輪部材３６５２ａが回転されると、その内輪部材３６５２ａ及び噛み込み球体３６５２ｅの外周面間の摩擦力により噛み込み球体３６５２ｅが移動され、付勢バネ３６５２ｆの配設される一端の反対側の他端に噛み込み球体３６５２ｅが押しつけられる。この場合、噛み込み面３６５２ｄ、内輪部材３６５２ａ及び噛み込み球体３６５２ｅの間で噛み込み状態が形成され、内輪部材３６５２ａと外輪部材３６５２ｂとの接触面圧が増加し、内輪部材３６５２ａの回転力が外輪部材３６５２ｂに伝達される（伝達状態が形成される）。即ち、内輪部材３６５２ａを駆動させる駆動力で、外輪部材３６５２ｂを回転させることができる。
【０３１０】
図４２（ｂ）に示す矢印の方向（時計回り）に内輪部材３６５２ａが回転されると、その内輪部材３６５２ａ及び噛み込み球体３６５２ｅの外周面間の摩擦力により、付勢バネ３６５２ｆの付勢力に抗して噛み込み球体３６５２ｅが移動される。この場合、噛み込み面３６５２ｄ、内輪部材３６５２ａ及び噛み込み球体３６５２ｅの間で噛み込み状態が形成されず（解除状態が形成され）、内輪部材３６５２ａと外輪部材３６５２ｂとが相対回転可能に形成されるので、内輪部材３６５２ａを駆動させる駆動力では、外輪部材３６５２ｂは駆動されない。
【０３１１】
この切替歯車３６５２の特徴により、被遮蔽装置３６５０の動作に方向性を与えることが可能となる。即ち、後述するように、駆動装置３６３０の駆動方向によって、被遮蔽装置３６５０の回転と停止を切り替えることができ、被遮蔽領域Ｐ３の演出効果を向上させることができる。
【０３１２】
図４１に戻って説明する。被遮蔽装置３６５０の演出部材３６５４は、前面側に表示部３６５４ａが形成される。組立状態において、その表示部３６５４ａの各表示３６５４ａ１〜３６５４ａ４（図４３参照）のいずれかが、取り付けベース３６１０の一対の視認孔３６１３から視認可能に形成される。ここで、図４３を参照して、演出部材３６５４の表示部３６５４ａについて説明する。
【０３１３】
図４３（ａ）から図４３（ｄ）は、演出部材３６５４の表示部３６５４ａの前面図である。図４３（ａ）には表示部３６５４ａの一の停止状態が、図４３（ｂ）には、図４３（ａ）の状態から表示部３６５４ａが時計回りに９０°回転された状態が、図４３（ｃ）には、図４３（ｂ）の状態から表示部３６５４ａが時計回りに９０°回転された状態が、図４３（ｄ）には、図４３（ｃ）の状態から表示部３６５４ａが時計回りに９０°回転された状態が、それぞれ図示される。なお、図４３（ｄ）の状態からさらに表示部３６５４ａが時計回りに９０°回転されると、図４３（ａ）の状態に戻るように形成され、図４３（ａ）から図４３（ｄ）には、組立状態における取り付けベース３６１０の視認孔３６１３（図４０参照）の位置が破線で図示される。
【０３１４】
図４３（ａ）に示すように、表示部３６５４ａは、周方向に間隔をあけて各表示３６５４ａ１〜３６５４ａ４を有する。本実施形態においては、一対の表示３６５４ａ１は「黒丸」の絵柄が、一対の表示３６５４ａ２は「星」の絵柄が、一対の表示３６５４ａ３は「ハート」の絵柄が、そして一対の表示３６５４ａ４は「￥」の絵柄がそれぞれ表示され、それぞれが一対の視認孔３６１３（図４０参照）の大きさに収まる大きさで形成される。
【０３１５】
図４３（ａ）から図４３（ｄ）に示すように、組立状態（図４０参照）において、各表示３６５４ａ１〜３６５４ａ４は演出部材３６５４の回転角度（本実施形態においては９０°毎）によって、一対の視認孔３６１３からそれぞれ一対の表示（各表示３６５４ａ１〜３６５４ａ４のいずれか）が視認可能な配置に形成される。
【０３１６】
演出部材３６５４は、後述するように、アーム部材３６２０（図３９参照）が張出位置から退避位置に回転されると、その回転に伴い回転される。演出部材３６５４が回転されると、表示部３６５４ａが回転され、取り付けベース３６１０の視認孔３６１３から視認可能な各表示３６５４ａ１〜３６５４ａ４が切り替えられる。即ち、取り付けベース３６１０の前面（被遮蔽領域Ｐ３、図４０参照）に表示される「目の変わるだるま」の目が変化される。
【０３１７】
その一方で、アーム部材３６２０（図３９参照）が退避位置から張出位置に回転されると、回転は伝達されず演出部材３６５４は停止される。即ち、アーム部材３６２０の回転方向によって、演出部材３６５４の動作態様を変化させることができ、被遮蔽領域Ｐ３に意外性のある変化を生じさせることができる。ここで、アーム部材３６２０と演出部材３６５４との連動について、図４４から図４８を参照して説明する。
【０３１８】
図４４から図４６は、揺動動作ユニット３６００のアーム部材３６２０を退避位置から張出位置へ揺動動作（回転）させる過程を時系列で説明する図であり、図４４（ａ）、図４５（ａ）及び図４６（ａ）は、揺動動作ユニット３６００の前面図であり、図４４（ｂ）、図４５（ｂ）及び図４６（ｂ）は、被遮蔽装置３６５０の前面図である。図４４（ａ）、図４５（ａ）及び図４６（ａ）において、第２歯車３６３４の後面側に配設される突設ピン３６３５及びアーム部材３６２０の溝部３６２２が破線で図示されると共に、表ケース体３６４０及び駆動モータ３６３１の図示が省略される。後述する図４７及び図４８についても同様とする。
【０３１９】
なお、図４５（ａ）は、駆動モータ３６３１（図３９参照）が回転駆動され、第１歯車３６３３が時計回りに回転され、アーム部材３６２０が退避位置から張出位置へ向けて所定量だけ揺動動作された状態が図示される。また、図４４（ｂ）、図４５（ｂ）及び図４６（ｂ）は同一の状態が図示される。
【０３２０】
図４４（ａ）に示すように、アーム部材３６２０が退避位置に配置される状態では、アーム部材３６２０は下方へ向けて垂下された姿勢とされ、突設ピン３６３５は、溝部３６２２の外側端付近（軸支孔３６２４から遠い側の端部、図４４（ａ）右側）に位置される。
【０３２１】
図４４（ａ）に示す状態（アーム部材３６２０が退避位置に配置された状態）から駆動モータ３６３１の駆動軸３６３２（図４１参照）が時計回り（図４４（ａ）時計回り）に回転駆動され、それと同方向に第１歯車３６３３が回転され、その第１歯車３６３３に歯合される第２歯車３６３４が反時計回りに回転されると、突設ピン３６３５が溝部３６２２の内側端（軸支孔３６２４から近い側の端部、図４４（ａ）左側）へ向けて移動される。
【０３２２】
これにより、図４５（ａ）に示すように、アーム部材３６２０が軸支孔３６２４を中心として図４５（ａ）時計回りに回転される。駆動モータ３６３１の駆動軸３６３２（図４１参照）が更に回転駆動され、第２歯車３６３４が図４５（ａ）反時計回りに更に回転された結果、突設ピン３６３５が溝部３６２２の外側端付近に再度到達されると、図４６（ａ）に示すように、アーム部材３６２０が張出位置に配置される。
【０３２３】
図４４（ａ）に示すように、アーム部材３６２０が退避位置に配置された場合、突設ピン３６３５及び第２歯車３６３４を軸支する挿通軸３６４０ａ（図４１参照）を結ぶ直線に直交する方向と、案内溝３６２２の延設方向とが一致して配設される。
【０３２４】
これにより、退避位置に配置された状態からアーム部材３６２０を回転させる回転開始時点において、突設ピン３６３５の回転方向と案内溝３６２２の延設方向とが一致するので、移動開始時に突設ピン３６３５が案内溝３６２２から受ける抵抗を抑えることができる。よって、最も大きな力を必要とする動作開始時に必要な駆動力を低減することができる。
【０３２５】
図４６（ａ）に示すように、アーム部材３６２０が張出位置に配置された場合、アーム部材３６２０の回転軸としての軸支孔３６２４と突設ピン３６３５とを結ぶ方向Ｘが、第２歯車３６３４を回転可能に軸支する挿通軸３６４０ａ（図４１参照）と突設ピン３６３５とを結ぶ方向Ｙと直交される。
【０３２６】
この場合、突設ピン３６３５をアーム部材３６２０と第２歯車３６３４との関係において死点に位置させることができる。これにより、駆動モータ３６３１（図３９参照）からの駆動力を不要としても、アーム部材３６２０を張出位置に機械的に保持できるので、駆動手段の消費エネルギーを抑制することができる。
【０３２７】
なお、アーム部材３６２０が退避位置から張出位置へ回転する過程において、第１歯車３６３３は時計回りに回転される。即ち、駆動モータ３６３１の駆動軸３６３２（図３９参照）も時計回りに回転されるので、上述したように切替歯車３６５２には駆動モータ３６３１の駆動力が伝達されず、図４４（ｂ）、図４５（ｂ）及び図４６（ｂ）に示すように、演出部材３６５４が回転されないので、表示部３６５４ａは停止され、被遮蔽領域Ｐ３の外観は変化されない。ここで、図４７及び図４８を参照して、アーム部材３６２０が張出位置から退避位置へ回転する場合におけるアーム部材３６２０及び演出部材３６５４の連動について説明する。
【０３２８】
図４７及び図４８は、揺動動作ユニット３６００のアーム部材３６２０を張出位置（図４６参照）から退避位置へ動作させる過程を時系列で説明する図であり、図４７（ａ）及び図４８（ａ）は、揺動動作ユニット３６００の前面図であり、図４７（ｂ）及び図４８（ｂ）は、被遮蔽装置３６５０の前面図である。
【０３２９】
なお、図４７（ａ）は、アーム部材３６２０が張出位置に配置された状態から（図４６参照）、駆動モータ３６３１（図３９参照）が回転駆動され、第１歯車３６３３が反時計回り（図４７（ａ）反時計回り）に回転され、アーム部材３６２０が張出位置から退避位置へ向けて所定量だけ揺動動作された状態が図示される。
【０３３０】
第１歯車３６３３が反時計回り（図４７（ａ）反時計回り）に回転されることは駆動モータ３６３１の駆動軸３６３２（図３９参照）が反時計回りに回転されることと同義であり、上述したように、被遮蔽装置３６５０の切替歯車３６５２も反時計回りに回転される（伝達状態が形成される）。
【０３３１】
図４７（ｂ）及び図４８（ｂ）に示すように、切替歯車３６５２が回転されると、被遮蔽装置３６５０の歯車比の分だけ減速されて演出部材３６５４が回転される。本実施形態においては、アーム部材３６２０が張出位置から退避位置まで移動されるのに要する駆動装置３６３０の第１歯車３６３３の回転角度は、本実施形態では約１３５°であり（図４４（ａ）から図４６（ａ）参照）、上述したように、被遮蔽装置３６５０の従動歯車３６５３を介した切替歯車３６５２及び演出部材３６５４の歯車比が本実施形態では約３／２であるので、切替歯車３６５２の回転角度の２／３の回転角度で演出部材３６５４が回転される。
【０３３２】
即ち、アーム部材３６２０が張出位置から退避位置へ回転されると（回転角度約１３５°）、演出部材３６５４はアーム部材３６２０の回転角度の２／３の角度だけ回転される（回転角度約９０°）。そのため、演出部材３６５４はアーム部材３６２０が張出位置から退避位置へ１回回転されると一対の視認孔３６１３を通して視認される一対の各表示３６５４ａ１〜３６５４ａ４が切替られる。即ち、例えば、アーム部材３６２０が張出位置から退避位置へ１回回転されると、「黒丸」の絵柄が形成される表示３６５４ａ１（図４６参照）が、「星」の絵柄が形成される表示３６５４ａ２（図４８参照）に切替られる。
【０３３３】
また、演出部材３６５４はアーム部材３６２０が張出位置から退避位置へ４回回転される（４往復される）ことで、元の姿勢に復帰される。なお、一対の従動歯車３６５３が介在するため、駆動モータ３６３１の駆動軸３６３２（図３９参照）の回転方向（反時計回り）と、演出部材３６５４の回転方向（時計回り）とは逆方向となる。
【０３３４】
ここで、上述したように、演出部材３６５４は、アーム部材３６２０が第１方向（退避位置から張出位置へ向かう方向）に回転される場合には、アーム部材３６２０の回転に対応して回転され、アーム部材３６２０が第１方向の反対方向である第２方向（張出位置から退避位置へ向かう方向）に回転される場合には停止されることを特徴とする。よって、アーム部材３６２０の回転方向によって、演出部材３６５４の動作態様を回転するか停止するかの２態様で異ならせることができる。
【０３３５】
即ち、アーム部材３６２０が第１方向（退避位置から張出位置へ向かう方向）に回転される場合にも第２方向（張出位置から退避位置へ向かう方向）に回転される場合にも演出部材３６５４がアーム部材３６２０の回転に対応して回転されると、例えば、アーム部材３６２０が第１方向（退避位置から張出位置へ向かう方向）に回転される場合にだけ演出部材３６５４を回転させずに被遮蔽領域Ｐ３の外観を一定に維持することは難しい。
【０３３６】
これに対し、本実施形態によれば、アーム部材３６２０が第２方向（張出位置から退避位置へ向かう方向）に回転される場合にはアーム部材３６２０の回転に対応して演出部材３６５４が回転され、アーム部材３６２０が第１方向（退避位置から張出位置へ向かう方向）に回転される場合には演出部材３６５４が停止されるので、アーム部材３６２０が第１方向（退避位置から張出位置へ向かう方向）に回転される場合にだけ被遮蔽領域Ｐ３の外観を一定に維持することができる。例えば、演出部材３６５４の表示部３６５４ａに文字など静止状態において把握しやすい表示がされる場合に、アーム部材３６２０が一の回転方向に揺動動作（回転）を行う最中にだけ演出部材３６５４を停止させることで、表示部３６５４ａの静止状態をより長く維持することができ、被遮蔽領域Ｐ３の演出効果を向上させることができる。
【０３３７】
また、アーム部材３６２０が被遮蔽領域Ｐ３を隠す第２方向（張出位置から退避位置）に回転される場合には演出部材３６５４の表示部３６５４ａがルーレットのように回転されることで、次に視認される表示が何になるかの期待感を増加させることができる。その一方で、アーム部材３６２０が被遮蔽領域Ｐ３を視認可能にする方向（退避位置から張出位置）に回転される場合には演出部材３６５４が停止されるので、各表示３６５４ａ１〜３６５４ａ４（図４３参照）の停止状態における被遮蔽領域Ｐ３の外観をより長く（より早いタイミングで）遊技者に視認させることができる。
【０３３８】
例えば、本実施形態のパチンコ機１０において、各表示３６５４ａ１〜３６５４ａ４（図４３参照）の内の一の表示（例えば表示３６５４ａ１）が視認孔３６１３から視認される状況において賞球個数が増加する設定が採用されている場合、取り付けベース３６１０の視認孔３６１３から視認される表示が各表示３６５４ａ１〜３６５４ａ４の内のどれなのかをなるべく早いタイミングで確認することができれば、早期に入賞口（第１入賞口６４等、図２参照）に狙いを定めることができ、結果としてより多くの賞球を得ることができる。
【０３３９】
本実施形態によれば、アーム部材３６２０が退避位置に配置され、視認孔３６１３が視認不能な状態から、アーム部材３６２０が張出位置へ回転される場合、演出部材３６５４は停止されるので、アーム部材３６２０が張出位置へ回転され停止される前に（アーム部材３６２０と視認孔３６１３とが前後方向で重ならない位置までアーム部材３６２０が回転すれば）、視認孔３６１３から視認される表示が表示３６５４ａ１（図４３参照）であるか否かを確認することができる。即ち、アーム部材３６２０の回転動作内の早いタイミングで視認孔３６１３から視認される表示（各表示３６５４ａ１〜３６５４ａ４のいずれか）を確認することができる。
【０３４０】
ここで、図４８に示すように、取り付けベース３６１０は演出部材３６５０の移動軌跡上に前後方向で重ねられて配設され、一対の視認孔３６１３を通して、被遮蔽装置３６５０の各表示３６５４ａ１〜３６５４ａ４（図４３参照）のいずれかを視認可能とし、その他を隠す（遮蔽する）ことで視認不能とするので、一種の遮蔽部材としての役割を有する。
【０３４１】
取り付けベース３６１０と演出部材３６５４とが相対移動すると、演出部材３６５４の取り付けベース３６１０と重なる部分（視認孔３６１３と重ならない部分）は視認不能となり、演出部材３６５４の取り付けベース３６１０と重ならない部分（視認孔３６１３と重なる部分）は視認可能となる。よって、演出部材３６５４と取り付けベース３６１０とを相対移動させるにつれて、演出部材３６５４の表示部３６５４ａの内で前面視において視認可能な表示３６５４ａ１〜３６５４ａ４（図４３参照）を変化させることができるので、被遮蔽領域Ｐ３における外観の変化が、演出部材３６５４の視認可能な表示３６５４ａ１〜３６５４ａ４の変化として明確に把握可能となり、演出部材３６５４が姿勢や位置を変える変化態様に比較して、被遮蔽領域Ｐ３の外観の変化を容易に区別することができる。
【０３４２】
図４４から図４８に示すように、アーム部材３６２０が退避位置と張出位置との間を往復すると、演出部材３６５４が時計回りに９０°回転する。即ち、アーム部材３６２０が退避位置と張出位置との間を四往復すると、演出部材３６５４は一回転する。
【０３４３】
即ち、演出部材３６５４は、図４４（ｂ）に示す姿勢に配置された後に、アーム部材３６２０が退避位置と張出位置との間を所定回数（本実施形態においては４回）往復すると、再び図４４（ｂ）に示す姿勢へ復帰可能に形成されると共に、アーム部材３６２０が退避位置と張出位置との間を１往復すると、演出部材３６５４は、図４４（ｂ）に示す姿勢から回転され、再び元の姿勢へ復帰されるまでの経路（一回転）を所定回数（４回）で分割した角度だけ回転される態様で形成される。よって、演出部材３６５４の位置や姿勢をアーム部材３６２０の往復毎に異ならせることができ、結果として被遮蔽領域Ｐ３の外観をアーム部材３６２０の往復毎に変化させることができる。
【０３４４】
また、本実施形態では、演出部材３６５４を回転させる場合の駆動モータ３６３１の駆動軸３６３２（図４１参照）の回転方向は、アーム部材３６２０を重力方向に沿った方向（アーム部材が張出位置から退避位置へ向かう方向）に回転させる場合の駆動軸３６３２の回転方向と同方向であることを特徴とする。これにより、アーム部材３６２０の回転と演出部材３６５４の回転とに兼用される駆動モータ３６３１（図３９参照）の駆動力を抑制することができる。
【０３４５】
即ち、２部材を単一の駆動手段（駆動モータ３６３１に相当）で駆動させる場合、それぞれの部材にかけられる抵抗を上回る駆動力を発生させる必要があり、駆動手段を小型化することは難しい。
【０３４６】
これに対し、本実施形態によれば、アーム部材３６２０を重力方向に沿った第２方向（張出位置から退避位置へ向かう方向）に回転させる場合には、重力がアーム部材３６２０の回転を補助することとなり、アーム部材３６２０と演出部材３６５４とを同時に動作させるようにしても、駆動力は小さくて済むので、駆動モータ３６３１（図３９参照）を小型化することができる。
【０３４７】
一方で、アーム部材３６２０を重力方向に対向する方向に沿った第１方向（退避位置から張出位置へ向かう方向）に回転させる場合には、重力の分だけ駆動力を大きくする必要があるが、演出部材３６５４を停止させることで、演出部材３６５４を回転させる駆動力が不要となり、駆動モータ３６３１（図３９参照）に必要とされる駆動力を結果的に低減させることができる。
【０３４８】
図３６に戻って説明する。図３６に示すように、組立状態において、揺動動作ユニット３６００は遮蔽動作ユニット３５００の後方に配設され、遮蔽動作ユニット３５００のアーム部材３５２０が張出位置（図３８（ｂ）参照）に配置された場合に被遮蔽領域Ｐ２及び開口部３５１１が視認可能となる（図３８（ｂ）参照）。
【０３４９】
ここで、パチンコ機１０等の遊技機において、第１位置（退避位置に相当）と第２位置（張出位置に相当）との間で移動可能に形成される移動部材（アーム部材３５２０に相当）と、その移動部材を移動させるための駆動力を発生する駆動手段（駆動モータ３５１４に相当、図３７参照）と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域（被遮蔽領域Ｐ２に相当、図３８（ｂ）参照）を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０３５０】
これに対し、本実施形態によれば、遮蔽動作ユニット３５００のアーム部材３５２０が少なくとも張出位置に配置されると、前面視において被遮蔽領域Ｐ２（図３８（ｂ）参照）が視認可能となる。そして、後述するように、アーム部材３５２０の後面側に配設される揺動動作ユニット３６００のアーム部材３６２０の少なくとも一部が、前面視において被遮蔽領域Ｐ２を通過するようにアーム部材３６２０が揺動動作（回転）されるので、被遮蔽領域Ｐ２に配置される開口部３５１１を通して、回転中のアーム部材３６２０の少なくとも一部を視認することができる。よって、被遮蔽領域Ｐ２の外観を変化させることができる。結果として、被遮蔽領域Ｐ２の演出部分としての能力を向上させ、被遮蔽領域Ｐ２を演出部分として効果的に使用することができる。
【０３５１】
ここで、図４９から図５１を参照して、それぞれ個別の駆動モータ３６３１（図３９参照），３５１４（図３７参照）の駆動力で独立に動作される揺動動作ユニット３６００及び遮蔽動作ユニット３５００のそれぞれの配置に応じて視認される被遮蔽領域Ｐ２の外観について説明する。
【０３５２】
図４９（ａ）は、遮蔽動作ユニット３５００及び揺動動作ユニット３６００の前面図であり、図４９（ｂ）は、揺動動作ユニット３６００の前面図であり、図４９（ｃ）は、図４９（ａ）の部分ＸＸＸＸＩＸｃにおける遮蔽動作ユニット３５００及び揺動動作ユニット３６００の部分拡大前面図である。なお、図４９（ａ）及び図４９（ｃ）では、遮蔽動作ユニット３５００及び揺動動作ユニット３６００の組立状態（図３６参照）が図示され、図４９（ａ）から図４９（ｃ）では、遮蔽動作ユニット３５００のアーム部材３５２０は張出位置に配置され、揺動動作ユニット３６００のアーム部材３６２０は退避位置に配置される。
【０３５３】
遮蔽動作ユニット３５００のアーム部材３５２０が退避位置に配置される場合、前面視において開口部３５１１はアーム部材３５２０に遮蔽されるので、開口部３５１１を通して遮蔽動作ユニット３５００の後面側に配設される揺動動作ユニット３６００を視認することはできない（図３８（ａ）参照）。
【０３５４】
図４９（ａ）に示すように、遮蔽動作ユニット３５００のアーム部材３５２０が張出位置に配置されると、被遮蔽領域Ｐ２が視認可能となり、その被遮蔽領域Ｐ２に少なくとも一部が内包される開口部３５１１を通して遮蔽動作ユニット３５００の後方を視認可能になる。即ち、開口部３５１１を通して揺動動作ユニット３６００のアーム部材３６２０（装飾部３６２３）を視認可能になる。
【０３５５】
ここで、揺動動作ユニット３６００のアーム部材３６２０は、遮蔽動作ユニット３５００の開口部３５１１を通して装飾部３６２３に表示される「両目のだるま」を視認可能となる位置に配置される（図４９（ａ）参照）。しかし、上述した白色の円板形状の演出補助部材３５１３がアーム部材３６２０の装飾部３６２３に表示される「両目のだるま」の片目の位置と一致する位置に埋設される磁石部３６２０Ｍｇとの間で生じる磁力により移動される。すると、演出補助部材３５１３が装飾部３６２３の前側であって「両目のだるま」の片目の位置に一致する位置に配置され、「両目のだるま」の片目が前面視において遮蔽されることで、結果として開口部３５１１からは「片目のだるま」が視認される（図４９（ｃ）参照）。
【０３５６】
即ち、揺動動作ユニット３６００の装飾部３６２３は、アーム部材３６２０が張出位置に配置される場合には「両目のだるま」を視認させ（図５１（ａ）参照）、アーム部材３６２０が退避位置に配置される場合には、開口部３５１１を通して「片目のだるま」を視認させる。
【０３５７】
よって、例えば、アーム部材３６２０が張出位置に配置される（「両目のだるま」が視認される）と大当たりの当選確率が増加し、アーム部材３６２０が退避位置に配置される（「片目のだるま」が視認される）と大当たりの当選確率が減少する設定を採用する場合、遊技者は装飾部３６２３の「だるま」が「両目」なのか「片目」なのかを確認することで、直観的に現状の大当たりの当選確率の大小を把握することができる。
【０３５８】
これにより、開口部３５１１を通して視認される外観（被遮蔽領域Ｐ２の外観）の演出効果を向上させることができる。ここで、図５０を参照して、揺動動作ユニット３６００のアーム部材３６２０の回転動作と演出補助部材３５１３の移動との関連について説明する。
【０３５９】
図５０（ａ）から図５０（ｃ）は、組立状態における遮蔽動作ユニット３５００の取り付けベース３５１０と揺動動作ユニット３６００のアーム部材３６２０とを、アーム部材３６２０が張出位置から退避位置へ移動する際の時系列に沿って模式的に示した取り付けベース３５１０及びアーム部材３６２０の部分前面模式図である。
【０３６０】
なお、図５０（ａ）には、アーム部材３６２０の磁石部３６２０Ｍｇと遮蔽動作ユニット３５００の演出補助部材３５１３とが離れており、両者間に磁力が生じず、演出補助部材３５１３が重力の作用で案内筒部３５１２の下端に配置された状態が図示される。図５０（ｂ）には、図５０（ａ）の位置からアーム部材３６２０が退避位置へ向けて回転され、磁石部３６２０Ｍｇと演出補助部材３５１３との間に磁力が生じ、演出補助部材３５１３が移動を開始された状態が図示される。また図５０（ｃ）には、アーム部材３６２０が退避位置に配置され、磁石部３６２０Ｍｇと演出補助部材３５１３との間に磁力が生じ、演出補助部材３５１３が磁石部３６２０Ｍｇの前面側（だるまの片目の位置に相当）に配置された状態が図示される。
【０３６１】
図５０（ａ）から図５０（ｃ）に示すように、演出補助部材３５１３は揺動動作ユニット３６００の前面側に配設され、揺動動作ユニット３６００のアーム部材３６２０の回転に伴って上下移動されると共に、その移動の過程において、アーム部材３６２０と重なって視認される態様で形成される。
【０３６２】
ここで、アーム部材３６２０の外観は、そのアーム部材３６２０が張出位置に配置されれば視認可能であるので（図５１（ａ）参照）、被遮蔽領域Ｐ２（図４９（ａ）参照）を通してアーム部材３６２０を視認する場合の外観は予測できる場合があり、意外性に欠け、演出効果が十分であるとは言えない。
【０３６３】
一方、本実施形態によれば、アーム部材３６２０が退避位置に配置されると、アーム部材３６２０と演出補助部材３５１３とが重なって視認されるので、被遮蔽領域Ｐ２（図４９（ａ）参照）を通してアーム部材３６２０が視認される場合の外観を、アーム部材３６２０のみから予想できる外観とは異なったものとできる。
【０３６４】
また、本実施形態のように、アーム部材３６２０と演出補助部材３５１３とが磁力により相対移動される場合には、演出補助部材３５１３がアーム部材３６２０に重なる位置はアーム部材３６２０が回転されるにつれて徐々に変化する（図５０（ａ）から図５０（ｃ）参照）ので、被遮蔽領域Ｐ２（図４９（ａ）参照）を通してアーム部材３６２０が視認される場合の外観を、アーム部材３６２０が回転されるにつれて徐々に変化させることができ、被遮蔽領域Ｐ２の外観を、アーム部材３６２０のみから予想できる外観とは異なったものにする効果を向上させることができる。
【０３６５】
また、アーム部材３６２０と演出補助部材３５１３との間に生じる磁力により演出補助部材３５１３が移動されるので、アーム部材３６２０から演出補助部材３５１３に対して直接的に力を伝達させる機械的機構を不要とできる。
【０３６６】
さらに、磁力の特性により、演出補助部材３５１３とアーム部材３６２０との間隔が所定距離より小さくなると、演出補助部材３５１３とアーム部材３６２０との間に急激に大きな力を生じさせることができる。
【０３６７】
即ち、図５０（ａ）に図示される状態（演出補助部材３５１３が案内筒部３５１２の下端に配置される状態）から、アーム部材３６２０がわずかに回転されることで、アーム部材３６２０の磁石部３６２０Ｍｇと演出補助部材３５１３との間隔が上記所定距離より小さくなり、演出補助部材３５１３が大きく移動される（図５０（ｂ）参照）。
【０３６８】
この場合、演出補助部材３５１３にアーム部材３６２０の移動速度とは対応しない加速度をもたせることができるので、演出補助部材３５１３に予想外の動きをさせることができ、演出効果を向上させることができる。ここで、図５１を参照して、揺動動作ユニット３６００のアーム部材３６２０を張出位置に配置させた場合について説明する。
【０３６９】
図５１（ａ）は、遮蔽動作ユニット３５００及び揺動動作ユニット３６００の前面図であり、図５１（ｂ）は、揺動動作ユニット３６００の前面図である。なお、図５１（ａ）及び図５１（ｂ）では、遮蔽動作ユニット３５００及び揺動動作ユニット３６００の組立状態（図３６参照）が図示され、遮蔽動作ユニット３５００のアーム部材３５２０及び揺動動作ユニット３６００のアーム部材３６２０は張出位置に配置される。
【０３７０】
図５１（ａ）に示すように、遮蔽動作ユニット３５００のアーム部材３５２０が張出位置に配置されると、被遮蔽領域Ｐ２が視認可能となり、その被遮蔽領域Ｐ２に少なくとも一部が内包される開口部３５１１を通して遮蔽動作ユニット３５００の後方を視認可能になり、開口部３５１１を通して揺動動作ユニット３６００の取り付けベース３６１０の被遮蔽領域Ｐ３に表示される「目の変わるだるま」を視認可能となる。
【０３７１】
即ち、遮蔽動作ユニット３５００に形成される被遮蔽領域Ｐ２の外観が、その後面側に配設される揺動動作ユニット３６００のアーム部材３６２０が回転されることによって、変化される。本実施形態においては、前面視において、遮蔽動作ユニット３５００の被遮蔽領域Ｐ２及び揺動動作ユニット３６００の被遮蔽領域Ｐ３が重なる。そのため、被遮蔽領域Ｐ２の外観を、その被遮蔽領域Ｐ２（に少なくとも一部が内包される開口３５１１、図３８（ｂ）参照）を通してアーム部材３６２０を視認可能であると共に被遮蔽領域Ｐ３を視認不能な場合と、アーム部材３６２０が少なくとも張出位置に配置されることで被遮蔽領域Ｐ２（に内包される開口３５１１）を通して被遮蔽領域Ｐ３を視認可能な場合と、で変化させることができる。
【０３７２】
ここで、揺動動作ユニット３６００のアーム部材３６２０は遮蔽動作ユニット３５００のアーム部材３５２０の配置に関わらず前面視において少なくとも一部が視認可能であり、アーム部材３６２０は被遮蔽領域Ｐ２においてのみ視認される部材ではない。そのため、アーム部材３６２０はアーム部材３５２０に関わらず固有の演出意図を持って移動されるので、アーム部材３６２０に固有の駆動手段（駆動モータ３６３１に相当）が配設されることは当然である。そして、アーム部材３６２０に駆動手段を要することは、前面視において被遮蔽領域Ｐ２をアーム部材３６２０が通過するか否かに関わるものではない。
【０３７３】
本実施形態の特徴は、揺動動作中の揺動動作ユニット３６００のアーム部材３６２０が前面視において被遮蔽領域Ｐ２を通過するようにアーム部材３６２０を配設したことにある。即ち、アーム部材３６２０の移動により被遮蔽領域Ｐ２の変化を達成し、それと同時に、必要な駆動力は駆動手段（駆動モータ３６３１に相当）の駆動力を流用している。よって、被遮蔽領域Ｐ２の外観を変化させるための個別の駆動手段を不要とすることができる。
【０３７４】
次いで、図５２から図５８を参照して、第４実施形態について説明する。第３実施形態では、図４１に示すように、揺動動作ユニット３６００のアーム部材３６２０を揺動動作（回転）させるために駆動装置３６３０の駆動軸３６３２の回転方向を切り替える場合を説明したが、第４実施形態の揺動動作ユニット４６００（図５２参照）では、アーム部材４６２０を揺動動作（回転）させる場合は駆動軸３６３２が一の回転方向に回転され、一方で、その一の回転方向の反対方向である他の回転方向に駆動軸３６３２が回転されると、アーム部材４６２０は回転されず演出部材３６５４のみが回転される。
【０３７５】
後述する本実施形態の構成によれば、表示３６５４ａ１〜３６５４ａ４（図４３参照）がアーム部材３６２０（図４１参照）の揺動動作（回転）により順番に切り替わる第３実施形態と異なり、駆動モータ３６３１（図５２参照）の制御により表示３６５４ａ１〜３６５４ａ４をランダムに（順番に依存せずに）切り替えることができる。なお、上記各実施形態と同一の部分については同一の符号を付して、その説明を省略する。
【０３７６】
図５２は、第４実施形態における揺動動作ユニット４６００の分解前面斜視図である。揺動動作ユニット４６００は、後面ケース２１０（図７参照）に配設される取り付けベース４６１０と、その取り付けベース４６１０に基端が回転可能に軸支されるアーム部材４６２０と、そのアーム部材４６２０を回転駆動するための駆動力を発生する駆動装置４６３０と、その駆動装置４６３０が配設されると共に取り付けベース４６１０の前面に配設される表ケース体３６４０と、駆動装置４６３０の駆動力により回転される複数の歯車から構成される被遮蔽装置３６５０と、を主に備えて構成される。
【０３７７】
取り付けベース４６１０は、長尺矩形板状に形成されると共に前面側（図５２手前側）に「目の変わるだるま」及び「ミニだるま」が表示され、その「目の変わるだるま」の下方に上下方向に延設されるレール形状の案内レール４６１４と、その案内レール４６１４に案内され上下に移動される昇降部材４６１５と、その昇降部材４６１５を上向き（図５２上向き）に付勢する付勢力を生じさせる付勢バネ４６１６（図５５参照）と、を主に備える。昇降部材４６１５は、アーム部材４６２０が回転されるに伴って、上下に移動される部材であるが、その上下移動の詳細については後述する。ここで、図５３及び図５４を参照して、案内レール４６１４及び昇降部材４６１５について説明する。
【０３７８】
図５３（ａ）は、取り付けベース４６１０の下側部分を前面視した取り付けベース４６１０の部分前面図であり、図５３（ｂ）は、図５３（ａ）のＬＩＩＩｂ−ＬＩＩＩｂ線における取り付けベース４６１０の断面図である。なお、図５３（ａ）及び図５３（ｂ）において昇降部材４６１５（図５４参照）の図示が省略される。
【０３７９】
図５３（ａ）及び図５３（ｂ）に示すように、案内レール４６１４は、一対が取り付けベース４６１０の前面側から突設されると共に上下方向に延設され、断面視において突設端がそれぞれ外側に張り出す鉤状（Ｌ字形状）に形成されるレール部４６１４ａと、それら一対のレール部４６１４ａの間であって、レール部４６１４ａの上端付近（図５３（ａ）上方）の位置に取り付けベース４６１０の前面側に突設される円柱形状の係止ピン４６１４ｂと、を主に備える。
【０３８０】
一対のレール部４６１４ａは、組立状態において（図５５参照）、一対の突設部分（外側に張り出す直前まで）の外側間の距離が後述する昇降部材４６１５（図５４参照）の一対のレール受け部４６１５ｃの鉤状に張り出す端部間の距離よりも若干小さく形成される。また、一対のレール部４６１４ａの鉤状に張り出す（外側の）端部間の距離が後述する一対のレール受け部４６１５ｃの一対の突設部分（内側に張り出す直前まで）の内側間の距離より若干小さく形成される。
【０３８１】
図５４（ａ）は、昇降部材４６１５の前面図であり、図５４（ｂ）は、昇降部材４６１５の後面図であり、図５４（ｃ）は、図５４（ｂ）のＬＩＶｃ−ＬＩＶｃ線における昇降部材４６１５の断面図である。
【０３８２】
図５４に示すように、昇降部材４６１５は、樹脂材料から形成され、円板形状の本体部４６１５ａと、その本体部４６１５ａの中央下方（図５４（ｂ）下方）において後面側から突出される円柱形状の係止ピン４６１５ｂと、その係止ピン４６１５ｂの左右両側に配設され、本体部４６１５ａの後面側に上下方向（図５４（ｂ）上下方向）に延設される一対のレール受け部４６１５ｃと、本体部４６１５ａの前面側左方に配設される磁石部４６１５Ｍｇと、を主に備える。係止ピン４６１５ｂは、付勢バネ４６１６（図５５参照）の一端が係止される部分である。
【０３８３】
一対のレール受け部４６１５ｃは、案内レール４６１４のレール部４６１４ａ（図５３参照）の張り出す部分の厚みより大きな突設高さで突設され、それぞれの端部から内側に張り出す鉤状（Ｌ字形状）の断面に形成される。また、組立状態（図５５参照）において、レール受け部４６１５ｃの張り出す部分が、取り付けベース４６１０（図５３参照）の前面と案内レール４６１４のレール部４６１４ａの張り出す部分とで形成される隙間に、前後方向に若干の隙間を空けて配設可能に形成されると共に、レール受け部４６１５ｃの張り出す部分と案内レール４６１４のレール部４６１４ａの張り出す部分とが前後方向（図５５上下方向）で部分的に重なる態様で形成される。これにより、組立状態において取り付けベース４６１０の案内レール４６１４に昇降部材４６１５がスライド移動可能に嵌め合わせられる。
【０３８４】
磁石部４６１５Ｍｇが本体部４６１５ａに配設されることで、後述するアーム部材４６２０（図５２参照）の磁石部４６２０Ｍｇと本体部４６１５ａの磁石部４６１５Ｍｇとの間で磁力が生じた場合に、その磁力の作用で昇降部材４６１５が上下移動されるように形成されるが、詳細については後述する。ここで、図５５を参照して、案内レール４６１４及び昇降部材４６１５の組立状態について説明する。
【０３８５】
図５５（ａ）は、取り付けベース４６１０の部分前面図であり、図５５（ｂ）は、図５５（ａ）のＬＶｂ−ＬＶｂ線における取り付けベース４６１０の断面図である。なお、図５５（ａ）では、案内レール４６１４に昇降部材４６１５を嵌め合わせた組立状態が図示されると共に昇降部材４６１５の本体部４６１５ａに隠される部分が破線で図示される。
【０３８６】
図５５（ａ）に示すように、案内レール４６１４の係止ピン４６１４ｂと昇降部材４６１５の係止ピン４６１５ｂとの間に付勢バネ４６１６が配設される。組立状態において、その付勢バネ４６１６の付勢力が、昇降部材４６１５に負荷される重力（図５５（ａ）下方へ向けて重力が作用）と吊り合う位置まで付勢バネ４６１６が伸ばされ（自然長より若干伸ばされ）、昇降部材４６１５が停止される。
【０３８７】
図５５（ｂ）に示すように、案内レール４６１４のレール部４６１４ａと、昇降部材４６１５のレール受け部４６１５ｃとが、上述した構成により、昇降部材４６１５の厚み方向および左右方向（図５５（ｂ）左右方向）に若干の隙間を空けて嵌め合わされるので、昇降部材４６１５が案内レール４６１４に上下移動可能に配設される。また、付勢バネ４６１６は、案内レール４６１４の一対のレール部４６１４ａの間の隙間に配設される。
【０３８８】
上述したように、案内レール４６１４のレール部４６１４ａは、昇降部材４６１５のレール受け部４６１５ｃの内側を上下移動可能な形状（レール受け部４６１５ｃとレール部４６１４ａとの間に隙間が若干生じる形状）に形成される。
【０３８９】
また、上述したように、レール部４６１４ａの突設端の張り出す部分と、レール受け部４６１５ｃの突設端の張り出す部分とが前後方向（図５５上下方向）において部分的に重なる態様で形成され、組立状態において、昇降部材４６１５の案内レール４６１４に対する前後移動が規制される（抜け止めされる）。
【０３９０】
なお、案内レール４６１４に昇降部材４６１５を組み付ける際には、係止ピン４６１４ｂ，４６１５ｂに付勢バネ４６１６の両端をそれぞれ係止させた状態で、昇降部材４６１５を案内レール４６１４の下方に配置し（付勢バネ４６１６を伸ばした状態）、案内レール４６１４のレール部４６１４ａと昇降部材４６１５のレール受け部４６１５ｃとを嵌め合わせ、昇降部材４６１５の固定を解くと、昇降部材４６１５が案内レール４６１４に案内され付勢バネ４６１６の付勢力で図５５（ａ）に図示される位置まで上昇される。これにより、昇降部材４６１５が案内レール４６１４に組み付けられる。
【０３９１】
図５２に戻って駆動装置４６３０について説明する。第３実施形態では、駆動装置３６３０（図４１参照）の駆動軸３６３２に第１歯車３６３３が固着されたが、本実施形態では、第１歯車３６３３の代わりに、切替歯車４６３３が固着される。その切替歯車４６３３は、第３実施形態において上述した被遮蔽装置３６５０の切替歯車３６５２（図４２参照）と技術的には実質同一とされ、駆動軸３６３２の回転方向によって駆動力の伝達される伝達状態と駆動力の伝達が解除される解除状態とを切替可能に形成される。しかし、その切替において、駆動装置４６３０の切替歯車４６３３の回転方向と被遮蔽装置３６５０の切替歯車３６５２の回転方向とが逆に形成される。
【０３９２】
即ち、駆動装置４６３０の駆動軸３６３２が前面視において反時計回りに回転されると、被遮蔽装置３６５０の切替歯車３６５２には回転が伝達されるが、駆動装置４６３０の切替歯車４６３３には回転が伝達されない。その一方で、駆動装置４６３０の駆動軸３６３２が前面視において時計回りに回転されると、被遮蔽装置３６５０の切替歯車３６５２には回転が伝達されないが、駆動装置４６３０の切替歯車４６３３には回転が伝達される。
【０３９３】
即ち、駆動装置４６３０の駆動軸３６３２の回転方向によって、アーム部材４６２０に駆動力を伝達させるための切替歯車４６３３を回転させるか、演出部材３６５４に駆動力を伝達させるための切替歯車３６５２を回転させるかを切り替えることができる。これにより、アーム部材４６２０と演出部材３６５４とを独立で（非連動で）回転させることができる。よって、独立で動作（揺動動作、回転動作）させる部材の個数（本実施形態ではアーム部材４６２０及び演出部材３６５４の２個）に対して駆動手段の配設個数を抑制（本実施形態では１個）できる。
【０３９４】
さらに、部材の動作（揺動動作、回転動作）を独立で制御することで部材間での動作の関連（動作速度や動作タイミングの関連）が断たれ、アーム部材４６２０の動作に依存せず演出部材３６５４を独立で回転させることができる。これにより、演出部材３６５４の回転動作を遊技者にとって予想外のものにすることができるので、演出部材３６５４の回転によって外観が変化する被遮蔽領域Ｐ３（図５６参照）の演出効果を向上させることができる。
【０３９５】
なお、上記の駆動力伝達の切替は機械的機構により達成され（図４２参照）、電磁石等の電気的機構は不要である。そのため、電気的機構を採用する場合に比較し、制御コストを削減することができる。
【０３９６】
アーム部材４６２０は、駆動装置４６３０の駆動軸３６３２の回転方向を切り替えることなく、揺動動作（回転動作、往復動作）可能に形成される。ここで、アーム部材４６２０について説明する。
【０３９７】
アーム部材４６２０は、本体部３６２１の基端側に溝状の開口として形成される溝部４６２２と、本体部３６２１の後面側に配設される長尺板形状の磁石部４６２０Ｍｇと、を主に備えて構成される。
【０３９８】
溝部４６２２は、第３実施形態における溝部３６２２（図４１参照）と延設方向の長さのみを変化された開口である。即ち、溝部４６２２は、軸支孔３６２４を通る直線上に延設され、組立状態において、駆動装置４６３０の突設ピン３６３５が挿通される開口である。溝部４６２２の形状は、幅方向が突設ピン３６３５の直径より若干大きく形成され、駆動装置４６３０の第２歯車３６３４が一回転され、それに伴い第２歯車３６３４から突設される突設ピン３６３５が一回転される際に突設ピン３６３５が継続して摺動可能な長さに形成される。
【０３９９】
即ち、溝部４６２２は、組立状態（図５６から図５８参照）において、突設ピン３６３５が軸支孔３６２４に最も近づけられる位置（図５８（ｂ）参照）から、突設ピン３６３５が軸支孔３６２４から最も遠ざけられる位置（図５７（ａ）参照）まで少なくとも延設される。これにより、後述するように、組立状態において第２歯車３６３４が一回転されることでアーム部材４６２０が一往復される（図５６から図５８参照）。
【０４００】
ここで、例えば本実施形態のように、駆動手段（駆動モータ３６３１に相当）の駆動力が一の方向に生じる場合にのみ移動部材（アーム部材４６２０に相当）が回転される場合、駆動手段から移動部材に生じる駆動力は一方向に限定される。そのため、移動部材を往復動させる場合に、往路と復路とで駆動力の方向を反転させることができない。この場合、移動部材を初期位置に復元させることを考慮すると、移動部材は、周期的な回転移動を行うものに限定され易く、結果的に移動部材の設計自由度が低くなる。
【０４０１】
これに対し、本実施形態の構成によれば、後述するように、駆動モータ３６３１の駆動軸３６３２が前面視時計回りに１回転されることで、アーム部材４６２０が第１位置（退避位置に相当、図５８（ａ）参照）と第２位置（張出位置に相当、図５６参照）との間を１往復する態様で形成される。
【０４０２】
即ち、移動部材（アーム部材４６２０に相当）を採用する場合に、周期的な回転移動を行うものだけでなく、往復移動するものも採用可能である。よって、移動部材の設計自由度を向上させることができる。
【０４０３】
磁石部４６２０Ｍｇは、昇降部材４６１５を上下移動させる駆動力を生じさせる部分であり、アーム部材４６２０の装飾部３６２３の下方後面側に前面視において左斜め下方向へ向けて延設される細径板状に形成される。磁石部４６２０Ｍｇは、組立状態において（図５６参照）、昇降部材４６１５が上昇位置に配置されている場合に、軸支孔３６２４から昇降部材４６１５の磁石部４５１５Ｍｇまでの距離を半径として軸支孔３６２４を中心に描かれる円周上の位置であると共にアーム部材４６２０の右側端部（図５６右側）である位置から前面視左側下方へ延設される。そして、磁石部４６２０Ｍｇは、アーム部材４６２０が退避位置に配置された場合（図５８（ａ）参照）に、昇降部材４５１５の磁石部４５１５Ｍｇと上下方向（図５６上下方向）で少なくとも重ならない位置まで延設される。
【０４０４】
これにより、アーム部材４６２０が張出位置から退避位置へ回転されることで、アーム部材４６２０と昇降部材４６１５とが近接されると、昇降部材４６１５の磁石部４６１５Ｍｇ（図５４参照）とアーム部材４６２０の磁石部４６２０Ｍｇとの間で磁力が生じ、昇降部材４６１５が上下移動されるが、詳細については後述する。
【０４０５】
ここで、アーム部材４６２０の揺動動作（回転）について、図５６から図５８を参照して説明する。
【０４０６】
図５６から図５８（ａ）は、揺動動作ユニット４６００のアーム部材４６２０を張出位置（図５６参照）から退避位置（図５８（ａ）参照）へ動作させる過程を時系列で説明する揺動動作ユニット４６００の前面図である。図５６から図５８（ａ）では、第２歯車３６３４の後面側に配設される突設ピン３６３５及びアーム部材４６２０の溝部４６２２が破線で図示されると共に、表ケース体３６４０及び駆動モータ３６３１の図示が省略される。後述する図５８（ｂ）においても同様である。
【０４０７】
なお、図５７（ａ）は、駆動モータ３６３１（図５２参照）が回転駆動され、切替歯車４６３３が伝達状態となり図５７（ａ）時計回りに回転され、アーム部材４６２０が張出位置から退避位置へ向けて所定量だけ揺動動作された状態が図示され、図５７（ｂ）は、図５７（ａ）の状態から駆動モータ３６３１が更に回転駆動され、切替歯車４６３３が時計回りに回転され、アーム部材４６２０が退避位置へ向けて所定量だけ更に揺動動作された状態が図示される。
【０４０８】
図５８（ｂ）は、揺動動作ユニット４６００の前面図である。図５８（ｂ）では、図５８（ａ）の状態から駆動モータ３６３１が回転駆動され、切替歯車４６３３が伝達状態となり図５８（ａ）時計回りに回転され、アーム部材４６２０が退避位置から張出位置へ向けて所定量だけ揺動動作された状態が図示される。図５８（ｂ）の状態から切替歯車４６３３が更に時計回りに回転されることで、アーム部材４６２０が張出位置へ再び配置される（図５６参照）。
【０４０９】
図５６から図５８に示すように、揺動動作ユニット４６００のアーム部材４６２０は、駆動モータ３６３１の駆動軸３６３２（図５２参照）が一の回転方向（本実施形態においては、図５６時計回り）に回転され、切替歯車４６３３が回転されることで、第２歯車３６３４が回転され、その第２歯車３６３４から突設される突設ピン３６３５がアーム部材４６２０の溝部４６２２を摺動され、アーム部材４６２０が回転（往復動作）される。
【０４１０】
図５６に示すように、アーム部材４６２０が張出位置に配置された場合、アーム部材４６２０の回転軸としての軸支孔３６２４と突設ピン３６３５とを結ぶ方向Ｘが、第２歯車３６３４を回転可能に軸支する挿通軸３６４０ａ（図５２参照）と突設ピン３６３５とを結ぶ方向Ｙと直交される。
【０４１１】
この場合、突設ピン３６３５をアーム部材４６２０と第２歯車３６３４との関係において死点に位置させることができる。これにより、駆動モータ３６３１（図５２参照）からの駆動力を不要としても、アーム部材４６２０を張出位置（図５６参照）に機械的に保持できるので、駆動手段の消費エネルギーを抑制することができると共に、駆動装置４６３０の駆動軸３６３２（図５２参照）からアーム部材４６２０への駆動力の伝達を解除してもアーム部材４６２０を張出位置に維持できる。
【０４１２】
ここで、アーム部材４６２０が張出位置に配置された状態（機械的に保持された状態）で駆動装置４６３０の駆動軸３６３２（図５２参照）が反時計回り（図５６反時計回り）に回転されると、アーム部材４６２０は張出位置に配置された状態で維持され（切替歯車４６３３は解除状態を形成され）、被遮蔽装置３６５０（図５２参照）の切替歯車３６５２が伝達状態を形成し回転される。結果として、演出部材３６５４（図５２参照）が回転され、取り付けベース４６１０の視認孔３６１３から視認される表示部３６５４ａの表示３６５４ａ１〜３６５４ａ４（図４３参照）が切り替えられ、被遮蔽領域Ｐ３の外観を変化させることができる。
【０４１３】
視認孔３６１３から視認される表示部３６５４ａ（図４３参照）の切り替えの態様は、駆動モータ３６３１（図５２参照）の制御次第で任意に選択することができる。即ち、例えば、駆動モータ３６３１を高速（又は低速）で回転させることで、視認孔３６１３から視認される表示部３６５４ａの表示３６５４ａ１〜３６５４ａ４（図４３参照）を高速（又は低速）で切り替えることができるし、駆動モータ３６３１を回転（又は停止）させるタイミングも任意に選択できる。これにより、表示３６５４ａ１〜３６５４ａ４の切り替えの態様を様々に形成できるので、被遮蔽領域Ｐ３の演出効果を向上させることができる。
【０４１４】
ここで、本実施形態において、演出部材３６５４が視認孔３６１３からのみ視認可能であり、それ以外の部分は取り付けベース４６１０に隠されるため、取り付けベース４６１０は演出部材３６５４を部分的に遮蔽する一種の遮蔽部材としての特徴を有する。
【０４１５】
即ち、取り付けベース４６１０は演出部材３６５４（図４３参照）の移動軌跡上に少なくとも一部が重なって配設されると共に、演出部材３６５４の前面側に配設される。そのため、取り付けベース４６１０に対して演出部材３６５４が相対移動（回転）すると、視認孔３６１３に重ならない演出部材３６５４の部分は視認不能となり、演出部材３６５４の視認孔３６１３と重なる部分は視認可能となる。
【０４１６】
よって、被遮蔽領域Ｐ３における外観の変化が、演出部材３６５４（図４３参照）の視認できる部分の変化として明確に把握可能となり、演出部材３６５４が姿勢や位置を変える変化態様に比較して、被遮蔽領域Ｐ３の外観の変化を容易に区別することができる。
【０４１７】
例えば、本実施形態と同じく、演出部材（演出部材３６５４に相当）が回転軸を前後方向に有する回転体である場合のように、演出部材の移動が前面視において平面的であると、前面視で視認可能な演出部材の模様や表示は、位相違いを区別しないとすれば１種類である。一方、遮蔽部材（取り付けベース４６１０に相当）を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０４１８】
同様に、例えば、本実施形態とは異なり、演出部材（演出部材３６５４に相当）が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材（取り付けベース４６１０に相当）を演出部材の前面側に配設及び固定することで、演出部材の視認可能な部分を制限でき、模様や表示に統一感を持たせる単位が制限されるので（半周単位よりも小さな部分でよいので）、演出部材に複数種類の表示を形成する際の自由度を向上させることができる。なお、遮蔽部材としては、移動軌跡と断続的に重なる櫛状または梯子状のものや、開口を有する板状のもの等が、例示される。
【０４１９】
第３実施形態では、アーム部材３６２０（図４１参照）の揺動動作（回転）に連動して被遮蔽装置３６５０の演出部材３６５４（図４１参照）が回転されたが、本実施形態では、アーム部材４６２０の揺動動作（回転）とは無関係（非連動）な速度および角度で演出部材３６５４（図５２参照）が回転され、被遮蔽領域Ｐ３の外観に変化が生じる。
【０４２０】
これによれば、例えば、被遮蔽領域Ｐ３が視認不能な状態となるようにアーム部材４６２０を退避位置に配置させ（図５８（ａ）参照）、その退避位置でアーム部材４６２０を停止させたままで、予め演出部材３６５４を回転させ、被遮蔽領域Ｐ３の外観を変化させておき、再びアーム部材４６２０を回転させ、被遮蔽領域Ｐ３を視認可能とする。これにより、アーム部材４６２０に隠される直前（図５７（ａ）参照）の被遮蔽領域Ｐ３の外観と、アーム部材４６２０による遮蔽が解除された直後（図５８（ｂ）参照）の被遮蔽領域Ｐ３の外観とを異ならせることができる。
【０４２１】
ここで、被遮蔽領域Ｐ３が視認不能な状態となるようにアーム部材４６２０を停止させたままで、予め演出部材３６５４を回転させ、被遮蔽領域Ｐ３の外観を変化させておくことは別の構成でも達成できる。例えば、アーム部材４６２０が張出位置と退避位置との間を往復するごとに、アーム部材４６２０が被遮蔽領域Ｐ３を視認不能とするタイミングで図示しないラチェット機構等により演出部材３６５４を所定角度回転させることによっても達成することができる。しかし、この場合、演出部材３６５４の回転角度はアーム部材４６２０の往復回数に依存するので、演出部材３６５４の回転角度をアーム部材４６２０の揺動動作と独立して変化させることができない。
【０４２２】
よって、アーム部材４６２０の往復回数とは独立して演出部材３６５４の回転角度を変化させたい場合に、演出部材３６５４を駆動モータ３６３１（図５２参照）で回転させる上述した構成が有効となる。なお、切替手段としては、例えば、ワンウェイクラッチギア又はラチェット機構等が例示される。
【０４２３】
上述した演出部材３６５４を駆動モータ３６３１（図５２参照）で回転させる構成によれば、駆動モータ３６３１の駆動軸３６３２の回転方向によって、アーム部材４６２０と演出部材４６１５とが独立して（非連動で）回転されるので、アーム部材４６２０と演出部材４６１５とを同時に回転させることはできない。そのため、アーム部材４６２０の回転中に被遮蔽領域Ｐ３の外観を変化させることができず、演出効果が不十分となる可能性がある。一方、本実施形態によれば、上述した昇降部材４６１５をアーム部材４６２０の回転に伴い移動させることで、アーム部材４６２０の回転中に被遮蔽領域Ｐ３の外観を変化させることができる。ここで、昇降部材４６１５の上下移動について、図５６から図５８（ａ）を参照して説明する。
【０４２４】
昇降部材４６１５の磁石部４６１５Ｍｇがアーム部材４６２０の磁石部４６２０Ｍｇとの間で生じる磁力により吸着されることで昇降部材４６１５は移動される。ここで、上述したように、磁石部４６２０Ｍｇはアーム部材４６２０の後面に前面視左斜め下方向に延設される。そのため、アーム部材４６２０が張出位置から退避位置へ回転されるに従い、昇降部材４６１５の磁石部４６１５Ｍｇがアーム部材４６２０の磁石部４６２０Ｍｇの延設方向に沿って移動され、昇降部材４６１５が案内レール４６１４の延設方向である下方向に移動される。
【０４２５】
図５６に示すように、アーム部材４６２０が張出位置に配置されると、昇降部材４６１５は付勢バネ４６１６（図５５参照）により上昇位置に配置される。この状態においては、昇降部材４６１５の磁石部４６１５Ｍｇとアーム部材４６２０の磁石部４６２０Ｍｇとの間に昇降部材４６１５を移動させるだけの十分な磁力は生じていない。
【０４２６】
図５７（ａ）に示すように、アーム部材４６２０が張出位置から退避位置へ向けて所定量だけ揺動動作（回転）されると、昇降部材４６１５の磁石部４６１５Ｍｇとアーム部材４６２０の磁石部４６２０Ｍｇとの間に磁力が生じ、磁石部４６１５Ｍｇがアーム部材４６２０の磁石部４６２０Ｍｇに吸着する態様で昇降部材４６１５が下方へ移動される。
【０４２７】
図５７（ｂ）に示すように、アーム部材４６２０が図５７（ａ）の状態から退避位置へ向けて更に揺動動作（回転）されると、昇降部材４６１５が更に下方に移動される。これは、昇降部材４６１５は上下方向（図５７上下方向）に移動可能に形成されるが、昇降部材４６１５の磁石部４６１５Ｍｇとアーム部材４６２０の磁石部４６２０Ｍｇとが上下方向で重なる位置が、図５７（ａ）の状態から下方に移動されるためである。
【０４２８】
図５８（ａ）に示すように、アーム部材４６２０が図５７（ｂ）の状態から更に揺動動作（回転）され、アーム部材４６２０が退避位置へ配置されると、昇降部材４６１５の磁石部４６１５Ｍｇとアーム部材４６２０の磁石部４６２０Ｍｇとが上下方向（図５８上下方向）で重ならなくなり、昇降部材４６１５を下方へ移動させる磁力が減少し、付勢バネ４６１６（図５５（ａ）参照）の付勢力で昇降部材４６１５が上昇位置へ復帰される。このように、アーム部材４６２０の回転中に昇降部材４６１５が移動されることで被遮蔽領域Ｐ３の外観を変化させることができ、被遮蔽領域Ｐ３の演出効果を向上させることができる。なお、本実施例では、昇降部材４６１５が移動されることで、取り付けベース４６１０の前面側に表示される「ミニだるま」（図５７（ｂ）参照）を視認することができるようになる。
【０４２９】
また、昇降部材４６１５の移動速度は、アーム部材４６２０の揺動動作の速度に加え、磁石部４６２０Ｍｇの傾斜の度合いによっても変化させることができる。即ち、例えば磁石部４６２０Ｍｇの傾斜の度合いをきつく（アーム部材４６２０の短手方向に対する角度を大きく）すれば、昇降部材４６１５の移動速度は大きくなる。一方で、例えば磁石部４６２０Ｍｇの傾斜の度合いを緩く（アーム部材４６２０の短手方向に対する角度を小さく）すれば、昇降部材４６１５の移動速度は小さくなる。これにより、昇降部材４６１５の移動速度にバリエーションを持たせることができ、昇降部材４６１５を有する被遮蔽領域Ｐ３の演出効果を向上させることができる。
【０４３０】
次いで、図５９及び図６０を参照して、第５実施形態について説明する。第３実施形態では、遮蔽動作ユニット３５００の演出補助部材３５１３（図３７及び図５０参照）が磁力で移動される場合を説明したが、第５実施形態の遮蔽動作ユニット５５００では、演出補助部材５５３０が、揺動動作ユニット３６００のアーム部材３６２０に当接され移動される。なお、上記各実施形態と同一の部分については同一の符号を付して、その説明を省略する。
【０４３１】
図５９は、第５実施形態における遮蔽動作ユニット５５００の後面斜視図である。図５９に示すように、遮蔽動作ユニット５５００は、揺動動作ユニット３６００（図３６参照）の前面側に締結固定される取り付けベース５５１０と、その取り付けベース５５１０の前面側に回転可能に配設される上述したアーム部材３５２０と、取り付けベース５５１０の後面視左側下方に配設される演出補助部材５５３０と、を主に備える。
【０４３２】
取り付けベース５５１０は、長尺の矩形状に形成され、その取り付けベース５５１０の下方に形成される開口部３５１１と、その開口部３５１１の後面視左側下方（図５９左側下方）に間隔を空けて取り付けベース５５１０の後面側から後方へ向けて突出される円柱状の軸部５５１０ａと、開口部３５１１の後面視左方（図５９左方）であって、取り付けベース５５１０の後面側から突出される板状の壁部５５１０ｂと、を主に備える。
【０４３３】
軸部５５１０ａは後述する演出補助部材５５３０を回転可能に軸支する部分であり、壁部５５１０ｂは、回転する演出補助部材５５３０に当接可能に形成される。本実施形態においては、軸部５５１０ａと壁部５５１０ｂとが略同等の突設高さで形成される。
【０４３４】
演出補助部材５５３０は、樹脂材料から形成され、棒状体がＬ字状に屈曲されると共に屈曲部分に屈曲方向と直交する方向に開口される挿通孔を有する本体部５５３１と、その本体部５５３１の一端に配設される円板形状の遮蔽部５５３２と、その一端の反対側の他端に突設される当接部５５３３と、本体部５５３１を挟んで遮蔽部５５３２の反対側に本体部５５３１から延設される重り部５５３４と、を主に備える。
【０４３５】
本体部５５３１の挿通孔の直径は、取り付けベース５５１０の軸部５５１０ａの直径よりも若干大きく形成され、組立状態において、本体部５５３１の挿通孔に軸部５５１０ａが挿通される。
【０４３６】
遮蔽部５５３２は、円板の直径が揺動動作ユニット３６００（図３９参照）の「両目のだるま」の黒目の直径よりも大きく形成され、後述するように揺動動作ユニット３６００のアーム部材３６２０が退避位置に配置されることで演出補助部材５５３０が回転された際には、揺動動作ユニット３６００（図３９参照）の「両目のだるま」の片目の位置と一致する態様で形成される。
【０４３７】
当接部５５３３は、組立状態（図５９参照）において、本体部５５３１の後面側から後方に突設され、組立状態における揺動動作ユニット３６００（図３９参照）との関係において、揺動動作（回転）するアーム部材３６２０と当接可能な突設高さで形成される。本実施形態においては、当接部５５３３と揺動動作ユニット３６００のアーム部材３６２０の側面（図４４におけるアーム部材３６２０の右側面）とが当接する態様で形成される。そのため、アーム部材３６２０が退避位置へ揺動動作されると、当接部５５３３が押され、演出補助部材５５３０が挿通軸５５１０ａを中心に回転される。
【０４３８】
重り部５５３４は、他の部分より重量を増して形成される（例えば高密度）。そのため、演出補助部材５５３０に外力が生じない状態では、重力の作用により、重り部５５３４が鉛直下方（図５９下方）に配置されるので、遮蔽部５５３２が挿通軸５５１０ａの鉛直上方に配置される。これにより、遮蔽部５５３２を遮蔽動作ユニット５５００の開口部３５１１から視認不能な位置に隠すことができる。
【０４３９】
ここで、図６０を参照して、揺動動作ユニット３６００のアーム部材３６２０の回転動作と演出補助部材５５３０の移動との関連について説明する。
【０４４０】
図６０（ａ）から図６０（ｃ）は、組立状態における遮蔽動作ユニット５５００の取り付けベース５５１０、揺動動作ユニット３６００のアーム部材３６２０及び演出補助部材５５３０を、アーム部材３６２０が張出位置から退避位置へ移動する際の時系列に沿って模式的に示した取り付けベース５５１０、アーム部材３６２０及び演出補助部材５５３０の部分前面模式図である。
【０４４１】
なお、図６０（ａ）には、アーム部材３６２０の側面と演出補助部材５５３０の当接部５５３３とが当接し始める直前の状態が図示される。図６０（ｂ）には、図６０（ａ）の位置からアーム部材３６２０が退避位置へ向けて回転され、アーム部材３６２０の側面に当接される演出補助部材５５３０が更に所定量だけ回転された状態が図示される。また図６０（ｃ）には、アーム部材３６２０が退避位置に配置されるまで回転され、演出補助部材５５３０が回転され、遮蔽部５５３２がアーム部材３６２０の前面に表示される「両目のだるま」の片目の位置に配置された状態が図示される。
【０４４２】
図６０（ａ）から図６０（ｃ）に示すように、演出補助部材５５３０は揺動動作ユニット３６００の前面側に配設され、揺動動作ユニット３６００のアーム部材３６２０の回転に伴って上下移動されると共に、その移動の過程において、アーム部材３６２０と重なって視認される態様で形成される。
【０４４３】
ここで、アーム部材３６２０の外観は、そのアーム部材３６２０が張出位置に配置されれば視認可能であるので（図５１（ａ）参照）、被遮蔽領域Ｐ２（図３８参照）を通してアーム部材３６２０を視認する場合の外観は予測できる場合があり、意外性に欠け、演出効果が十分であるとは言えない。
【０４４４】
一方、本実施形態によれば、アーム部材３６２０が退避位置に配置されると、アーム部材３６２０と演出補助部材５５３０の遮蔽部５５３２とが重なって視認されるので、被遮蔽領域Ｐ２（図３８参照）を通してアーム部材３６２０が視認される場合の外観を、アーム部材３６２０のみから予想できる外観とは異なったものとできる。
【０４４５】
また、本実施形態によれば、演出補助部材５５３０が揺動動作ユニット３６００のアーム部材３６２０の側面に当接され、そのアーム部材３６２０に押されることで回転されるので、演出補助部材５５３０の設計自由度を高くすることができる。
【０４４６】
即ち、例えば、演出補助部材５５３０を磁力で移動させる場合、演出補助部材５５３０の質量や形状が大きいと、必要な磁力は大きくなる。ここで、磁力を大きくするには、磁石の特性を向上させる必要があるが、磁石の特性を向上させると、磁石は高価になり、部品コストが増大する。よって、演出補助部材５５３０を大型化するには部品コストがかかるので、演出部材を大型化し難く、演出補助部材５５３０とアーム部材３６２０の前面視において重なる部分を大きくすることでアーム部材３６２０の外観を大きく変化させることは難しい。
【０４４７】
一方、本実施形態によれば、演出補助部材５５３０は、アーム部材３６２０に直接的に当接されて生じる力により回転されるので、演出補助部材５５３０の回転にアーム部材３６２０の駆動力を利用でき、より大きな演出補助部材５５３０を採用することができる。よって、アーム部材３６２０の外観と、演出補助部材５５３０及びアーム部材３６２０が重なった場合の外観とを大きく変化させることができる。
【０４４８】
また、本実施形態では、アーム部材３６２０が重力方向に回転する（張出位置から退避位置へ回転する場合）という大きな駆動力を必要としない場合において、アーム部材３６２０の側面が演出補助部材５５３０に当接されるので、アーム部材３６２０を駆動させる駆動モータ３６３１（図３９参照）に必要とされる駆動力を抑制できる。即ち、駆動モータ３６３１の容量を小さく維持することができる。
【０４４９】
次いで、図６１を参照して、第６実施形態について説明する。第１実施形態では、遊技盤１３に配設される風車である可動部材３１０（図９参照）を利用して被遮蔽領域Ｐ１（図１１参照）の外観を変化させる場合を説明したが、第６実施形態では遊技盤１３の前面に没出可能な没出部材６３３０が配設される。なお、上記各実施形態と同一の部分については同一の符号を付して、その説明を省略する。
【０４５０】
図６１（ａ）は、第６実施形態における遊技盤１３に配設された状態における没出部材６３３０、ラック部材６３４０及び第２歯車３２２の部分拡大斜視図であり、図６１（ｂ）及び図６１（ｃ）は、遊技盤１３、没出部材６３３０及びラック部材６３４０を遊技盤１３の側面と平行な平面で断面視する断面模式図である。図６１（ｂ）には、没出部材６３３０が第１位置に配置された状態が模式的に示され、図６１（ｃ）には没出部材６３３０が第２位置に配置された状態が模式的に示される。なお、図６１（ａ）において、紙面下方が遊技盤１３の前面側とされ、遊技盤１３は部分的に図示されると共に部分的に断面視される。また、図６１（ｂ）及び図６１（ｃ）は、没出部材６３３０を通過する平面で断面視されると共に、図６１（ｂ）及び図６１（ｃ）において、紙面左方が遊技盤１３の前面側とされる。
【０４５１】
没出部材６３３０は、遊技盤１３に前後方向に開口される開口部に前後方向に回転可能に軸支され、遊技盤１３の前面に張り出す第１位置（図６１（ｂ）参照）と、遊技盤１３の前面から後方に没する第２位置（図６１（ｃ）参照）とに配置可能な部材であり、普段は第１位置に配置されるが、球が没出部材６３３０の前面を通過すると、球に押され、第２位置に移動されるように形成される。なお、没出部材６３３０が第１位置に配置された状態において、演出部材４４２（図１６（ｂ）参照）が上述した初期位置に配置され停止されるので、演出部材４４２に周方向に回転不能に係止される第２歯車３２２が停止され、その第２歯車３２２に歯合されるラック部材６３４０が停止され、そのラック部材６３４０に歯合される没出部材６３３０が第１位置に維持される。
【０４５２】
図６１（ａ）に示すように、没出部材６３３０は、遊技盤１３に前後方向に開口される開口部に遊技盤１３の前側に没出可能に配設される部材であって、扇形の板形状からなる本体部６３３１と、その本体部６３３１の湾曲面に刻設される歯６３３２と、本体部６３３１の一端から厚み方向に同軸で突設され組立状態において遊技盤１３の図示しない軸支部に軸支される一対の回転軸部６３３３と、を主に備え、樹脂材料から一体成形される。没出部材６３３０は、図示しない軸支部に支えられることで、遊技盤１３の前後方向に回転可能に軸支される。
【０４５３】
ラック部材６３４０は、没出部材６３３０に従動される部材であって、断面矩形の長尺棒形状の本体部６３４１と、その本体部６３４１の没出部材６３３０に面する側面に没出部材６３３０の歯６３３２に対して歯合可能に刻設される歯６３４２ａと、本体部６３４１の第２歯車３２２に面する側面に第２歯車３２２の歯３２２ｂに歯合可能に刻設される歯６３４２ｂと、を主に備え、図示しない案内部に案内されることで遊技盤１３に対してスライド移動可能に形成される。
【０４５４】
上述した構成により、第２歯車３２２がラック部材６３４０に歯合され、ラック部材６３４０が没出部材６３３０に歯合されるので、没出部材６３３０の回転に起因して、第２歯車３２２が回転される。
【０４５５】
図６１（ｂ）及び図６１（ｃ）に示すように、球が没出部材６３３０の前方を流下され、球が没出部材６３３０に衝突され、没出部材６３３０が遊技盤１３の前後方向に回転されると、没出部材６３３０に歯合されるラック部材６３４０が上方（図６１（ｂ）上方）にスライド移動される。それと同時にラック部材６３４０に歯合される第２歯車３２２が回転されるので、没出部材６３３０の回転力を、第２歯車３２２に伝達することができる。そして、第２歯車３２２には第１演出部材４４２が回転不能に係止されるので（図２０参照）、結果的に、没出部材６３３０が回転されることで、第１演出部材４４２が回転され（図２２（ｂ）及び図２２（ｃ）参照）、被遮蔽領域Ｐ１の外観が変化される（図１１参照）。
【０４５６】
ここで、遊技盤１３に対して没出可能な没出部材６３３０は、風車と異なり遊技者に視認可能な箇所にも視認不能な箇所にも配設可能である。特に、第１演出部材４４２（図１８（ａ）参照）の回転を遊技者にとって予想外のものとしたい場合には、没出部材６３３０を視認不能な箇所に配設することが好ましい。この場合、球が没出部材６３３０に衝突することを遊技者が視認できないので、第１演出部材４４２が突然動き出し、被遮蔽領域Ｐ１（図１１参照）の外観が突然変化するという演出をすることができる。
【０４５７】
また、没出部材６３３０は遊技盤１３の前後方向に回転する構造であるため、没出部材６３３０の前側を球が流下することができる。そのため、遊技盤１３の前面において球の流下経路と没出部材６３３０の配置位置を切り分ける必要がない。よって、没出部材６３３０の配設箇所の自由度を向上させることができる。
【０４５８】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４５９】
上記各実施形態のうちの一の実施形態における一部または全部の構成を、他の実施形態における一部または全部の構成と組み合わせて、或いは、置き換えて、パチンコ機１０を構成しても良い。
【０４６０】
上記第１実施形態では、表示４４２Ｒ，４４２Ｎ，４４２Ｌが第１遮蔽部材の視認孔４４１ｃの内径に収まる大きさであると説明したが、必ずしもこれに限られるものではなく、表示４４２Ｒ，４４２Ｎ，４４２Ｌが第１遮蔽部材の視認孔４４１ｃの内径にはみ出して大きく形成されていても良い。この場合は、表示４４２Ｒ，４４２Ｎ，４４２Ｌが部分的に視認されることで、遊技者の興味を引くので、被遮蔽領域Ｐ１の演出部分としての効果を向上させることができる。
【０４６１】
上記第１実施形態では、第１演出部材４４２が扇形形状からなり付勢バネ４４３の付勢力により初期位置に付勢される場合を説明したが、必ずしもこれに限られるものではなく、第１演出部材４４２を筒状軸部４４２ｂを中心とした円形状に形成すると共に付勢バネ４４３を無くしても良い。この場合、球の衝突により可動部材３１０が一の回転方向に継続して回転され続けると、それに起因して第１演出部材４４２も回転され続ける。この時、表示４４２Ｒ，４４２Ｎ，４４２Ｌに形成される絵柄を、それぞれ順番に連続で視認することでその絵柄が動いているように見える形態とすると、第１演出部材４４２が高速で回転されることで、視認孔４４１ｃから視認される表示４４２Ｒ，４４２Ｎ，４４２Ｌがアニメーションのように動きのある形態で視認される。これにより、被遮蔽領域Ｐ１の演出効果を向上させることができる。
【０４６２】
上記第２実施形態では、昇降部材４６０の側壁４６０ａによる規制が解除されると、第２演出部材２４５３が回転終点（第２演出部材２４５３の表示部２４５３ｃを第２遮蔽部材２４５１の視認孔２４５１ｄから視認可能となる状態）に至るまで、第２演出部材２４５３と昇降部材４６０とが当接された状態で図３０（ｂ）に示す配置まで回転される（付勢バネ２４５４のバネ定数が十分大きい）場合を説明したが、必ずしもこれに限られるものではなく、第２演出部材２４５３の回転の過程で昇降部材４６０との当接が解除されても良い（付勢バネ２４５４のバネ定数が小さい）。この場合は、昇降部材４６０による規制が解除された後に、第２演出部材２４５３が第２遮蔽部材２４５１の視認孔２４５１ｄから視認されるまでに時間の遅れが生じ、あたかも昇降部材４６０の動作に連動せずに第２演出部材２４５３が回転されたと認識させることができる。よって、被遮蔽領域Ｐ１の外観の変化を、より意外性の高いものにすることができる。
【０４６３】
上記第３実施形態では、遮蔽動作ユニット３５００に開口部３５１１が形成され、その開口部３５１１を通して揺動動作ユニット３６００を視認可能な場合を説明したが、必ずしもこれに限られるものではなく、取り付けベース３５１０が透明な樹脂材料から形成され、取り付けベース３５１０を通して揺動動作ユニット３６００が視認されるようにしても良い。この場合、取り付けベース３５１０を有色に形成すると、その色を通して揺動動作ユニット３６００が視認されることになる。そのため、取り付けベース３５１０を通して視認される場合の揺動動作ユニット３６００の色と、取り付けベース３５１０を通さずに直接視認される場合の揺動動作ユニット３６００の色とを異ならせることができ、遊技者にとって意外性のある演出を行うことができる。
【０４６４】
上記第３実施形態では、揺動動作ユニット３６００の視認孔３６１３を通して視認可能な演出部材３６５４の各表示３６５４ａ１〜３６５４ａ４を、それぞれ別々の絵柄にしたが、必ずしもこれに限られるものではなく、各表示３６５４ａ１〜３６５４ａ４のいずれかの内の複数が、同じ絵柄であってもいい。例えば、表示３６５４ａ１，３６５４ａ２，３６５４ａ３にはそれぞれ「黒丸」の絵柄が形成され、表示３６５４ａ４のみに「￥」の絵柄が形成されても良い。この場合、視認孔３６１３から「黒丸」の絵柄が視認される確率は、視認孔３６１３から「￥」の絵柄が視認される確率の３倍となり、「￥」の絵柄の希少価値を増加させることができる。また、第３実施形態のように各表示３６５４ａ１〜３６５４ａ４の絵柄が順番に変化する態様においても、現状において各表示３６５４ａ１〜３６５４ａ４のいずれが視認可能な状態なのかを分かり難くし、いつ「￥」の絵柄が視認可能になるのか判断しづらくすることができる。これにより、被遮蔽領域Ｐ３に含まれる視認孔３６１３への注目力を向上させることができる。
【０４６５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４６６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４６７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４６８】
以下に、本発明の遊技機に加えて上述した実施形態に含まれる各種発明の概念を示す。
【０４６９】
第１位置と第２位置との間で移動可能に形成される移動部材と、その移動部材を移動させるための駆動力を発生する駆動手段と、を備え、前記移動部材が前記第１位置に配置される場合には、前記移動部材に遮蔽されることにより前面視において視認不能となる領域であると共に、前記移動部材が少なくとも前記第２位置に配置される場合には、前面視において視認可能となる領域である被遮蔽領域を有する遊技機において、前記被遮蔽領域の少なくとも一部の外観が変化可能に形成されることを特徴とする遊技機Ａ０。
【０４７０】
遊技機Ａ０によれば、被遮蔽領域の少なくとも一部の外観が変化可能に形成されるので、被遮蔽領域を演出部分として効果的に使用することができる。
【０４７１】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０４７２】
これに対し、遊技機Ａ０によれば、被遮蔽領域の少なくとも一部の外観が変化可能に形成されるので、例えば移動部材が第２位置に配置され被遮蔽領域が視認可能となった場合に、被遮蔽領域の外観を変化させることで、被遮蔽領域の演出部分としての能力を向上させ、被遮蔽領域を演出部分として効果的に使用することができる。
【０４７３】
遊技機Ａ０において、前記被遮蔽領域に配設されると共に、前記移動部材の移動に対応して移動可能である演出部材を備え、その演出部材が移動されることで前記被遮蔽領域の外観が変化されることを特徴とする遊技機Ａ１。
【０４７４】
遊技機Ａ１によれば、遊技機Ａ０の奏する効果に加え、被遮蔽領域に配設されると共に、移動部材の移動に対応して移動可能である演出部材を備え、その演出部材が移動されることで被遮蔽領域の外観が変化されるように形成されるので、演出部材を駆動させる別個の駆動手段を不要とすることができる。よって、駆動手段の配設個数を抑制し、その分部品コストを抑制できる。また、駆動手段の配設個数を抑制することで、限られたスペースにおいて演出部材や移動部材の配設自由度を向上させることができる。
【０４７５】
ここで、移動部材の移動に対応して演出部材が移動するとは、演出部材が、移動部材から直接的に、またはギアやリンク機構等を介して間接的に力を受けて移動する場合や、演出部材が一方向に付勢されていて、移動部材が所定の位置に配置されると演出部材は移動部材に移動を規制されるが、移動部材が所定の位置から移動されると演出部材に対する規制が解除され、演出部材が一方向へ移動を開始する場合を意味する。
【０４７６】
また、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０４７７】
遊技機Ａ１において、前記移動部材が前記第１位置と前記第２位置との間を移動する速度と、前記演出部材が移動する速度との同時点での速度比が、前記移動部材が前記第１位置と前記第２位置との間を移動する過程で変化可能に形成されることを特徴とする遊技機Ａ２。
【０４７８】
遊技機Ａ２によれば、遊技機Ａ１の奏する効果に加え、移動部材が第１位置と第２位置との間を移動する速度と、演出部材が移動する速度との同時点での速度比が、移動部材が第１位置と第２位置との間を移動する過程で変化可能に形成されるので、演出部材の演出効果を向上させることができる。
【０４７９】
即ち、移動部材の移動する速度と、演出部材の移動する速度との速度比が一定である場合、移動部材と演出部材との移動開始から移動終了までのそれぞれの速度変化が比例関係で対応し、演出効果が単調となりやすい。
【０４８０】
これに対し、遊技機Ａ２によれば、移動部材と演出部材とが、それぞれの移動速度の速度比を変化させながら移動するように形成されるので、移動部材の速度変化と演出部材の速度変化とが比例関係で対応することが防止できる。そのため、移動部材と演出部材との移動が単調となることを抑制し、演出効果を向上させることができる。
【０４８１】
例えば、移動部材が等速で回動する一方で、演出部材は移動部材と同一方向に回動するが、初速が移動部材の速度より小さく、最高速が移動部材の速度より大きい場合、移動部材の移動中に、移動部材の位相を演出部材の位相が追い抜かすという演出をすることができるので、あたかも移動部材と演出部材とが独立して移動するかのような演出をすることができる。
【０４８２】
遊技機Ａ２において、前記移動部材が、前記第１位置と前記第２位置との間を移動する過程において、前記演出部材が移動する移動状態と、前記演出部材が移動を停止する停止状態とを形成可能であることを特徴とする遊技機Ａ３。
【０４８３】
遊技機Ａ３によれば、遊技機Ａ２の奏する効果に加え、移動部材が、第１位置と第２位置との間を移動する過程において、演出部材が移動する移動状態と、演出部材が移動を停止する停止状態とを形成可能であるので、移動部材が移動を継続する間において、演出部材は動いている状態（速度を有する）と停止している状態（速度を有さない）という異なった２態様をとることができる。そのため、移動部材と演出部材との速度比の変化をより顕著にし、演出部材の演出効果を向上させることができる。
【０４８４】
遊技機Ａ３において、前記演出部材に対して一方向の付勢力を作用させる付勢手段を備え、前記演出部材は前記付勢手段の付勢力により移動され、前記移動部材が所定位置に到達するまでは、前記演出部材は前記移動部材により移動を規制されることで前記停止状態を継続し、前記移動部材が所定位置を通過すると、前記移動部材による規制が解除されることで前記演出部材は前記移動状態へ移行可能に形成され、移動部材が一方向に移動されることを特徴とする遊技機Ａ４。
【０４８５】
遊技機Ａ４によれば、遊技機Ａ３の奏する効果に加え、演出部材に対して一方向の付勢力を作用させる付勢手段を備え、演出部材は付勢手段の付勢力により移動され、移動部材が所定位置に到達するまでは、演出部材は移動部材により移動を規制されることで停止状態を継続し、移動部材が所定位置を通過すると、移動部材による規制が解除されることで演出部材は移動状態へ移行可能に形成され、移動部材が一方向に移動されるので、移動部材の移動態様をもとに演出部材の移動態様を予想する遊技者にとって、演出部材の移動態様を予想外のものとすることができる。
【０４８６】
即ち、例えば移動部材と演出部材とが機械的に連結される場合、演出部材の移動速度の大小は、移動部材の移動速度の大小に依存するので、移動部材が一定速度で移動する場合に、演出部材の速度を大きく変化させることは難しい。
【０４８７】
これに対し、遊技機Ａ４によれば、演出部材の移動は付勢手段の付勢力に依存するため、演出部材の移動速度の大小は、移動部材の移動速度の大小に依存しない。よって、移動部材と演出部材とを機械的に連結する場合には形成しづらい速度変化を演出部材に持たせることができ、結果として遊技者の予想外の動作を演出部材にさせることができる。
【０４８８】
ここで、演出部材へ向けて付勢力を付与する付勢手段としては、例えば、コイルバネやねじりバネ等のバネ、ゴムやウレタン等の弾性材料または磁石などが例示される。
【０４８９】
遊技機Ａ１又はＡ２において、前記演出部材は、前記移動部材が第１方向に移動する場合には、前記移動部材の移動に対応して移動し、前記移動部材が第１方向の反対方向である第２方向に移動する場合には停止することを特徴とする遊技機Ａ５。
【０４９０】
遊技機Ａ５によれば、遊技機Ａ１又はＡ２の奏する効果に加え、演出部材は、移動部材が第１方向に移動する場合には移動部材の移動に対応して移動し、移動部材が第１方向の反対方向である第２方向に移動する場合には停止するので、移動部材の移動する方向によって、演出部材の動作態様を移動するか停止するかの２態様で異ならせることができる。
【０４９１】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかしながら、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０４９２】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が第１方向に移動する場合もその第１方向の反対方向である第２方向に移動する場合も演出部材が移動部材の移動に対応して移動するように形成されており、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
【０４９３】
これに対し、遊技機Ａ５によれば、移動部材が第１方向に移動する場合には移動部材の移動に対応して演出部材が移動し、移動部材が第２方向に移動する場合には演出部材が停止するので、移動部材が第２方向に移動する場合にだけ被遮蔽領域の外観を一定に維持することができる。例えば、演出部材に文字など静止状態において把握しやすい表示がされる場合に演出部材を停止させる構成が有効となる。
【０４９４】
なお、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０４９５】
遊技機Ａ５において、前記演出部材は、初期位置に配置された後に前記移動部材が前記第１位置と前記第２位置との間を所定回数往復すると、初期位置へ復帰可能に形成されると共に、前記移動部材が前記第１位置と前記第２位置との間を１往復すると、前記演出部材は、前記初期位置から移動し前記初期位置へ復帰するまでの経路を前記所定回数で分割した距離だけ移動することを特徴とする遊技機Ａ６。
【０４９６】
遊技機Ａ６によれば、遊技機Ａ５の奏する効果に加え、演出部材は、初期位置に配置された後に移動部材が第１位置と第２位置との間を所定回数往復すると、初期位置へ復帰可能に形成されると共に、移動部材が第１位置と第２位置との間を１往復すると、演出部材は、初期位置から移動し初期位置へ復帰するまでの経路を分割した距離だけ移動するので、演出部材の位置や姿勢を移動部材の往復毎に異ならせることができ、結果として被遮蔽領域の外観を移動部材の往復毎に変化させることができる。
【０４９７】
遊技機Ａ５又はＡ６において、前記第１方向は、前記移動部材を重力方向に沿った方向に移動させる方向であり、前記第２方向は、前記移動部材を重力方向に対向する方向に沿った方向に移動させる方向であることを特徴とする遊技機Ａ７。
【０４９８】
遊技機Ａ７によれば、遊技機Ａ５又はＡ６の奏する効果に加え、第１方向は、移動部材を重力方向に沿った方向に移動させる方向であり、第２方向は、移動部材を重力方向に対向する方向に沿った方向に移動させる方向であるので、移動部材の移動と演出部材の移動とに兼用される駆動手段の駆動力を抑制することができる。
【０４９９】
即ち、２部材を単一の駆動手段で駆動させる場合、それぞれの部材にかけられる抵抗を上回る駆動力を発生させる必要があり、駆動手段を小型化することは難しい。
【０５００】
これに対し、遊技機Ａ７によれば、移動部材を重力方向に沿った第１方向に移動させる場合には、重力が移動部材の移動を補助することとなり、移動部材と演出部材とを同時に動作させるようにしても、駆動力は小さくて済むので、駆動手段を小型化することができる。
【０５０１】
一方で、移動部材を重力方向に対向する方向に沿った第２方向に移動させる場合には、重力の分だけ駆動力を大きくする必要があるが、演出部材を停止させることで、演出部材を移動させる駆動力が不要となり、駆動手段に必要とされる駆動力を結果的に低減させることができる。
【０５０２】
遊技機Ａ５からＡ７のいずれかにおいて、前記駆動手段は第１軸を中心に回転される回転体と、その回転体から突出されると共に前記第１軸に偏心して位置するピン部材とを備え、前記移動部材は前記ピン部材を案内する案内部を備えると共に、第２軸を中心に前記第１位置および前記第２位置の間で回転され、前記第１位置または前記第２位置の少なくとも一方において、前記ピン部材と前記第１軸とを結ぶ直線に直交する方向と、前記案内部の延設方向とが一致して配設されることを特徴とする遊技機Ａ８。
【０５０３】
遊技機Ａ８によれば、遊技機Ａ５からＡ７のいずれかの奏する効果に加え、移動部材が第１位置または第２位置に配設された状態から回転体を回転させ始める際に、ピン部材の移動方向と案内部の延設方向とが一致するので、移動開始時にピン部材が案内部から受ける抵抗を抑えることができる。よって、最も大きな力を必要とする動作開始時に必要な駆動力を低減することができる。
【０５０４】
遊技機Ａ８において、前記移動部材が前記第１位置または前記第２位置の少なくとも一方に配設される場合に、前記第１軸と前記ピン部材とを結ぶ方向が、前記第２軸と前記ピン部材とを結ぶ方向と直交されることを特徴とする遊技機Ａ９。
【０５０５】
遊技機Ａ９によれば、遊技機Ａ８の奏する効果に加え、移動部材が第１位置または第２位置の少なくとも一方に配設される場合に、第１軸とピン部材とを結ぶ方向が、第２軸とピン部材とを結ぶ方向と直交されるので、ピン部材を回転体と移動部材との関係において死点に位置させることができる。これにより、駆動手段からの駆動力を不要としても、移動部材を第１位置または第２位置の少なくとも一方に機械的に保持できるので、駆動手段の消費エネルギーを抑制する効果を顕著にできる。
【０５０６】
遊技機Ａ１からＡ９のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ａ１０。
【０５０７】
遊技機Ａ１０によれば、遊技機Ａ１からＡ９のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５０８】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５０９】
同様に、例えば、演出部材が回転軸を前後方向に直交する平面に有する回転体であって、回転体の外周に模様や表示が形成される場合には、演出部材は前面視において常に半周分が視認されることから、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５１０】
なお、遮蔽部材としては、移動軌跡と断続的に重なる櫛状または梯子状のものや、開口を有する板状のもの等が、例示される。
【０５１１】
遊技機Ａ０において、遊技球が流下する遊技盤と、その遊技盤に配設されると共に遊技球が衝突することで移動可能である可動部材と、前記被遮蔽領域に配設されると共に、前記可動部材の移動に対応して移動可能である演出部材と、を備え、その演出部材が移動されることで前記被遮蔽領域の外観が変化されることを特徴とする遊技機Ｂ１。
【０５１２】
遊技機Ｂ１によれば、遊技機Ａ０の奏する効果に加え、遊技球が流下する遊技盤と、その遊技盤に配設されると共に遊技球が衝突することで移動可能である可動部材と、被遮蔽領域に配設されると共に、可動部材の移動に対応して移動可能である演出部材と、を備え、その演出部材が移動されることで被遮蔽領域の外観が変化されるので、被遮蔽領域の外観の変化を不規則なものとできる。
【０５１３】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５１４】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材の移動に対応して演出部材が移動するため、移動部材の移動に対して演出部材の移動が規則的であり、結果として、被遮蔽領域の外観の変化は規則的であった。
【０５１５】
これに対し、遊技機Ｂ１によれば、遊技球が衝突することで可動部材が移動し、その可動部材の移動に対応して演出部材が移動するので、その演出部材の移動の仕方は遊技球の流下の仕方に依存する。よって、遊技球の不規則性により、演出部材を不規則に移動させることができるので、結果的に被遮蔽領域の外観を不規則に変化させることができる。
【０５１６】
ここで、遊技球の不規則性とは、遊技球が遊技盤に配設される釘に衝突しながら流下することで、不規則に方向や速度を変えながら流下するという特徴と、遊技球が全て可動部材に衝突するわけではないので、遊技球と可動部材とが衝突する頻度も不規則に変化するという特徴と、を意味する。
【０５１７】
なお、例えば、可動部材としては、遊技盤に対して回転可能に配設される風車や、遊技盤に対して没出可能に配設される没出部材等が例示される。風車の場合、遊技盤に通常配設される部品であるので、可動部材として利用しても製品コストが増加することを防止することができると共に、風車自体の回転と演出部材の移動とを外観上関連させることができ、演出効果を増大させることができる。
【０５１８】
可動部材が遊技盤に対して没出可能な没出部材である場合、その没出部材は遊技者に視認可能な箇所にも、視認不能な箇所にも配設可能である。特に、演出部材の移動を遊技者にとって予想外のものとしたい場合には、没出部材を視認不能な箇所に配設することが好ましい。この場合、遊技球が没出部材に衝突することを遊技者が視認できないので、演出部材が突然動き出すという演出をすることができる。
【０５１９】
ここで、移動部材、演出部材または可動部材の移動の態様は、特に限定されるものではなく、例えば、移動部材、演出部材または可動部材が回転可能に軸支され移動部材、演出部材または可動部材が回転または揺動される態様でもよく、例えば、移動部材、演出部材または可動部材が平行移動される態様でもよい。
【０５２０】
遊技機Ｂ１において、前記可動部材の移動速度と、前記演出部材の移動速度との速度比が一定であることを特徴とする遊技機Ｂ２。
【０５２１】
遊技機Ｂ２によれば、遊技機Ｂ１の奏する効果に加え、可動部材の移動速度と、演出部材の移動速度との速度比が一定であるので、不規則性を有する遊技球の衝突により可動部材が不規則に移動し、それに伴い演出部材の移動が不規則となることを確実にすることができる。
【０５２２】
即ち、可動部材の移動速度と演出部材の移動速度との速度比が不定で有る場合、例えば移動速度についていえば、可動部材の移動速度の大小に対応して、演出部材の移動速度の大小が変化することがある一方で、可動部材の移動速度に演出部材の移動速度が対応しないこともある。ここで、前者の場合には、遊技球の有する不規則性が演出部材に伝わるが、後者の場合には、遊技球の速度が平均化されて、遊技球の不規則性が演出部材に表れにくくなる可能性がある。
【０５２３】
一方、遊技機Ｂ２によれば、可動部材の移動速度と、演出部材の移動速度との速度比が一定であるので、可動部材の移動速度が小の時には演出部材の移動速度が小となると共に、可動部材の移動速度が大の時には演出部材の移動速度が大となる関係のみが形成される。よって、不規則性を有する遊技球の衝突により可動部材が不規則に移動し、それに伴い演出部材の移動が不規則となることを確実にすることができる。
【０５２４】
遊技機Ｂ１又はＢ２において、前記可動部材は、前記遊技盤に対して、一の回転方向と、前記一の回転方向と反対方向である他の回転方向とに回転可能に配設される回転体であり、前記可動部材の回転方向に応じた方向に前記演出部材が移動することを特徴とする遊技機Ｂ３。
【０５２５】
遊技機Ｂ３によれば、遊技機Ｂ１又はＢ２の奏する効果に加え、可動部材は左右方向に回転可能な回転体であり、可動部材の回転方向に応じた方向に演出部材が移動するので、可動部材に衝突する遊技球の不規則性を、演出部材を不規則な向きに移動させるという演出効果に使用することができる。
【０５２６】
遊技機Ｂ３において、前記演出部材を初期位置へ向けて付勢すると共に、前記演出部材が前記初期位置から遠ざけられるにつれて増大する付勢力を生じる付勢手段を備えることを特徴とする遊技機Ｂ４。
【０５２７】
遊技機Ｂ４によれば、遊技機Ｂ３の奏する効果に加え、演出部材を初期位置へ向けて付勢すると共に、演出部材が初期位置から遠ざけられるにつれて増大する付勢力を生じる付勢手段を備えるので、可動部材の回転力と、付勢手段の付勢力との差によって、演出部材の移動の仕方を異ならせることができる。
【０５２８】
詳述すると、演出部材が初期位置から遠ざけられるにつれて、付勢手段が演出部材を初期位置へ向けて付勢する付勢力が増大するので、遊技球が可動部材に同じ条件（速度、方向）で衝突し、可動部材が同じ態様（速度、方向）で回転する場合にも、演出部材の移動の仕方を異ならせることができる。
【０５２９】
例えば、演出部材が初期位置に配置された場合には、付勢手段が演出部材を初期位置へ向けて付勢する付勢力は小さいので、可動部材の回転力が付勢手段の付勢力を上回りやすく、演出部材は移動しやすい。一方で、例えば、演出部材が初期位置から遠ざけられて配置された場合には、付勢手段が演出部材を初期位置へ向けて付勢する付勢力は大きくなるので、可動部材が演出部材を初期位置から遠ざける方向に回転する場合の回転力は付勢力によって打ち消され、演出部材は移動しにくくなる。よって、遊技球が可動部材に同じ条件（速度、方向）で衝突し、可動部材が同じ態様（速度、方向）で回転する場合にも、演出部材の配置によって、演出部材の移動の仕方を異ならせることができ、演出部材の移動の仕方の不規則性を確保することができる。
【０５３０】
また、演出部材が初期位置から遠ざけられて配置された場合に、可動部材が演出部材を初期位置から更に遠ざける方向に回転すると、付勢手段の付勢力と演出部材の回転力とが相殺され、演出部材の移動量は小さいが、可動部材が演出部材を初期位置へ近づける方向に回転すると、演出部材の移動方向と付勢手段の付勢力の向く方向とが一致するので、可動部材の回転力と付勢手段の付勢力とが合わさり、演出部材の移動量は大きくなる。ここで付勢力は演出部材が初期位置から遠ざけられるほど大きくなるので、可動部材の回転方向の違いにより生じる演出部材の移動量の違いは、演出部材が初期位置から遠ざけられるほど顕著になる。よって、演出部材の移動の仕方の不規則性を確保することができる。
【０５３１】
遊技機Ｂ１からＢ４のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ｂ５。
【０５３２】
遊技機Ｂ５によれば、遊技機Ｂ１からＢ４のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５３３】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５３４】
同様に、例えば、演出部材が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５３５】
なお、遮蔽部材としては、移動軌跡と断続的に重なる櫛状または梯子状のものや、開口を有する板状のもの等が、例示される。
【０５３６】
遊技機Ａ０において、前記被遮蔽領域に配設されると共に、前記移動部材の移動に非連動で移動可能である演出部材を備え、前記演出部材が移動されることで前記被遮蔽領域の外観が変化されることを特徴とする遊技機Ｃ１。
【０５３７】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５３８】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が移動することに対応して演出部材を移動させることはできるが、移動部材が停止した状態で演出部材を移動させることは難しかった。
【０５３９】
これに対し、遊技機Ｃ１によれば、遊技機Ａ０の奏する効果に加え、移動部材と演出部材とを非連動で移動させることができる。よって、例えば、被遮蔽領域が視認不能な状態となるように移動部材を移動させ、その位置で移動部材を停止させたままで、予め演出部材を移動させ、被遮蔽領域の外観を変化させておき、再び移動部材を移動させることで、移動部材が被遮蔽領域を視認不能にする前とは異なった外観を被遮蔽領域において視認可能とすることや、被遮蔽領域が視認可能な状態となるように移動部材を停止させたままで、演出部材のみを独立して移動させることができる。
【０５４０】
ここで、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
【０５４１】
遊技機Ｃ１において、前記駆動手段の駆動力を、前記移動部材に伝達するか、前記演出部材に伝達するかを切り替え可能な切替手段を備え、前記演出部材は、前記駆動手段の駆動力により移動されることを特徴とする遊技機Ｃ２。
【０５４２】
遊技機Ｃ２によれば、遊技機Ｃ１の奏する効果に加え、駆動手段の駆動力の伝達を切替手段により切り替えることで、演出部材を移動させる駆動力と移動部材を移動させる駆動力とを同一の駆動手段により発生させることができるので、駆動手段の配設個数を抑制し、部品コストを削減することができる。
【０５４３】
なお、切替手段としては、例えば、ワンウェイクラッチギア又はラチェット機構等が例示される。
【０５４４】
遊技機Ｃ２において、前記被遮蔽領域に配設されるとともに、前記移動部材と接近することで移動する演出補助部材を備え、前記移動部材の移動中に、前記演出補助部材が移動することで前記被遮蔽領域の外観が変化されることを特徴とする遊技機Ｃ３。
【０５４５】
ここで、駆動手段の駆動力を移動部材に伝達するか、演出部材に伝達するかを切り替える遊技機Ｃ２の構成では、移動部材を移動させながら演出部材を移動させることはできないので、移動部材が移動する間に被遮蔽領域の外観を変化させることは難しい。
【０５４６】
これに対し、遊技機Ｃ３では、遊技機Ｃ２の奏する効果に加え、移動部材と接近することで移動する演出補助部材を備えるので、移動部材を移動させながら演出補助部材に接近させることで、演出補助部材を移動させ、結果として被遮蔽領域の外観を変化させることができる。
【０５４７】
なお、移動部材が演出補助部材に接近することで移動する場合としては、移動部材と演出補助部材との間に磁力が働く場合や、移動部材が演出補助部材に当接することで押進力が働く場合等が例示される。
【０５４８】
遊技機Ｃ２又はＣ３において、前記切替手段は、前記駆動手段の駆動力が一の方向に生じるか、前記一の方向と反対方向である他の方向に生じるかによって、前記駆動手段の駆動力を、前記移動部材に伝達するか、前記演出部材に伝達するかを切り替える特性を有する機械的機構であることを特徴とする遊技機Ｃ４。
【０５４９】
遊技機Ｃ４によれば、遊技機Ｃ２又はＣ３の奏する効果に加え、切替手段は、駆動手段の駆動力が一の方向に生じるか、一の方向と反対方向である他の方向に生じるかによって切り替わる特性を有する機械的機構であるので、切替手段に電気的制御を要する電磁石などの電気的機構を採用する場合に比較し、制御コストを削減することができる。
【０５５０】
遊技機Ｃ４において、前記駆動手段は第１軸を中心に回転される回転体と、その回転体から突出されると共に前記第１軸に偏心して位置するピン部材とを備え、前記移動部材は前記ピン部材を案内する案内部を備えると共に、第２軸を中心に回転され、前記回転体が１回転することで前記移動部材が前記第１位置と前記第２位置との間を１往復することを特徴とする遊技機Ｃ５。
【０５５１】
ここで、駆動手段の駆動力が一の方向に生じるか、一の方向と反対方向である他の方向に生じるかによって切り替わる遊技機Ｃ４の構成では、駆動手段から移動部材に生じる駆動力は一方向に限定される。そのため、移動部材を往復動させる場合に、往路と復路で駆動力の方向を反転させることができない。そのため、移動部材を初期位置に復元させることを考慮すると、移動部材は、周期的な回転移動を行うものに限定され易く、結果的に移動部材の設計自由度が低くなる。
【０５５２】
これに対し、遊技機Ｃ５によれば、遊技機Ｃ４の奏する効果に加え、移動部材は、駆動手段の駆動力が一の方向にのみ生じることで回転体が一の方向に１回転すると、移動部材が第１位置と第２位置との間を１往復することで初期位置に復元するので、移動部材が周期的な回転移動を行うものだけでなく、往復移動するものも採用可能である。よって、移動部材の設計自由度を向上させることができる。
【０５５３】
遊技機Ｃ１からＣ５のいずれかにおいて、前記演出部材を前面視した場合に、前記演出部材の移動軌跡と少なくとも一部が重なって配設されると共に、前記演出部材の前面側に配設され、前記演出部材に対して相対移動することで前記演出部材の少なくとも一部であって視認可能となる部分を変化させる遮蔽部材を備えることを特徴とする遊技機Ｃ６。
【０５５４】
遊技機Ｃ６によれば、遊技機Ｃ１からＣ５のいずれかの奏する効果に加え、演出部材の移動軌跡上に少なくとも一部が重なって配設されると共に、演出部材の前面側に配設される遮蔽部材を備えるので、遮蔽部材と演出部材とが相対移動すると、演出部材の遮蔽部材と重なる部分は視認不能となり、演出部材の遮蔽部材と重ならない部分は視認可能となる。よって、演出部材と遮蔽部材とを相対移動させるにつれて、演出部材の少なくとも一部であって前面視において視認可能となる部分を変化させることができるので、被遮蔽領域における外観の変化が、演出部材の視認できる部分の変化として明確に把握可能となり、演出部材が姿勢や位置を変える変化態様に比較して、被遮蔽領域の外観の変化を容易に区別することができる。
【０５５５】
例えば、演出部材が回転軸を前後方向に有する回転体である場合のように、演出部材の移動が前面視において平面的であると、前面視で視認可能な演出部材の模様や表示は、位相違いを区別しないとすれば１種類である。一方、遮蔽部材を演出部材の前面側に配設及び固定することで、演出部材の視認可能な部分を、演出部材が移動することによって変更可能とし、そうすることで複数種類の模様や表示を演出部材で視認可能とできる。この場合、演出部材に複数種類の模様や表示を互いに離して形成しておき、演出部材の移動毎に、別々の模様や表示を視認可能とすることが考えられる。
【０５５６】
同様に、例えば、演出部材が回転軸を前後方向に直交する平面に有する回転体であって、回転体の外周に模様や表示が形成される場合には、演出部材は前面視において常に半周分が視認されるので、半周単位で模様や表示に統一感を持たせることを考慮すると、演出部材に複数種類の表示を形成する際の自由度が低い。一方、遮蔽部材を演出部材の前面側に配設及び固定することで、演出部材の視認可能な部分を制限でき、模様や表示に統一感を持たせる単位が制限されるので、演出部材に複数種類の表示を形成する際の自由度を向上させることができる。
【０５５７】
なお、遮蔽部材としては、移動軌跡と断続的に重なる櫛状または梯子状のものや、開口を有する板状のもの等が、例示される。
【０５５８】
第１位置と第２位置との間で移動可能に形成される第１移動部材と、その第１移動部材を移動させるための駆動力を発生する第１駆動手段と、前記第１移動部材の後面側に移動可能に配設されると共に、前記第１移動部材の配置位置に関わらず、少なくとも一部が前面視において視認可能な第２移動部材と、その第２移動部材を移動させるための駆動力を発生する第２駆動手段と、を備え、前記第１移動部材が前記第１位置に配置される場合には前記第１移動部材に遮蔽されることにより前面視において視認不能となる領域であり、前記第１移動部材が少なくとも前記第２位置に配置される場合には前面視において視認可能となる領域であると共に、前記第１移動部材が少なくとも前記第２位置に配置される場合には移動する過程における前記第２移動部材の少なくとも一部を前面視において視認可能となる領域である第１被遮蔽領域を有し、その第１被遮蔽領域の少なくとも一部の外観が前記第２移動部材の移動により変化されることを特徴とする遊技機Ｄ１。
【０５５９】
ここで、パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有する遊技機がある（例えば特開２０１１−１８２９８４号公報を参照）。しかし、上述した従来の遊技機では、被遮蔽領域には模様や表示が配設されるのみで、遊技者に注目させる演出部分としての能力が低く、被遮蔽領域を演出部分として効果的に使用しているとは言い難かった。
【０５６０】
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、演出部材は被遮蔽領域の外観を変化させる目的のみで配設され、それゆえに移動部材が第１位置に配置される間においては演出部材は視認されることはできないので、演出部材が注目される形態が移動部材の配置により制限されることとなる。
【０５６１】
これに対し、遊技機Ｄ１によれば、第１移動部材の後面側に移動可能に配設される第２移動部材は、第１移動部材の配置位置に関わらず、少なくとも一部が前面視において視認可能なので、第１移動部材が第１位置に配置される場合には第２移動部材は独立して移動される部材として視認されることができ、第１移動部材が少なくとも第２位置に配置される場合には第２移動部材は独立して移動され、かつ第１被遮蔽領域の外観を変化させる部材として視認されることができる。よって、第２移動部材は第１移動部材の配置によらず着目力を有することができる。
【０５６２】
第１移動部材が少なくとも第２位置に配置されると、前面視において第１被遮蔽領域が視認可能となり、第１移動部材の後面側に配設される第２移動部材の少なくとも一部が、前面視において第１被遮蔽領域を通過するように第２移動部材が移動するので、第１被遮蔽領域に、移動中の第２移動部材の少なくとも一部を視認することができる。よって、第１被遮蔽領域の外観を変化させることができる。結果として、第１被遮蔽領域の演出部分としての能力を向上させ、第１被遮蔽領域を演出部分として効果的に使用することができる。
【０５６３】
ここで、第２移動部材は第１移動部材の配置に関わらず前面視において少なくとも一部が視認可能であり、第２移動部材は第１被遮蔽領域においてのみ視認される部材ではない。そのため、第２移動部材は第１移動部材に関わらず固有の演出意図を持って移動されるので、第２移動部材に固有の第２駆動手段が配設されることは当然である。そして、第２移動部材に第２駆動手段を要することは、前面視において第１被遮蔽領域を第２移動部材が通過するか否かに関わるものではない。
【０５６４】
ここで、本発明の特徴は、移動中の第２移動部材が前面視において第１被遮蔽領域を通過するように第２移動部材を配設したことにある。即ち、第２移動部材の移動により第１被遮蔽領域の変化を達成し、それと同時に、必要な駆動力は第２駆動手段の駆動力を流用している。よって、第１被遮蔽領域の外観を変化させるための追加の駆動手段を不要とすることができる。
【０５６５】
なお、第１移動部材または第２移動部材の移動の態様は、特に限定されるものではなく、例えば、第１移動部材または第２移動部材が回転可能に軸支され第１移動部材または第２移動部材が回転または揺動される態様でもよく、例えば、第１移動部材または第２移動部材が平行移動される態様でもよい。
【０５６６】
遊技機Ｄ１において、前記第２移動部材は、前記第１被遮蔽領域の少なくとも一部および前記第２移動部材の少なくとも一部が前面視において重なる第３位置と、第３位置とは異なる第４位置との間を移動可能に配設され、前記第２移動部材が前記第３位置に配置される場合には、前記第２移動部材により遮蔽されることで前面視において視認不能となる領域であり、前記第２移動部材が少なくとも前記第４位置に配置されると共に、前記第１移動部材が少なくとも前記第２位置に配置される場合には前面視において視認可能となる領域である第２被遮蔽領域を備え、前記第１被遮蔽領域と前記第２被遮蔽領域とが、前面視で少なくとも一部において重なることを特徴とする遊技機Ｄ２。
【０５６７】
遊技機Ｄ２によれば、遊技機Ｄ１の奏する効果に加え、第１被遮蔽領域と第２被遮蔽領域とが少なくとも一部が重なって視認可能なので、第１被遮蔽領域の外観を、第２移動部材が第３位置に配置されることで第１被遮蔽領域を介して第２移動部材を視認可能であると共に第２被遮蔽領域は視認不能な場合と、第２移動部材が少なくとも第４位置に配置されることで第１被遮蔽領域を介して第２被遮蔽領域を視認可能な場合とで変化させることができる。
【０５６８】
遊技機Ｄ２において、前記第１被遮蔽領域の前記第２移動部材よりも前面側に配設され、前記第２移動部材に対応して移動すると共に、前記第２移動部材が前記第３位置に配置されると、前面視において、前記第２移動部材と少なくとも一部が重なるように形成される演出補助部材を備えることを特徴とする遊技機Ｄ３。
【０５６９】
ここで、第２移動部材の外観は、第２移動部材が第４位置に配置されれば視認可能であるので、第１被遮蔽領域を通して第２移動部材を視認する場合の外観は予測できる場合があり、意外性に欠け、演出効果が十分であるとは言えない。
【０５７０】
一方、遊技機Ｄ３によれば、遊技機Ｄ２の奏する効果に加え、第２移動部材が第３位置に配置されると、第２移動部材と演出補助部材とが重なって視認されるので、第１被遮蔽領域を通して第２移動部材を視認する場合の外観を、第２移動部材のみから予想できる外観とは異なったものとできる。
【０５７１】
また、第２移動部材と演出補助部材とが対応して相対移動する場合には、第２移動部材のどの部分に演出補助部材が重なるのかが、第２移動部材が移動するにつれて変化するので、第１被遮蔽領域を通して第２移動部材を視認する場合の外観を、第２移動部材が移動するにつれて変化させることができ、第１被遮蔽領域の外観を、第２移動部材のみから予想できる外観とは異なったものにする効果を向上させることができる。
【０５７２】
ここで、第２移動部材と演出補助部材とが対応して移動するとは、第２移動部材と演出補助部材とが、それぞれ少なくとも一部が磁性体で構成されることで、第２移動部材と演出補助部材との間に磁力が生じ、第２移動部材と演出補助部材との移動が関連付けられる場合や、第２移動部材に演出補助部材が当接することで、第２移動部材が移動するに伴い演出補助部材を押したり引いたりする場合を、意味する。
【０５７３】
遊技機Ｄ３において、前記第２移動部材と前記演出補助部材とは、少なくとも一部が磁性体で構成され、前記第２移動部材と前記演出補助部材とが近接する際に、磁力が生じることで前記演出部材が移動することを特徴とする遊技機Ｄ４。
【０５７４】
遊技機Ｄ４によれば、遊技機Ｄ３の奏する効果に加えて、第２移動部材と演出補助部材との間に生じる磁力により演出補助部材が移動されるので、第２移動部材から演出補助部材に対して直接的に力を伝達させる機械的機構を不要とできる。さらに、磁力の特性により、演出補助部材と移動部材との間隔が所定距離より小さくなると、演出補助部材と移動部材との間に急激に大きな力を生じさせることができる。この場合、演出補助部材に第２移動部材の移動速度とは対応しない加速度をもたせることができるので、演出補助部材に予想外の動きをさせることができ、演出効果を向上させることができる。
【０５７５】
遊技機Ｄ３において、前記第２移動部材と前記演出補助部材とは、第２移動部材の移動経過中に互いに当接可能に配設され、前記第２移動部材と前記演出補助部材とが当接することで前記演出補助部材が移動されることを特徴とする遊技機Ｄ５。
【０５７６】
遊技機Ｄ５によれば、遊技機Ｄ３の奏する効果に加え、演出補助部材が第２移動部材に当接し、第２移動部材に押されることで移動するので、演出補助部材の設計自由度を高くすることができる。
【０５７７】
即ち、例えば、演出補助部材を磁力で移動させる場合、演出補助部材の質量や形状が大きいと、必要な磁力は大きくなる。ここで、磁力を大きくするには、磁石の特性を向上させる必要があるが、磁石の特性を向上させると、磁石は高価になり、部品コストが増大する。よって、演出補助部材を大型化するには部品コストがかかるので、演出部材を大型化し難く、演出補助部材と第２移動部材の重なる部分を大きくすることで第２移動部材の外観を大きく変化させることは難しい。
【０５７８】
一方、遊技機Ｄ５によれば、演出補助部材は、第２移動部材に直接的または間接的に当接されて生じる押進力により移動するので、演出補助部材の移動に第２駆動手段の駆動力を利用でき、より大きな演出補助部材を採用することができる。よって、第２移動部材の外観と、演出補助部材と第２移動部材とが重なった場合の外観とを大きく変化させることができる。
【０５７９】
特に、例えば、第２移動部材が重力方向に移動する場合には、第２移動部材を移動させるのに第２駆動手段の駆動力はほとんど必要ないので、第２移動部材が重力方向に移動する場合に、第２駆動手段の駆動力を演出補助部材に利用することとしても、駆動手段の容量を維持することができる。
【０５８０】
遊技機Ａ１からＡ１０，Ｂ１からＢ５，Ｃ１からＣ６，Ｄ１からＤ５のいずれかにおいて、前記遊技機はスロットマシンであることを特徴とする遊技機Ｅ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０５８１】
遊技機Ａ１からＡ１０，Ｂ１からＢ５，Ｃ１からＣ６，Ｄ１からＤ５のいずれかにおいて、前記遊技機はパチンコ遊技機であることを特徴とする遊技機Ｅ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０５８２】
遊技機Ａ１からＡ１０，Ｂ１からＢ５，Ｃ１からＣ６，Ｄ１からＤ５のいずれかにおいて、前記遊技機はパチンコ遊技機とスロットマシンとを融合させたものであることを特徴とする遊技機Ｅ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、第１位置と第２位置との間で移動可能に形成される移動部材と、その移動部材を移動させるための駆動力を発生する駆動手段と、を備え、移動部材が第１位置に配置される場合には、移動部材に遮蔽されることにより前面視において視認不能となる領域であると共に、移動部材が少なくとも第２位置に配置される場合には、前面視において視認可能となる領域である被遮蔽領域を有するものが知られている（例えば、特許文献１：特開２０１１−１８２９８４号公報）。
しかしながら、上述した従来の遊技機では、被遮蔽領域には模様や表示が配設されるのみで、遊技者に注目させる演出部分としての能力が低く、被遮蔽領域を演出部分として効果的に使用しているとは言い難かった。
そこで、本願出願人は、上述の遊技機に加えて、被遮蔽領域に配設されると共に、移動部材の移動に対応して移動可能である演出部材を備え、その演出部材が移動されることで被遮蔽領域の外観が変化される遊技機を開発した（本願出願時未公知）。しかし、この場合、移動部材が第１方向に移動する場合もその第１方向の反対方向である第２方向に移動する場合も演出部材が移動部材の移動に対応して移動するように形成されており、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
本技術的思想は、上記例示した問題点を解決するためになされたものであり、移動部材が第２方向に移動する場合にだけ被遮蔽領域の外観を一定に維持することができる遊技機を提供することを目的とする。
＜手段＞
この目的を達成するために技術的思想１の遊技機は、第１位置と第２位置との間で移動可能に形成される移動部材と、その移動部材を移動させるための駆動力を発生する駆動手段と、を備え、前記移動部材が前記第１位置に配置される場合には、前記移動部材に遮蔽されることにより前面視において視認不能となる領域であると共に、前記移動部材が少なくとも前記第２位置に配置される場合には、前面視において視認可能となる領域である被遮蔽領域を有する遊技機において、前記被遮蔽領域の少なくとも一部の外観が変化可能に形成され、前記被遮蔽領域に配設されると共に、前記移動部材の移動に対応して移動可能である演出部材を備え、その演出部材が移動されることで前記被遮蔽領域の外観が変化され、前記演出部材は、前記移動部材が第１方向に移動する場合には、前記移動部材の移動に対応して移動し、前記移動部材が第１方向の反対方向である第２方向に移動する場合には停止する。
技術的思想２の遊技機は、技術的思想１記載の遊技機において、前記演出部材は、初期位置に配置された後に前記移動部材が前記第１位置と前記第２位置との間を所定回数往復すると、初期位置へ復帰可能に形成されると共に、前記移動部材が前記第１位置と前記第２位置との間を１往復すると、前記演出部材は、前記初期位置から移動し前記初期位置へ復帰するまでの経路を前記所定回数で分割した距離だけ移動する。
技術的思想３の遊技機は、技術的思想１又は２に記載の遊技機において、前記第１方向は、前記移動部材を重力方向に沿った方向に移動させる方向であり、前記第２方向は、前記移動部材を重力方向に対向する方向に沿った方向に移動させる方向である。
＜効果＞
技術的思想１記載の遊技機によれば、演出部材は、移動部材が第１方向に移動する場合には移動部材の移動に対応して移動し、移動部材が第１方向の反対方向である第２方向に移動する場合には停止するので、移動部材の移動する方向によって、演出部材の動作態様を移動するか停止するかの２態様で異ならせることができる。
即ち、移動部材が第１方向に移動する場合も第２方向に移動する場合も演出部材が移動部材の移動に対応して移動すると、移動部材の移動方向に関わらず演出部材は移動部材の移動に対応して移動するので、例えば、移動部材が第２方向に移動する場合にだけ演出部材を移動させずに被遮蔽領域の外観を一定に維持することは難しい。
これに対し、技術的思想１記載の遊技機によれば、移動部材が第１方向に移動する場合には移動部材の移動に対応して演出部材が移動し、移動部材が第２方向に移動する場合には演出部材が停止するので、移動部材が第２方向に移動する場合にだけ被遮蔽領域の外観を一定に維持することができる。例えば、演出部材に文字など静止状態において把握しやすい表示がされる場合に演出部材を停止させる構成が有効となる。
なお、移動部材または演出部材の移動の態様は、特に限定されるものではなく、例えば、移動部材または演出部材が回転可能に軸支され移動部材または演出部材が回転または揺動される態様でもよく、例えば、移動部材または演出部材が平行移動される態様でもよい。
技術的思想２記載の遊技機によれば、技術的思想１記載の遊技機の奏する効果に加え、演出部材は、初期位置に配置された後に移動部材が第１位置と第２位置との間を所定回数往復すると、初期位置へ復帰可能に形成されると共に、移動部材が第１位置と第２位置との間を１往復すると、演出部材は、初期位置から移動し初期位置へ復帰するまでの経路を分割した距離だけ移動するので、演出部材の位置や姿勢を移動部材の往復毎に異ならせることができ、結果として被遮蔽領域の外観を移動部材の往復毎に変化させることができる。
技術的思想３記載の遊技機によれば、技術的思想１又は２に記載の遊技機の奏する効果に加え、第１方向は、移動部材を重力方向に沿った方向に移動させる方向であり、第２方向は、移動部材を重力方向に対向する方向に沿った方向に移動させる方向であるので、移動部材の移動と演出部材の移動とに兼用される駆動手段の駆動力を抑制することができる。
即ち、２部材を単一の駆動手段で駆動させる場合、それぞれの部材にかけられる抵抗を上回る駆動力を発生させる必要があり、駆動手段を小型化することは難しい。
これに対し、技術的思想３記載の遊技機によれば、移動部材を重力方向に沿った第１方向に移動させる場合には、重力が移動部材の移動を補助することとなり、移動部材と演出部材とを同時に動作させるようにしても、駆動力は小さくて済むので、駆動手段を小型化することができる。
一方で、移動部材を重力方向に対向する方向に沿った第２方向に移動させる場合には、重力の分だけ駆動力を大きくする必要があるが、演出部材を停止させることで、演出部材を移動させる駆動力が不要となり、駆動手段に必要とされる駆動力を結果的に低減させることができる。
【符号の説明】
【０５８３】
１０              パチンコ機（遊技機）
１３              遊技盤
３１０            可動部材
４２２            駆動モータ（駆動手段）
４４１            第１遮蔽部材（遮蔽部材）
４４２            第１演出部材（演出部材）
４４３            付勢バネ（付勢手段）
４６０            昇降部材（移動部材）
２４５１          第２遮蔽部材（遮蔽部材）
２４５３          第２演出部材（演出部材）
２４５４          付勢バネ（付勢手段）
３５１３          演出補助部材
３５１４          駆動モータ（第１駆動手段）
３５２０          アーム部材（第１移動部材）
３６１０          取り付けベース（遮蔽部材）
３６１１          軸部（第２軸）
３６２０          アーム部材（移動部材、第２移動部材）
３６２０Ｍｇ      磁石部（磁性体）
３６２２          溝部（案内部）
３６３１          駆動モータ（駆動手段、第２駆動手段）
３６３４          第２歯車（回転体）
３６３５          突設ピン（ピン部材）
３６４０ａ        挿通軸（第１軸）
３６５２          切替歯車（切替手段）
３６５４          演出部材
４６１０          取り付けベース（遮蔽部材）
４６１５          昇降部材（演出補助部材）
４６２０          アーム部材（移動部材）
４６２２          溝部（案内部）
４６３３          切替歯車（切替手段）
５５３０          演出補助部材
６３３０          没出部材（可動部材）
Ｐ１              被遮蔽領域
Ｐ２              被遮蔽領域（第１被遮蔽領域）
Ｐ３              被遮蔽領域（被遮蔽領域、第２被遮蔽領域）